(57)【特許請求の範囲】
【請求項１】
ボトル用のキャップであって、
前記ボトルに連結されて前記ボトルを閉止するように動作する閉止部であり、
閉止部空間を画定する閉止部本体、及び
前記閉止部本体を貫いて設けられた閉止部通路、を備える閉止部と、
少なくとも部分的に前記閉止部空間内に位置付けられたダイヤル本体を備えるダイヤルと、
少なくとも部分的に前記閉止部空間内に位置付けられた付勢機構と、
外力インターフェースと、
溝を備える溝部分と、
少なくとも部分的に前記溝内に位置付けられたエクステンダーを備える相互作用特徴部と、を備え、
当該キャップは、
前記外力インターフェースに対する外力の印加が、前記ダイヤル本体を回転することなく前記エクステンダーを前記溝内の圧縮方向に動かすように動作し、
前記エクステンダーの、前記溝内の前記圧縮方向への運動が、前記付勢機構を圧縮するように動作し、
前記外力インターフェースに対する外力の少なくとも部分的な終了が、前記付勢機構を減圧するように動作し、
前記付勢機構の減圧が、前記エクステンダーを前記溝内の伸長方向に動かすように動作し、
前記エクステンダーの、前記溝内の前記伸長方向への運動が、前記ダイヤル本体を回転させるように動作し、
前記ダイヤル本体の回転が、前記閉止部通路に位置合わせされる前記ダイヤル本体の部分を変更するように動作する、
ように構成されているキャップ。
【請求項２】
前記閉止部が、前記閉止部を前記ボトルに連結して前記ボトルを閉止するように動作するボトル保持特徴部を更に備え、
前記ボトルが、前記ボトルが前記閉止部に連結されるとき、前記外力インターフェースに外力を印加するように動作し、
前記ボトルが、前記ボトルが前記閉止部から連結解除されるとき、前記外力インターフェースに対する外力を終了させるように動作する、請求項１に記載のキャップ。
【請求項３】
前記ダイヤル本体の少なくとも１つの面が、前記溝部分を備える、請求項１に記載のキャップ。
【請求項４】
ボタンを更に備え、
前記ボタンの第１の部分が、前記外力インターフェースを備え、
前記ボタンの第２の部分が、前記相互作用特徴部を備える、請求項３に記載のキャップ。
【請求項５】
前記付勢機構が、前記ボタンと前記ダイヤルの一部分との間に位置付けられた、請求項４に記載のキャップ。
【請求項６】
ボトル用のキャップであって、
前記ボトルに連結されて前記ボトルを閉止するように動作する閉止部であり、
閉止部空間を画定する閉止部本体、及び
前記閉止部本体を貫いて設けられた閉止部通路、を備える閉止部と、
少なくとも部分的に前記閉止部空間内に位置付けられたダイヤル本体を備えるダイヤルと、
少なくとも部分的に前記閉止部空間内に位置付けられた付勢機構と、
外力インターフェースと、
溝を備える溝部分と、
少なくとも部分的に前記溝内に位置付けられたエクステンダーを備える相互作用特徴部と、
ボタンと、
を備え、
前記ダイヤル本体の少なくとも１つの面が、前記溝部分を備え、
前記ボタンの第１の部分が、前記外力インターフェースを備え、
前記ボタンの第２の部分が、前記相互作用特徴部を備え、
前記ボタンの第３の部分が、前記キャップの回転阻止特徴部と相互作用して前記ボタンの回転を阻止するように動作し、
前記外力インターフェースに対する外力の印加が、前記エクステンダーを前記溝内の圧縮方向に動かすように動作し、
前記エクステンダーの、前記溝内の前記圧縮方向への運動が、前記付勢機構を圧縮するように動作し、
前記外力インターフェースに対する外力の少なくとも部分的な終了が、前記付勢機構を減圧するように動作し、
前記付勢機構の減圧が、前記エクステンダーを前記溝内の伸長方向に動かすように動作し、
前記エクステンダーの、前記溝内の前記伸長方向への運動が、前記ダイヤル本体を回転させるように動作し、
前記ダイヤル本体の回転が、前記閉止部通路に位置合わせされる前記ダイヤル本体の部分を変更するように動作する、キャップ。
【請求項７】
ボトル用のキャップであって、
前記ボトルに連結されて前記ボトルを閉止するように動作する閉止部であり、
閉止部空間を画定する閉止部本体、及び
前記閉止部本体を貫いて設けられた閉止部通路、を備える閉止部と、
少なくとも部分的に前記閉止部空間内に位置付けられたダイヤル本体を備えるダイヤルと、
少なくとも部分的に前記閉止部空間内に位置付けられた付勢機構と、
外力インターフェースと、
溝を備える溝部分と、
少なくとも部分的に前記溝内に位置付けられたエクステンダーを備える相互作用特徴部と、を備え、
前記閉止部本体の少なくとも１つの面が、前記溝部分を備え、
前記外力インターフェースに対する外力の印加が、前記エクステンダーを前記溝内の圧縮方向に動かすように動作し、
前記エクステンダーの、前記溝内の前記圧縮方向への運動が、前記付勢機構を圧縮するように動作し、
前記外力インターフェースに対する外力の少なくとも部分的な終了が、前記付勢機構を減圧するように動作し、
前記付勢機構の減圧が、前記エクステンダーを前記溝内の伸長方向に動かすように動作し、
前記エクステンダーの、前記溝内の前記伸長方向への運動が、前記ダイヤル本体を回転させるように動作し、
前記ダイヤル本体の回転が、前記閉止部通路に位置合わせされる前記ダイヤル本体の部分を変更するように動作する、キャップ。
【請求項８】
前記ダイヤル本体の第１の部分が、前記外力インターフェースを備え、
前記ダイヤル本体の第２の部分が、前記相互作用特徴部を備える、請求項７に記載のキャップ。
【請求項９】
前記ダイヤル本体の特定の軸の周りの回転が、前記閉止部通路に位置合わせされる前記ダイヤル本体の側壁の部分を変更するように動作し、
前記側壁の前記部分が、前記特定の軸に平行である、請求項１に記載のキャップ。
【請求項１０】
前記ダイヤル本体の特定の軸の周りの回転が、前記閉止部通路に位置合わせされる前記ダイヤル本体の頂壁の部分を変更するように動作し、
前記頂壁の前記部分が、前記特定の軸に垂直である、請求項１に記載のキャップ。
【請求項１１】
前記ダイヤル本体の特定の軸の周りの回転が、前記閉止部通路に位置合わせされる前記ダイヤル本体の部分を変更するように動作し、
前記溝が、前記特定の軸の少なくとも一部分の周りに延在する、請求項１に記載のキャップ。
【請求項１２】
前記溝が、複数の第１のセグメントを備え、
前記複数の第１のセグメントのうちの各第１のセグメントが、前記第１のセグメントの上部部分と前記第１のセグメントの下部部分との間の前記圧縮方向に延在する、請求項１１に記載のキャップ。
【請求項１３】
前記圧縮方向が、前記特定の軸に平行である、請求項１２に記載のキャップ。
【請求項１４】
前記溝が、複数の第２のセグメントを備え、
各第２のセグメントが、前記複数の第１のセグメントのうちのそれぞれ２つの隣接する第１のセグメントの組の間の伸長方向に延在する、請求項１２に記載のキャップ。
【請求項１５】
前記複数の第２のセグメントのうちの各第２のセグメントが、前記第２のセグメントの頂部部分と前記第２のセグメントの底部部分との間の伸長方向に延在し、
前記複数の第２のセグメントのうちの各第２のセグメントの前記頂部部分が、前記複数の第１のセグメントのうちの前記それぞれ２つの隣接する第１のセグメントの組のうちの一方の第１のセグメントの前記上部部分に連結され、
前記複数の第２のセグメントのうちの各第２のセグメントの前記底部部分が、前記複数の第１のセグメントのうちの前記それぞれ２つの隣接する第１のセグメントの組のうちの他方の第１のセグメントの前記下部部分に連結された、請求項１４に記載のキャップ。
【請求項１６】
ボトル用のキャップであって、
前記ボトルに連結されて前記ボトルを閉止するように動作する閉止部であり、
閉止部空間を画定する閉止部本体、及び
前記閉止部本体を貫いて設けられた閉止部通路、を備える閉止部と、
少なくとも部分的に前記閉止部空間内に位置付けられたダイヤル本体を備えるダイヤルと、
少なくとも部分的に前記閉止部空間内に位置付けられた付勢機構と、
外力インターフェースと、
溝を備える溝部分と、
少なくとも部分的に前記溝内に位置付けられたエクステンダーを備える相互作用特徴部と、を備え、
前記外力インターフェースに対する外力の印加が、前記エクステンダーを前記溝内の圧縮方向に動かすように動作し、
前記エクステンダーの、前記溝内の前記圧縮方向への運動が、前記付勢機構を圧縮するように動作し、
前記外力インターフェースに対する外力の少なくとも部分的な終了が、前記付勢機構を減圧するように動作し、
前記付勢機構の減圧が、前記エクステンダーを前記溝内の伸長方向に動かすように動作し、
前記エクステンダーの、前記溝内の前記伸長方向への運動が、前記ダイヤル本体を回転させるように動作し、
前記ダイヤル本体の回転が、前記閉止部通路に位置合わせされる前記ダイヤル本体の部分を変更するように動作し、
前記ダイヤル本体の特定の軸の周りの回転が、前記閉止部通路に位置合わせされる前記ダイヤル本体の部分を変更するように動作し、
前記溝が、前記特定の軸の少なくとも一部分の周りに延在し、
前記溝が、複数の第１のセグメントを備え、
前記複数の第１のセグメントのうちの各第１のセグメントが、前記第１のセグメントの上部部分と前記第１のセグメントの下部部分との間の前記圧縮方向に延在し、
前記溝が、複数の第２のセグメントを備え、
各第２のセグメントが、前記複数の第１のセグメントのうちのそれぞれ２つの隣接する第１のセグメントの組の間の伸長方向に延在し、
前記複数の第１のセグメントのうちの少なくとも１つの第１のセグメントの奥行きが、前記少なくとも１つの第１のセグメントの前記上部部分と前記下部部分との間で異なる、キャップ。
【請求項１７】
前記複数の第１のセグメントと前記複数の第２のセグメントが、前記特定の軸の周りの連続的な経路を共同で形成する、請求項１４に記載のキャップ。
【請求項１８】
前記複数の第１のセグメントのうちの少なくとも１つの第１のセグメントが、前記特定の軸に平行に延在し、
前記複数の第２のセグメントのうちの少なくとも１つの第２のセグメントが、前記特定の軸の少なくとも一部分の周りに延在する、請求項１４に記載のキャップ。
【請求項１９】
ボトル用のキャップであって、
前記ボトルに連結されて前記ボトルを閉止するように動作する閉止部であり、
閉止部空間を画定する閉止部本体、及び
前記閉止部本体を貫いて設けられた閉止部通路、を備える閉止部と、
少なくとも部分的に前記閉止部空間内に位置付けられたダイヤル本体を備え、前記閉止部空間内で特定の軸の周りで回転するように動作するダイヤルと、
外力インターフェースと、
経路を画定する経路部分と、
前記経路に沿って動くように動作するエクステンダーを備える相互作用特徴部と、を備え、
ユーザーまたは前記ボトルのうちの１つによる前記外力インターフェースに対する外力の印加が、前記エクステンダーを、前記経路の第１のセグメントに沿った、前記第１のセグメントの第１の部分から前記第１のセグメントの第２の部分への第１の方向に動かすように動作し、
前記外力インターフェースに対する前記外力の少なくとも部分的な終了が、前記エクステンダーを、前記経路の第２のセグメントに沿った、前記第２のセグメントの第１の部分から前記第２のセグメントの第２の部分への第２の方向に動かすように動作し、
前記エクステンダーの、前記経路の前記第２のセグメントに沿った前記第２の方向への運動が、前記ダイヤル本体を前記特定の軸の周りで回転させるように動作し、
前記ダイヤル本体の前記特定の軸の周りの回転が、前記閉止部通路に位置合わせされる前記ダイヤル本体の部分を変更するように動作し、
前記経路の前記第１のセグメントが、前記特定の軸に平行に延在し、
前記経路の前記第２のセグメントが、前記特定の軸の少なくとも一部分の周りに延在する、キャップ。
【請求項２０】
ボトルキャップの閉止部内のダイヤル上の表示部の、前記閉止部内の通路を通じてユーザーに見える部分を変更するための方法であって、前記ボトルキャップが、前記閉止部、前記ダイヤル、経路を画定する経路コンポーネント、相互作用特徴部、及び前記相互作用特徴部に連結された外力インターフェースを備え、前記方法が、
前記外力インターフェースに対して外力が印加されるとき、前記相互作用特徴部を、特定の軸に平行な第１の方向に延在する前記経路の第１のセグメントに沿って動かすことと、
前記外力インターフェースに対する前記外力が少なくとも部分的に終了されるとき、前記相互作用特徴部を、前記第１のセグメントから前記軸の少なくとも一部分の周りに延在する前記経路の第２のセグメントに沿って動かすことと、を含む、方法。
【発明の詳細な説明】
【技術分野】
【０００１】
（関連出願の相互参照）
【０００２】
本出願は、２０１５年７月１６日出願の米国特許出願第１４／８０１，２５８号、２０１５年４月６日出願の米国特許出願第１４／６７９，３７１号、及び２０１４年１１月５日出願の米国特許出願第１４／５３３，９２４号の優先権を主張し、これらの各々は、その全体が参照により本明細書に組み込まれる。
【０００３】
（発明の分野）
本開示は、容器アセンブリ用の調節可能なインジケータに関し、より具体的には、投薬スケジュールを追跡する薬剤ボトル容器の閉止部用の調節可能なインジケータ、並びにそれを使用及び作製するための方法に関する。
【背景技術】
【０００４】
繊細な方式で（例えば、厳格な投薬スケジュールに従って）使用されなければならない薬剤又は様々な内容物を保持するために様々な容器が使用されている。いくつかの容器は、内容物が使用されるべき様式についてユーザーに通知し得るインジケータを備えている。しかしながら、このようなインジケータの可変的な情報を安全かつ確実に管理することは、これまで実行不可能であった。
【発明の概要】
【課題を解決するための手段】
【０００５】
本文書は、容器用の調節可能なインジケータ、並びにそれを使用及び作製するための方法について説明する。
【０００６】
例として、ボトル用キャップは、ボトルに連結されてボトルを閉止するように動作する閉止部を含み得る。閉止部は、閉止部空間を画定する閉止部本体及び閉止部本体を貫いて設けられる閉止部通路を含み得る。キャップは、閉止部空間内で閉止部本体に連結される基部本体を含む基部も含み得、基部本体と閉止部本体とは、閉止部空間内の表示部空間を画定する。キャップは、表示部空間内に位置付けられたダイヤル本体を含むダイヤルも含み得る。キャップは、表示部空間内に基部本体の一部分とダイヤル本体の一部分との間に位置付けられたギヤアセンブリも含み得る。ギヤアセンブリは、ダイヤル本体に連結されたダイヤルギヤを含むダイヤルギヤサブアセンブリと、ユーザーギヤ及びユーザーギヤから離れる方向に延在するユーザーシャフトを含むユーザーギヤサブアセンブリと、を含み得る。ユーザーシャフトの回転は、ユーザーギヤを回転させるように動作し、ユーザーギヤの回転は、ダイヤルギヤを回転させるように動作し、ダイヤルギヤの回転は、ダイヤル本体を回転させるように動作し、ダイヤル本体の回転は、閉止部通路に位置合わせされるダイヤル本体の部分を変更するように動作する。
【０００７】
別の例として、ボトル用のキャップは、ボトルに連結されてボトルを閉止するように動作する閉止部と、閉止部に連結された基部と、基部の一部分と閉止部の一部分との間に位置付けられたダイヤルと、基部の一部分とダイヤルの一部分との間に位置付けられたギヤアセンブリとを含み得る。ギヤアセンブリは、ダイヤルに連結されたダイヤルギヤサブアセンブリと、ユーザーギヤサブアセンブリとを含み得る。ギヤアセンブリは、ユーザーギヤサブアセンブリの運動をダイヤルギヤサブアセンブリの運動に変換してダイヤルを閉止部に対して動かすように動作する。
【０００８】
更に別の例として、ボトルキャップ内のダイヤル上の表示部の、ボトルキャップ内の通路を通じてユーザーに見える部分を変更するための方法は、ユーザーギヤを第１の軸に沿って、ダイヤルに連結されたダイヤルギヤに向かって押圧することを含み得る。本方法は、押圧の間に、ユーザーギヤを第１の軸の周りで回転させることも含み得る。本方法は、ユーザーギヤの回転を使用して、ダイヤルギヤ及びダイヤルを第２の軸の周りで回転させることも含み得る。
【０００９】
更に別の例として、ボトル用のキャップは、ボトルに連結されてボトルを閉止するように動作する閉止部を含み得る。閉止部は、閉止部空間を画定する閉止部本体及び閉止部本体を貫いて設けられる閉止部通路を含み得る。キャップはまた、少なくとも部分的に閉止部空間内に位置付けられたダイヤル本体を含むダイヤルと、少なくとも部分的に閉止部空間内に位置付けられた付勢機構と、外力インターフェースと、溝を含む溝部分と、少なくとも部分的に溝内に位置付けられたエクステンダーを含む相互作用特徴部とを含み得る。外力インターフェースへの外力の印加は、エクステンダーを溝内の圧縮方向に動かすように動作する。エクステンダーの、溝内の圧縮方向への運動は、付勢機構を圧縮するように動作する。外力インターフェースに対する外力の少なくとも部分的な終了は、付勢機構を減圧するように動作する。付勢機構の減圧は、エクステンダーを溝内の伸長方向に動かすように動作する。エクステンダーの、溝内の伸長方向への運動は、ダイヤル本体を回転させるように動作する。ダイヤル本体の回転は、閉止部通路に位置合わせされるダイヤル本体の部分を変更するように動作する。
【００１０】
更に別の例として、ボトル用のキャップは、ボトルに連結されてボトルを閉止するように動作する閉止部を含み得る。閉止部は、閉止部空間を画定する閉止部本体及び閉止部本体を貫いて設けられる閉止部通路を含み得る。キャップはまた、少なくとも部分的に閉止部空間内に位置付けられたダイヤル本体を含み、閉止部空間内で特定の軸の周りで回転するように動作するダイヤルと、外力インターフェースと、経路を画定する経路部分と、経路に沿って動くように動作するエクステンダーを含む相互作用特徴部とを含み得る。ユーザー及びボトルのうちの１つによる外力インターフェースに対する外力の印加は、エクステンダーを、経路の第１のセグメントに沿った、第１のセグメントの第１の部分から第１のセグメントの第２の部分への第１の方向に動かすように動作する。外力インターフェースに対する外力の少なくとも部分的な終了は、エクステンダーを、経路の第２のセグメントに沿った、第２のセグメントの第１の部分から第２のセグメントの第２の部分への第２の方向に動かすように動作する。エクステンダーの、経路の第２のセグメントに沿った第２の方向への運動は、ダイヤル本体を特定の軸の周りで回転させるように動作する。特定の軸の周りでのダイヤル本体の回転は、閉止部通路に位置合わせされるダイヤル本体の部分を変更するように動作する。経路の第１のセグメントは、特定の軸に平行に延在する。経路の第２のセグメントは、特定の軸の少なくとも一部分の周りに延在する。
【００１１】
更に別の例として、ボトルキャップの閉止部内のダイヤル上の表示部の、閉止部内の通路を通じてユーザーに見える部分を変更するための方法であって、ボトルキャップが、閉止部、ダイヤル、経路を画定する経路コンポーネント、相互作用特徴部、及び相互作用特徴部に連結された外力インターフェースを含む、方法、が提供され得る。本方法は、外力インターフェースに対して外力が印加されるとき、相互作用特徴部を、特定の軸に平行な第１の方向に延在する経路の第１のセグメントに沿って動かすことと、外力インターフェースに対する外力が少なくとも部分的に終了されるとき、相互作用特徴部を、第１のセグメントから軸の少なくとも一部分の周りに延在する経路の第２のセグメントに沿って動かすことと、を含み得る。
【００１２】
更に別の例として、ボトル用のキャップは、ボトルに連結されてボトルを閉止するように動作する閉止部であって、閉止部本体及び閉止部本体を貫いて設けられた閉止部通路を含む、閉止部、を含み得る。キャップは、閉止部本体に連結された基部本体を含み基部本体と閉止部本体との間の基部空間を画定する基部と、少なくとも部分的に基部本体と閉止部本体との間の基部空間内に位置付けられたボタン本体を含むボタンと、少なくとも部分的にボタン本体と閉止部本体との間の基部空間内に位置付けられたダイヤル本体及び複数のダイヤルノッチを含むダイヤルと、少なくとも部分的に基部空間内に位置付けられた付勢機構と、も含み得る。ボタンの外力インターフェース部分への外力の印加は、ボタンのダイヤル相互作用特徴部を、ダイヤルの複数のダイヤルノッチのうちの第１のダイヤルノッチに対する圧縮方向に動かすように動作する。ボタンのダイヤル相互作用特徴部の、ダイヤルの第１のダイヤルノッチに対する圧縮方向への運動は、付勢機構を圧縮し、ダイヤル本体を特定の軸の周りで第１の方向に第１の量だけ回転させるように動作する。ダイヤル本体の回転は、閉止部通路に位置合わせされるダイヤル本体の部分を変更するように動作する。
【００１３】
更に別の例として、ボトル用のキャップは、ボトルに連結されてボトルを閉止するように動作する閉止部であって、閉止部本体及び閉止部本体を貫いて設けられた閉止部通路を含み得る、閉止部、を含み得る。キャップは、閉止部本体に連結された基部本体を含み基部本体と閉止部本体との間の基部空間を画定する基部と、少なくとも部分的に基部本体と閉止部本体との間の基部空間内に位置付けられたボタン本体を含むボタンと、少なくとも部分的にボタン本体と閉止部本体との間の基部空間内に位置付けられたダイヤル本体及び複数のダイヤルノッチを含むダイヤルと、少なくとも部分的に基部空間内に位置付けられた付勢機構と、も含み得る。ボタンの外力インターフェース部分に対する外力の少なくとも部分的な終了は、付勢機構を減圧するように動作する。付勢機構の減圧は、複数のダイヤルノッチのうちの第１のダイヤルノッチを、基部のダイヤル相互作用特徴部に対する減圧方向に動かすように動作する。ダイヤルの第１のダイヤルノッチの、基部のダイヤル相互作用特徴部に対する減圧方向への運動は、ダイヤル本体を特定の軸の周りで第１の方向に第１の量だけ回転させるように動作する。ダイヤル本体の回転は、閉止部通路に位置合わせされるダイヤル本体の部分を変更するように動作する。
【００１４】
更に別の例として、ボトルキャップの閉止部内のダイヤル上の表示部の、ボトルキャップ内の通路を通じてユーザーに見える部分を変更するための方法であって、ボトルキャップが閉止部、ダイヤル、基部、及びボタンを含む方法は、基部と物理的に相互作用するようにダイヤルを基部に向かって押し進めることにより、ダイヤルを閉止部に対して特定の軸の周りで特定の方向に第１の量だけ回転させることと、ダイヤルと物理的に相互作用するようにボタンをダイヤルに向かって押し進めることにより、ダイヤルを閉止部に対して該特定の軸の周りで該特定の方向に第２の量だけ回転させることと、を含み得る。
【００１５】
この概要は、本文書に記載の主題のいくつかの態様に関する基本的な理解を提供するために、いくつかの模範的な実施形態を要約するために提供される。それゆえ、この概要に記載の特徴部は、単なる例であり、本明細書に記載の主題の範囲又は趣旨をいかなる方法においても狭小化すると解釈されるべきではないことが理解されるであろう。特に指示がない限り、ある例の文脈で記載されている特徴部は、１つ以上の他の例の文脈で記載されている特徴部と組み合わせられてもよく、又はそれらと共に使用されてもよい。本明細書に記載の主題の他の特徴部、態様、及び利点は、以下の詳細な説明、図、及び請求項から明らかになるであろう。
【図面の簡単な説明】
【００１６】
下記の議論は以下の図面に言及しており、図面において類似の参照文字は全体にわたって類似の部分を指すことがある。
【００１７】
【図１】容器アセンブリの実施形態の分解斜視図である。
【００１８】
【図２】図１の容器アセンブリの非分解斜視図である。
【００１９】
【図３】図１及び２の容器アセンブリの一部分の斜視図である。
【００２０】
【図４】図６の線ＩＶ−ＩＶから見た図１〜３の容器アセンブリの一部分の図である。
【００２１】
【図５】図１〜４の容器アセンブリの一部分の斜視図である。
【００２２】
【図６】図１〜５の容器アセンブリの一部分の断面図である。
【００２３】
【図７】容器アセンブリの別の実施形態の一部分の、図６に似た断面図である。
【００２４】
【図８】容器アセンブリの更に別の実施形態の一部分の、図６及び７に似た断面図である。
【００２５】
【図９】容器アセンブリの更に別の実施形態の一部分の、図６〜８に似た断面図である。
【００２６】
【図１０】容器アセンブリの更に別の実施形態の一部分の、図６〜９に似た断面図である。
【００２７】
【図１１】容器アセンブリの更に別の実施形態の、図１に似た分解斜視図である。
【００２８】
【図１２】図１１の容器アセンブリの一部分の、図６〜１０に似た断面図である。
【００２９】
【図１３】容器アセンブリの更に別の実施形態の、図１及び１１に似た分解斜視図である。
【００３０】
【図１４】図１３の容器アセンブリの一部分の、図６〜１０及び１２に似た断面図である。
【００３１】
【図１５】容器アセンブリの更に別の実施形態の、図１、１１、及び１３に似た分解斜視図である。
【００３２】
【図１６】図１５の容器アセンブリの一部分の分解斜視図である。
【００３３】
【図１７】第１の状態における図１５及び１６の容器アセンブリの一部分の、図６〜１０、１２、及び１４に似た断面図である。
【００３４】
【図１８】第２の状態における図１５〜１７の容器アセンブリの部分の、図６〜１０、１２、１４、及び１７に似た断面図である。
【００３５】
【図１９】第３の状態における図１５〜１８の容器アセンブリの部分の、図６〜１０、１２、１４、１７、及び１８に似た断面図である。
【００３６】
【図２０】図１５〜１９の容器アセンブリの別の部分の図である。
【００３７】
【図２１】図１５〜１９の容器アセンブリの部分の別の実施形態の、図２０に似た図である。
【００３８】
【図２２】容器アセンブリの更に別の実施形態の一部分の、図６〜１０、１２、１４、及び１７〜１９に似た断面図である。
【００３９】
【図２３】容器アセンブリの更に別の実施形態の一部分の、図６〜１０、１２、１４、１７〜１９、及び２２に似た断面図である。
【００４０】
【図２４】容器アセンブリの更に別の実施形態の一部分の、図６〜１０、１２、１４、１７〜１９、２２、及び２３に似た断面図である。
【００４１】
【図２５】容器アセンブリの更に別の実施形態の一部分の、図６〜１０、１２、１４、１７〜１９、及び２２〜２４に似た断面図である。
【００４２】
【図２６】容器アセンブリの更に別の実施形態の一部分の、図６〜１０、１２、１４、１７〜１９、及び２２〜２５に似た断面図である。
【００４３】
【図２７】容器アセンブリの更に別の実施形態の一部分の、図５に似た斜視図である。
【００４４】
【図２８】容器アセンブリの更に別の実施形態の、図１、１１、１３、及び１５に似た分解斜視図である。
【００４５】
【図２９】図２８の容器アセンブリの一部分の分解斜視図である。
【００４６】
【図３０】第１の状態における図２８及び２９の容器アセンブリの一部分の、図６〜１０、１２、１４、１７〜１９、及び２２〜２６に似た断面図である。
【００４７】
【図３１】第２の状態における図２８〜３０の容器アセンブリの部分の、図６〜１０、１２、１４、１７〜１９、２２〜２６、及び３０に似た断面図である。
【００４８】
【図３２】第３の状態における図２８〜３１の容器アセンブリの部分の、図６〜１０、１２、１４、１７〜１９、２２〜２６、３０、及び３１に似た断面図である。
【００４９】
【図３３】容器アセンブリの更に別の実施形態の一部分の、図６〜１０、１２、１４、１７〜１９、２２〜２６、及び３０〜３２に似た断面図である。
【００５０】
【図３４】容器アセンブリの更に別の実施形態の一部分の、図６〜１０、１２、１４、１７〜１９、２２〜２６、及び３０〜３３に似た断面図である。
【００５１】
【図３５】容器アセンブリの更に別の実施形態の一部分の、図１、１１、１３、１５、２８、及び２９に似た分解斜視図である。
【００５２】
【図３６】容器アセンブリの更に別の実施形態の一部分の、図１、１１、１３、１５、２８、２９、及び３５に似た分解斜視図である。
【００５３】
【図３７】第１の状態における図３６の容器アセンブリの一部分の、図６〜１０、１２、１４、１７〜１９、２２〜２６、及び３０〜３４に似た断面図である。
【００５４】
【図３８】第２の状態における図３６及び３７の容器アセンブリの部分の、図６〜１０、１２、１４、１７〜１９、２２〜２６、及び３０〜３４に似た断面図である。
【００５５】
【図３９】第３の状態における図３６〜３８の容器アセンブリの部分の、図６〜１０、１２、１４、１７〜１９、２２〜２６、３０〜３４、３７、及び３８に似た断面図である。
【００５６】
【図４０】容器アセンブリの更に別の実施形態の、図１、１１、１３、及び１５に似た分解斜視図である。
【００５７】
【図４１】図４０の容器アセンブリの一部分の分解斜視図である。
【００５８】
【図４２】第１の状態における図４０及び４１の容器アセンブリの一部分の、図６〜１０、１２、１４、及び１７に似た断面図である。
【００５９】
【図４３】第２の状態における図４０〜４２の容器アセンブリの部分の、図６〜１０、１２、１４、１７、及び４２に似た断面図である。
【００６０】
【図４４】第３の状態における図４０〜４３の容器アセンブリの部分の、図６〜１０、１２、１４、１７、４２及び４３に似た断面図である。
【００６１】
【図４５】容器アセンブリの更に別の実施形態の一部分の、図４１に似た分解斜視図である。
【００６２】
【図４６】容器アセンブリの更に別の実施形態の一部分の、図４０に似た分解斜視図である。
【００６３】
【図４７】第１の状態における容器アセンブリの更に別の実施形態の一部分の、図６〜１０、１２、１４、１７、及び４２〜４４に似た断面図である。
【００６４】
【図４８】第２の状態における図４７の容器アセンブリの部分の、図６〜１０、１２、１４、１７、４２〜４４、及び４７に似た断面図である。
【００６５】
【図４９】第３の状態における図４７及び４８の容器アセンブリの部分の、図６〜１０、１２、１４、１７、４２〜４４、４７、及び４８に似た断面図である。
【００６６】
【図５０】第１の状態における容器アセンブリの更に別の実施形態の一部分の、図６〜１０、１２、１４、１７、４２〜４４、及び４７〜４９に似た断面図である。
【００６７】
【図５１】第２の状態における図５０の容器アセンブリの部分の、図６〜１０、１２、１４、１７、４２〜４４、及び４７〜５０に似た断面図である。
【００６８】
【図５２】第３の状態における図５０及び５１の容器アセンブリの部分の、図６〜１０、１２、１４、１７、４２〜４４、及び４７〜５１に似た断面図である。
【００６９】
【図５３】ボトルキャップ内のダイヤル上の表示部の、ボトルキャップ内の通路を通じてユーザーに見える部分を変更するための例示的なプロセスの流れ図である。
【図５４】ボトルキャップ内のダイヤル上の表示部の、ボトルキャップ内の通路を通じてユーザーに見える部分を変更するための例示的なプロセスの流れ図である。
【図５５】ボトルキャップ内のダイヤル上の表示部の、ボトルキャップ内の通路を通じてユーザーに見える部分を変更するための例示的なプロセスの流れ図である。
【発明を実施するための形態】
【００７０】
本開示は、容器アセンブリ用の調節可能なインジケータに関し、より具体的には、投薬スケジュールを追跡する薬剤ボトル容器の閉止部用の調節可能なインジケータ、並びにそれを使用及び作製するための方法に関する。いくつかの実施形態では、ギヤアセンブリは、容器アセンブリのキャップを備えていてもよい。ギヤアセンブリは、ユーザーハンドルの動き（例えば、回転）を、キャップを貫く通路に位置合わせされ得るダイヤルの表示部の部分を変更するためのダイヤルの動き（例えば、回転）に変換するように動作してもよい。ダイヤル、表示部、及びギヤアセンブリの少なくとも一部分は、キャップのコンポーネントにより画定されるしっかり閉じた表示部空間内に位置付けられてもよい一方、ユーザーハンドルは、少なくとも部分的にそのしっかり閉じた空間の外部に位置付けられてもよく、これにより、しっかり閉じた空間は、ユーザーハンドルにより要求されない限りダイヤルの不注意な、又は望まれない運動を阻止し得る。いくつかの実施形態では、ギヤアセンブリがユーザーハンドルの動きをダイヤルの動きに変換できるようになる前に、２つのはっきり異なる動きがユーザーハンドルに適用されてもよい。例えば、ユーザーハンドルは、ユーザーギヤの歯がダイヤルギヤの歯と噛み合い得るように、ギヤアセンブリのユーザーギヤをギヤアセンブリのダイヤルギヤに向かって押圧するように構成されてもよい。次いで、ひとたび歯が噛み合うと、ユーザーハンドルは、ユーザーギヤを第１の軸の周りで回転させるように構成されてもよく、これにより、ダイヤルギヤを第２の軸の周りで回転させて、ダイヤルギヤに連結され得るダイヤルを動かし得る。第１の軸は、第２の軸と同じであってもよく、異なっていてもよい。ギヤアセンブリは、ダイヤルがキャップに対して１方向にのみ動かされ得るように、ユーザーギヤ又はダイヤルギヤのいずれかの反対回転を阻止し得る停止機構を提供してもよい。他の実施形態では、キャップアセンブリの閉止部の閉止部空間内に経路が画定されてもよく、キャップアセンブリの外力インターフェースに外力が印加されるとき、及び次いでキャップアセンブリの外力インターフェースへの印加が少なくとも部分的に終了されるとき、相互作用特徴部が経路に沿って動くように押し進められてもよく、これにより、ダイヤルを閉止部空間内で軸の周りで回転させ得る。経路は、閉止部の面及び相互作用特徴部により提供されてもよく、外力インターフェースは、ダイヤルの部分により提供されてもよい。あるいは、経路は、ダイヤルの面及び相互作用特徴部により提供されてもよく、外力インターフェースは、閉止部の部分により提供されてもよい。あるいは、経路は、ダイヤルの面及び相互作用特徴部により提供されてもよく、外力インターフェースは、ボタンの部分により提供されてもよい。
あるいは、経路は、ボタンの面及び相互作用特徴部により提供されてもよく、外力インターフェースは、ダイヤルの部分により提供されてもよい。外力は、容器がキャップアセンブリに連結され、次いで少なくとも部分的に連結解除されるとき、容器アセンブリのユーザーにより手動的に、かつ／又は容器により自動的に、外力インターフェースに印加され、次いで少なくとも部分的に終了されてもよい。外力が少なくとも部分的に終了されるとき、相互作用特徴部の経路に沿っての移動の少なくとも一部分を確保するために、このような外力に対向する力を印加するための付勢機構が設けられてもよい。外力インターフェースに対して直線方向に外力が印加されるとき、経路に沿っての相互作用特徴部の移動の第１の部分は、経路の垂直セグメントに沿った実質的に直線状の垂直運動であってもよい。経路に沿っての相互作用特徴部の移動の第２の部分は、このような外力が少なくとも部分的に終了されるとき（例えば、付勢機構により発揮される力の大きさに負けて）、軸の周りでダイヤルを回転させるためのその軸の少なくとも一部分の周りの経路の斜めセグメントに沿っていてもよい。
【００７１】
＜図１〜６（アセンブリ１００）＞
図１〜６は、アセンブリ１００により保持され得る任意の好適な内容物１９７（例えば、薬剤）に関してスケジュールを追跡するため等の、任意の好適な目的に使用され得る調節可能なインジケータを有する例示的なボトル容器アセンブリ１００を示す。図示するように、アセンブリ１００は、ボトル１９０と、ボトル１９０に連結されて、中に内容物１９７を安全に保持し得る閉止された容器を形成し得るキャップ又はキャップサブアセンブリ１１０とを含んでもよい。例えば、ボトル１９０は、閉じた底端部１９９から少なくとも部分的に開いた頂端部１９１まで延在して内側ボトル空間１９３を画定し得る１つ以上の側壁１９５を含み得るボトル本体を含んでもよい。ボトル１９０は、ユーザーが内容物１９７を開放端部１９１を通じてボトル空間１９３内に（例えば、−Ｚ方向に沿って）挿入し得、かつ／又は内容物１９７をボトル空間１９３から開放端部１９１を通じて（例えば、＋Ｚ方向に沿って）取り出し得るように、構成されてもよい。ボトル１９０は、任意の好適な内容物１９７を任意の好適な方法で保持するように構成され得る任意の好適な容器であってもよい。ボトル１９０は、任意の好適な材料又は材料の組み合わせから作製されてもよく、任意の好適な寸法を有してもよい。例えば、ボトル１９０は、円筒形状のボトル空間１９３及び円形の開口部１９１を画定するように示されることがあるものの、任意の好適なサイズの任意の好適な形状が、ボトル１９０の任意の好適な部分により提供されてもよい。
【００７２】
キャップサブアセンブリ１１０がボトル１９０に連結されているとき、キャップサブアセンブリ１１０が開放端部１９１を被覆してユーザーがボトル空間１９３（例えば、内容物１９７）にアクセスするのを阻止することができるように、かつキャップサブアセンブリ１１０がボトル１９０に連結されていないとき、キャップサブアセンブリ１１０が開放端部１９１の少なくとも一部分を被覆せずユーザーがボトル空間１９３（例えば、内容物１９７）にアクセスすることを可能にすることができるように、キャップサブアセンブリ１１０は、ボトル１９０に着脱可能に連結されるように構成されてもよい。アセンブリ１００は、キャップサブアセンブリがボトル１９０に着脱可能に連結されることを可能にするように任意の好適な方法で構成されてもよい。単なる一例として、図１〜６に示すように、ボトル１９０は、少なくとも１つのキャップ取付特徴部１９２（例えば、端部１９１に隣接する本体１９５の外面から突出する１つ以上の雄ネジ）を含んでもよく、キャップサブアセンブリ１１０は、少なくとも１つのボトル取付特徴部１２８（例えば、キャップサブアセンブリ１１０の内面から突出する１つ以上の雌ネジ）を含んでもよく、ボトル取付特徴部１２８を螺装するか、又はキャップ取付特徴部１９２の周りで下へと（例えば、−Ｚ方向の下方向へと、Ｚ軸の周りで矢印Ｒ１の方向に）回転させて、開放端部１９１の上でキャップサブアセンブリ１１０をボトル１９０に固定することができる（例えば、図２及び６を参照されたい）。いくつかのこのような実施形態では、図示するように、ボトル取付特徴部１２８は、長手方向軸Ａの周りでキャップ取付特徴部１９２に対して回転して、キャップサブアセンブリ１１０及びボトル１９０が相互に着脱可能に連結されることを可能にするように構成されてもよい（例えば、連結するには矢印Ｒ１の方向に、及び取り外すには矢印Ｒ２の方向に）。矢印Ｒ１はＺ軸（例えば、軸Ａ）の周りの時計回り型回転方向として示されることがあり、矢印Ｒ２はＺ軸（例えば、軸Ａ）の周りの反時計回り型回転方向として示されることがあるものの、これらの関連付けは反転されてもよく、又は任意の他の好適な対向する回転方向若しくは任意の他の好適な変換方向であってもよいことを理解されたい。このようなネジ付きの実施形態では、キャップ取付特徴部１９２及びボトル取付特徴部１２８は、チャイルドプルーフの安全機構（例えば、キャップサブアセンブリ１１０を下向きに押圧して、捩じるか、又は回転させることを可能にすることにより、キャップサブアセンブリ１１０をボトル１９０から取り外すことができる）を提供してもよい。キャップ取付特徴部１９２及びボトル取付特徴部１２８は、互いと相互作用してキャップサブアセンブリ１１０をボトル１９０に着脱可能に連結するように構成され得る相互的な特徴部又は別の方法で関係付けられた特徴部の任意の好適な組み合わせ（例えば、スナップ、ノッチ、クリップ、ロケーションフィット又は中間ばめ等）であってよい。ボトル１９０は、キャップ取付特徴部１９２の下方で本体１９５の外面から突出し得るリップ１９４も含んでもよく、リップ１９４は、閉じた端部１９９から少なくとも特定の距離だけ上方にキャップサブアセンブリ１１０を懸架するように構成されてもよい。キャップ取付特徴部１９２及び／又はリップ１９４は、キャップサブアセンブリ１１０がボトル１９０に連結されているとき、キャップサブアセンブリ１１０とボトル１９０の特定の関係を確保してもよい。
【００７３】
キャップサブアセンブリ１１０は、任意の好適な内容物１９７に関してスケジュールを追跡するため等の、任意の好適な目的に利用され得る調節可能なインジケータを含んでもよい。例えば図１〜６に示すように、キャップサブアセンブリ１１０は、閉止部１２０、ダイヤル１３０、ギヤアセンブリ１４０、及び基部１７０を含んでもよい。キャップ１１０の閉止部１２０は、少なくとも部分的に閉じた頂端部１２１から少なくとも部分的に開いた底端部１２９まで延在して内側閉止部空間１２３を画定し得る１つ以上の側壁１２５を含み得る閉止部本体を含んでもよい。ボトル取付特徴部１２８は、端部１２９に隣接するか、若しくはその近傍にある側壁１２５の内面に沿って、又は閉止部１２０の任意の他の好適な位置に、設けられてもよい（例えば、ボトル取付特徴部１２８は、閉止部１２０の外面上に、又は底端部１２９に沿って、設けられてもよい）。閉止部１２０は、ボトル１９０に着脱可能に連結されて、内容物１９７がボトル空間１９７から取り出されるのを少なくとも部分的に阻止し、かつ／又は内容物１９７の鮮度を維持するように構成されてもよい。閉止部１２０は、キャップサブアセンブリ１００の１つ以上の他の部分（例えば、後述するダイヤル１３０の部分）を選択的にユーザーに対して露出させるための、閉止部１２０の任意の好適な部分を貫く１つ以上の閉止部表示部通路１２６も含んでもよい。図示するように、閉止部表示部通路１２６は、閉止部１２０の頂端部１２１の壁を貫いて設けられ得る少なくとも１つの頂部閉止部表示部通路１２６ｔ、閉止部１２０の１つ以上の側壁１２５を貫いて設けられ得る少なくとも１つの側部閉止部表示部通路１２６ｓ、及び／又は少なくとも１つの底部閉止部表示部通路（例えば、基部１７０に関連して後述する通路１７６）を含んでもよい。後述するように、各閉止部表示部通路１２６は、閉止部１２０の壁若しくは他の部分を貫く中空の開口部であってもよく、又は透明若しくは半透明の材料若しくはそれを通じてアセンブリ１００のユーザーに対する情報の伝達を可能にし得る任意の他の好適な物体（例えば、拡大鏡１２６ｔｍ、１２６ｓｍ等）により被覆され得るか、若しくは別の方法でそれを含むように構成され得る開口部であってもよい。表示部通路内に位置付けられるこのような物体は、アセンブリ１００の外部のユーザー又は他の主体がその表示部通路を通じてダイヤル１３０と相互作用するのを阻止するように構成されてもよい（例えば、ギヤアセンブリ１４０との相互作用を介しての場合を除いて、ダイヤル１３０を表示部空間１８３内で動かすことができないように）。閉止部１２０は、任意の好適な材料又は材料の組み合わせから作製されてもよく、任意の好適な寸法を有してよい。例えば、閉止部１２０は、円筒形状の閉止部空間１２３及び円形の開口部１２９を画定するように示されることがあるものの、任意の好適なサイズの任意の好適な形状が、閉止部１２０の任意の好適な部分により提供されてもよい。いくつかの実施形態では、閉止部１２０は、キャップサブアセンブリ１１０の外観の大部分を画定するように構成されてもよい（例えば、少なくともキャップサブアセンブリ１１０の頂部及び側部の外観の大部分）。
【００７４】
キャップ１１０のダイヤル１３０は、少なくとも部分的に閉じた頂端部１３１から少なくとも部分的に閉じた底端部１３９まで延在し得る１つ以上の側壁１３５を含み得るダイヤル本体を含んでもよい。ダイヤル１３０は、アセンブリ１００（後述する）のユーザーに対する選択的な表示のために、任意の好適なダイヤル表示部１３６をダイヤル１３０の任意の好適な部分上に含んでもよい。ダイヤル表示部１３６は、ダイヤル１３０上に押印されてもよく、ダイヤル１３０に接着されたステッカーにより提供されてもよく、ダイヤル１３０上に塗られてもよく（例えば、蓄光塗料で）、ダイヤル１３０にエッチングされてもよく、及び／又は任意の他の好適な方法を介して設けられてもよい。図示するように、ダイヤル表示部１３６は、ダイヤル１３０の頂端部１３１の外面上に設けられ得る頂部ダイヤル表示部１３６ｔ、ダイヤル１３０の１つ以上の側壁１３５の外面上に設けられ得る側部ダイヤル表示部１３６ｓ、及び／又はダイヤル１３０の底端部１３９の外面上に設けられ得る底部ダイヤル表示部１３６ｂを含んでもよい。ダイヤル１３０を閉止部空間１２３内で閉止部１２０に対して動かして、ダイヤル１３０の異なるダイヤル表示部１３６を閉止部１２０の閉止部表示部通路１２６と選択的に位置合わせすることができるように、ダイヤル１３０は、少なくとも部分的に閉止部空間１２３内に嵌合するように構成されてもよい。ダイヤル１３０は、任意の好適な材料又は材料の組み合わせから作製されてもよく、任意の好適な寸法を有してよい。例えば、ダイヤル１３０は、円形の頂壁１３１及び円形の底壁１３９を有する円筒形状の物体を画定するように示されることがあるものの、任意の好適なサイズの任意の好適な形状が、ダイヤル１３０の任意の好適な部分により提供されてもよい。
【００７５】
キャップ１１０の基部１７０は、少なくとも部分的に閉じた頂端部１７１から少なくとも部分的に閉じた底端部１７９まで延在し得る１つ以上の側壁１７５を含み得る基部本体を含んでもよい。基部１７０は、例えば、ダイヤル１３０がその中に位置付けられ得る表示部空間１８３の少なくとも一部分を基部１７０及び閉止部１２０が共同で画定し得るように、閉止部１２０に連結される（例えば、永続的又は着脱可能に）ように構成されてもよい。例えば、図１〜６に示すように、基部１７０は、少なくとも１つの閉止部取付特徴部１７４（例えば、基部１７０の外面から突出する１つ以上のノッチ）を含んでもよく、閉止部１２０は、少なくとも１つの基部取付特徴部１２４（例えば、閉止部１２０の内面から突出する１つ以上の溝又は雌ネジ）を含んでもよく、閉止部取付特徴部１７４は、基部取付特徴部１２４内で基部１７０にスナップイン又は嵌合して基部１７０を閉止部空間１２３内に固定させてもよく、閉止部空間１２３は、それにより、閉止部１２０と基部１７０との間の低減された表示部空間１８３を画定してもよい（例えば、図６を参照されたい）。いくつかのこのような実施形態では、図示するように、基部１７０は、上向きに（例えば、＋Ｚ方向に）押圧されて閉止部１２０の基部取付特徴部１２４とインターロックしてもよい。基部取付特徴部１２４は、ボトル取付特徴部１２８が閉止部１２０をボトル１９０に着脱可能に連結することを依然として可能にしながら基部１７０が閉止部１２０に連結され得るように、閉止部１２０の閉止部空間１２３内のボトル取付特徴部１２８の上方に位置付けられてもよい。閉止部空間１２３が閉止部１２０の側壁１２５（複数可）、頂端部１２１、及び底端部１２９の内面（複数可）により画定され得る一方、表示部空間１８３は、表示部空間１８３が閉止部空間１２３の一部分であり得るように、閉止部１２０の側壁１２５（複数可）及び頂端部１２１の内面（複数可）並びに基部１７０により画定され得る。よって、基部１７０は、基部１７０が表示部空間１８３の底部の少なくとも一部分を画定し得るように、少なくとも部分的に閉止部空間１２３内に嵌合するように構成され得る。図示するように、かつ後述するように、基部１７０は、頂端部１７１から底端部１７９まで基部本体を貫いて設けられ得る基部表示部通路１７６も含んでもよく、基部１７０は頂部及び側部が閉止部１２０により画定される表示部空間１８３の底部として機能し得るので、このような基部表示部通路１７６は、本明細書において底部閉止部表示部通路とも呼ばれることがある。後述するように、各閉止部表示部通路１２６と同様に、基部表示部通路１７６は、基部１７０の壁若しくは他の部分を貫く中空の開口部であってもよく、又は透明若しくは半透明の材料若しくはそれを通じてアセンブリ１００のユーザーに対する情報の伝達を可能にし得る任意の他の好適な物体（例えば、拡大鏡１７６ｍ）により被覆され得るか、若しくは別の方法でそれを含むように構成され得る開口部であってもよい。基部表示部通路１７６内に位置付けられるこのような物体は、表示部空間１８３の外部のユーザー又は他の主体が基部表示部通路１７６を通じてダイヤル１３０と相互作用するのを阻止するように構成されてもよい（例えば、ギヤアセンブリ１４０との相互作用を介しての場合を除いて、ダイヤル１３０を表示部空間１８３内で動かすことができないように）。基部１７０は、任意の好適な材料又は材料の組み合わせから作製されてもよく、任意の好適な寸法を有してよい。例えば、基部１７０は、円形の頂壁１７１及び円形の底壁１７９を有する円板又は円筒形状の物体を画定するように示されることがあるものの、任意の好適なサイズの任意の好適な形状が、基部１７０の任意の好適な部分により提供されてもよい。基部１７０は、基部１７０の構造全体を提供する単一の成形部品であってもよく、該部品は、後述するコンポーネント１７２を含んでも含まなくてもよい。ダイヤル１３０は、基部１７０が閉止部１２０に連結されているとき、表示部空間１８３内に位置付けられていてもよい（例えば、図６を参照されたい）。
【００７６】
キャップ１１０のギヤアセンブリ１４０は、ダイヤル１３０と共に少なくとも部分的に表示部空間１８３内に位置付けられてもよく、ギヤアセンブリ１４０は、ダイヤル１３０を表示部空間１８３内で閉止部１２０に対して選択的に動かして、異なるダイヤル表示部１３６を閉止部１２０の閉止部表示部通路１２６と選択的に位置合わせするように構成されてもよい。ギヤアセンブリ１４０は、ギヤアセンブリ１４０の第１の部分に印加され得るユーザーの動きを表示部空間１８３に対するダイヤル１３０の運動（例えば、Ｚ軸沿いの軸Ａの周りのダイヤル１３０の回転）に変換するように構成され得る１つ以上のギヤを含んでもよい。図１〜６に示すように、例えば、ギヤアセンブリ１４０は、上部ギヤサブアセンブリ又はダイヤルギヤサブアセンブリ１５０及び下部ギヤサブアセンブリ又はユーザーギヤサブアセンブリ１６０を含んでもよい。ダイヤルギヤサブアセンブリ１５０は、上部又はダイヤルのはめば歯車又はギヤ１５２と、いくつかの実施形態では、ギヤ１５２の回転軸（例えば、Ｚ軸沿いの軸Ａ）に沿ってギヤ１５２から離れる方向に延在し得る上部ギヤシャフト又はダイヤルギヤシャフト１５８とを含んでもよい。ギヤシャフト１５８及びギヤ１５２は、単一の成形部品であってもよく、又は任意の好適な連結特徴部（例えば、接着剤、ネジ切り加工等）を介して連結されたはっきり異なる要素であってもよい。ユーザーギヤサブアセンブリ１６０は、下部又はユーザーのはめば歯車又はギヤ１６２と、いくつかの実施形態では、ギヤ１６２の回転軸（例えば、軸Ａに平行であり得るＺ軸沿いの軸Ｂ）に沿ってギヤ１６２から離れる方向に延在し得る下部ギヤシャフト又はユーザーギヤシャフト１６８とを含んでもよい。ギヤシャフト１６８及びギヤ１６２は、単一の成形部品であってもよく、又は任意の好適な連結特徴部（例えば、接着剤、ネジ切り加工等）を介して連結されたはっきり異なる要素であってもよい。ユーザーギヤサブアセンブリ１６０は、ユーザーがユーザーの力又は動きをハンドル１６６に印加してギヤ１６２を回転させることができるように、ギヤ１６２の一部分（例えば、ギヤシャフト１６８の端部の）に連結され得るユーザーハンドル１６６も含んでもよい。ギヤシャフト１６８及びハンドル１６６は、単一の成形部品であってもよく、又は任意の好適な連結特徴部（例えば、接着剤、ネジ切り加工、蝶番等）を介して連結されたはっきり異なる要素であってもよい。ギヤアセンブリ１４０は、ギヤ１６２の運動（例えば、回転）をギヤ１５２の運動（例えば、回転）に変換するように構成されてもよく、ギヤ１５２は、表示部空間１８３内でダイヤル１３０を閉止部１２０に対して動かす（例えば、回転させる）ように構成されてもよい。例えば、図示するように、ギヤ１６２は、ギヤ１５２の歯若しくははめ歯又は任意の他の好適な機械的特徴部と噛み合い得る歯若しくははめ歯又は任意の他の好適な機械的特徴部を含んでもよく、ギヤアセンブリ１４０内で両者間でトルクを伝動する（例えば、変速機又はギヤボックスとして）。
【００７７】
基部１７０は、基部１７０が閉止部１２０に連結されているとき、表示部空間１８３内でギヤアセンブリ１４０及び／又はダイヤル１３０の少なくとも一部分を支持するように構成されてもよい。例えば、図示するように、ユーザーギヤサブアセンブリ１６０の少なくとも一部分（例えば、ギヤ１６２の底部部分）は、基部１７０に（例えば、基部１７０の頂壁１７１の外面に）支えられるように構成されてもよい。ユーザーギヤシャフト開口部１７７は、ユーザーギヤシャフト１６８及び／若しくはユーザーハンドル１６６の少なくとも一部分がそれを通じて表示部空間１８３から閉止部空間１２３及び／若しくはボトル空間１９３の少なくとも一部分へ延在することを可能にするように、又は少なくともギヤサブアセンブリ１６０の一部分をそれを通じてアクセス可能にするように、基部１７０を貫いて（例えば、頂壁１７１と底壁１７９との間で）設けられてもよく、これにより、キャップ１１０がボトル１９０に連結されていないとき（例えば、ユーザーが内容物１９７にアクセスするためにボトル１９０からキャップ１１０を螺装解除するとき）、ギヤアセンブリ１４０の一部分がユーザーからアクセス可能になる。このように表示部空間１８３の外部のユーザーがギヤサブアセンブリ１６０の一部分にアクセスできること（例えば、基部１７０のユーザーギヤシャフト開口部１７７を介して）により、アセンブリ１００のユーザーは、ユーザーの力又は動きをハンドル１６６に印加してギヤ１６２を回転させることができる。代替的又は追加的に、いくつかの実施形態では、基部１７０のユーザーギヤシャフト開口部１７７は、ユーザーギヤ１６２の回転軸を少なくとも部分的に画定してもよく、かつ／又はユーザーギヤサブアセンブリ１６０の少なくとも一部分がそれに沿って移動し得る経路の少なくとも一部分を別の方法で限定してもよい（例えば、ギヤサブアセンブリ１６０の表示部空間１８３内のＸ軸沿い及び／又はＹ軸沿いの運動を阻止又は限定することにより）。例えば、図示するように、ユーザーギヤ１６２は、軸Ｂの周りで回転するように構成されてもよく、ギヤシャフト１６８は、ギヤシャフト開口部１７７が軸Ｂに位置合わせされ得るように、軸Ｂに沿ってギヤ１６２から離れる方向に延在してもよい。追加的又は代替的に、図示するように、ダイヤルギヤサブアセンブリ１５０の少なくとも一部分（例えば、ギヤ１５２の頂部部分）は、ギヤサブアセンブリ１５０の運動がダイヤル１３０の運動（例えば、軸Ａの周りの回転運動）を提供し得るように、ダイヤル１３０に連結（例えば、非回転可能に（例えば、接着剤又はボルトを介して）ダイヤル１３０の底壁１３９の外面に固定）されてもよい。いくつかの実施形態では、ダイヤルギヤシャフト開口部１７３が、基部１７０の少なくとも一部分を貫いて（例えば、頂壁１７１を貫いて）設けられてもよく、開口部１７３は、ダイヤルギヤ１５２の回転軸を少なくとも部分的に画定してもよく、かつ／又はダイヤルギヤサブアセンブリ１５０の少なくとも一部分がそれに沿って移動し得る経路の少なくとも一部分を別の方法で限定してもよい（例えば、ギヤサブアセンブリ１５０の表示部空間１８３内のＸ軸沿い及び／又はＹ軸沿いの運動を阻止又は限定することにより）。例えば、図示するように、ダイヤルギヤ１５２は、軸Ａの周りで回転するように構成されてもよく、ギヤシャフト１５８は、ギヤシャフト開口部１７３が軸Ａに位置合わせされ得るように、軸Ａに沿ってギヤ１５２から離れる方向に延在してもよい。しかしながら、いくつかの実施形態では、ギヤシャフト開口部１７３及び／又はギヤシャフト１５８は必要ではないことがあり、ギヤ１５２がそれに沿って回転し得る軸Ａをアセンブリ１００の他の特徴部が画定してもよい。例えば、表示部空間１８３内における基部１７０、ギヤサブアセンブリ１６０、及びダイヤル１３０の位置付けは、ギヤサブアセンブリ１５０が表示部空間１８３内で動き得る様式を限定し得る（例えば、軸Ａの周りの運動のみに）。いくつかの実施形態では、図１〜６に示すように、閉止部１２０の頂端部１２１の内面は、ダイヤル運動特徴部１２７を含んでもよく、ダイヤル１３０の頂端部１３１の外面は、閉止部運動特徴部１３７を含んでもよく、このような特徴部１２７及び１３７は、互いに相互作用して閉止部１２０に対するダイヤル１３０の回転軸（例えば、軸Ａ）を少なくとも部分的に画定してもよく、又は別の方法でそのような運動を支援若しくは限定してもよく（例えば、ダイヤル１３０の表示部空間１８３内のＸ軸沿い及び／又はＹ軸沿いの運動を阻止又は限定することにより）、例えば、特徴部１３７は、切取部又はノッチ１２７内へと延在し得る小隆起であってもよい。いくつかの実施形態では、ダイヤル１３０及び／又はギヤアセンブリ１４０がＺ軸沿いの運動に関して阻止又は限定され得るように、ギヤアセンブリ１４０のＺ軸沿いの厚さと組み合わせたダイヤル１３０のＺ軸沿いの厚さは、表示部空間１８３のＺ軸沿いの厚さと実質的に等しいか、又はそれよりもわずかに小さくてもよい。
【００７８】
使用の単なる一例として、ユーザーは、基部１７０の開口部１７７を通じてユーザーがアクセスできるユーザーギヤサブアセンブリ１６０のハンドル１６６と相互作用して、ギヤシャフト１６８及び／又はギヤ１６２を軸Ｂの周りで矢印Ｒ２の方向に回転させ得、これは、次にダイヤルサブアセンブリ１５０のギヤ１５２を軸Ａの周りで矢印Ｒ１の方向に回転させ得、これは、次にダイヤル１３０を軸Ａの周りで矢印Ｒ１の方向に回転させ得る。このようにダイヤル１３０を閉止部１２０に対して表示部空間１８３内において軸Ａの周りで矢印Ｒ１の方向に回転させると、特定の閉止部表示部通路１２６と位置合わせされるダイヤル１３０の特定の部分、及びしたがってダイヤル表示部１３６の特定の部分を変更することができ、これにより、ダイヤル表示部１３６のその特定の部分によりどの情報がアセンブリ１００のユーザーに提供され得るかを変更することができる。例えば、図１〜６に示すように、頂部ダイヤル表示部１３６ｔは、暦週の７日のうちの１つをそれぞれ示す７つのはっきり異なる表示又はマークを含んでもよく、側部ダイヤル表示部１３６ｓは、その各々が頂部ダイヤル表示部１３６ｔの表示のうちのそれぞれ１つに隣接し得、一日の特定の時間を示し得る７つのはっきり異なる表示又はマークを含んでもよく、底部ダイヤル表示部１３６ｂは、その各々が側部ダイヤル表示部１３６ｓの表示のうちのそれぞれ１つに隣接し得、特定の投薬量（例えば、内容物１９７の錠数）を示し得る７つのはっきり異なる表示又はマークを含んでもよい。このような実施形態では、ダイヤル表示部１３６ｔ、１３６ｓ、及び１３６ｂの各々からの１つを含む特定の隣接表示の組は、表示部通路１２６ｔ、１２６ｓ、及び１７６を含む表示部空間１８３のそれぞれの隣接通路の組に位置合わせされ得、これにより、アセンブリ１００は、週の特定の曜日、一日の特定の時間、及び特定の投薬量をアセンブリ１００のユーザーにキャップサブアセンブリ１１０を介して露出させるように構成され得る。例えば、図２に示すように、ダイヤル１３０が表示部空間１８３内で閉止部１２０及び基部１７０に対して第１の特定の向きにあるとき、頂部ダイヤル表示部１３６ｔの週の最初の日の表示「土曜」が、表示部通路１２６ｔに位置合わせされ、それを通じて見えてもよく、側部ダイヤル表示部１３６ｓの一日の第１の時間の表示「午後１０：３０」が、表示部通路１２６ｓに位置合わせされ、それを通じて見えてもよく、底部ダイヤル表示部１３６ｂの第１の投薬量の表示「１錠」が、表示部通路１７６に位置合わせされ、それを通じて見えてもよい（例えば、図６の向きを参照されたい。この向きは、キャップ１１０がボトル１９０から取り外されているときのみ、アセンブリ１００のユーザーに見える）。しかしながら、ダイヤル１３０を表示部空間１８３内で閉止部１２０に対して軸Ａの周りで矢印Ｒ１の方向に回転して、このような第１の向きから第２の向きにすると、このような表示部通路１２６／１７６に位置合わせされるダイヤル１３０の特定の部分、及びしたがってダイヤル表示部１３６の特定の部分を変更することができる。これにより、例えば、頂部ダイヤル表示部１３６ｔの週の第２の曜日の表示「日曜」が、表示部通路１２６ｔに位置合わせされ、それを通じて見えてもよく、側部ダイヤル表示部１３６ｓの一日の第２の時間の表示「午後１０：３０」が、表示部通路１２６ｓに位置合わせされ、それを通じて見えてもよく、底部ダイヤル表示部１３６ｂの第２の投薬量の表示「１錠」が、表示部通路１７６に位置合わせされ、それを通じて見えてもよい。これにより、アセンブリ１００のユーザーは、毎日、翌日の適切な投薬量についての注意喚起がユーザーに対してなされるように、その日のための適切なボトル１９０の内容物１９７を取った後、キャップサブアセンブリ１１０を通じてダイヤル１３０によりユーザーに伝達される情報を更新することができる。任意の他の好適な情報又は任意の更なる好適な情報が様々なダイヤル表示部群１３６ｔ、１３６ｂ、及び１３６ｓのうちの任意の１つ以上により記載されてもよいことを理解されたい。その上、キャップサブアセンブリ１１０の２つ以上の通路１２６／１７６はキャップサブアセンブリ１１０の周りに任意の好適な配置で位置付けられ得、少なくとも部分的に単一平面（例えば、図６のＸ−Ｚ平面）内に設けられる必要はなく、このことは、それにより、相互に隣接していない（例えば、少なくとも部分的に単一平面内にあるのではない）２つ以上のダイヤル表示部１３６が露出されることを可能にすることを理解されたい。
【００７９】
キャップサブアセンブリ１１０は、ユーザーがハンドル１６６を軸Ｂの周りで矢印Ｒ２の方向に回転させることを可能にすることにより、ダイヤル１３０を表示部空間１８３内で閉止部１２０に対して軸Ａの周りで矢印Ｒ１の方向に回転させて、第１の向きから第２の向きにすることを可能にするように構成され得る（例えば、ボトル１９０の内容物１９７の投薬スケジュールを追跡するために）一方、キャップサブアセンブリ１１０は、ダイヤル１３０の軸Ａの周りの矢印Ｒ２の反対方向への回転を阻止するように構成され得る。例えば、図示するように、ギヤアセンブリ１４０は、爪車の歯／ノッチ又は他の好適な特徴部を有する爪車コンポーネント１４２を含んでもよく、基部１７０は、爪車コンポーネント１４２と相互作用してギヤサブアセンブリ１５０及びしたがってダイヤル１３０の矢印Ｒ２の方向への回転を阻止する一方、ギヤサブアセンブリ１５０の矢印Ｒ１の方向への回転を可能にするように構成され得る緊張した自由端を有する停止部コンポーネント１７２を含んでもよい。爪車コンポーネント１４２は、ギヤアセンブリ１４０の任意の部分に沿った任意の場所に設けられてよく、基部１７０は、表示部空間１８３と共に、コンポーネント１４２と１７２の適正な相互作用を可能にし得る任意の好適な位置で停止部コンポーネント１７２を提供するように構成されてよい。例えば、図４及び６に示すように、爪車コンポーネント１４２は、ギヤサブアセンブリ１５０の一部分に沿って（例えば、ダイヤル１３０で、又はダイヤル１３０の近傍でギヤ１５２の頂部部分に隣接して）設けられてもよく、基部１７０は、＋Ｘ方向で爪車コンポーネント１４２にちょうど隣接する（例えば、基部１７０の基部本体の頂面から延在し得る延長体１７８の頂端部で）停止部コンポーネント１７２を提供してもよく、これにより、停止部コンポーネント１７２の自由端は、爪車コンポーネント１４２、並びにしたがってギヤ１５２及びダイヤル１３０の軸Ａの周りの矢印Ｒ１の方向への回転を可能にするのと同時に、爪車コンポーネント１４２、並びにしたがってギヤ１５２及びダイヤル１３０の軸Ａの周りの矢印Ｒ２の方向への回転を阻止し得る（例えば、爪車コンポーネント１４２の歯又は他の好適な特徴部と停止部コンポーネント１７２の自由端との幾何学的関係により）。これは、ユーザーがギヤアセンブリ１４０を間違った方向に回転させるのを阻止し得る（例えば、正しくない方向への意図的なユーザーの力により）。その上、爪車コンポーネント１４２及び停止部コンポーネント１７２の相互作用は、爪車コンポーネント１４２が停止部コンポーネント１７２に対して回転されるか、又は前進される都度、ユーザーに聞こえ得る音（例えば、カチッという音）を発してもよく、これは、ユーザーによるアセンブリ１００の表示部の調節に対してユーザーに可聴フィードバックを提供し得る。追加的又は代替的に、爪車コンポーネント１４２と停止部コンポーネント１７２の相互作用は、爪車コンポーネント１４２が停止部コンポーネント１７２に対して回転されるか、又は前進される都度、ユーザーが感じることのできる抵抗及び次いで開放の触感を生成してもよく、これは、ユーザーによるアセンブリ１００の表示部の調節に対してユーザーに触覚又は力覚フィードバックを提供し得る。いくつかの実施形態では、ダイヤル１３０の軸Ａの周りの矢印Ｒ１の方向への回転を阻止さえするための好適な力を停止部コンポーネント１７２の自由端が爪車コンポーネント１４２に対して行使し得るように、停止部コンポーネント１７２は、好適な量だけ緊張されてもよく、このような力は、ハンドル１６６に対するユーザーの意図的な力に負け得るが、アセンブリ１００の通常使用中にキャップサブアセンブリ１１０が受け得る任意の非意図的な力に負けることはなく、これにより、コンポーネント１４２／１７２は、少なくとも特定量のしきい値力がギヤアセンブリ１４０に（例えば、ハンドル１６６に）印加される場合にのみ、ダイヤル１３０の矢印Ｒ１の方向への適正な回転を可能にし得る。
【００８０】
爪車コンポーネント及び停止部コンポーネント（例えば、爪車コンポーネント１４２及び停止部コンポーネント１７２）を備えることに追加して、又はその代わりに、ギヤアセンブリ１４０は、ギヤサブアセンブリ１５０の運動がギヤサブアセンブリ１６０の動きに変換され得ない（逆もまた同様）休止状態と、ギヤサブアセンブリ１５０の運動がギヤサブアセンブリ１６０の動きに変換され得る（逆もまた同様）アクティブ状態とを有するように構成され得る。例えば、図６に示すように、ギヤアセンブリ１４０は、ギヤ１５２とギヤ１６２との間に（例えば、図６のＸ軸に沿って、かつ／又はＺ軸に沿って）離隔距離１４１が存在し得る休止状態にあってもよく、これにより、このような休止状態ではユーザーギヤ１６２のいかなる回転（例えば、軸Ｂの周りの矢印Ｒ１又は矢印Ｒ２の方向への）もダイヤルギヤ１５２の回転に変換されない。ギヤアセンブリ１４０をこのような休止状態からアクティブ状態に構成変更するためには、ユーザーは、ギヤ１６２がギヤ１５２に接触するために離隔距離１４１だけ上向きに動かされ得るように（例えば、ギヤ１６２の歯がギヤ１５２の歯と噛み合い得るように）、上向きの力（例えば、軸Ｂ沿いの＋Ｚ方向の長手方向力）をギヤサブアセンブリ１６０に先ず印加してもよく（例えば、ギヤシャフト１６８の長手方向軸に沿って等、ハンドル１６６を介して）、次いでユーザーは、回転力（例えば、軸Ｂの周りの矢印Ｒ２の方向の）をユーザーギヤサブアセンブリ１６０に（例えば、ハンドル１６６を介して）印加して、噛み合ったダイヤルギヤ１５２を軸Ａの周りで矢印Ｒ１の方向に回転させてもよい。したがって、キャップサブアセンブリ１１０をボトル１９０から取り外すための捩じり又は回転を可能にするためにはキャップサブアセンブリ１１０が下向きに押圧されることを必要とし得るボトル取付特徴部１２８及びキャップ取付特徴部１９２により安全機構又はチャイルドプルーフ機構が提供されてもよいのと同様に、ダイヤルギヤサブアセンブリ１５０を変換するための（例えば、露出したダイヤル表示部１３６を更新するための）ユーザーギヤサブアセンブリ１６０の効果的な回転を可能にするためにはユーザーギヤサブアセンブリ１６０がダイヤルギヤサブアセンブリ１５０に向かって押圧されることを必要とし得る安全機構又はチャイルドプルーフ機構をギヤアセンブリ１４０は提供してもよい。これは、ダイヤル１３０の非意図的な回転、及びしたがって露出したダイヤル表示部１３６の非意図的な更新を阻止するのを助け得る。離隔距離１４１は、ピルボトル容器については３．１８ミリメートル（０．１２５インチ）（例えば、Ｚ軸に沿って）等の、任意の好適なユースケースの任意の好適なアセンブリのための任意の好適な距離であってよい。
【００８１】
爪車コンポーネント１４２／停止部コンポーネント１７２の使用及び／若しくは離隔距離１４１の使用を通じて表示部空間１８３内でのダイヤル１３０の不慮の運動若しくは望まない運動を阻止することにより、かつ／又はアセンブリ１００の外部からのダイヤル１３０及びギヤアセンブリ１４０へのユーザーのアクセスを阻止するが、その代わりユーザーのアクセスをキャップ１１０がボトル１９０から取り外されたときのギヤアセンブリ１４０を介したダイヤル１３０へのアクセスに限定することにより、アセンブリ１００は、信頼性ある使いやすいインジケータ機構（例えば、投薬スケジュールを追跡するための）を提供し得る。少なくとも３つのはっきり異なるダイヤル表示部の組（例えば、表示部１３６ｔ、１３６ｓ、及び１３６ｂ）をそれぞれの通路を介してユーザーに提供することにより、様々な量の有益な情報が、アセンブリ１００の内容物を管理するためにユーザーに同時に伝達され得る。ただし、他の実施形態ではただ１つ又は２つのこのような表示部が設けられてもよいことを理解されたい。更に他の実施形態では、４つ以上のこのような表示部が提供されてもよい（例えば、ダイヤル１３０の側壁１３５の異なる高さに沿って２つのはっきり異なる表示部の組が設けられてもよい（例えば、第２の側部ダイヤル表示部の組が、側部ダイヤル表示部１３６ｓの上方又は下方に設けられてもよい一方、第２のはっきり異なる側部閉止部表示部通路が、側部閉止部表示部通路１２６ｓの上方又は下方に設けられてもよい）。いくつかの実施形態では、図示するように、ダイヤル１３０の側壁１３５の少なくとも一部分及び／又は閉止部１２０の側壁１２５の少なくとも一部分は、閉止部１２０内のダイヤル１３０の回転軸（例えば、軸Ｚ沿いの軸Ａ）に平行に（例えば、Ｙ−Ｚ平面内に）延在し得、ダイヤル１３０の頂部１３１の少なくとも一部分及び／又は閉止部１２０の頂部１２１の少なくとも一部分は、閉止部１２０内のダイヤル１３０の回転軸（例えば、軸Ｚ沿いの軸Ａ）に垂直に（例えば、Ｘ−Ｙ平面内に）延在し得、ダイヤル１３０の底部１３９の少なくとも一部分及び／又は基部１７０の底部１７９の少なくとも一部分は、閉止部１２０内のダイヤル１３０の回転軸（例えば、軸Ｚ沿いの軸Ａ）に垂直に（例えば、Ｘ−Ｙ平面内に）延在し得ることを理解されたい。
【００８２】
＜図７（アセンブリ２００）＞
図７は、図１〜６のアセンブリ１００に似ているかもしれないが、中にギヤアセンブリの少なくとも一部分が属し得る中空のダイヤルを含み得る、別の例示的なボトル容器アセンブリ２００を示す。図７のアセンブリ２００は、図１〜６のアセンブリ１００に似たコンポーネントを含み得、図７のアセンブリ２００のコンポーネントは、図１〜６のアセンブリ１００のラベル付けされたコンポーネントの参照ラベル「１ｘｘ」に対応することがある参照ラベル「２ｘｘ」によりラベル付けされており、それらの間の相違点は、以下で説明されることがある。図示するように、アセンブリ２００は、ボトル２９０と、ボトル２９０に連結され得るキャップ２１０とを含み、中に内容物を安全に保持し得る閉止された容器を形成することができる。例えば、ボトル２９０は、閉じた底端部（図示せず）から少なくとも部分的に開いた頂端部２９１まで延在して内側ボトル空間２９３を画定し得る１つ以上の側壁２９５を含み得るボトル本体を含んでもよい。ボトル２９０は、ユーザーが内容物（図示せず）を開放端部２９１を通じてボトル空間２９３内に（例えば、−Ｚ方向に沿って）挿入し得、かつ／又は内容物をボトル空間２９３から開放端部２９１を通じて（例えば、＋Ｚ方向に沿って）取り出し得るように、構成されてもよい。ボトル２９０は、任意の好適な内容物を任意の好適な方法で保持するように構成され得る任意の好適な容器であってもよい。ボトル２９０は、任意の好適な材料又は材料の組み合わせから作製されてもよく、任意の好適な寸法を有してもよい。
【００８３】
キャップ２１０がボトル２９０に連結されているとき、キャップ２１０が開放端部２９１を被覆してユーザーがボトル空間２９３にアクセスするのを阻止することができるように、かつキャップ２１０がボトル２９０に連結されていないとき、キャップ２１０が開放端部２９１の少なくとも一部分を被覆せずユーザーがボトル空間２９３にアクセスすることを可能にすることができるように、キャップ２１０は、ボトル２９０に着脱可能に連結されるように構成されてもよい。アセンブリ２００は、キャップサブアセンブリがボトル２９０に着脱可能に連結されることを可能にするように任意の好適な方法で構成されてもよい。単なる一例として、ボトル２９０は、少なくとも１つのキャップ取付特徴部２９２を含んでもよく、キャップ２１０は、少なくとも１つのボトル取付特徴部２２８を含んでもよく、キャップ取付特徴部２９２及びボトル取付特徴部２２８は、互いと相互作用してキャップ２１０をボトル２９０に着脱可能に連結するように構成され得る相互的な特徴部又は別の方法で関係付けられた特徴部の任意の好適な組み合わせ（例えば、ネジ、スナップ、ノッチ、クリップ、ロケーションフィット、又は中間ばめ等）であってよい。ボトル２９０は、キャップ取付特徴部２９２の下方で本体２９５の外面から突出し得るリップ２９４も含んでもよく、リップ２９４は、閉じた端部から少なくとも特定の距離だけ上方にキャップサブアセンブリ２１０を懸架するように構成されてもよい。キャップ取付特徴部２９２及び／又はリップ２９４は、キャップ２１０がボトル２９０に連結されているとき、キャップ２１０とボトル２９０の特定の関係を確保してもよい。
【００８４】
キャップ２１０は、閉止部２２０、ダイヤル２３０、ギヤアセンブリ２４０、及び基部２７０を含んでもよい。キャップ２１０の閉止部２２０は、少なくとも部分的に閉じた頂端部２２１から少なくとも部分的に開いた底端部２２９まで延在して内側閉止部空間２２３を画定し得る１つ以上の側壁２２５を含み得る閉止部本体を含んでもよい。閉止部２２０は、キャップサブアセンブリ２００の１つ以上の他の部分（例えば、後述するダイヤル２３０の部分）を選択的にユーザーに対して露出させるための、閉止部２２０の任意の好適な部分を貫く１つ以上の閉止部表示部通路２２６も含んでもよい。図示するように、閉止部表示部通路２２６は、閉止部２２０の頂端部２２１の壁を貫いて設けられ得る少なくとも１つの頂部閉止部表示部通路２２６ｔ、閉止部２２０の１つ以上の側壁２２５を貫いて設けられ得る少なくとも１つの側部閉止部表示部通路２２６ｓ、及び／又は少なくとも１つの底部閉止部表示部通路（例えば、基部２７０に関連して後述する通路２７６）を含んでもよい。後述するように、各閉止部表示部通路２２６は、閉止部２２０の壁若しくは他の部分を貫く中空の開口部であってもよく、又は透明若しくは半透明の材料若しくはそれを通じてアセンブリ２００のユーザーに対する情報の伝達を可能にし得る任意の他の好適な物体（例えば、拡大鏡２２６ｔｍ、２２６ｓｍ等）により被覆され得るか、若しくは別の方法でそれを含むように構成され得る開口部であってもよい。閉止部２２０は、任意の好適な材料又は材料の組み合わせから作製されてもよく、任意の好適な寸法を有してよい。
【００８５】
キャップ２１０のダイヤル２３０は、少なくとも部分的に閉じた頂端部２３１から少なくとも部分的に閉じた底端部２３９まで延在し得る１つ以上の側壁２３５を含み得るダイヤル本体を含んでもよい。非中空の形状又は閉止された形状であり得るダイヤル１３０とは異なり、ダイヤル２３０は、内側ダイヤル空間２３３を画定してもよく、内側ダイヤル空間２３３は、ダイヤル開口部２３８を介してアクセス可能であってもよく、ダイヤル開口部２３８は、底端部２３９を貫いて等、ダイヤル本体の任意の好適な部分を貫いて設けられてもよい。ダイヤル２３０は、アセンブリ２００のユーザーに対する選択的な表示のために、任意の好適なダイヤル表示部２３６をダイヤル２３０の任意の好適な部分上に含んでもよい。図示するように、ダイヤル表示部２３６は、ダイヤル２３０の頂端部２３１の外面上に設けられ得る頂部ダイヤル表示部２３６ｔ、ダイヤル２３０の１つ以上の側壁２３５の外面上に設けられ得る側部ダイヤル表示部２３６ｓ、及び／又はダイヤル２３０の底端部２３９の外面上に設けられ得る底部ダイヤル表示部２３６ｂを含んでもよい（例えば、Ｘ軸に沿って開口部２３８に隣接して）。ダイヤル２３０を閉止部空間２２３内で閉止部２２０に対して動かして、ダイヤル２３０の異なるダイヤル表示部２３６を閉止部２２０の閉止部表示部通路２２６と選択的に位置合わせすることができるように、ダイヤル２３０は、少なくとも部分的に閉止部空間２２３内に嵌合するように構成されてもよい。ダイヤル２３０は、任意の好適な材料又は材料の組み合わせから作製されてもよく、任意の好適な寸法を有してよい。
【００８６】
キャップ２１０の基部２７０は、少なくとも部分的に閉じた頂端部２７１から少なくとも部分的に閉じた底端部２７９まで延在し得る１つ以上の側壁２７５を含み得る基部本体を含んでもよい。基部２７０は、例えば、ダイヤル２３０がその中に位置付けられ得る表示部空間２８３の少なくとも一部分を基部２７０及び閉止部２２０が共同で画定し得るように、閉止部２２０に連結される（例えば、永続的又は着脱可能に）ように構成されてもよい。例えば、基部２７０は、少なくとも１つの閉止部取付特徴部（例えば、基部２７０の側壁２７５（複数可）の外面の形状）を含んでもよく、閉止部２２０は、少なくとも１つの基部取付特徴部２２４（例えば、閉止部２２０の内面から突出する１つ以上の溝又は雌ネジ）を含んでもよく、基部２７０は、基部取付特徴部２２４内で基部２７０にスナップインするか、又は別の方法で嵌合して基部２７０を閉止部空間２２３内に固定させてもよく、閉止部空間２２３は、それにより、閉止部２２０と基部２７０との間の低減された表示部空間２８３を画定してもよい。基部取付特徴部２２４は、ボトル取付特徴部２２８が閉止部２２０をボトル２９０に着脱可能に連結することを依然として可能にしながら基部２７０が閉止部２２０に連結され得るように、閉止部２２０の閉止部空間２２３内のボトル取付特徴部２２８の上方に位置付けられてもよい。閉止部空間２２３が閉止部２２０の側壁２２５（複数可）、頂端部２２１、及び底端部２２９の内面（複数可）により画定され得る一方、表示部空間２８３は、表示部空間２８３が閉止部空間２２３の一部分であり得るように、閉止部２２０の側壁２２５（複数可）及び頂端部２２１の内面（複数可）並びに基部２７０により画定され得る。よって、基部２７０は、基部２７０が表示部空間２８３の底部の少なくとも一部分を画定し得るように、少なくとも部分的に閉止部空間２２３内に嵌合するように構成され得る。図示するように、基部２７０は、頂端部２７１から底端部２７９まで基部本体を貫いて設けられ得る基部表示部通路２７６も含んでもよく、基部２７０は頂部及び側部が閉止部２２０により画定される表示部空間２８３の底部として機能し得るので、このような基部表示部通路２７６は、本明細書において底部閉止部表示部通路とも呼ばれることがある。後述するように、各閉止部表示部通路２２６と同様に、基部表示部通路２７６は、基部２７０の壁若しくは他の部分を貫く中空の開口部であってもよく、又は透明若しくは半透明の材料若しくはそれを通じてアセンブリ２００のユーザーに対する情報の伝達を可能にし得る任意の他の好適な物体（例えば、拡大鏡２７６ｍ）により被覆され得るか、若しくは別の方法でそれを含むように構成され得る開口部であってもよい。基部２７０は、任意の好適な材料又は材料の組み合わせから作製されてもよく、任意の好適な寸法を有してよい。ダイヤル２３０は、基部２７０が閉止部２２０に連結されているとき、少なくとも部分的に表示部空間２８３内に位置付けられていてもよい。その上、図示するように、アセンブリ１００とは異なり、基部２７０の少なくとも一部分は、ダイヤル空間２３３内に位置付けられていてもよい。基部２７０の底部部分（例えば、底部２７９）は実質的に平坦であってもよいものの（例えば、基部１７０の底部１７９と同様に）、基部２７０の頂部部分（例えば、頂部２７１）の輪郭の少なくとも一部分は高さが異なってもよく、これにより、例えば、基部２７０の一部分はダイヤル開口部２３８を介してダイヤル空間２３３内に入り込み得る一方（例えば、ギヤアセンブリ２４０の少なくとも一部分を支持するように）、基部２７０の別の部分はダイヤル２３０の底部２３９にわたって広がり得る（例えば、表示部空間２８３の底部を画定するように）。
【００８７】
キャップ２１０のギヤアセンブリ２４０は、ダイヤル２３０と共に少なくとも部分的に表示部空間２８３内に位置付けられてもよく、ギヤアセンブリ２４０は、表示部空間２８３内でダイヤル２３０を閉止部２２０に対して選択的に動かして、異なるダイヤル表示部２３６を閉止部２２０の閉止部表示部通路２２６／基部２７０の閉止部表示部通路２７６と選択的に位置合わせするように構成されてもよい。その上、図示するように、アセンブリ１００とは異なり、ギヤアセンブリ２４０の少なくとも一部分は、ダイヤル空間２３３内に位置付けられていてもよい。ギヤアセンブリ２４０は、ギヤアセンブリ２４０の第１の部分に印加され得るユーザーの動きを表示部空間２８３に対するダイヤル２３０の運動（例えば、Ｚ軸沿いの軸Ａの周りのダイヤル２３０の回転）に変換するように構成され得る１つ以上のギヤを含んでもよい。図示するように、ギヤアセンブリ２４０は、上部ギヤサブアセンブリ又はダイヤルギヤサブアセンブリ２５０及び下部ギヤサブアセンブリ又はユーザーギヤサブアセンブリ２６０を含んでもよい。ダイヤルギヤサブアセンブリ２５０は、上部又はダイヤルのはめば歯車又はギヤ２５２と、いくつかの実施形態では、ギヤ２５２の回転軸（例えば、Ｚ軸沿いの軸Ａ）に沿ってギヤ２５２から離れる方向に延在し得る上部ギヤシャフト又はダイヤルギヤシャフト２５８とを含んでもよい。ユーザーギヤサブアセンブリ２６０は、下部又はユーザーのはめば歯車又はギヤ２６２と、いくつかの実施形態では、ギヤ２６２の回転軸（例えば、軸Ａに平行であり得るＺ軸沿いの軸Ｂ）に沿ってギヤ２６２から離れる方向に延在し得る下部ギヤシャフト又はユーザーギヤシャフト２６８とを含んでもよい。ユーザーギヤサブアセンブリ２６０は、ユーザーがユーザーの力又は動きをハンドル２６６に印加してギヤ２６２を回転させることができるように、ギヤ２６２の一部分（例えば、ギヤシャフト２６８の端部の）に連結され得るユーザーハンドル２６６も含んでもよい。ギヤアセンブリ２４０は、ギヤ２６２の回転がギヤ２５２を回転させるか、又は別の方法で変換するように構成されてもよく、ギヤ２５２は、ダイヤル２３０を表示部空間２８３内で閉止部２２０に対して回転させるか、又は別の方法で変換するように構成されてもよい。例えば、図示するように、ギヤ２６２は、ギヤ２５２の歯若しくははめ歯又は任意の他の好適な機械的特徴部と噛み合い得る歯若しくははめ歯又は任意の他の好適な機械的特徴部を含んでもよく、ギヤアセンブリ２４０内で両者間でトルクを伝動する（例えば、変速機又はギヤボックスとして）。
【００８８】
基部２７０は、基部２７０が閉止部２２０に連結されているとき、表示部空間２８３内でギヤアセンブリ２４０及び／又はダイヤル２３０の少なくとも一部分を支持するように構成されてもよい。例えば、図示するように、ユーザーギヤサブアセンブリ２６０の少なくとも一部分（例えば、ギヤ２６２の底部部分）は、基部２７０に（例えば、基部２７０の頂壁２７１の外面に）支えられるように構成されてもよい。ユーザーギヤシャフト開口部２７７は、ユーザーギヤシャフト２６８及び／若しくはユーザーハンドル２６６の少なくとも一部分がそれを通じて表示部空間２８３から閉止部空間２２３及び／若しくはボトル空間２９３の少なくとも一部分へ延在することを可能にするように、又は少なくともギヤサブアセンブリ２６０の一部分をそれを通じてアクセス可能にするように、基部２７０を貫いて（例えば、頂壁２７１と底壁２７９との間で）設けられてもよく、これにより、キャップ２１０がボトル２９０に連結されていないとき（例えば、ユーザーが内容物２９７にアクセスするためにボトル２９０からキャップ２１０を螺装解除するとき）、ギヤアセンブリ２４０の一部分がユーザーからアクセス可能になる。このように表示部空間２８３の外部のユーザーがギヤサブアセンブリ２６０の一部分にアクセスできること（例えば、基部２７０のユーザーギヤシャフト開口部２７７を介して）により、アセンブリ２００のユーザーは、ユーザーの力又は動きをハンドル２６６に印加してギヤ２６２を回転させることができる。代替的又は追加的に、いくつかの実施形態では、基部２７０のユーザーギヤシャフト開口部２７７は、ユーザーギヤ２６２の回転軸を少なくとも部分的に画定してもよく、かつ／又はユーザーギヤサブアセンブリ２６０の少なくとも一部分がそれに沿って移動し得る経路の少なくとも一部分を別の方法で限定してもよい（例えば、ギヤサブアセンブリ２６０の表示部空間２８３内のＸ軸沿い及び／又はＹ軸沿いの運動を阻止又は限定することにより）。例えば、図示するように、ユーザーギヤ２６２は、軸Ｂの周りで回転するように構成されてもよく、ギヤシャフト２６８は、ギヤシャフト開口部２７７が軸Ｂに位置合わせされ得るように、軸Ｂに沿ってギヤ２６２から離れる方向に延在してもよい。追加的又は代替的に、図示するように、ダイヤルギヤサブアセンブリ２５０の少なくとも一部分（例えば、ギヤ２５２の頂部部分）は、ギヤサブアセンブリ２５０の運動がダイヤル２３０の運動（例えば、軸Ａの周りの回転運動）を提供し得るように、ダイヤル２３０に（例えば、ダイヤル空間２３３内のダイヤル２３０の頂壁２３１の内面に）連結されてもよい。いくつかの実施形態では、ダイヤルギヤシャフト開口部２７３が、基部２７０の少なくとも一部分を貫いて（例えば、頂壁２７１を貫いて）設けられてもよく、開口部２７３は、ダイヤルギヤ２５２の回転軸を少なくとも部分的に画定してもよく、かつ／又はダイヤルギヤサブアセンブリ２５０の少なくとも一部分がそれに沿って移動し得る経路の少なくとも一部分を別の方法で限定してもよい（例えば、ギヤサブアセンブリ２５０の表示部空間２８３内のＸ軸沿い及び／又はＹ軸沿いの運動を阻止又は限定することにより）。例えば、図示するように、ダイヤルギヤ２５２は、軸Ａの周りで回転するように構成されてもよく、ギヤシャフト２５８は、ギヤシャフト開口部２７３が軸Ａに位置合わせされ得るように、軸Ａに沿ってギヤ２５２から離れる方向に延在してもよい。しかしながら、いくつかの実施形態では、ギヤシャフト開口部２７３及び／又はギヤシャフト２５８は必要ではないことがあり、ギヤ２５２がそれに沿って回転し得る軸Ａをアセンブリ２００の他の特徴部が画定してもよい。例えば、表示部空間２８３内における基部２７０、ギヤサブアセンブリ２６０、及びダイヤル２３０の位置付けは、ギヤサブアセンブリ２５０が表示部空間２８３内で動き得る様式を限定し得る（例えば、軸Ａの周りの運動のみに）。いくつかの実施形態では、図７に示すように、閉止部２２０の頂端部２２１の内面は、ダイヤル運動特徴部２２７を含んでもよく、ダイヤル２３０の頂端部２３１の外面は、閉止部運動特徴部２３７を含んでもよく、このような特徴部２２７及び２３７は、互いに相互作用して閉止部２２０に対するダイヤル２３０の回転軸（例えば、軸Ａ）を少なくとも部分的に画定してもよく、又は別の方法でそのような運動を支援若しくは限定してもよく（例えば、ダイヤル２３０の表示部空間２８３内のＸ軸沿い及び／又はＹ軸沿いの運動を阻止又は限定することにより）、例えば、特徴部２３７は、切取部又はノッチ２２７内へと延在し得る小隆起であってもよい。いくつかの実施形態では、ダイヤル２３０及び／又はギヤアセンブリ２４０がＺ軸沿いの運動に関して阻止又は限定され得るように、ギヤアセンブリ２４０のＺ軸沿いの厚さと組み合わせたダイヤル２３０の頂端部２３１の壁のＺ軸沿いの厚さは、表示部空間２８３のＺ軸沿いの厚さと実質的に等しいか、又はそれよりもわずかに小さくてもよい。
【００８９】
使用の単なる一例として、ユーザーは、基部２７０の開口部２７７を通じてユーザーがアクセスできるユーザーギヤサブアセンブリ２６０のハンドル２６６と相互作用して、ギヤシャフト２６８及び／又はギヤ２６２を軸Ｂの周りで矢印Ｒ２の方向に回転させ得、これは、次にダイヤルサブアセンブリ２５０のギヤ２５２を軸Ａの周りで矢印Ｒ１の方向に回転させ得、これは、次にダイヤル２３０を軸Ａの周りで矢印Ｒ１の方向に回転させ得る。このようにダイヤル２３０を閉止部２２０に対して表示部空間２８３内において軸Ａの周りで矢印Ｒ１の方向に回転させると、特定の閉止部表示部通路２２６／２７６と位置合わせされるダイヤル２３０の特定の部分、及びしたがってダイヤル表示部２３６の特定の部分を変更することができ、これにより、ダイヤル表示部２３６のその特定の部分によりどの情報がアセンブリ２００のユーザーに提供され得るかを変更することができる。例えば、図７に示すように、ダイヤル２３０が表示部空間２８３内で閉止部２２０及び基部２７０に対して第１の特定の向きにあるとき、頂部ダイヤル表示部２３６ｔの第１の表示が、表示部通路２２６ｔに位置合わせされ、それを通じて見えてもよく、側部ダイヤル表示部２３６ｓの第１の表示が、表示部通路２２６ｓに位置合わせされ、それを通じて見えてもよく、底部ダイヤル表示部２３６ｂの第１の表示が、表示部通路２７６に位置合わせされ、それを通じて見えてもよい（例えば、キャップ２１０がボトル２９０から取り外されているとき、ユーザーに見える）。しかしながら、ダイヤル２３０を表示部空間２８３内で閉止部２２０に対して軸Ａの周りで矢印Ｒ１の方向に回転して、このような第１の向きから第２の向きにすると、このような表示部通路２２６／２７６に位置合わせされるダイヤル２３０の特定の部分、及びしたがってダイヤル表示部２３６の特定の部分を変更することができる。防液カバー２６９が、ギヤアセンブリ２４０の少なくとも一部分にわたって設けられてもよい。例えば、図７に示すように、任意の好適なカバー２６９が、基部２７０の底部２７９の外面の一部分にわたって（例えば、開口部２７７及び開口部２７７から底部２７９を越えて外に延在し得るギヤアセンブリ２４０の任意の部分にわたって）設けられてもよく、これにより、カバー２６９は、ギヤアセンブリ２４０の機能に対して悪影響を有し得るいかなる液体又は他の要素が開口部２７７を介して表示部空間２８３に入り込むことも阻止し得る（例えば、ボトル２９０の液体内容物）。カバー２６９は、ユーザーがハンドル２６６を握持／押圧／回転するか、又は別の方法でギヤアセンブリ２４０と相互作用して、ダイヤル２３０を動かすことを可能にするのに十分可撓な任意の好適な材料（例えば、ゴム）であってよい。
【００９０】
キャップサブアセンブリ２１０は、ユーザーがハンドル２６６を軸Ｂの周りで矢印Ｒ２の方向に回転させることを可能にすることにより、ダイヤル２３０を表示部空間２８３内で閉止部２２０に対して軸Ａの周りで矢印Ｒ１の方向に回転させて、第１の向きから第２の向きにすることを可能にするように構成され得る（例えば、ボトル２９０の内容物の投薬スケジュールを追跡するために）一方、キャップサブアセンブリ２１０は、ダイヤル２３０の軸Ａの周りの矢印Ｒ２の反対方向への回転を阻止するように構成され得る。例えば、図示するように、ギヤアセンブリ２４０は、爪車コンポーネント２４２を含んでもよく、基部２７０は、爪車コンポーネント２４２と相互作用してギヤサブアセンブリ２５０及びしたがってダイヤル２３０の矢印Ｒ２の方向への回転を阻止する一方、ギヤサブアセンブリ２５０の矢印Ｒ１の方向への回転を可能にするように構成され得る停止部コンポーネント２７２を含んでもよい。例えば、図示するように、爪車コンポーネント２４２は、ギヤサブアセンブリ２５０の一部分に沿って（例えば、ダイヤル２３０で、又はダイヤル２３０の近傍でギヤ２５２の頂部部分に隣接して）設けられてもよく、基部２７０は、＋Ｘ方向で爪車コンポーネント２４２にちょうど隣接する（例えば、基部２７０の基部本体の頂面２７１から延在し得る延長体２７８の頂端部で）停止部コンポーネント２７２を提供してもよく、これにより、停止部コンポーネント２７２の自由端は、爪車コンポーネント２４２、並びにしたがってギヤ２５２及びダイヤル２３０の軸Ａの周りの矢印Ｒ１の方向への回転を可能にするのと同時に、爪車コンポーネント２４２、並びにしたがってギヤ２５２及びダイヤル２３０の軸Ａの周りの矢印Ｒ２の方向への回転を阻止し得る（例えば、爪車コンポーネント２４２の歯又は他の好適な特徴部と停止部コンポーネント２７２の自由端との幾何学的関係により）。その上、爪車コンポーネント２４２と停止部コンポーネント２７２の相互作用は、ユーザーによるアセンブリ２００の表示部の調節に対してユーザーに可聴フィードバック及び／又は触覚フィードバックを提供し得る。いくつかの実施形態では、ダイヤル２３０の軸Ａの周りの矢印Ｒ１の方向への回転を阻止さえするための好適な力を停止部コンポーネント２７２の自由端が爪車コンポーネント２４２に対して行使し得るように、停止部コンポーネント２７２は、好適な量だけ緊張されてもよく、このような力は、ハンドル２６６に対するユーザーの意図的な力に負け得るが、アセンブリ２００の通常使用中にキャップサブアセンブリ２１０が受け得る任意の非意図的な力に負けることはなく、これにより、コンポーネント２４２／２７２は、少なくとも特定量のしきい値力がギヤアセンブリ２４０に（例えば、ハンドル２６６に）印加される場合にのみ、ダイヤル２３０の矢印Ｒ１の方向への適正な回転を可能にし得る。
【００９１】
爪車コンポーネント及び停止部コンポーネント（例えば、爪車コンポーネント２４２及び停止部コンポーネント２７２）を備えることに追加して、又はその代わりに、ギヤアセンブリ２４０は、ギヤサブアセンブリ２５０の運動がギヤサブアセンブリ２６０の動きに変換され得ない（逆もまた同様）休止状態と、ギヤサブアセンブリ２５０の運動がギヤサブアセンブリ２６０の動きに変換され得る（逆もまた同様）アクティブ状態とを有するように構成され得る。例えば、図７に示すように、ギヤアセンブリ２４０は、ギヤ２５２とギヤ２６２との間に（例えば、図７のＸ軸に沿って、かつ／又はＺ軸に沿って）離隔距離（例えば、離隔距離１４１に似た）が存在し得る休止状態にあってもよく、これにより、このような休止状態ではユーザーギヤ２６２のいかなる回転（例えば、軸Ｂの周りの矢印Ｒ１又は矢印Ｒ２の方向への）もダイヤルギヤ２５２の回転に変換されない。ギヤアセンブリ２４０をこのような休止状態からアクティブ状態に構成変更するためには、ユーザーは、ギヤ２６２がギヤ２５２に接触するために離隔距離だけ上向きに動かされ得るように（例えば、ギヤ２６２の歯がギヤ２５２の歯と噛み合い得るように）、上向きの力（例えば、軸Ｂ沿いの＋Ｚ方向の）をギヤサブアセンブリ２６０に先ず印加してもよく（例えば、ハンドル２６６を介して）、次いでユーザーは、回転力（例えば、軸Ｂの周りの矢印Ｒ２の方向の）をユーザーギヤサブアセンブリ２６０に（例えば、ハンドル２６６を介して）印加して、噛み合ったダイヤルギヤ２５２を軸Ａの周りで矢印Ｒ１の方向に回転させてもよい。これは、ダイヤル２３０の非意図的な回転、及びしたがって露出したダイヤル表示部２３６の非意図的な更新を阻止するのを助けることができる。
【００９２】
基部２７０及び／又はギヤアセンブリ２４０の少なくとも一部分をダイヤル２３０内のダイヤル空間２３３内に位置付けることにより（例えば、基部２７０の少なくとも一部分及び／又はギヤアセンブリ２４０の少なくとも一部分をダイヤル２３０の底部２３９の上方に位置付けることにより）、アセンブリ２００の頂部２２１と底部２７９との間の表示部空間２８３の高さは、ダイヤルの所与の高さ（例えば、Ｚ軸に沿っての）に関してアセンブリ１００の頂部１２１と底部１７９との間の表示部空間１８３の高さよりも短くてもよく、これは、キャップサブアセンブリの全高を低減し得る。追加的又は代替的に、基部２７０及び／又はギヤアセンブリ２４０の少なくとも一部分をダイヤル２３０内のダイヤル空間２３３内に位置付けることにより（例えば、基部２７０の少なくとも一部分及び／又はギヤアセンブリ２４０の少なくとも一部分をダイヤル２３０の底部２３９の上方に位置付けることにより）、アセンブリ２００の底部ダイヤル壁２３９上の底部ダイヤル表示部２３６ｂと基部２７０を貫く基部表示部通路２７６との間の距離は、アセンブリ１００の底部ダイヤル壁１３９上の底部ダイヤル表示部１３６ｂと基部１７０を貫く（例えば、Ｚ軸に沿って）基部表示部通路１７６との間の距離よりも短くてもよく、これは、ユーザーによる底部ダイヤル表示部の視認性を増大し得る。
【００９３】
＜図８（アセンブリ３００）＞
図８は、図１〜６のアセンブリ１００に似ているかもしれないが、中にギヤアセンブリの少なくとも一部分が属し得る中空のダイヤルを含み得る、別の例示的なボトル容器アセンブリ３００を示す。図８のアセンブリ３００は、図１〜６のアセンブリ１００に似たコンポーネントを含み得、図８のアセンブリ３００のコンポーネントは、図１〜６のアセンブリ１００のラベル付けされたコンポーネントの参照ラベル「１ｘｘ」に対応することがある参照ラベル「３ｘｘ」によりラベル付けされており、それらの間の相違点は、以下で説明されることがある。図示するように、アセンブリ３００は、ボトル３９０と、ボトル３９０に連結され得るキャップ３１０とを含み、中に内容物を安全に保持し得る閉止された容器を形成することができる。例えば、ボトル３９０は、閉じた底端部（図示せず）から少なくとも部分的に開いた頂端部３９１まで延在して内側ボトル空間３９３を画定し得る１つ以上の側壁３９５を含み得るボトル本体を含んでもよい。ボトル３９０は、ユーザーが内容物（図示せず）を開放端部３９１を通じてボトル空間３９３内に（例えば、−Ｚ方向に沿って）挿入し得、かつ／又は内容物をボトル空間３９３から開放端部３９１を通じて（例えば、＋Ｚ方向に沿って）取り出し得るように、構成されてもよい。ボトル３９０は、任意の好適な内容物を任意の好適な方法で保持するように構成され得る任意の好適な容器であってもよい。ボトル３９０は、任意の好適な材料又は材料の組み合わせから作製されてもよく、任意の好適な寸法を有してもよい。
【００９４】
キャップ３１０がボトル３９０に連結されているとき、キャップ３１０が開放端部３９１を被覆してユーザーがボトル空間３９３にアクセスするのを阻止することができるように、かつキャップ３１０がボトル３９０に連結されていないとき、キャップ３１０が開放端部３９１の少なくとも一部分を被覆せずユーザーがボトル空間３９３にアクセスすることを可能にすることができるように、キャップ３１０は、ボトル３９０に着脱可能に連結されるように構成されてもよい。アセンブリ３００は、キャップサブアセンブリがボトル３９０に着脱可能に連結されることを可能にするように任意の好適な方法で構成されてもよい。単なる一例として、ボトル３９０は、少なくとも１つのキャップ取付特徴部３９２を含んでもよく、キャップ３１０は、少なくとも１つのボトル取付特徴部３２８を含んでもよく、キャップ取付特徴部３９２及びボトル取付特徴部３２８は、互いと相互作用してキャップ３１０をボトル３９０に着脱可能に連結するように構成され得る相互的な特徴部又は別の方法で関係付けられた特徴部の任意の好適な組み合わせ（例えば、ネジ、スナップ、ノッチ、クリップ、ロケーションフィット、又は中間ばめ等）であってよい。ボトル３９０は、キャップ取付特徴部３９２の下方で本体３９５の外面から突出し得るリップ３９４も含んでもよく、リップ３９４は、閉じた端部から少なくとも特定の距離だけ上方にキャップサブアセンブリ３１０を懸架するように構成されてもよい。キャップ取付特徴部３９２及び／又はリップ３９４は、キャップ３１０がボトル３９０に連結されているとき、キャップ３１０とボトル３９０の特定の関係を確保してもよい。
【００９５】
キャップ３１０は、閉止部３２０、ダイヤル３３０、ギヤアセンブリ３４０、及び基部３７０を含んでもよい。キャップ３１０の閉止部３２０は、少なくとも部分的に閉じた頂端部３２１から少なくとも部分的に開いた底端部３２９まで延在して内側閉止部空間３２３を画定し得る１つ以上の側壁３２５を含み得る閉止部本体を含んでもよい。閉止部３２０は、キャップサブアセンブリ３００の１つ以上の他の部分（例えば、後述するダイヤル３３０の部分）を選択的にユーザーに対して露出させるための、閉止部３２０の任意の好適な部分を貫く１つ以上の閉止部表示部通路３２６も含んでもよい。図示するように、閉止部表示部通路３２６は、閉止部３２０の頂端部３２１の壁を貫いて設けられ得る少なくとも１つの頂部閉止部表示部通路３２６ｔ、及び／又は閉止部３２０の１つ以上の側壁３２５を貫いて設けられ得る少なくとも１つの側部閉止部表示部通路３２６ｓを含んでもよい。後述するように、各閉止部表示部通路３２６は、閉止部３２０の壁若しくは他の部分を貫く中空の開口部であってもよく、又は透明若しくは半透明の材料若しくはそれを通じてアセンブリ３００のユーザーに対する情報の伝達を可能にし得る任意の他の好適な物体（例えば、拡大鏡３２６ｔｍ、３２６ｓｍ等）により被覆され得るか、若しくは別の方法でそれを含むように構成され得る開口部であってもよい。閉止部３２０は、任意の好適な材料又は材料の組み合わせから作製されてもよく、任意の好適な寸法を有してよい。
【００９６】
キャップ３１０のダイヤル３３０は、少なくとも部分的に閉じた頂端部３３１から開いた底端部２３９まで延在し得る１つ以上の側壁３３５を含み得るダイヤル本体を含んでもよい。非中空の形状又は閉止された形状であり得るダイヤル１３０とは異なり、ダイヤル３３０は、内側ダイヤル空間３３３を画定してもよく、内側ダイヤル空間３３３は、開いた底端部３３９を介してアクセス可能であってもよい。ダイヤル３３０は、アセンブリ３００のユーザーに対する選択的な表示のために、任意の好適なダイヤル表示部３３６をダイヤル３３０の任意の好適な部分上に含んでもよい。図示するように、ダイヤル表示部３３６は、ダイヤル３３０の頂端部３３１の外面上に設けられ得る頂部ダイヤル表示部３３６ｔ、及び／又はダイヤル３３０の１つ以上の側壁３３５の外面上に設けられ得る側部ダイヤル表示部３３６ｓを含んでもよい。ダイヤル３３０を閉止部空間３２３内で閉止部３２０に対して動かして、ダイヤル３３０の異なるダイヤル表示部３３６を閉止部３２０の閉止部表示部通路３２６と選択的に位置合わせすることができるように、ダイヤル３３０は、少なくとも部分的に閉止部空間３２３内に嵌合するように構成されてもよい。ダイヤル３３０は、任意の好適な材料又は材料の組み合わせから作製されてもよく、任意の好適な寸法を有してよい。
【００９７】
キャップ３１０の基部３７０は、少なくとも部分的に閉じた頂端部３７１から少なくとも部分的に閉じた底端部３７９まで延在し得る１つ以上の側壁３７５を含み得る基部本体を含んでもよい。基部３７０は、例えば、ダイヤル３３０がその中に位置付けられ得る表示部空間３８３の少なくとも一部分を基部３７０及び閉止部３２０が共同で画定し得るように、閉止部３２０に連結される（例えば、永続的又は着脱可能に）ように構成されてもよい。例えば、基部３７０は、少なくとも１つの閉止部取付特徴部（例えば、基部３７０の側壁３７５（複数可）の外面の形状）を含んでもよく、閉止部３２０は、少なくとも１つの基部取付特徴部３２４（例えば、閉止部３２０の内面から突出する１つ以上の溝又は雌ネジ）を含んでもよく、基部３７０は、基部取付特徴部３２４内で基部３７０にスナップインするか、又は別の方法で嵌合して基部３７０を閉止部空間３２３内に固定させてもよく、閉止部空間３２３は、それにより、閉止部３２０と基部３７０との間の低減された表示部空間３８３を画定してもよい。基部取付特徴部３２４は、ボトル取付特徴部３２８が閉止部３２０をボトル３９０に着脱可能に連結することを依然として可能にしながら基部３７０が閉止部３２０に連結され得るように、閉止部３２０の閉止部空間３２３内のボトル取付特徴部３２８の上方に位置付けられてもよい。閉止部空間３２３が閉止部３２０の側壁３２５（複数可）、頂端部３２１、及び底端部３２９の内面（複数可）により画定され得る一方、表示部空間３８３は、表示部空間３８３が閉止部空間３２３の一部分であり得るように、閉止部３２０の側壁３２５（複数可）及び頂端部３２１の内面（複数可）並びに基部３７０により画定され得る。よって、基部３７０は、基部３７０が表示部空間３８３の底部の少なくとも一部分を画定し得るように、少なくとも部分的に閉止部空間３２３内に嵌合するように構成され得る。基部３７０は、任意の好適な材料又は材料の組み合わせから作製されてもよく、任意の好適な寸法を有してよい。ダイヤル３３０は、基部３７０が閉止部３２０に連結されているとき、少なくとも部分的に表示部空間３８３内に位置付けられていてもよい。その上、図示するように、アセンブリ１００とは異なり、基部３７０の少なくとも一部分は、ダイヤル空間３３３内に位置付けられていてもよい。
【００９８】
キャップ３１０のギヤアセンブリ３４０は、ダイヤル３３０と共に少なくとも部分的に表示部空間３８３内に位置付けられてもよく、ギヤアセンブリ３４０は、表示部空間３８３内でダイヤル３３０を閉止部３２０に対して選択的に動かして、異なるダイヤル表示部３３６を閉止部３２０の閉止部表示部通路３２６と選択的に位置合わせするように構成されてもよい。その上、図示するように、アセンブリ１００とは異なり、ギヤアセンブリ３４０の少なくとも一部分は、ダイヤル空間３３３内に位置付けられていてもよい。ギヤアセンブリ３４０は、ギヤアセンブリ３４０の第１の部分に印加され得るユーザーの動きを表示部空間３８３に対するダイヤル３３０の運動（例えば、Ｚ軸沿いの軸Ａの周りのダイヤル３３０の回転）に変換するように構成され得る１つ以上のギヤを含んでもよい。図示するように、ギヤアセンブリ３４０は、上部ギヤサブアセンブリ又はダイヤルギヤサブアセンブリ３５０及び下部ギヤサブアセンブリ又はユーザーギヤサブアセンブリ３６０を含んでもよい。ダイヤルギヤサブアセンブリ３５０は、上部又はダイヤルのはめば歯車又はギヤ３５２と、いくつかの実施形態では、ギヤ３５２の回転軸（例えば、Ｚ軸沿いの軸Ａ）に沿ってギヤ３５２から離れる方向に延在し得る上部ギヤシャフト又はダイヤルギヤシャフト３５８とを含んでもよい。ユーザーギヤサブアセンブリ３６０は、下部又はユーザーのはめば歯車又はギヤ３６２と、いくつかの実施形態では、ギヤ３６２の回転軸（例えば、軸Ａに平行であり得るＺ軸沿いの軸Ｂ）に沿ってギヤ３６２から離れる方向に延在し得る下部ギヤシャフト又はユーザーギヤシャフト３６８とを含んでもよい。ユーザーギヤサブアセンブリ３６０は、ユーザーがユーザーの力又は動きをハンドル３６６に印加してギヤ３６２を回転させることができるように、ギヤ３６２の一部分（例えば、ギヤシャフト３６８の端部の）に連結され得るユーザーハンドル３６６も含んでもよい。ギヤアセンブリ３４０は、ギヤ３６２の回転がギヤ３５２を回転させるか、又は別の方法で変換するように構成されてもよく、ギヤ３５２は、ダイヤル３３０を表示部空間３８３内で閉止部３２０に対して回転させるか、又は別の方法で変換するように構成されてもよい。例えば、図示するように、ギヤ３６２は、ギヤ３５２の歯若しくははめ歯又は任意の他の好適な機械的特徴部と噛み合い得る歯若しくははめ歯又は任意の他の好適な機械的特徴部を含んでもよく、ギヤアセンブリ３４０内で両者間でトルクを伝動する（例えば、変速機又はギヤボックスとして）。
【００９９】
基部３７０は、基部３７０が閉止部３２０に連結されているとき、表示部空間３８３内でギヤアセンブリ３４０及び／又はダイヤル３３０の少なくとも一部分を支持するように構成されてもよい。例えば、図示するように、ユーザーギヤサブアセンブリ３６０の少なくとも一部分（例えば、ギヤ３６２の底部部分）は、基部３７０に（例えば、基部３７０の頂壁３７１の外面に）支えられるように構成されてもよい。ユーザーギヤシャフト開口部３７７は、ユーザーギヤシャフト３６８及び／若しくはユーザーハンドル３６６の少なくとも一部分がそれを通じて表示部空間３８３から閉止部空間３２３及び／若しくはボトル空間３９３の少なくとも一部分へ延在することを可能にするように、又は少なくともギヤサブアセンブリ３６０の一部分をそれを通じてアクセス可能にするように、基部３７０を貫いて（例えば、頂壁３７１と底壁３７９との間で）設けられてもよく、これにより、キャップ３１０がボトル３９０に連結されていないとき（例えば、ユーザーが内容物３９７にアクセスするためにボトル３９０からキャップ３１０を螺装解除するとき）、ギヤアセンブリ３４０の一部分がユーザーからアクセス可能になる。このように表示部空間３８３の外部のユーザーがギヤサブアセンブリ３６０の一部分にアクセスできること（例えば、基部３７０のユーザーギヤシャフト開口部３７７を介して）により、アセンブリ３００のユーザーは、ユーザーの力又は動きをハンドル３６６に印加してギヤ３６２を回転させることができる。代替的又は追加的に、いくつかの実施形態では、基部３７０のユーザーギヤシャフト開口部３７７は、ユーザーギヤ３６２の回転軸を少なくとも部分的に画定してもよく、かつ／又はユーザーギヤサブアセンブリ３６０の少なくとも一部分がそれに沿って移動し得る経路の少なくとも一部分を別の方法で限定してもよい（例えば、ギヤサブアセンブリ３６０の表示部空間３８３内のＸ軸沿い及び／又はＹ軸沿いの運動を阻止又は限定することにより）。例えば、図示するように、ユーザーギヤ３６２は、軸Ｂの周りで回転するように構成されてもよく、ギヤシャフト３６８は、ギヤシャフト開口部３７７が軸Ｂに位置合わせされ得るように、軸Ｂに沿ってギヤ３６２から離れる方向に延在してもよい。追加的又は代替的に、図示するように、ダイヤルギヤサブアセンブリ３５０の少なくとも一部分（例えば、ギヤ３５２の頂部部分）は、ギヤサブアセンブリ３５０の運動がダイヤル３３０の運動（例えば、軸Ａの周りの回転運動）を提供し得るように、ダイヤル３３０に（例えば、ダイヤル空間３３３内のダイヤル３３０の頂壁３３１の内面に）連結されてもよい。いくつかの実施形態では、ダイヤルギヤシャフト開口部３７３が、基部３７０の少なくとも一部分を貫いて（例えば、頂壁３７１を貫いて）設けられてもよく、開口部３７３は、ダイヤルギヤ３５２の回転軸を少なくとも部分的に画定してもよく、かつ／又はダイヤルギヤサブアセンブリ３５０の少なくとも一部分がそれに沿って移動し得る経路の少なくとも一部分を別の方法で限定してもよい（例えば、ギヤサブアセンブリ３５０の表示部空間３８３内のＸ軸沿い及び／又はＹ軸沿いの運動を阻止又は限定することにより）。例えば、図示するように、ダイヤルギヤ３５２は、軸Ａの周りで回転するように構成されてもよく、ギヤシャフト３５８は、ギヤシャフト開口部３７３が軸Ａに位置合わせされ得るように、軸Ａに沿ってギヤ３５２から離れる方向に延在してもよい。しかしながら、いくつかの実施形態では、ギヤシャフト開口部３７３及び／又はギヤシャフト３５８は必要ではないことがあり、ギヤ３５２がそれに沿って回転し得る軸Ａをアセンブリ３００の他の特徴部が画定してもよい。例えば、表示部空間３８３内における基部３７０、ギヤサブアセンブリ３６０、及びダイヤル３３０の位置付けは、ギヤサブアセンブリ３５０が表示部空間３８３内で動き得る様式を限定し得る（例えば、軸Ａの周りの運動のみに）。いくつかの実施形態では、図８に示すように、閉止部３２０の頂端部３２１の内面は、ダイヤル運動特徴部３２７を含んでもよく、ダイヤル３３０の頂端部３３１の外面は、閉止部運動特徴部３３７を含んでもよく、このような特徴部３２７及び３３７は、互いに相互作用して閉止部３２０に対するダイヤル３３０の回転軸（例えば、軸Ａ）を少なくとも部分的に画定してもよく、又は別の方法でそのような運動を支援若しくは限定してもよく（例えば、ダイヤル３３０の表示部空間３８３内のＸ軸沿い及び／又はＹ軸沿いの運動を阻止又は限定することにより）、例えば、特徴部３３７は、切取部又はノッチ３２７内へと延在し得る小隆起であってもよい。いくつかの実施形態では、ダイヤル３３０及び／又はギヤアセンブリ３４０がＺ軸沿いの運動に関して阻止又は限定され得るように、ギヤアセンブリ３４０のＺ軸沿いの厚さと組み合わせたダイヤル３３０の頂端部３３１の壁のＺ軸沿いの厚さは、表示部空間３８３のＺ軸沿いの厚さと実質的に等しいか、又はそれよりもわずかに小さくてもよい。
【０１００】
使用の単なる一例として、ユーザーは、基部３７０の開口部３７７を通じてユーザーがアクセスできるユーザーギヤサブアセンブリ３６０のハンドル３６６と相互作用して、ギヤシャフト３６８及び／又はギヤ３６２を軸Ｂの周りで矢印Ｒ２の方向に回転させ得、これは、次にダイヤルサブアセンブリ３５０のギヤ３５２を軸Ａの周りで矢印Ｒ１の方向に回転させ得、これは、次にダイヤル３３０を軸Ａの周りで矢印Ｒ１の方向に回転させ得る。このようにダイヤル３３０を閉止部３２０に対して表示部空間３８３内において軸Ａの周りで矢印Ｒ１の方向に回転させると、特定の閉止部表示部通路３２６と位置合わせされるダイヤル３３０の特定の部分、及びしたがってダイヤル表示部３３６の特定の部分を変更することができ、これにより、ダイヤル表示部３３６のその特定の部分によりどの情報がアセンブリ３００のユーザーに提供され得るかを変更することができる。例えば、図８に示すように、ダイヤル３３０が表示部空間３８３内で閉止部３２０及び基部３７０に対して第１の特定の向きにあるとき、頂部ダイヤル表示部３３６ｔの第１の表示が、表示部通路３２６ｔに位置合わせされ、それを通じて見えてもよく、かつ／又は側部ダイヤル表示部３３６ｓの第１の表示が、表示部通路３２６ｓに位置合わせされ、それを通じて見えてもよい。しかしながら、ダイヤル３３０を表示部空間３８３内で閉止部３２０に対して軸Ａの周りで矢印Ｒ１の方向に回転して、このような第１の向きから第２の向きにすると、このような表示部通路３２６に位置合わせされるダイヤル３３０の特定の部分、及びしたがってダイヤル表示部３３６の特定の部分を変更することができる。図示するように、ハンドル３６６は、ギヤシャフト３６８内の第１の短尺状態から少なくとも部分的にギヤシャフト３６８の外部へ延伸した（例えば、図８に示すように）第２の延伸状態に延びるように構成され得る伸縮（例えば、アンテナ様の）アーム３６７を含んでもよく、これにより、ハンドル３６６は、ユーザーがより容易に使用できるように延伸し、次いで表示部空間３８３の外に（あまりに遠くに）延在してボトル３９０の内容物又はボトル３９０により初期に提供され得る（例えば、頂部３９１にわたって）工場保護シールに干渉しないようにシャフト３６８内に後退することができる。
【０１０１】
キャップサブアセンブリ３１０は、ユーザーがハンドル３６６を軸Ｂの周りで矢印Ｒ２の方向に回転させることを可能にすることにより、ダイヤル３３０を表示部空間３８３内で閉止部３２０に対して軸Ａの周りで矢印Ｒ１の方向に回転させて、第１の向きから第２の向きにすることを可能にするように構成され得る（例えば、ボトル３９０の内容物の投薬スケジュールを追跡するために）一方、キャップサブアセンブリ３１０は、ダイヤル３３０の軸Ａの周りの矢印Ｒ２の反対方向への回転を阻止するように構成され得る。例えば、図示するように、ギヤアセンブリ３４０は、爪車コンポーネント３４８を含んでもよく、基部３７０は、爪車コンポーネント３４８と相互作用して、ギヤサブアセンブリ３６０の矢印Ｒ１の方向への回転及びしたがってギヤ３５０及びダイヤル３３０の矢印Ｒ２の方向への回転を阻止する一方、ギヤサブアセンブリ３５０の矢印Ｒ１の方向への回転を可能にするように構成され得る停止部コンポーネント３７２を含んでもよい。例えば、図示するように、爪車コンポーネント３４８は、ギヤサブアセンブリ３６０の一部分に沿って（例えば、ギヤ３６２の頂部部分に隣接して）設けられてもよく、基部３７０は、−Ｘ方向で爪車コンポーネント３４８にちょうど隣接する（例えば、基部３７０の基部本体の頂面３７１から延在し得る延長体３７８の頂端部で）停止部コンポーネント３７２を提供してもよく、これにより、停止部コンポーネント３７２の自由端は、爪車コンポーネント３４８及びしたがってギヤ３６０の軸Ａの周りの矢印Ｒ２の方向への回転、並びにしたがってギヤ３５０及びダイヤル３３０の軸Ａの周りの矢印Ｒ１の方向への回転を可能にするのと同時に、爪車コンポーネント３４８及びしたがってギヤ３６２の軸Ａの周りの矢印Ｒ１の方向への回転、並びにしたがってギヤ３５２及びダイヤル３３０の軸Ａの周りの矢印Ｒ２の方向への回転を阻止し得る（例えば、爪車コンポーネント３４８の歯又は他の好適な特徴部と停止部コンポーネント３７２の自由端との幾何学的関係により）。その上、爪車コンポーネント３４８と停止部コンポーネント３７２の相互作用は、ユーザーによるアセンブリ３００の表示部の調節に対してユーザーに可聴フィードバック及び／又は触覚フィードバックを提供し得る。いくつかの実施形態では、ダイヤル３３０の軸Ａの周りの矢印Ｒ１の方向への回転を阻止さえするための好適な力を停止部コンポーネント３７２の自由端が爪車コンポーネント３４８に対して行使し得るように、停止部コンポーネント３７２は、好適な量だけ緊張されてもよく、このような力は、ハンドル３６６に対するユーザーの意図的な力に負け得るが、アセンブリ３００の通常使用中にキャップサブアセンブリ３１０が受け得る任意の非意図的な力に負けることはなく、これにより、コンポーネント３４８／３７２は、少なくとも特定量のしきい値力がギヤアセンブリ３４０に（例えば、ハンドル３６６に）印加される場合にのみ、ダイヤル３３０の矢印Ｒ１の方向への適正な回転を可能にし得る。したがって、停止部コンポーネントは、ダイヤルギヤサブアセンブリに連結された爪車コンポーネントではなく、ユーザーギヤサブアセンブリに連結された爪車コンポーネントと相互作用するように構成され得る。
【０１０２】
爪車コンポーネント及び停止部コンポーネント（例えば、爪車コンポーネント３４８及び停止部コンポーネント３７２）を備えることに追加して、又はその代わりに、ギヤアセンブリ３４０は、ギヤサブアセンブリ３５０の運動がギヤサブアセンブリ３６０の動きに変換され得ない（逆もまた同様）休止状態と、ギヤサブアセンブリ３５０の運動がギヤサブアセンブリ３６０の動きに変換され得る（逆もまた同様）アクティブ状態とを有するように構成され得る。例えば、図８に示すように、ギヤアセンブリ３４０は、ギヤ３５２とギヤ３６２との間に（例えば、図８のＸ軸に沿って、かつ／又はＺ軸に沿って）離隔距離（例えば、離隔距離１４１に似た）が存在し得る休止状態にあってもよく、これにより、このような休止状態ではユーザーギヤ３６２のいかなる回転（例えば、軸Ｂの周りの矢印Ｒ１又は矢印Ｒ２の方向への）もダイヤルギヤ３５２の回転に変換されない。ギヤアセンブリ３４０をこのような休止状態からアクティブ状態に構成変更するためには、ユーザーは、ギヤ３６２がギヤ３５２に接触するために離隔距離だけ上向きに動かされ得るように（例えば、ギヤ３６２の歯がギヤ３５２の歯と噛み合い得るように）、上向きの力（例えば、軸Ｂ沿いの＋Ｚ方向の）をギヤサブアセンブリ３６０に先ず印加してもよく（例えば、ハンドル３６６を介して）、次いでユーザーは、回転力（例えば、軸Ｂの周りの矢印Ｒ２の方向の）をユーザーギヤサブアセンブリ３６０に（例えば、ハンドル３６６を介して）印加して、噛み合ったダイヤルギヤ３５２を軸Ａの周りで矢印Ｒ１の方向に回転させてもよい。これは、ダイヤル３３０の非意図的な回転、及びしたがって露出したダイヤル表示部３３６の非意図的な更新を阻止するのを助けることができる。
【０１０３】
基部３７０及び／又はギヤアセンブリ３４０の少なくとも一部分をダイヤル３３０内のダイヤル空間３３３内に位置付けることにより（例えば、基部３７０の少なくとも一部分及び／又はギヤアセンブリ３４０の少なくとも一部分をダイヤル３３０の底部３３９の上方に位置付けることにより）、アセンブリ３００の頂部３２１と底部３７９との間の表示部空間３８３の高さは、ダイヤルの所与の高さ（例えば、Ｚ軸に沿っての）に関してアセンブリ１００の頂部１２１と底部１７９との間の表示部空間１８３の高さよりも短くてもよく、これは、キャップサブアセンブリの全高を低減し得る。
【０１０４】
＜図９（アセンブリ４００）＞
図９は、図１〜６のアセンブリ１００に似ているかもしれないが、平坦なダイヤル及び低背の基部を含み得る、別の例示的なボトル容器アセンブリ４００を示す。図９のアセンブリ４００は、図１〜６のアセンブリ１００に似たコンポーネントを含み得、図９のアセンブリ４００のコンポーネントは、図１〜６のアセンブリ１００のラベル付けされたコンポーネントの参照ラベル「１ｘｘ」に対応することがある参照ラベル「４ｘｘ」によりラベル付けされており、それらの間の相違点は、以下で説明されることがある。図示するように、アセンブリ４００は、ボトル４９０と、ボトル４９０に連結され得るキャップ４１０とを含み、中に内容物を安全に保持し得る閉止された容器を形成することができる。例えば、ボトル４９０は、閉じた底端部（図示せず）から少なくとも部分的に開いた頂端部４９１まで延在して内側ボトル空間４９３を画定し得る１つ以上の側壁４９５を含み得るボトル本体を含んでもよい。ボトル４９０は、ユーザーが内容物（図示せず）を開放端部４９１を通じてボトル空間４９３内に（例えば、−Ｚ方向に沿って）挿入し得、かつ／又は内容物をボトル空間４９３から開放端部４９１を通じて（例えば、＋Ｚ方向に沿って）取り出し得るように、構成されてもよい。ボトル４９０は、任意の好適な内容物を任意の好適な方法で保持するように構成され得る任意の好適な容器であってもよい。ボトル４９０は、任意の好適な材料又は材料の組み合わせから作製されてもよく、任意の好適な寸法を有してもよい。
【０１０５】
キャップ４１０がボトル４９０に連結されているとき、キャップ４１０が開放端部４９１を被覆してユーザーがボトル空間４９３にアクセスするのを阻止することができるように、かつキャップ４１０がボトル４９０に連結されていないとき、キャップ４１０が開放端部４９１の少なくとも一部分を被覆せずユーザーがボトル空間４９３にアクセスすることを可能にすることができるように、キャップ４１０は、ボトル４９０に着脱可能に連結されるように構成されてもよい。アセンブリ４００は、キャップサブアセンブリがボトル４９０に着脱可能に連結されることを可能にするように任意の好適な方法で構成されてもよい。単なる一例として、ボトル４９０は、少なくとも１つのキャップ取付特徴部４９２を含んでもよく、キャップ４１０は、少なくとも１つのボトル取付特徴部４２８を含んでもよく、キャップ取付特徴部４９２及びボトル取付特徴部４２８は、互いと相互作用してキャップ４１０をボトル４９０に着脱可能に連結するように構成され得る相互的な特徴部又は別の方法で関係付けられた特徴部の任意の好適な組み合わせ（例えば、ネジ、スナップ、ノッチ、クリップ、ロケーションフィット、又は中間ばめ等）であってよい。ボトル４９０は、キャップ取付特徴部４９２の下方で本体４９５の外面から突出し得るリップ４９４も含んでもよく、リップ４９４は、閉じた端部から少なくとも特定の距離だけ上方にキャップサブアセンブリ４１０を懸架するように構成されてもよい。キャップ取付特徴部４９２及び／又はリップ４９４は、キャップ４１０がボトル４９０に連結されているとき、キャップ４１０とボトル４９０の特定の関係を確保してもよい。
【０１０６】
キャップ４１０は、閉止部４２０、ダイヤル４３０、ギヤアセンブリ４４０、及び基部４７０を含んでもよい。キャップ４１０の閉止部４２０は、少なくとも部分的に閉じた頂端部４２１から少なくとも部分的に開いた底端部４２９まで延在して内側閉止部空間４２３を画定し得る１つ以上の側壁４２５を含み得る閉止部本体を含んでもよい。閉止部４２０は、キャップサブアセンブリ４００の１つ以上の他の部分（例えば、後述するダイヤル４３０の部分）を選択的にユーザーに対して露出させるための、閉止部４２０の任意の好適な部分を貫く１つ以上の閉止部表示部通路４２６も含んでもよい。図示するように、閉止部表示部通路４２６は、閉止部４２０の頂端部４２１の壁を貫いて設けられ得る少なくとも１つの頂部閉止部表示部通路４２６ｔを含んでもよい。後述するように、各閉止部表示部通路４２６は、閉止部４２０の壁若しくは他の部分を貫く中空の開口部であってもよく、又は透明若しくは半透明の材料若しくはそれを通じてアセンブリ４００のユーザーに対する情報の伝達を可能にし得る任意の他の好適な物体（例えば、拡大鏡４２６ｔｍ等）により被覆され得るか、若しくは別の方法でそれを含むように構成され得る開口部であってもよい。閉止部４２０は、任意の好適な材料又は材料の組み合わせから作製されてもよく、任意の好適な寸法を有してよい。
【０１０７】
キャップ４１０のダイヤル４３０は、少なくとも部分的に閉じた頂端部４３１から少なくとも部分的に閉じた底端部４３９まで延在し得る１つ以上の側壁を含み得るダイヤル本体を含んでもよい。少なくとも部分的に開いた形状であり得、かつ／又は側部ダイヤル表示部を含み得るダイヤル２３０とは異なり、ダイヤル４３０は、側部ダイヤル表示部のない比較的薄い閉じたダイヤル（例えば、Ｚ軸に沿って）であってもよく、これにより、キャップ４１０の厚さを低減することができる。ダイヤル４３０は、アセンブリ４００のユーザーに対する選択的な表示のために、任意の好適なダイヤル表示部４３６をダイヤル４３０の任意の好適な部分上に含んでもよい。図示するように、ダイヤル表示部４３６は、ダイヤル４３０の頂端部４３１の外面上に設けられ得る頂部ダイヤル表示部４３６ｔ、及び／又は底端部４３９の外面上に設けられ得る底部ダイヤル表示部４３６ｂを含んでもよい。ダイヤル４３０を閉止部空間４２３内で閉止部４２０に対して動かして、ダイヤル４３０の異なるダイヤル表示部４３６を閉止部４２０の閉止部表示部通路４２６及び／又は基部４７０の基部表示部通路４７６（後述する）と選択的に位置合わせすることができるように、ダイヤル４３０は、少なくとも部分的に閉止部空間４２３内に嵌合するように構成されてもよい。ダイヤル４３０は、任意の好適な材料又は材料の組み合わせから作製されてもよく、任意の好適な寸法を有してよい。
【０１０８】
キャップ４１０の基部４７０は、少なくとも部分的に閉じた頂端部４７１から少なくとも部分的に閉じた底端部４７９まで延在し得る１つ以上の側壁４７５を含み得る基部本体を含んでもよい。基部４７０は、例えば、ダイヤル４３０がその中に位置付けられ得る表示部空間４８３の少なくとも一部分を基部４７０及び閉止部４２０が共同で画定し得るように、閉止部４２０に連結される（例えば、永続的又は着脱可能に）ように構成されてもよい。例えば、基部４７０は、少なくとも１つの閉止部取付特徴部（例えば、基部４７０の側壁４７５（複数可）の外面の形状）を含んでもよく、閉止部４２０は、少なくとも１つの基部取付特徴部４２４（例えば、閉止部４２０の内面から突出する１つ以上の溝又は雌ネジ）を含んでもよく、基部４７０は、基部取付特徴部４２４内で基部４７０にスナップインするか、又は別の方法で嵌合して基部４７０を閉止部空間４２３内に固定させてもよく、閉止部空間４２３は、それにより、閉止部４２０と基部４７０との間の低減された表示部空間４８３を画定してもよい。基部取付特徴部４２４は、ボトル取付特徴部４２８が閉止部４２０をボトル４９０に着脱可能に連結することを依然として可能にしながら基部４７０が閉止部４２０に連結され得るように、閉止部４２０の閉止部空間４２３内のボトル取付特徴部４２８の上方に位置付けられてもよい。閉止部空間４２３が閉止部４２０の側壁４２５（複数可）、頂端部４２１、及び底端部４２９の内面（複数可）により画定され得る一方、表示部空間４８３は、表示部空間４８３が閉止部空間４２３の一部分であり得るように、閉止部４２０の側壁４２５（複数可）及び頂端部４２１の内面（複数可）並びに基部４７０により画定され得る。よって、基部４７０は、基部４７０が表示部空間４８３の底部の少なくとも一部分を画定し得るように、少なくとも部分的に閉止部空間４２３内に嵌合するように構成され得る。基部４７０は、任意の好適な材料又は材料の組み合わせから作製されてもよく、任意の好適な寸法を有してよい。ダイヤル４３０は、基部４７０が閉止部４２０に連結されているとき、少なくとも部分的に表示部空間４８３内に位置付けられていてもよい。基部４７０は、基部２７０又は基部３７０よりも少ない材料を有してもよく、基部４７０の厚さ（例えば、Ｚ軸に沿っての）は、実質的に一定であってもよく、基部４７０の部分は、ダイヤル４３０の底部４３９に沿って隣接して広がってもよい（例えば、ダイヤル４３０を支持するように）。
【０１０９】
キャップ４１０のギヤアセンブリ４４０は、ダイヤル４３０と共に少なくとも部分的に表示部空間４８３内に位置付けられてもよく、ギヤアセンブリ４４０は、ダイヤル４３０を表示部空間４８３内で閉止部４２０に対して選択的に動かして、異なるダイヤル表示部４３６を閉止部４２０の閉止部表示部通路４２６と選択的に位置合わせするように構成されてもよい。ギヤアセンブリ４４０は、ギヤアセンブリ４４０の第１の部分に印加され得るユーザーの動きを表示部空間４８３に対するダイヤル４３０の運動（例えば、Ｚ軸沿いの軸Ａの周りのダイヤル４３０の回転）に変換するように構成され得る１つ以上のギヤを含んでもよい。図示するように、ギヤアセンブリ４４０は、上部ギヤサブアセンブリ又はダイヤルギヤサブアセンブリ４５０及び下部ギヤサブアセンブリ又はユーザーギヤサブアセンブリ４６０を含んでもよい。ダイヤルギヤサブアセンブリ４５０は、上部又はダイヤルのはめば歯車又はギヤ４５２と、いくつかの実施形態では、ギヤ４５２の回転軸（例えば、Ｚ軸沿いの軸Ａ）に沿ってギヤ４５２から離れる方向に延在し得る上部ギヤシャフト又はダイヤルギヤシャフト４５８とを含んでもよい。ユーザーギヤサブアセンブリ４６０は、下部又はユーザーのはめば歯車又はギヤ４６２と、いくつかの実施形態では、ギヤ４６２の回転軸（例えば、軸Ａに平行であり得るＺ軸沿いの軸Ｂ）に沿ってギヤ４６２から離れる方向に延在し得る下部ギヤシャフト又はユーザーギヤシャフト４６８とを含んでもよい。ユーザーギヤサブアセンブリ４６０は、ユーザーがユーザーの力又は動きをハンドル４６６に印加してギヤ４６２を回転させることができるように、ギヤ４６２の一部分（例えば、ギヤシャフト４６８の端部の）に連結され得るユーザーハンドル４６６も含んでもよい。ギヤアセンブリ４４０は、ギヤ４６２の回転がギヤ４５２を回転させるか、又は別の方法で変換するように構成されてもよく、ギヤ４５２は、ダイヤル４３０を表示部空間４８３内で閉止部４２０に対して回転させるか、又は別の方法で変換するように構成されてもよい。例えば、図示するように、ギヤ４６２は、ギヤ４５２の歯若しくははめ歯又は任意の他の好適な機械的特徴部と噛み合い得る歯若しくははめ歯又は任意の他の好適な機械的特徴部を含んでもよく、ギヤアセンブリ４４０内で両者間でトルクを伝動する（例えば、変速機又はギヤボックスとして）。
【０１１０】
基部４７０は、基部４７０が閉止部４２０に連結されているとき、表示部空間４８３内でギヤアセンブリ４４０及び／又はダイヤル４３０の少なくとも一部分を支持するように構成されてもよい。例えば、図示するように、ユーザーギヤサブアセンブリ４６０の少なくとも一部分（例えば、ギヤ４６２の底部部分）は、基部４７０に（例えば、基部４７０の頂壁４７１の外面に）支えられるように構成されてもよい。ユーザーギヤシャフト開口部４７７は、ユーザーギヤシャフト４６８及び／若しくはユーザーハンドル４６６の少なくとも一部分がそれを通じて表示部空間４８３から閉止部空間４２３及び／若しくはボトル空間４９３の少なくとも一部分へ延在することを可能にするように、又は少なくともギヤサブアセンブリ４６０の一部分をそれを通じてアクセス可能にするように、基部４７０を貫いて（例えば、頂壁４７１と底壁４７９との間で）設けられてもよく、これにより、キャップ４１０がボトル４９０に連結されていないとき（例えば、ユーザーが内容物４９７にアクセスするためにボトル４９０からキャップ４１０を螺装解除するとき）、ギヤアセンブリ４４０の一部分がユーザーからアクセス可能になる。このように表示部空間４８３の外部のユーザーがギヤサブアセンブリ４６０の一部分にアクセスできること（例えば、基部４７０のユーザーギヤシャフト開口部４７７を介して）により、アセンブリ４００のユーザーは、ユーザーの力又は動きをハンドル４６６に印加してギヤ４６２を回転させることができる。代替的又は追加的に、いくつかの実施形態では、基部４７０のユーザーギヤシャフト開口部４７７は、ユーザーギヤ４６２の回転軸を少なくとも部分的に画定してもよく、かつ／又はユーザーギヤサブアセンブリ４６０の少なくとも一部分がそれに沿って移動し得る経路の少なくとも一部分を別の方法で限定してもよい（例えば、ギヤサブアセンブリ４６０の表示部空間４８３内のＸ軸沿い及び／又はＹ軸沿いの運動を阻止又は限定することにより）。例えば、図示するように、ユーザーギヤ４６２は、軸Ｂの周りで回転するように構成されてもよく、ギヤシャフト４６８は、ギヤシャフト開口部４７７が軸Ｂに位置合わせされ得るように、軸Ｂに沿ってギヤ４６２から離れる方向に延在してもよい。追加的又は代替的に、図示するように、ダイヤルギヤサブアセンブリ４５０の少なくとも一部分（例えば、ギヤ４５２の頂部部分）は、ギヤサブアセンブリ４５０の運動がダイヤル４３０の運動（例えば、軸Ａの周りの回転運動）を提供し得るように、ダイヤル４３０に（例えば、ダイヤル４３０の底壁４３９に）連結されてもよい。いくつかの実施形態では、ダイヤルギヤシャフト開口部４７３が、基部４７０の少なくとも一部分を貫いて（例えば、頂壁４７１を貫いて）設けられてもよく、開口部４７３は、ダイヤルギヤ４５２の回転軸を少なくとも部分的に画定してもよく、かつ／又はダイヤルギヤサブアセンブリ４５０の少なくとも一部分がそれに沿って移動し得る経路の少なくとも一部分を別の方法で限定してもよい（例えば、ギヤサブアセンブリ４５０の表示部空間４８３内のＸ軸沿い及び／又はＹ軸沿いの運動を阻止又は限定することにより）。例えば、図示するように、ダイヤルギヤ４５２は、軸Ａの周りで回転するように構成されてもよく、ギヤシャフト４５８は、ギヤシャフト開口部４７３が軸Ａに位置合わせされ得るように、軸Ａに沿ってギヤ４５２から離れる方向に延在してもよい。しかしながら、いくつかの実施形態では、ギヤシャフト開口部４７３及び／又はギヤシャフト４５８は必要ではないことがあり、ギヤ４５２がそれに沿って回転し得る軸Ａをアセンブリ４００の他の特徴部が画定してもよい。例えば、表示部空間４８３内における基部４７０、ギヤサブアセンブリ４６０、及びダイヤル４３０の位置付けは、ギヤサブアセンブリ４５０が表示部空間４８３内で動き得る様式を限定し得る（例えば、軸Ａの周りの運動のみに）。いくつかの実施形態では、図９に示すように、閉止部４２０の頂端部４２１の内面は、ダイヤル運動特徴部４２７を含んでもよく、ダイヤル４３０の頂端部４３１の外面は、閉止部運動特徴部４３７を含んでもよく、このような特徴部４２７及び４３７は、互いに相互作用して閉止部４２０に対するダイヤル４３０の回転軸（例えば、軸Ａ）を少なくとも部分的に画定してもよく、又は別の方法でそのような運動を支援若しくは限定してもよく（例えば、ダイヤル４３０の表示部空間４８３内のＸ軸沿い及び／又はＹ軸沿いの運動を阻止又は限定することにより）、例えば、特徴部４３７は、切取部又はノッチ４２７内へと延在し得る小隆起であってもよい。いくつかの実施形態では、ダイヤル４３０及び／又はギヤアセンブリ４４０がＺ軸沿いの運動に関して阻止又は限定され得るように、ギヤアセンブリ４４０のＺ軸沿いの厚さと組み合わせたダイヤル４３０の頂端部４３１の壁のＺ軸沿いの厚さは、表示部空間４８３のＺ軸沿いの厚さと実質的に等しいか、又はそれよりもわずかに小さくてもよい。
【０１１１】
使用の単なる一例として、ユーザーは、基部４７０の開口部４７７を通じてユーザーがアクセスできるユーザーギヤサブアセンブリ４６０のハンドル４６６と相互作用して、ギヤシャフト４６８及び／又はギヤ４６２を軸Ｂの周りで矢印Ｒ２の方向に回転させ得、これは、次にダイヤルサブアセンブリ４５０のギヤ４５２を軸Ａの周りで矢印Ｒ１の方向に回転させ得、これは、次にダイヤル４３０を軸Ａの周りで矢印Ｒ１の方向に回転させ得る。このようにダイヤル４３０を閉止部４２０に対して表示部空間４８３内において軸Ａの周りで矢印Ｒ１の方向に回転させると、特定の閉止部表示部通路４２６と位置合わせされるダイヤル４３０の特定の部分、及びしたがってダイヤル表示部４３６の特定の部分を変更することができ、これにより、ダイヤル表示部４３６のその特定の部分によりどの情報がアセンブリ４００のユーザーに提供され得るかを変更することができる。例えば、図９に示すように、ダイヤル４３０が表示部空間４８３内で閉止部４２０及び基部４７０に対して第１の特定の向きにあるとき、頂部ダイヤル表示部４３６ｔの第１の表示が、表示部通路４２６ｔに位置合わせされ、それを通じて見えてもよく、かつ／又は底部ダイヤル表示部４３６ｂの第１の表示が、基部４７０の表示部通路４７６に位置合わせされ、それを通じて見えてもよい。しかしながら、ダイヤル４３０を表示部空間４８３内で閉止部４２０に対して軸Ａの周りで矢印Ｒ１の方向に回転して、このような第１の向きから第２の向きにすると、このような表示部通路４２６／４７６に位置合わせされるダイヤル４３０の特定の部分、及びしたがってダイヤル表示部４３６の特定の部分を変更することができる。図示するように、ハンドル４６６は、アーム４６７が基部４７０に向かって上へ延在し得る（例えば、図９に示すように）第１の短尺状態（例えば、Ｚ軸に関して）から第２の延伸状態（例えば、Ｚ軸に関して）に回転するように構成され得る、シャフト４６８の枢軸４６５の周りで回転可能なアーム４６７を含んでもよく、これにより、ハンドル４６６は、ユーザーがより容易に使用できるように延伸し、次いで基部４７０及び／又は表示部空間４８３から離れる方向に外に（例えば、あまりに遠くに）延在してボトル４９０の内容物又はボトル４９０により初期に提供され得る（例えば、頂部４９１にわたって）工場保護シールに干渉しないように回転可能に後退することができる。アーム４６７のシャフト４６８に対するこのような回転は、アーム４６７の自由端のＸ−Ｙ平面内での軸Ｂの周りの回転を通じて、シャフト４６８の軸Ｂの周りの回転をより容易にすることができ、これは、シャフト４６８の自由端により提供され得るてこ作用に対して追加的なてこ作用をユーザーに提供し得る。
【０１１２】
キャップサブアセンブリ４１０は、ユーザーがハンドル４６６を軸Ｂの周りで矢印Ｒ２の方向に回転させることを可能にすることにより、ダイヤル４３０を表示部空間４８３内で閉止部４２０に対して軸Ａの周りで矢印Ｒ１の方向に回転させて、第１の向きから第２の向きにすることを可能にするように構成され得る（例えば、ボトル４９０の内容物の投薬スケジュールを追跡するために）一方、キャップサブアセンブリ４１０は、ダイヤル４３０の軸Ａの周りの矢印Ｒ２の反対方向への回転を阻止するように構成され得る。例えば、図示するように、ギヤアセンブリ４４０は、爪車コンポーネント４４２を含んでもよく、基部４７０は、爪車コンポーネント４４２と相互作用してギヤサブアセンブリ４５０の矢印Ｒ２の方向への回転を阻止する一方、ギヤサブアセンブリ４５０の矢印Ｒ１の方向への回転を可能にするように構成され得る停止部コンポーネント４７２を含んでもよい。例えば、図示するように、爪車コンポーネント４４２は、ギヤサブアセンブリ４５０の一部分に沿って（例えば、ギヤ４５２の頂部部分に隣接して）設けられてもよく、基部４７０は、＋Ｘ方向で爪車コンポーネント４４２にちょうど隣接する停止部コンポーネント４７２を提供してもよく（例えば、基部４７０の基部本体の頂面４７１の一部分の延長として）、これにより、停止部コンポーネント４７２の自由端は、爪車コンポーネント４４２、並びにしたがってギヤ４５０及びダイヤル４３０の軸Ａの周りの矢印Ｒ１の方向への回転を可能にするのと同時に、爪車コンポーネント４４２、並びにしたがってギヤ４５２及びダイヤル４３０の軸Ａの周りの矢印Ｒ２の方向への回転を阻止し得る（例えば、爪車コンポーネント４４２の歯又は他の好適な特徴部と停止部コンポーネント４７２の自由端との幾何学的関係により）。その上、爪車コンポーネント４４２と停止部コンポーネント４７２の相互作用は、ユーザーによるアセンブリ４００の表示部の調節に対してユーザーに可聴フィードバック及び／又は触覚フィードバックを提供し得る。いくつかの実施形態では、ダイヤル４３０の軸Ａの周りの矢印Ｒ１の方向への回転を阻止さえするための好適な力を停止部コンポーネント４７２の自由端が爪車コンポーネント４４２に対して行使し得るように、停止部コンポーネント４７２は、好適な量だけ緊張されてもよく、このような力は、ハンドル４６６に対するユーザーの意図的な力に負け得るが、アセンブリ４００の通常使用中にキャップサブアセンブリ４１０が受け得る任意の非意図的な力に負けることはなく、これにより、コンポーネント４４２／４７２は、少なくとも特定量のしきい値力がギヤアセンブリ４４０に（例えば、ハンドル４６６に）印加される場合にのみ、ダイヤル４３０の矢印Ｒ１の方向への適正な回転を可能にし得る。
【０１１３】
爪車コンポーネント及び停止部コンポーネント（例えば、爪車コンポーネント４４２及び停止部コンポーネント４７２）を備えることに追加して、又はその代わりに、ギヤアセンブリ４４０は、ギヤサブアセンブリ４５０の運動がギヤサブアセンブリ４６０の動きに変換され得ない（逆もまた同様）休止状態と、ギヤサブアセンブリ４５０の運動がギヤサブアセンブリ４６０の動きに変換され得る（逆もまた同様）アクティブ状態とを有するように構成され得る。例えば、図９に示すように、ギヤアセンブリ４４０は、ギヤ４５２とギヤ４６２との間に（例えば、図９のＸ軸に沿って、かつ／又はＺ軸に沿って）離隔距離（例えば、離隔距離１４１に似た）が存在し得る休止状態にあってもよく、これにより、このような休止状態ではユーザーギヤ４６２のいかなる回転（例えば、軸Ｂの周りの矢印Ｒ１又は矢印Ｒ２の方向への）もダイヤルギヤ４５２の回転に変換されない。ギヤアセンブリ４４０をこのような休止状態からアクティブ状態に構成変更するためには、ユーザーは、ギヤ４６２がギヤ４５２に接触するために離隔距離だけ上向きに動かされ得るように（例えば、ギヤ４６２の歯がギヤ４５２の歯と噛み合い得るように）、上向きの力（例えば、軸Ｂ沿いの＋Ｚ方向の）をギヤサブアセンブリ４６０に先ず印加してもよく（例えば、ハンドル４６６を介して）、次いでユーザーは、回転力（例えば、軸Ｂの周りの矢印Ｒ２の方向の）をユーザーギヤサブアセンブリ４６０に（例えば、ハンドル４６６を介して）印加して、噛み合ったダイヤルギヤ４５２を軸Ａの周りで矢印Ｒ１の方向に回転させてもよい。これは、ダイヤル４３０の非意図的な回転、及びしたがって露出したダイヤル表示部４３６の非意図的な更新を阻止するのを助けることができる。
【０１１４】
表示部空間４８３の厚さもギヤアセンブリ４３０に必要とされ得る厚さのみに最小化しながらダイヤル４３０の厚さを低減することにより、アセンブリ４００の頂部４２１と底部４７９との間の表示部空間４８３の高さは、アセンブリ１００の頂部１２１と底部１７９との間の表示部空間１８３の高さよりも短くてもよい一方、その低減された高さの一部分は、ハンドル４６６の一部分（例えば、部分４６７）を非使用状態のときに収納するために使用されてもよい。
【０１１５】
＜図１０（アセンブリ５００）＞
図１０は、図１〜６のアセンブリ１００に似ているかもしれないが、平坦なダイヤル及び低背の基部を含み得る、別の例示的なボトル容器アセンブリ５００を示す。図１０のアセンブリ５００は、図１〜６のアセンブリ１００に似たコンポーネントを含み得、図１０のアセンブリ５００のコンポーネントは、図１〜６のアセンブリ１００のラベル付けされたコンポーネントの参照ラベル「１ｘｘ」に対応することがある参照ラベル「５ｘｘ」によりラベル付けされており、それらの間の相違点は、以下で説明されることがある。図示するように、アセンブリ５００は、ボトル５９０と、ボトル５９０に連結され得るキャップ５１０とを含み、中に内容物を安全に保持し得る閉止された容器を形成することができる。例えば、ボトル５９０は、閉じた底端部（図示せず）から少なくとも部分的に開いた頂端部５９１まで延在して内側ボトル空間５９３を画定し得る１つ以上の側壁５９５を含み得るボトル本体を含んでもよい。ボトル５９０は、ユーザーが内容物（図示せず）を開放端部５９１を通じてボトル空間５９３内に（例えば、−Ｚ方向に沿って）挿入し得、かつ／又は内容物をボトル空間５９３から開放端部５９１を通じて（例えば、＋Ｚ方向に沿って）取り出し得るように、構成されてもよい。ボトル５９０は、任意の好適な内容物を任意の好適な方法で保持するように構成され得る任意の好適な容器であってもよい。ボトル５９０は、任意の好適な材料又は材料の組み合わせから作製されてもよく、任意の好適な寸法を有してもよい。
【０１１６】
キャップ５１０がボトル５９０に連結されているとき、キャップ５１０が開放端部５９１を被覆してユーザーがボトル空間５９３にアクセスするのを阻止することができるように、かつキャップ５１０がボトル５９０に連結されていないとき、キャップ５１０が開放端部５９１の少なくとも一部分を被覆せずユーザーがボトル空間５９３にアクセスすることを可能にすることができるように、キャップ５１０は、ボトル５９０に着脱可能に連結されるように構成されてもよい。アセンブリ５００は、キャップサブアセンブリがボトル５９０に着脱可能に連結されることを可能にするように任意の好適な方法で構成されてもよい。単なる一例として、ボトル５９０は、少なくとも１つのキャップ取付特徴部５９２を含んでもよく、キャップ５１０は、少なくとも１つのボトル取付特徴部５２８を含んでもよく、キャップ取付特徴部５９２及びボトル取付特徴部５２８は、互いと相互作用してキャップ５１０をボトル５９０に着脱可能に連結するように構成され得る相互的な特徴部又は別の方法で関係付けられた特徴部の任意の好適な組み合わせ（例えば、ネジ、スナップ、ノッチ、クリップ、ロケーションフィット、又は中間ばめ等）であってよい。ボトル５９０は、キャップ取付特徴部５９２の下方で本体５９５の外面から突出し得るリップ５９４も含んでもよく、リップ５９４は、閉じた端部から少なくとも特定の距離だけ上方にキャップサブアセンブリ５１０を懸架するように構成されてもよい。キャップ取付特徴部５９２及び／又はリップ５９４は、キャップ５１０がボトル５９０に連結されているとき、キャップ５１０とボトル５９０の特定の関係を確保してもよい。
【０１１７】
キャップ５１０は、閉止部５２０、ダイヤル５３０、ギヤアセンブリ５４０、及び基部５７０を含んでもよい。キャップ５１０の閉止部５２０は、少なくとも部分的に閉じた頂端部５２１から少なくとも部分的に開いた底端部５２９まで延在して内側閉止部空間５２３を画定し得る１つ以上の側壁５２５を含み得る閉止部本体を含んでもよい。閉止部５２０は、キャップサブアセンブリ５００の１つ以上の他の部分（例えば、後述するダイヤル５３０の部分）を選択的にユーザーに対して露出させるための、閉止部５２０の任意の好適な部分を貫く１つ以上の閉止部表示部通路５２６も含んでもよい。図示するように、閉止部表示部通路５２６は、閉止部５２０の頂端部５２１の壁を貫いて設けられ得る少なくとも１つの頂部閉止部表示部通路５２６ｔを含んでもよい。後述するように、各閉止部表示部通路５２６は、閉止部５２０の壁若しくは他の部分を貫く中空の開口部であってもよく、又は透明若しくは半透明の材料若しくはそれを通じてアセンブリ５００のユーザーに対する情報の伝達を可能にし得る任意の他の好適な物体（例えば、拡大鏡５２６ｔｍ等）により被覆され得るか、若しくは別の方法でそれを含むように構成され得る開口部であってもよい。閉止部５２０は、任意の好適な材料又は材料の組み合わせから作製されてもよく、任意の好適な寸法を有してよい。
【０１１８】
キャップ５１０のダイヤル５３０は、少なくとも部分的に閉じた頂端部５３１から少なくとも部分的に閉じた底端部５３９まで延在し得る１つ以上の側壁を含み得るダイヤル本体を含んでもよい。少なくとも部分的に開いた形状であり得、かつ／又は側部ダイヤル表示部を含み得るダイヤル２３０とは異なり、ダイヤル５３０は、側部ダイヤル表示部のない比較的薄い閉じたダイヤル（例えば、Ｚ軸に沿って）であってもよく、これにより、キャップ５１０の厚さを低減することができる。ダイヤル５３０は、アセンブリ５００のユーザーに対する選択的な表示のために、任意の好適なダイヤル表示部５３６をダイヤル５３０の任意の好適な部分上に含んでもよい。図示するように、ダイヤル表示部５３６は、ダイヤル５３０の頂端部５３１の外面上に設けられ得る頂部ダイヤル表示部５３６ｔ、及び／又は底端部５３９の外面上に設けられ得る底部ダイヤル表示部（図示せず）を含んでもよい。ダイヤル５３０を閉止部空間５２３内で閉止部５２０に対して動かして、ダイヤル５３０の異なるダイヤル表示部５３６を閉止部５２０の閉止部表示部通路５２６及び／又は基部５７０の基部表示部通路（図示せず）と選択的に位置合わせすることができるように、ダイヤル５３０は、少なくとも部分的に閉止部空間５２３内に嵌合するように構成されてもよい。ダイヤル５３０は、任意の好適な材料又は材料の組み合わせから作製されてもよく、任意の好適な寸法を有してよい。ダイヤル１３０とは異なり、ダイヤル５３０は、例えば、ダイヤル５３０が動く（例えば、Ｚ軸に沿って）のを閉止部５２０が阻止し得るように、閉止部５２０に連結される（例えば、永続的又は着脱可能に）ように構成されてもよい。例えば、ダイヤル５３０は、少なくとも１つの閉止部取付特徴部（例えば、ダイヤル５３０の側壁５３５（複数可）の外面の形状）を含んでもよく、閉止部５２０は、少なくとも１つのダイヤル取付特徴部５２２（例えば、閉止部５２０の内面から突出する１つ以上の溝又は雌ネジ）を含んでもよく、ダイヤル５３０は、ダイヤル取付特徴部５２２内でダイヤル５３０にスナップインするか、又は別の方法で嵌合してダイヤル５３０を閉止部空間５２３内に固定させてもよい。ダイヤル取付特徴部５２２は、ボトル取付特徴部５２８が閉止部５２０をボトル５９０に着脱可能に連結することを依然として可能にしながらダイヤル５３０及び基部５７０が閉止部５２０に連結され得るように、閉止部５２０の閉止部空間５２３内の基部取付特徴部５２４（後述する）及びボトル取付特徴部５２８の両方の上方に位置付けられてもよい。
【０１１９】
キャップ５１０の基部５７０は、少なくとも部分的に閉じた頂端部５７１から少なくとも部分的に閉じた底端部５７９まで延在し得る１つ以上の側壁５７５を含み得る基部本体を含んでもよい。基部５７０は、例えば、ダイヤル５３０がその中に位置付けられ得る表示部空間５８３の少なくとも一部分を基部５７０及び閉止部５２０が共同で画定し得るように、閉止部５２０に連結される（例えば、永続的又は着脱可能に）ように構成されてもよい。例えば、基部５７０は、少なくとも１つの閉止部取付特徴部（例えば、基部５７０の側壁５７５（複数可）の外面の形状）を含んでもよく、閉止部５２０は、少なくとも１つの基部取付特徴部５２４（例えば、閉止部５２０の内面から突出する１つ以上の溝又は雌ネジ）を含んでもよく、基部５７０は、基部取付特徴部５２４内で基部５７０にスナップインするか、又は別の方法で嵌合して基部５７０を閉止部空間５２３内に固定させてもよく、閉止部空間５２３は、それにより、閉止部５２０と基部５７０との間の低減された表示部空間５８３を画定してもよい。基部取付特徴部５２４は、ボトル取付特徴部５２８が閉止部５２０をボトル５９０に着脱可能に連結することを依然として可能にしながら基部５７０が閉止部５２０に連結され得るように、閉止部５２０の閉止部空間５２３内のボトル取付特徴部５２８の上方に位置付けられてもよい。閉止部空間５２３が閉止部５２０の側壁５２５（複数可）、頂端部５２１、及び底端部５２９の内面（複数可）により画定され得る一方、表示部空間５８３は、表示部空間５８３が閉止部空間５２３の一部分であり得るように、閉止部５２０の側壁５２５（複数可）及び頂端部５２１の内面（複数可）並びに基部５７０により画定され得る。よって、基部５７０は、基部５７０が表示部空間５８３の底部の少なくとも一部分を画定し得るように、少なくとも部分的に閉止部空間５２３内に嵌合するように構成され得る。基部５７０は、任意の好適な材料又は材料の組み合わせから作製されてもよく、任意の好適な寸法を有してよい。ダイヤル５３０は、基部５７０が閉止部５２０に連結されているとき、少なくとも部分的に表示部空間５８３内に位置付けられていてもよい。基部５７０は、基部２７０又は基部３７０よりも少ない材料を有してもよく、基部５７０の厚さ（例えば、Ｚ軸に沿っての）は、実質的に一定であってもよく、基部５７０の部分は、ダイヤル５３０の底部５３９に沿って隣接して広がってもよい（例えば、ダイヤル５３０を支持するように）。
【０１２０】
キャップ５１０のギヤアセンブリ５４０は、ダイヤル５３０と共に少なくとも部分的に表示部空間５８３内に位置付けられてもよく、ギヤアセンブリ５４０は、ダイヤル５３０を表示部空間５８３内で閉止部５２０に対して選択的に動かして、異なるダイヤル表示部５３６を閉止部５２０の閉止部表示部通路５２６と選択的に位置合わせするように構成されてもよい。ギヤアセンブリ５４０は、ギヤアセンブリ５４０の第１の部分に印加され得るユーザーの動きを表示部空間５８３に対するダイヤル５３０の運動（例えば、Ｚ軸沿いの軸Ａの周りのダイヤル５３０の回転）に変換するように構成され得る１つ以上のギヤを含んでもよい。図示するように、ギヤアセンブリ５４０は、上部ギヤサブアセンブリ又はダイヤルギヤサブアセンブリ５５０及び下部ギヤサブアセンブリ又はユーザーギヤサブアセンブリ５６０を含んでもよい。ダイヤルギヤサブアセンブリ５５０は、上部又はダイヤルのはめば歯車又はギヤ５５２と、いくつかの実施形態では、ギヤ５５２の回転軸（例えば、Ｚ軸沿いの軸Ａ）に沿ってギヤ５５２から離れる方向に延在し得る上部ギヤシャフト又はダイヤルギヤシャフト５５８とを含んでもよい。ユーザーギヤサブアセンブリ５６０は、下部又はユーザーのはめば歯車又はギヤ５６２と、いくつかの実施形態では、ギヤ５６２の回転軸（例えば、軸Ａに平行であり得るＺ軸沿いの軸Ｂ）に沿ってギヤ５６２から離れる方向に延在し得る下部ギヤシャフト又はユーザーギヤシャフト５６８とを含んでもよい。ユーザーギヤサブアセンブリ５６０は、ユーザーがユーザーの力又は動きをハンドル５６６に印加してギヤ５６２を回転させることができるように、ギヤ５６２の一部分（例えば、ギヤシャフト５６８の端部の）に連結され得るユーザーハンドル５６６も含んでもよい。ギヤアセンブリ５４０は、ギヤ５６２の回転がギヤ５５２を回転させるか、又は別の方法で変換するように構成されてもよく、ギヤ５５２は、ダイヤル５３０を表示部空間５８３内で閉止部５２０に対して回転させるか、又は別の方法で変換するように構成されてもよい。例えば、図示するように、ギヤ５６２は、ギヤ５５２の歯若しくははめ歯又は任意の他の好適な機械的特徴部と噛み合い得る歯若しくははめ歯又は任意の他の好適な機械的特徴部を含んでもよく、ギヤアセンブリ５４０内で両者間でトルクを伝動する（例えば、変速機又はギヤボックスとして）。
【０１２１】
基部５７０は、基部５７０が閉止部５２０に連結されているとき、表示部空間５８３内でギヤアセンブリ５４０及び／又はダイヤル５３０の少なくとも一部分を支持するように構成されてもよい。例えば、図示するように、ユーザーギヤサブアセンブリ５６０の少なくとも一部分（例えば、ギヤ５６２の底部部分）は、基部５７０に（例えば、基部５７０の頂壁５７１の外面に）支えられるように構成されてもよい。ユーザーギヤシャフト開口部５７７は、ユーザーギヤシャフト５６８及び／若しくはユーザーハンドル５６６の少なくとも一部分がそれを通じて表示部空間５８３から閉止部空間５２３及び／若しくはボトル空間５９３の少なくとも一部分へ延在することを可能にするように、又は少なくともギヤサブアセンブリ５６０の一部分をそれを通じてアクセス可能にするように、基部５７０を貫いて（例えば、頂壁５７１と底壁５７９との間で）設けられてもよく、これにより、キャップ５１０がボトル５９０に連結されていないとき（例えば、ユーザーが内容物５９７にアクセスするためにボトル５９０からキャップ５１０を螺装解除するとき）、ギヤアセンブリ５４０の一部分がユーザーからアクセス可能になる。このように表示部空間５８３の外部のユーザーがギヤサブアセンブリ５６０の一部分にアクセスできること（例えば、基部５７０のユーザーギヤシャフト開口部５７７を介して）により、アセンブリ５００のユーザーは、ユーザーの力又は動きをハンドル５６６に印加してギヤ５６２を回転させることができる。代替的又は追加的に、いくつかの実施形態では、基部５７０のユーザーギヤシャフト開口部５７７は、ユーザーギヤ５６２の回転軸を少なくとも部分的に画定してもよく、かつ／又はユーザーギヤサブアセンブリ５６０の少なくとも一部分がそれに沿って移動し得る経路の少なくとも一部分を別の方法で限定してもよい（例えば、ギヤサブアセンブリ５６０の表示部空間５８３内のＸ軸沿い及び／又はＹ軸沿いの運動を阻止又は限定することにより）。例えば、図示するように、ユーザーギヤ５６２は、軸Ｂの周りで回転するように構成されてもよく、ギヤシャフト５６８は、ギヤシャフト開口部５７７が軸Ｂに位置合わせされ得るように、軸Ｂに沿ってギヤ５６２から離れる方向に延在してもよい。追加的又は代替的に、図示するように、ダイヤルギヤサブアセンブリ５５０の少なくとも一部分（例えば、ギヤ５５２の頂部部分）は、ギヤサブアセンブリ５５０の運動がダイヤル５３０の運動（例えば、軸Ａの周りの回転運動）を提供し得るように、ダイヤル５３０に（例えば、ダイヤル５３０の底壁５３９に）連結されてもよい。いくつかの実施形態では、ダイヤルギヤシャフト開口部５７３が、基部５７０の少なくとも一部分を貫いて（例えば、頂壁５７１を貫いて）設けられてもよく、開口部５７３は、ダイヤルギヤ５５２の回転軸を少なくとも部分的に画定してもよく、かつ／又はダイヤルギヤサブアセンブリ５５０の少なくとも一部分がそれに沿って移動し得る経路の少なくとも一部分を別の方法で限定してもよい（例えば、ギヤサブアセンブリ５５０の表示部空間５８３内のＸ軸沿い及び／又はＹ軸沿いの運動を阻止又は限定することにより）。例えば、図示するように、ダイヤルギヤ５５２は、軸Ａの周りで回転するように構成されてもよく、ギヤシャフト５５８は、ギヤシャフト開口部５７３が軸Ａに位置合わせされ得るように、軸Ａに沿ってギヤ５５２から離れる方向に延在してもよい。しかしながら、いくつかの実施形態では、ギヤシャフト開口部５７３及び／又はギヤシャフト５５８は必要ではないことがあり、ギヤ５５２がそれに沿って回転し得る軸Ａをアセンブリ５００の他の特徴部が画定してもよい。例えば、表示部空間５８３内における基部５７０、ギヤサブアセンブリ５６０、及びダイヤル５３０の位置付けは、ギヤサブアセンブリ５５０が表示部空間５８３内で動き得る様式を限定し得る（例えば、軸Ａの周りの運動のみに）。いくつかの実施形態では、図１０に示すように、閉止部５２０の頂端部５２１の内面は、ダイヤル運動特徴部５２７を含んでもよく、ダイヤル５３０の頂端部５３１の外面は、閉止部運動特徴部５３７を含んでもよく、このような特徴部５２７及び５３７は、互いに相互作用して閉止部５２０に対するダイヤル５３０の回転軸（例えば、軸Ａ）を少なくとも部分的に画定してもよく、又は別の方法でそのような運動を支援若しくは限定してもよく（例えば、ダイヤル５３０の表示部空間５８３内のＸ軸沿い及び／又はＹ軸沿いの運動を阻止又は限定することにより）、例えば、特徴部５３７は、切取部又はノッチ５２７内へと延在し得る小隆起であってもよい。いくつかの実施形態では、ダイヤル５３０及び／又はギヤアセンブリ５４０がＺ軸沿いの運動に関して阻止又は限定され得るように、ギヤアセンブリ５４０のＺ軸沿いの厚さと組み合わせたダイヤル５３０の頂端部５３１の壁のＺ軸沿いの厚さは、表示部空間５８３のＺ軸沿いの厚さと実質的に等しいか、又はそれよりもわずかに小さくてもよい。
【０１２２】
使用の単なる一例として、ユーザーは、基部５７０の開口部５７７を通じてユーザーがアクセスできるユーザーギヤサブアセンブリ５６０のハンドル５６６と相互作用して、ギヤシャフト５６８及び／又はギヤ５６２を軸Ｂの周りで矢印Ｒ２の方向に回転させ得、これは、次にダイヤルサブアセンブリ５５０のギヤ５５２を軸Ａの周りで矢印Ｒ１の方向に回転させ得、これは、次にダイヤル５３０を軸Ａの周りで矢印Ｒ１の方向に回転させ得る。このようにダイヤル５３０を閉止部５２０に対して表示部空間５８３内において軸Ａの周りで矢印Ｒ１の方向に回転させると、特定の閉止部表示部通路５２６と位置合わせされるダイヤル５３０の特定の部分、及びしたがってダイヤル表示部５３６の特定の部分を変更することができ、これにより、ダイヤル表示部５３６のその特定の部分によりどの情報がアセンブリ５００のユーザーに提供され得るかを変更することができる。例えば、図１０に示すように、ダイヤル５３０が表示部空間５８３内で閉止部５２０及び基部５７０に対して第１の特定の向きにあるとき、頂部ダイヤル表示部５３６ｔの第１の表示が、表示部通路５２６ｔに位置合わせされ、それを通じて見えてもよい。しかしながら、ダイヤル５３０を表示部空間５８３内で閉止部５２０に対して軸Ａの周りで矢印Ｒ１の方向に回転して、このような第１の向きから第２の向きにすると、このような表示部通路５２６に位置合わせされるダイヤル５３０の特定の部分、及びしたがってダイヤル表示部５３６の特定の部分を変更することができる。図示するように、ハンドル５６６は、ハンドル５６６が基部５７０に向かって上へ、又は少なくとも基部５７０に平行に延在し得（例えば、図１０に示すように）、次いで第２の延伸状態（例えば、Ｚ軸に関して）に屈曲され得るように、任意の好適な方向及び／又は任意の好適な形状に屈曲又は屈撓（例えば、Ｚ軸に関して）するように構成され得る可撓性アームを含んでもよく、これにより、ハンドル５６６は、ユーザーがより容易に使用できるように基部５７０から離れる方向に延在し、次いで基部５７０及び／又は表示部空間５８３の外に（あまりに遠くに）延在してボトル５９０の内容物又はボトル５９０により初期に提供され得る（例えば、頂部５９１にわたって）工場保護シールに干渉しないように基部５７０に向かって、又は基部５７０に沿って屈曲することができる。
【０１２３】
キャップサブアセンブリ５１０は、ユーザーがハンドル５６６を軸Ｂの周りで矢印Ｒ２の方向に回転させることを可能にすることにより、ダイヤル５３０を表示部空間５８３内で閉止部５２０に対して軸Ａの周りで矢印Ｒ１の方向に回転させて、第１の向きから第２の向きにすることを可能にするように構成され得る（例えば、ボトル５９０の内容物の投薬スケジュールを追跡するために）一方、キャップサブアセンブリ５１０は、ダイヤル５３０の軸Ａの周りの矢印Ｒ２の反対方向への回転を阻止するように構成され得る。例えば、図示するように、ギヤアセンブリ５４０は、爪車コンポーネント５４２を含んでもよく、基部５７０は、爪車コンポーネント５４２と相互作用してギヤサブアセンブリ５５０の矢印Ｒ２の方向への回転を阻止する一方、ギヤサブアセンブリ５５０の矢印Ｒ１の方向への回転を可能にするように構成され得る停止部コンポーネント５７２を含んでもよい。例えば、図示するように、爪車コンポーネント５４２は、ギヤサブアセンブリ５５０の一部分に沿って（例えば、ギヤ５５２の頂部部分に隣接して）設けられてもよく、基部５７０は、＋Ｘ方向で爪車コンポーネント５４２にちょうど隣接する停止部コンポーネント５７２を提供してもよく（例えば、基部５７０の基部本体の頂面５７１の一部分の延長として）、これにより、停止部コンポーネント５７２の自由端は、爪車コンポーネント５４２、並びにしたがってギヤ５５０及びダイヤル５３０の軸Ａの周りの矢印Ｒ１の方向への回転を可能にするのと同時に、爪車コンポーネント５４２、並びにしたがってギヤ５５２及びダイヤル５３０の軸Ａの周りの矢印Ｒ２の方向への回転を阻止し得る（例えば、爪車コンポーネント５４２の歯又は他の好適な特徴部と停止部コンポーネント５７２の自由端との幾何学的関係により）。その上、爪車コンポーネント５４２と停止部コンポーネント５７２の相互作用は、ユーザーによるアセンブリ５００の表示部の調節に対してユーザーに可聴フィードバック及び／又は触覚フィードバックを提供し得る。いくつかの実施形態では、ダイヤル５３０の軸Ａの周りの矢印Ｒ１の方向への回転を阻止さえするための好適な力を停止部コンポーネント５７２の自由端が爪車コンポーネント５４２に対して行使し得るように、停止部コンポーネント５７２は、好適な量だけ緊張されてもよく、このような力は、ハンドル５６６に対するユーザーの意図的な力に負け得るが、アセンブリ５００の通常使用中にキャップサブアセンブリ５１０が受け得る任意の非意図的な力に負けることはなく、これにより、コンポーネント５４２／５７２は、少なくとも特定量のしきい値力がギヤアセンブリ５４０に（例えば、ハンドル５６６に）印加される場合にのみ、ダイヤル５３０の矢印Ｒ１の方向への適正な回転を可能にし得る。
【０１２４】
爪車コンポーネント及び停止部コンポーネント（例えば、爪車コンポーネント５４２及び停止部コンポーネント５７２）を備えることに追加して、又はその代わりに、ギヤアセンブリ５４０は、ギヤサブアセンブリ５５０の運動がギヤサブアセンブリ５６０の動きに変換され得ない（逆もまた同様）休止状態と、ギヤサブアセンブリ５５０の運動がギヤサブアセンブリ５６０の動きに変換され得る（逆もまた同様）アクティブ状態とを有するように構成され得る。例えば、図１０に示すように、ギヤアセンブリ５４０は、ギヤ５５２とギヤ５６２との間に（例えば、図１０のＸ軸に沿って、かつ／又はＺ軸に沿って）離隔距離（例えば、離隔距離１４１に似た）が存在し得る休止状態にあってもよく、これにより、このような休止状態ではユーザーギヤ５６２のいかなる回転（例えば、軸Ｂの周りの矢印Ｒ１又は矢印Ｒ２の方向への）もダイヤルギヤ５５２の回転に変換されない。ギヤアセンブリ５４０をこのような休止状態からアクティブ状態に構成変更するためには、ユーザーは、ギヤ５６２がギヤ５５２に接触するために離隔距離だけ上向きに動かされ得るように（例えば、ギヤ５６２の歯がギヤ５５２の歯と噛み合い得るように）、上向きの力（例えば、軸Ｂ沿いの＋Ｚ方向の）をギヤサブアセンブリ５６０に先ず印加してもよく（例えば、ハンドル５６６を介して）、次いでユーザーは、回転力（例えば、軸Ｂの周りの矢印Ｒ２の方向の）をユーザーギヤサブアセンブリ５６０に（例えば、ハンドル５６６を介して）印加して、噛み合ったダイヤルギヤ５５２を軸Ａの周りで矢印Ｒ１の方向に回転させてもよい。これは、ダイヤル５３０の非意図的な回転、及びしたがって露出したダイヤル表示部５３６の非意図的な更新を阻止するのを助けることができる。
【０１２５】
表示部空間５８３の厚さもギヤアセンブリ５３０に必要とされ得る厚さのみに最小化しながらダイヤル５３０の厚さを低減することにより、アセンブリ５００の頂部５２１と底部５７９との間の表示部空間５８３の高さは、アセンブリ１００の頂部１２１と底部１７９との間の表示部空間１８３の高さよりも短くてもよい一方、その低減された高さの一部分は、ハンドル５６６の一部分（例えば、ハンドル５６６の自由端）を非使用状態のときに収納するために使用されてもよい。
【０１２６】
＜図１１及び図１２（アセンブリ６００）＞
図１１及び１２は、図１〜６のアセンブリ１００に似ているかもしれないが、ダイヤル又は少なくともダイヤルのダイヤル表示部の交換を可能にするための可動蓋を含み得る、別の例示的なボトル容器アセンブリ６００を示す。図１１及び１２のアセンブリ６００は、図１〜６のアセンブリ１００に似たコンポーネントを含み得、図１１及び１２のアセンブリ６００のコンポーネントは、図１〜６のアセンブリ１００のラベル付けされたコンポーネントの参照ラベル「１ｘｘ」に対応することがある参照ラベル「６ｘｘ」によりラベル付けされており、それらの間の相違点は、以下で説明されることがある。図示するように、アセンブリ６００は、ボトル６９０と、ボトル６９０に連結され得るキャップ６１０とを含み、中に内容物を安全に保持し得る閉止された容器を形成することができる。例えば、ボトル６９０は、閉じた底端部６９９から少なくとも部分的に開いた頂端部６９１まで延在して内側ボトル空間６９３を画定し得る１つ以上の側壁６９５を含み得るボトル本体を含んでもよい。ボトル６９０は、ユーザーが内容物６９７を開放端部６９１を通じてボトル空間６９３内に（例えば、−Ｚ方向に沿って）挿入し得、かつ／又は内容物６９７をボトル空間６９３から開放端部６９１を通じて（例えば、＋Ｚ方向に沿って）取り出し得るように、構成されてもよい。ボトル６９０は、任意の好適な内容物６９７を任意の好適な方法で保持するように構成され得る任意の好適な容器であってもよい。ボトル６９０は、任意の好適な材料又は材料の組み合わせから作製されてもよく、任意の好適な寸法を有してもよい。
【０１２７】
キャップ６１０がボトル６９０に連結されているとき、キャップ６１０が開放端部６９１を被覆してユーザーがボトル空間６９３にアクセスするのを阻止することができるように、かつキャップ６１０がボトル６９０に連結されていないとき、キャップ６１０が開放端部６９１の少なくとも一部分を被覆せずユーザーがボトル空間６９３にアクセスすることを可能にすることができるように、キャップ６１０は、ボトル６９０に着脱可能に連結されるように構成されてもよい。アセンブリ６００は、キャップサブアセンブリがボトル６９０に着脱可能に連結されることを可能にするように任意の好適な方法で構成されてもよい。単なる一例として、ボトル６９０は、少なくとも１つのキャップ取付特徴部６９２を含んでもよく、キャップ６１０は、少なくとも１つのボトル取付特徴部６２８を含んでもよく、キャップ取付特徴部６９２及びボトル取付特徴部６２８は、互いと相互作用してキャップ６１０をボトル６９０に着脱可能に連結するように構成され得る相互的な特徴部又は別の方法で関係付けられた特徴部の任意の好適な組み合わせ（例えば、ネジ、スナップ、ノッチ、クリップ、ロケーションフィット、又は中間ばめ等）であってよい。ボトル６９０は、キャップ取付特徴部６９２の下方で本体６９５の外面から突出し得るリップ６９４も含んでもよく、リップ６９４は、閉じた端部から少なくとも特定の距離だけ上方にキャップサブアセンブリ６１０を懸架するように構成されてもよい。キャップ取付特徴部６９２及び／又はリップ６９４は、キャップ６１０がボトル６９０に連結されているとき、キャップ６１０とボトル６９０の特定の関係を確保してもよい。
【０１２８】
キャップ６１０は、閉止部６２０、ダイヤル６３０、ギヤアセンブリ６４０、及び基部６７０を含んでもよい。キャップ６１０の閉止部６２０は、少なくとも部分的に閉じた頂端部６２１から少なくとも部分的に開いた底端部６２９まで延在して内側閉止部空間６２３を画定し得る１つ以上の側壁６２５を含み得る閉止部本体を含んでもよい。閉止部６２０は、キャップサブアセンブリ６００の１つ以上の他の部分（例えば、後述するダイヤル６３０の部分）を選択的にユーザーに対して露出させるための、閉止部６２０の任意の好適な部分を貫く１つ以上の閉止部表示部通路６２６も含んでもよい。図示するように、閉止部表示部通路６２６は、閉止部６２０の頂端部６２１の壁を貫いて設けられ得る少なくとも１つの頂部閉止部表示部通路６２６ｔを含んでもよい。後述するように、各閉止部表示部通路６２６は、閉止部６２０の壁若しくは他の部分を貫く中空の開口部であってもよく、又は透明若しくは半透明の材料若しくはそれを通じてアセンブリ６００のユーザーに対する情報の伝達を可能にし得る任意の他の好適な物体（例えば、拡大鏡６２６ｔｍ等）により被覆され得るか、若しくは別の方法でそれを含むように構成され得る開口部であってもよい。閉止部６２０は、任意の好適な材料又は材料の組み合わせから作製されてもよく、任意の好適な寸法を有してよい。閉止部６２０は、閉止部６２０の頂端部６２１の少なくとも一部分が閉止部空間６２３から離れる方向に（例えば、図１１のＸ−Ｙ平面からＹ−Ｚ平面に）回転されるか、又は別の方法で動かされることを可能にする蝶番６２０Ｈ又は任意の他の好適な機構も含んでもよく、これにより、ユーザーは、閉止部空間６２３の少なくとも一部分（例えば、−Ｚ方向の）にアクセスすることができ、これにより、ユーザーは、ダイヤル６３０又はダイヤル６３０上の任意のダイヤル表示部を交換することができる。閉止部６２０は、頂端部６２１と閉止部６２０の側壁６２５の頂部沿いの１つ以上の取付特徴部６２７ｂとの着脱可能な連結を可能にするための、１つ以上の取付特徴部６２７Ａを頂端部６２１に含んでもよい。
【０１２９】
キャップ６１０のダイヤル６３０は、少なくとも部分的に閉じた頂端部６３１から少なくとも部分的に閉じた底端部６３９まで延在し得る１つ以上の側壁を含み得るダイヤル本体を含んでもよい。少なくとも部分的に開いた形状であり得、かつ／又は側部ダイヤル表示部を含み得るダイヤル２３０とは異なり、ダイヤル６３０は、側部ダイヤル表示部のない比較的薄い閉じたダイヤル（例えば、Ｚ軸に沿って）であってもよく、これにより、キャップ６１０の厚さを低減することができる。ダイヤル６３０は、アセンブリ６００のユーザーに対する選択的な表示のために、ダイヤル６３０の任意の好適な部分上に位置付けられ得る任意の好適なダイヤル表示部６３６を含んでもよい。図示するように、ダイヤル表示部６３６は、ダイヤル６３０の頂端部６３１の外面上に設けられ得る頂部ダイヤル表示部６３６ｔ、及び／又は底端部６３９の外面上に設けられ得る底部ダイヤル表示部（図示せず）を含んでもよい。ダイヤル６３０を閉止部空間６２３内で閉止部６２０に対して動かして、ダイヤル６３０の異なるダイヤル表示部６３６を閉止部６２０の閉止部表示部通路６２６及び／又は基部６７０の基部表示部通路（図示せず）と選択的に位置合わせすることができるように、ダイヤル６３０は、少なくとも部分的に閉止部空間６２３内に嵌合するように構成されてもよい。ダイヤル６３０は、任意の好適な材料又は材料の組み合わせから作製されてもよく、任意の好適な寸法を有してよい。ダイヤル１３０とは異なり、ダイヤル６３０は、例えば、ダイヤル６３０が動く（例えば、Ｚ軸に沿って）のを閉止部６２０が阻止し得るように、閉止部６２０に連結される（例えば、永続的又は着脱可能に）ように構成されてもよい。例えば、ダイヤル６３０は、少なくとも１つの閉止部取付特徴部（例えば、ダイヤル６３０の側壁６３５（複数可）の外面の形状）を含んでもよく、閉止部６２０は、少なくとも１つのダイヤル取付特徴部６２２（例えば、閉止部６２０の内面から突出する１つ以上の溝又は雌ネジ）を含んでもよく、ダイヤル６３０は、ダイヤル取付特徴部６２２内でダイヤル６３０にスナップインするか、又は別の方法で嵌合してダイヤル６３０を閉止部空間６２３内に固定させてもよい。ダイヤル取付特徴部６２２は、ボトル取付特徴部６２８が閉止部６２０をボトル６９０に着脱可能に連結することを依然として可能にしながらダイヤル６３０及び基部６７０が閉止部６２０に連結され得るように、閉止部６２０の閉止部空間６２３内の基部取付特徴部６２４（後述する）及びボトル取付特徴部６２８の両方の上方に位置付けられてもよい。いくつかの実施形態では、ダイヤル６３０を閉止部空間６２３から容易に取り外すことができるように（例えば、頂部６２１が閉止部空間６２３へのアクセスを提供するとき、ユーザーにより＋Ｚ方向に）、取付特徴部６２８の上部部分は設けられなくてもよく、これにより、ユーザーは、ダイヤル６３０を交換し、かつ／又は少なくともダイヤル６３０の全ての側部上の表示部を交換することができる。
【０１３０】
キャップ６１０の基部６７０は、少なくとも部分的に閉じた頂端部６７１から少なくとも部分的に閉じた底端部６７９まで延在し得る１つ以上の側壁６７５を含み得る基部本体を含んでもよい。基部６７０は、例えば、ダイヤル６３０がその中に位置付けられ得る表示部空間６８３の少なくとも一部分を基部６７０及び閉止部６２０が共同で画定し得るように、閉止部６２０に連結される（例えば、永続的又は着脱可能に）ように構成されてもよい。例えば、基部６７０は、少なくとも１つの閉止部取付特徴部（例えば、基部６７０の側壁６７５（複数可）の外面の形状）を含んでもよく、閉止部６２０は、少なくとも１つの基部取付特徴部６２４（例えば、閉止部６２０の内面から突出する１つ以上の溝又は雌ネジ）を含んでもよく、基部６７０は、基部取付特徴部６２４内で基部６７０にスナップインするか、又は別の方法で嵌合して基部６７０を閉止部空間６２３内に固定させてもよく、閉止部空間６２３は、それにより、閉止部６２０と基部６７０との間の低減された表示部空間６８３を画定してもよい。基部取付特徴部６２４は、ボトル取付特徴部６２８が閉止部６２０をボトル６９０に着脱可能に連結することを依然として可能にしながら基部６７０が閉止部６２０に連結され得るように、閉止部６２０の閉止部空間６２３内のボトル取付特徴部６２８の上方に位置付けられてもよい。閉止部空間６２３が閉止部６２０の側壁６２５（複数可）、頂端部６２１、及び底端部６２９の内面（複数可）により画定され得る一方、表示部空間６８３は、表示部空間６８３が閉止部空間６２３の一部分であり得るように、閉止部６２０の側壁６２５（複数可）及び頂端部６２１の内面（複数可）並びに基部６７０により画定され得る。よって、基部６７０は、基部６７０が表示部空間６８３の底部の少なくとも一部分を画定し得るように、少なくとも部分的に閉止部空間６２３内に嵌合するように構成され得る。基部６７０は、任意の好適な材料又は材料の組み合わせから作製されてもよく、任意の好適な寸法を有してよい。ダイヤル６３０は、基部６７０が閉止部６２０に連結されているとき、少なくとも部分的に表示部空間６８３内に位置付けられていてもよい。基部６７０は、基部２７０又は基部３７０よりも少ない材料を有してもよく、基部６７０の厚さ（例えば、Ｚ軸に沿っての）は、実質的に一定であってもよく、基部６７０の部分は、ダイヤル６３０の底部６３９に沿って隣接して広がってもよい（例えば、ダイヤル６３０を支持するように）。
【０１３１】
キャップ６１０のギヤアセンブリ６４０は、ダイヤル６３０と共に少なくとも部分的に表示部空間６８３内に位置付けられてもよく、ギヤアセンブリ６４０は、ダイヤル６３０を表示部空間６８３内で閉止部６２０に対して選択的に動かして、異なるダイヤル表示部６３６を閉止部６２０の閉止部表示部通路６２６と選択的に位置合わせするように構成されてもよい。ギヤアセンブリ６４０は、ギヤアセンブリ６４０の第１の部分に印加され得るユーザーの動きを表示部空間６８３に対するダイヤル６３０の運動（例えば、Ｚ軸沿いの軸Ａの周りのダイヤル６３０の回転）に変換するように構成され得る１つ以上のギヤを含んでもよい。図示するように、ギヤアセンブリ６４０は、上部ギヤサブアセンブリ又はダイヤルギヤサブアセンブリ６５０及び下部ギヤサブアセンブリ又はユーザーギヤサブアセンブリ６６０を含んでもよい。ダイヤルギヤサブアセンブリ６５０は、上部又はダイヤルのはめば歯車又はギヤ６５２と、いくつかの実施形態では、ギヤ６５２の回転軸（例えば、Ｚ軸沿いの軸Ａ）に沿ってギヤ６５２から離れる方向に延在し得る上部ギヤシャフト又はダイヤルギヤシャフト６５８とを含んでもよい。ユーザーギヤサブアセンブリ６６０は、下部又はユーザーのはめば歯車又はギヤ６６２と、いくつかの実施形態では、ギヤ６６２の回転軸（例えば、軸Ａに平行であり得るＺ軸沿いの軸Ｂ）に沿ってギヤ６６２から離れる方向に延在し得る下部ギヤシャフト又はユーザーギヤシャフト６６８とを含んでもよい。ユーザーギヤサブアセンブリ６６０は、ユーザーがユーザーの力又は動きをハンドル６６６に印加してギヤ６６２を回転させることができるように、ギヤ６６２の一部分（例えば、ギヤシャフト６６８の端部の）に連結され得るユーザーハンドル６６６も含んでもよい。ギヤアセンブリ６４０は、ギヤ６６２の回転がギヤ６５２を回転させるか、又は別の方法で変換するように構成されてもよく、ギヤ６５２は、ダイヤル６３０を表示部空間６８３内で閉止部６２０に対して回転させるか、又は別の方法で変換するように構成されてもよい。例えば、図示するように、ギヤ６６２は、ギヤ６５２の歯若しくははめ歯又は任意の他の好適な機械的特徴部と噛み合い得る歯若しくははめ歯又は任意の他の好適な機械的特徴部を含んでもよく、ギヤアセンブリ６４０内で両者間でトルクを伝動する（例えば、変速機又はギヤボックスとして）。
【０１３２】
基部６７０は、基部６７０が閉止部６２０に連結されているとき、表示部空間６８３内でギヤアセンブリ６４０及び／又はダイヤル６３０の少なくとも一部分を支持するように構成されてもよい。例えば、図示するように、ユーザーギヤサブアセンブリ６６０の少なくとも一部分（例えば、ギヤ６６２の底部部分）は、基部６７０に（例えば、基部６７０の頂壁６７１の外面に）支えられるように構成されてもよい。ユーザーギヤシャフト開口部６７７は、ユーザーギヤシャフト６６８及び／若しくはユーザーハンドル６６６の少なくとも一部分がそれを通じて表示部空間６８３から閉止部空間６２３及び／若しくはボトル空間６９３の少なくとも一部分へ延在することを可能にするように、又は少なくともギヤサブアセンブリ６６０の一部分をそれを通じてアクセス可能にするように、基部６７０を貫いて（例えば、頂壁６７１と底壁６７９との間で）設けられてもよく、これにより、キャップ６１０がボトル６９０に連結されていないとき（例えば、ユーザーが内容物６９７にアクセスするためにボトル６９０からキャップ６１０を螺装解除するとき）、ギヤアセンブリ６４０の一部分がユーザーからアクセス可能になる。このように表示部空間６８３の外部のユーザーがギヤサブアセンブリ６６０の一部分にアクセスできること（例えば、基部６７０のユーザーギヤシャフト開口部６７７を介して）により、アセンブリ６００のユーザーは、ユーザーの力又は動きをハンドル６６６に印加してギヤ６６２を回転させることができる。代替的又は追加的に、いくつかの実施形態では、基部６７０のユーザーギヤシャフト開口部６７７は、ユーザーギヤ６６２の回転軸を少なくとも部分的に画定してもよく、かつ／又はユーザーギヤサブアセンブリ６６０の少なくとも一部分がそれに沿って移動し得る経路の少なくとも一部分を別の方法で限定してもよい（例えば、ギヤサブアセンブリ６６０の表示部空間６８３内のＸ軸沿い及び／又はＹ軸沿いの運動を阻止又は限定することにより）。例えば、図示するように、ユーザーギヤ６６２は、軸Ｂの周りで回転するように構成されてもよく、ギヤシャフト６６８は、ギヤシャフト開口部６７７が軸Ｂに位置合わせされ得るように、軸Ｂに沿ってギヤ６６２から離れる方向に延在してもよい。追加的又は代替的に、図示するように、ダイヤルギヤサブアセンブリ６５０の少なくとも一部分（例えば、ギヤ６５２の頂部部分）は、ギヤサブアセンブリ６５０の運動がダイヤル６３０の運動（例えば、軸Ａの周りの回転運動）を提供し得るように、ダイヤル６３０に（例えば、ダイヤル６３０の底壁６３９に）連結されてもよい。いくつかの実施形態では、ダイヤルギヤシャフト開口部６７３が、基部６７０の少なくとも一部分を貫いて（例えば、頂壁６７１を貫いて）設けられてもよく、開口部６７３は、ダイヤルギヤ６５２の回転軸を少なくとも部分的に画定してもよく、かつ／又はダイヤルギヤサブアセンブリ６５０の少なくとも一部分がそれに沿って移動し得る経路の少なくとも一部分を別の方法で限定してもよい（例えば、ギヤサブアセンブリ６５０の表示部空間６８３内のＸ軸沿い及び／又はＹ軸沿いの運動を阻止又は限定することにより）。例えば、図示するように、ダイヤルギヤ６５２は、軸Ａの周りで回転するように構成されてもよく、ギヤシャフト６５８は、ギヤシャフト開口部６７３が軸Ａに位置合わせされ得るように、軸Ａに沿ってギヤ６５２から離れる方向に延在してもよい。しかしながら、いくつかの実施形態では、ギヤシャフト開口部６７３及び／又はギヤシャフト６５８は必要ではないことがあり、ギヤ６５２がそれに沿って回転し得る軸Ａをアセンブリ６００の他の特徴部が画定してもよい。例えば、表示部空間６８３内における基部６７０、ギヤサブアセンブリ６６０、及びダイヤル６３０の位置付けは、ギヤサブアセンブリ６５０が表示部空間６８３内で動き得る様式を限定し得る（例えば、軸Ａの周りの運動のみに）。いくつかの実施形態では、図１２に示すように、閉止部６２０の頂端部６２１の内面は、ダイヤル運動特徴部６２７を含んでもよく、ダイヤル６３０の頂端部６３１の外面は、閉止部運動特徴部６３７を含んでもよく、このような特徴部６２７及び６３７は、互いに相互作用して閉止部６２０に対するダイヤル６３０の回転軸（例えば、軸Ａ）を少なくとも部分的に画定してもよく、又は別の方法でそのような運動を支援若しくは限定してもよく（例えば、ダイヤル６３０の表示部空間６８３内のＸ軸沿い及び／又はＹ軸沿いの運動を阻止又は限定することにより）、例えば、特徴部６３７は、切取部又はノッチ６２７内へと延在し得る小隆起であってもよい。いくつかの実施形態では、ダイヤル６３０及び／又はギヤアセンブリ６４０がＺ軸沿いの運動に関して阻止又は限定され得るように、ギヤアセンブリ６４０のＺ軸沿いの厚さと組み合わせたダイヤル６３０の頂端部６３１の壁のＺ軸沿いの厚さは、表示部空間６８３のＺ軸沿いの厚さと実質的に等しいか、又はそれよりもわずかに小さくてもよい。いくつかの実施形態では、ダイヤル表示部６３６は、閉止部６２０の頂部６２１がダイヤル６３０へのアクセスを提供するとき、ダイヤル６３０上で（例えば、頂部６３１上で）交換可能であってもよい。図１１及び１２に示すように、このようなダイヤル表示部６３６は、ダイヤル６３０の特徴部６３７を取り囲むか、又は別の方法で相互作用し得る特徴部６３６Ｃを含んでもよい（例えば、軸Ａに沿って）一方、このようなダイヤル表示部６３６は、ダイヤル６３０の特徴部６３７Ｄを取り囲むか、又は別の方法で相互作用し得る少なくとも１つの特徴部６３６Ｄも含んでもよく（例えば、軸Ａからオフセットして）、これにより、ユーザーが表示部６３６をダイヤル６３０の上に位置付けるとき、表示部６３６をダイヤル６３０に対して適切に配向することができる。
【０１３３】
使用の単なる一例として、ユーザーは、基部６７０の開口部６７７を通じてユーザーがアクセスできるユーザーギヤサブアセンブリ６６０のハンドル６６６と相互作用して、ギヤシャフト６６８及び／又はギヤ６６２を軸Ｂの周りで矢印Ｒ２の方向に回転させ得、これは、次にダイヤルサブアセンブリ６５０のギヤ６５２を軸Ａの周りで矢印Ｒ１の方向に回転させ得、これは、次にダイヤル６３０を軸Ａの周りで矢印Ｒ１の方向に回転させ得る。このようにダイヤル６３０を閉止部６２０に対して表示部空間６８３内において軸Ａの周りで矢印Ｒ１の方向に回転させると、特定の閉止部表示部通路６２６と位置合わせされるダイヤル６３０の特定の部分、及びしたがってダイヤル表示部６３６の特定の部分を変更することができ、これにより、ダイヤル表示部６３６のその特定の部分によりどの情報がアセンブリ６００のユーザーに提供され得るかを変更することができる。例えば、図１２に示すように、ダイヤル６３０が表示部空間６８３内で閉止部６２０及び基部６７０に対して第１の特定の向きにあるとき、頂部ダイヤル表示部６３６ｔの第１の表示が、表示部通路６２６ｔに位置合わせされ、それを通じて見えてもよい。しかしながら、ダイヤル６３０を表示部空間６８３内で閉止部６２０に対して軸Ａの周りで矢印Ｒ１の方向に回転して、このような第１の向きから第２の向きにすると、このような表示部通路６２６に位置合わせされるダイヤル６３０の特定の部分、及びしたがってダイヤル表示部６３６の特定の部分を変更することができる。図示するように、ハンドル６６６は、ハンドル６６６が基部６７０に向かって上へ、又は少なくとも基部６７０に平行に延在し得（例えば、図１０に示すように）、次いで第２の延伸状態（例えば、Ｚ軸に関して）に屈曲され得るように、任意の好適な方向及び／又は任意の好適な形状に屈曲又は屈撓（例えば、Ｚ軸に関して）するように構成され得る可撓性アームを含んでもよく、これにより、ハンドル６６６は、ユーザーがより容易に使用できるように基部６７０から離れる方向に延在し、次いで基部６７０及び／又は表示部空間６８３の外に（あまりに遠くに）延在してボトル６９０の内容物６９７又はボトル６９０により初期に提供され得る（例えば、頂部６９１にわたって）工場保護シールに干渉しないように基部６７０に向かって、又は基部６７０に沿って屈曲することができる。
【０１３４】
キャップサブアセンブリ６１０は、ユーザーがハンドル６６６を軸Ｂの周りで矢印Ｒ２の方向に回転させることを可能にすることにより、ダイヤル６３０を表示部空間６８３内で閉止部６２０に対して軸Ａの周りで矢印Ｒ１の方向に回転させて、第１の向きから第２の向きにすることを可能にするように構成され得る（例えば、ボトル６９０の内容物の投薬スケジュールを追跡するために）一方、キャップサブアセンブリ６１０は、ダイヤル６３０の軸Ａの周りの矢印Ｒ２の反対方向への回転を阻止するように構成され得る。例えば、図示するように、ギヤアセンブリ６４０は、爪車コンポーネント６４２を含んでもよく、基部６７０は、爪車コンポーネント６４２と相互作用してギヤサブアセンブリ６５０の矢印Ｒ２の方向への回転を阻止する一方、ギヤサブアセンブリ６５０の矢印Ｒ１の方向への回転を可能にするように構成され得る停止部コンポーネント６７２を含んでもよい。例えば、図示するように、爪車コンポーネント６４２は、ギヤサブアセンブリ６５０の一部分に沿って（例えば、ギヤ６５２の頂部部分に隣接して）設けられてもよく、基部６７０は、＋Ｘ方向で爪車コンポーネント６４２にちょうど隣接する停止部コンポーネント６７２を提供してもよく（例えば、基部６７０の基部本体の頂面６７１の一部分の延長として）、これにより、停止部コンポーネント６７２の自由端は、爪車コンポーネント６４２、並びにしたがってギヤ６５０及びダイヤル６３０の軸Ａの周りの矢印Ｒ１の方向への回転を可能にするのと同時に、爪車コンポーネント６４２、並びにしたがってギヤ６５２及びダイヤル６３０の軸Ａの周りの矢印Ｒ２の方向への回転を阻止し得る（例えば、爪車コンポーネント６４２の歯又は他の好適な特徴部と停止部コンポーネント６７２の自由端との幾何学的関係により）。その上、爪車コンポーネント６４２と停止部コンポーネント６７２の相互作用は、ユーザーによるアセンブリ６００の表示部の調節に対してユーザーに可聴フィードバック及び／又は触覚フィードバックを提供し得る。いくつかの実施形態では、ダイヤル６３０の軸Ａの周りの矢印Ｒ１の方向への回転を阻止さえするための好適な力を停止部コンポーネント６７２の自由端が爪車コンポーネント６４２に対して行使し得るように、停止部コンポーネント６７２は、好適な量だけ緊張されてもよく、このような力は、ハンドル６６６に対するユーザーの意図的な力に負け得るが、アセンブリ６００の通常使用中にキャップサブアセンブリ６１０が受け得る任意の非意図的な力に負けることはなく、これにより、コンポーネント６４２／６７２は、少なくとも特定量のしきい値力がギヤアセンブリ６４０に（例えば、ハンドル６６６に）印加される場合にのみ、ダイヤル６３０の矢印Ｒ１の方向への適正な回転を可能にし得る。
【０１３５】
爪車コンポーネント及び停止部コンポーネント（例えば、爪車コンポーネント６４２及び停止部コンポーネント６７２）を備えることに追加して、又はその代わりに、ギヤアセンブリ６４０は、ギヤサブアセンブリ６５０の運動がギヤサブアセンブリ６６０の動きに変換され得ない（逆もまた同様）休止状態と、ギヤサブアセンブリ６５０の運動がギヤサブアセンブリ６６０の動きに変換され得る（逆もまた同様）アクティブ状態とを有するように構成され得る。例えば、図１２に示すように、ギヤアセンブリ６４０は、ギヤ６５２とギヤ６６２との間に（例えば、図１２のＸ軸に沿って、かつ／又はＺ軸に沿って）離隔距離（例えば、離隔距離１４１に似た）が存在し得る休止状態にあってもよく、これにより、このような休止状態ではユーザーギヤ６６２のいかなる回転（例えば、軸Ｂの周りの矢印Ｒ１又は矢印Ｒ２の方向への）もダイヤルギヤ６５２の回転に変換されない。ギヤアセンブリ６４０をこのような休止状態からアクティブ状態に構成変更するためには、ユーザーは、ギヤ６６２がギヤ６５２に接触するために離隔距離だけ上向きに動かされ得るように（例えば、ギヤ６６２の歯がギヤ６５２の歯と噛み合い得るように）、上向きの力（例えば、軸Ｂ沿いの＋Ｚ方向の）をギヤサブアセンブリ６６０に先ず印加してもよく（例えば、ハンドル６６６を介して）、次いでユーザーは、回転力（例えば、軸Ｂの周りの矢印Ｒ２の方向の）をユーザーギヤサブアセンブリ６６０に（例えば、ハンドル６６６を介して）印加して、噛み合ったダイヤルギヤ６５２を軸Ａの周りで矢印Ｒ１の方向に回転させてもよい。これは、ダイヤル６３０の非意図的な回転、及びしたがって露出したダイヤル表示部６３６の非意図的な更新を阻止するのを助けることができる。
【０１３６】
表示部空間６８３の厚さもギヤアセンブリ６３０に必要とされ得る厚さのみに最小化しながらダイヤル６３０の厚さを低減することにより、アセンブリ６００の頂部６２１と底部６７９との間の表示部空間６８３の高さは、アセンブリ１００の頂部１２１と底部１７９との間の表示部空間１８３の高さよりも短くてもよい一方、その低減された高さの一部分は、ハンドル６６６の一部分（例えば、ハンドル６６６の自由端）を非使用状態のときに収納するために使用されてもよい。追加的又は代替的に、ダイヤル６３０へのユーザーのアクセスを可能にすることにより（例えば、閉止部６２０の可動な頂端部６２１を介して、ユーザーは、アセンブリ６００を異なる適切な調節可能な表示部と共に異なる目的に使用するために、ダイヤル６３０又はその上の表示部６３６を交換することができる。
【０１３７】
＜図１３及び図１４（アセンブリ７００）＞
図１３及び１４は、図１〜６のアセンブリ１００に似ているかもしれないが、軸方向に位置合わせされたギヤサブアセンブリを含み得る、別の例示的なボトル容器アセンブリ７００を示す。図１３及び１４のアセンブリ７００は、図１〜６のアセンブリ１００に似たコンポーネントを含み得、図１３及び１４のアセンブリ７００のコンポーネントは、図１〜６のアセンブリ１００のラベル付けされたコンポーネントの参照ラベル「１ｘｘ」に対応することがある参照ラベル「７ｘｘ」によりラベル付けされており、それらの間の相違点は、以下で説明されることがある。図示するように、アセンブリ７００は、ボトル７９０と、ボトル７９０に連結され得るキャップ７１０とを含み、中に内容物を安全に保持し得る閉止された容器を形成することができる。例えば、ボトル７９０は、閉じた底端部７９９から少なくとも部分的に開いた頂端部７９１まで延在して内側ボトル空間７９３を画定し得る１つ以上の側壁７９５を含み得るボトル本体を含んでもよい。ボトル７９０は、ユーザーが内容物７９７を開放端部７９１を通じてボトル空間７９３内に（例えば、−Ｚ方向に沿って）挿入し得、かつ／又は内容物７９７をボトル空間７９３から開放端部７９１を通じて（例えば、＋Ｚ方向に沿って）取り出し得るように、構成されてもよい。ボトル７９０は、任意の好適な内容物７９７を任意の好適な方法で保持するように構成され得る任意の好適な容器であってもよい。ボトル７９０は、任意の好適な材料又は材料の組み合わせから作製されてもよく、任意の好適な寸法を有してもよい。
【０１３８】
キャップ７１０がボトル７９０に連結されているとき、キャップ７１０が開放端部７９１を被覆してユーザーがボトル空間７９３にアクセスするのを阻止することができるように、かつキャップ７１０がボトル７９０に連結されていないとき、キャップ７１０が開放端部７９１の少なくとも一部分を被覆せずユーザーがボトル空間７９３にアクセスすることを可能にすることができるように、キャップ７１０は、ボトル７９０に着脱可能に連結されるように構成されてもよい。アセンブリ７００は、キャップサブアセンブリがボトル７９０に着脱可能に連結されることを可能にするように任意の好適な方法で構成されてもよい。単なる一例として、ボトル７９０は、少なくとも１つのキャップ取付特徴部７９２を含んでもよく、キャップ７１０は、少なくとも１つのボトル取付特徴部７２８を含んでもよく、キャップ取付特徴部７９２及びボトル取付特徴部７２８は、互いと相互作用してキャップ７１０をボトル７９０に着脱可能に連結するように構成され得る相互的な特徴部又は別の方法で関係付けられた特徴部の任意の好適な組み合わせ（例えば、ネジ、スナップ、ノッチ、クリップ、ロケーションフィット、又は中間ばめ等）であってよい。ボトル７９０は、キャップ取付特徴部７９２の下方で本体７９５の外面から突出し得るリップ７９４も含んでもよく、リップ７９４は、閉じた端部から少なくとも特定の距離だけ上方にキャップサブアセンブリ７１０を懸架するように構成されてもよい。キャップ取付特徴部７９２及び／又はリップ７９４は、キャップ７１０がボトル７９０に連結されているとき、キャップ７１０とボトル７９０の特定の関係を確保してもよい。
【０１３９】
キャップ７１０は、閉止部７２０、ダイヤル７３０、ギヤアセンブリ７４０、及び基部７７０を含んでもよい。キャップ７１０の閉止部７２０は、少なくとも部分的に閉じた頂端部７２１から少なくとも部分的に開いた底端部７２９まで延在して内側閉止部空間７２３を画定し得る１つ以上の側壁７２５を含み得る閉止部本体を含んでもよい。閉止部７２０は、キャップサブアセンブリ７００の１つ以上の他の部分（例えば、後述するダイヤル７３０の部分）を選択的にユーザーに対して露出させるための、閉止部７２０の任意の好適な部分を貫く１つ以上の閉止部表示部通路７２６も含んでもよい。図示するように、閉止部表示部通路７２６は、閉止部７２０の頂端部７２１の壁を貫いて設けられ得る少なくとも１つの頂部閉止部表示部通路７２６ｔを含んでもよい。後述するように、各閉止部表示部通路７２６は、閉止部７２０の壁若しくは他の部分を貫く中空の開口部であってもよく、又は透明若しくは半透明の材料若しくはそれを通じてアセンブリ７００のユーザーに対する情報の伝達を可能にし得る任意の他の好適な物体（例えば、拡大鏡７２６ｔｍ等）により被覆され得るか、若しくは別の方法でそれを含むように構成され得る開口部であってもよい。閉止部７２０は、任意の好適な材料又は材料の組み合わせから作製されてもよく、任意の好適な寸法を有してよい。
【０１４０】
キャップ７１０のダイヤル７３０は、少なくとも部分的に閉じた頂端部７３１から少なくとも部分的に閉じた底端部７３９まで延在し得る１つ以上の側壁を含み得るダイヤル本体を含んでもよい。少なくとも部分的に開いた形状であり得、かつ／又は側部ダイヤル表示部を含み得るダイヤル２３０とは異なり、ダイヤル７３０は、側部ダイヤル表示部のない比較的薄い閉じたダイヤル（例えば、Ｚ軸に沿って）であってもよく、これにより、キャップ７１０の厚さを低減することができる。ダイヤル７３０は、アセンブリ７００のユーザーに対する選択的な表示のために、ダイヤル７３０の任意の好適な部分上に位置付けられ得る任意の好適なダイヤル表示部７３６を含んでもよい。図示するように、ダイヤル表示部７３６は、ダイヤル７３０の頂端部７３１の外面上に設けられ得る頂部ダイヤル表示部７３６ｔ、及び／又は底端部７３９の外面上に設けられ得る底部ダイヤル表示部７３６ｂを含んでもよい。ダイヤル７３０を閉止部空間７２３内で閉止部７２０に対して動かして、ダイヤル７３０の異なるダイヤル表示部７３６を閉止部７２０の閉止部表示部通路７２６及び／又は基部７７０の基部表示部通路７７６と選択的に位置合わせすることができるように、ダイヤル７３０は、少なくとも部分的に閉止部空間７２３内に嵌合するように構成されてもよい。ダイヤル７３０は、任意の好適な材料又は材料の組み合わせから作製されてもよく、任意の好適な寸法を有してよい。ダイヤル１３０とは異なり、ダイヤル７３０は、例えば、ダイヤル７３０が動く（例えば、Ｚ軸に沿って）のを閉止部７２０が阻止し得るように、閉止部７２０に連結される（例えば、永続的又は着脱可能に）ように構成されてもよい。例えば、ダイヤル７３０は、少なくとも１つの閉止部取付特徴部（例えば、ダイヤル７３０の側壁７３５（複数可）の外面の形状）を含んでもよく、閉止部７２０は、少なくとも１つのダイヤル取付特徴部７２２（例えば、閉止部７２０の内面から突出する１つ以上の溝又は雌ネジ）を含んでもよく、ダイヤル７３０は、ダイヤル取付特徴部７２２内でダイヤル７３０にスナップインするか、又は別の方法で嵌合してダイヤル７３０を閉止部空間７２３内に固定させてもよい。ダイヤル取付特徴部７２２は、ボトル取付特徴部７２８が閉止部７２０をボトル７９０に着脱可能に連結することを依然として可能にしながらダイヤル７３０及び基部７７０が閉止部７２０に連結され得るように、閉止部７２０の閉止部空間７２３内の基部取付特徴部７２４（後述する）及びボトル取付特徴部７２８の両方の上方に位置付けられてもよい。
【０１４１】
キャップ７１０の基部７７０は、少なくとも部分的に閉じた頂端部７７１から少なくとも部分的に閉じた底端部７７９まで延在し得る１つ以上の側壁７７５を含み得る基部本体を含んでもよい。基部７７０は、例えば、ダイヤル７３０がその中に位置付けられ得る表示部空間７８３の少なくとも一部分を基部７７０及び閉止部７２０が共同で画定し得るように、閉止部７２０に連結される（例えば、永続的又は着脱可能に）ように構成されてもよい。例えば、基部７７０は、少なくとも１つの閉止部取付特徴部（例えば、基部７７０の側壁７７５（複数可）の外面の形状）を含んでもよく、閉止部７２０は、少なくとも１つの基部取付特徴部７２４（例えば、閉止部７２０の内面から突出する１つ以上の溝又は雌ネジ）を含んでもよく、基部７７０は、基部取付特徴部７２４内で基部７７０にスナップインするか、又は別の方法で嵌合して基部７７０を閉止部空間７２３内に固定させてもよく、閉止部空間７２３は、それにより、閉止部７２０と基部７７０との間の低減された表示部空間７８３を画定してもよい。基部取付特徴部７２４は、ボトル取付特徴部７２８が閉止部７２０をボトル７９０に着脱可能に連結することを依然として可能にしながら基部７７０が閉止部７２０に連結され得るように、閉止部７２０の閉止部空間７２３内のボトル取付特徴部７２８の上方に位置付けられてもよい。閉止部空間７２３が閉止部７２０の側壁７２５（複数可）、頂端部７２１、及び底端部７２９の内面（複数可）により画定され得る一方、表示部空間７８３は、表示部空間７８３が閉止部空間７２３の一部分であり得るように、閉止部７２０の側壁７２５（複数可）及び頂端部７２１の内面（複数可）並びに基部７７０により画定され得る。よって、基部７７０は、基部７７０が表示部空間７８３の底部の少なくとも一部分を画定し得るように、少なくとも部分的に閉止部空間７２３内に嵌合するように構成され得る。基部７７０は、任意の好適な材料又は材料の組み合わせから作製されてもよく、任意の好適な寸法を有してよい。ダイヤル７３０は、基部７７０が閉止部７２０に連結されているとき、少なくとも部分的に表示部空間７８３内に位置付けられていてもよい。基部７７０は、基部２７０又は基部３７０よりも少ない材料を有してもよく、基部７７０の厚さ（例えば、Ｚ軸に沿っての）は、実質的に一定であってもよく、基部７７０の部分は、ダイヤル７３０の底部７３９に沿って隣接して広がってもよい（例えば、ダイヤル７３０を支持するように）。
【０１４２】
キャップ７１０のギヤアセンブリ７４０は、ダイヤル７３０と共に少なくとも部分的に表示部空間７８３内に位置付けられてもよく、ギヤアセンブリ７４０は、ダイヤル７３０を表示部空間７８３内で閉止部７２０に対して選択的に動かして、異なるダイヤル表示部７３６を閉止部７２０の閉止部表示部通路７２６と選択的に位置合わせするように構成されてもよい。ギヤアセンブリ７４０は、ギヤアセンブリ７４０の第１の部分に印加され得るユーザーの動きを表示部空間７８３に対するダイヤル７３０の運動（例えば、Ｚ軸沿いの軸Ａの周りのダイヤル７３０の回転）に変換するように構成され得る１つ以上のギヤを含んでもよい。図示するように、ギヤアセンブリ７４０は、上部ギヤサブアセンブリ又はダイヤルギヤサブアセンブリ７５０及び下部ギヤサブアセンブリ又はユーザーギヤサブアセンブリ７６０を含んでもよい。ダイヤルギヤサブアセンブリ７５０は、上部又はダイヤルのはめば歯車又はギヤ７５２と、いくつかの実施形態では、ギヤ７５２の回転軸（例えば、Ｚ軸沿いの軸Ａ）に沿ってギヤ７５２から離れる方向に延在し得る上部ギヤシャフト又はダイヤルギヤシャフト（図示せず）とを含んでもよい。ユーザーギヤサブアセンブリ７６０は、下部又はユーザーのはめば歯車又はギヤ７６２と、いくつかの実施形態では、ギヤ７６２の回転軸（例えば、軸Ａ）に沿ってギヤ７６２から離れる方向に延在し得る下部ギヤシャフト又はユーザーギヤシャフト７６８とを含んでもよい。ユーザーギヤサブアセンブリ７６０は、ユーザーがユーザーの力又は動きをハンドル７６６に印加してギヤ７６２を回転させることができるように、ギヤ７６２の一部分（例えば、ギヤシャフト７６８の端部の）に連結され得るユーザーハンドル７６６も含んでもよい。ギヤアセンブリ７４０は、ギヤ７６２の回転がギヤ７５２を回転させるか、又は別の方法で変換するように構成されてもよく、ギヤ７５２は、ダイヤル７３０を表示部空間７８３内で閉止部７２０に対して回転させるか、又は別の方法で変換するように構成されてもよい。例えば、図示するように、ギヤ７６２は、ギヤ７５２の歯若しくははめ歯又は任意の他の好適な機械的特徴部（ギヤ７５２の歯がギヤ７５２の軸Ａに向かって、かつギヤ７６２に向かって（例えば、Ｘ軸に沿って）離れる方向に延在し得るように、例えば、ギヤ７５２の円筒形状若しくは円錐形状又は任意の他の好適な形状の内面上にある）と噛み合い得るギヤ７６２の歯若しくははめ歯又は任意の他の好適な機械的特徴部（ギヤ７６２の歯がギヤ７６２の軸Ａからギヤ７５２に向かって（例えば、Ｘ軸に沿って）離れる方向に延在し得るように、例えば、ギヤ７６２の円筒形状若しくは円錐形状又は任意の他の好適な形状の外面上にある）を含んでもよく、ギヤアセンブリ７４０内で両者間でトルクを伝動する（例えば、変速機又はギヤボックスとして）。ギヤ７５２は、ギヤ７６２の少なくとも一部分をその中に受けるようにカップ形状であってもよい（例えば、入れ子の方式で）。
【０１４３】
基部７７０は、基部７７０が閉止部７２０に連結されているとき、表示部空間７８３内でギヤアセンブリ７４０及び／又はダイヤル７３０の少なくとも一部分を支持するように構成されてもよい。例えば、図示するように、ユーザーギヤサブアセンブリ７６０の少なくとも一部分（例えば、ギヤ７６２の底部部分）は、基部７７０に（例えば、基部７７０の頂壁７７１の外面に）支えられるように構成されてもよい。ユーザーギヤシャフト開口部７７７は、ユーザーギヤシャフト７６８及び／若しくはユーザーハンドル７６６の少なくとも一部分がそれを通じて表示部空間７８３から閉止部空間７２３及び／若しくはボトル空間７９３の少なくとも一部分へ延在することを可能にするように、又は少なくともギヤサブアセンブリ７６０の一部分をそれを通じてアクセス可能にするように、基部７７０を貫いて（例えば、頂壁７７１と底壁７７９との間で）設けられてもよく、これにより、キャップ７１０がボトル７９０に連結されていないとき（例えば、ユーザーが内容物７９７にアクセスするためにボトル７９０からキャップ７１０を螺装解除するとき）、ギヤアセンブリ７４０の一部分がユーザーからアクセス可能になる。このように表示部空間７８３の外部のユーザーがギヤサブアセンブリ７６０の一部分にアクセスできること（例えば、基部７７０のユーザーギヤシャフト開口部７７７を介して）により、アセンブリ７００のユーザーは、ユーザーの力又は動きをハンドル７６６に印加してギヤ７６２を回転させることができる。代替的又は追加的に、いくつかの実施形態では、基部７７０のユーザーギヤシャフト開口部７７７は、ユーザーギヤ７６２の回転軸を少なくとも部分的に画定してもよく、かつ／又はユーザーギヤサブアセンブリ７６０の少なくとも一部分がそれに沿って移動し得る経路の少なくとも一部分を別の方法で限定してもよい（例えば、ギヤサブアセンブリ７６０の表示部空間７８３内のＸ軸沿い及び／又はＹ軸沿いの運動を阻止又は限定することにより）。例えば、図示するように、ユーザーギヤ７６２は、軸Ａの周りで回転するように構成されてもよく、ギヤシャフト７６８は、ギヤシャフト開口部７７７が軸Ａに位置合わせされ得るように、軸Ａに沿ってギヤ７６２から離れる方向に延在してもよい。追加的又は代替的に、図示するように、ダイヤルギヤサブアセンブリ７５０の少なくとも一部分（例えば、ギヤ７５２の頂部部分）は、ギヤサブアセンブリ７５０の運動がダイヤル７３０の運動（例えば、軸Ａの周りの回転運動）を提供し得るように、ダイヤル７３０に（例えば、ダイヤル７３０の底壁７３９に）連結されてもよい。いくつかの実施形態では、表示部空間７８３内における基部７７０、ギヤサブアセンブリ７６０、及びダイヤル７３０の位置付けは、ギヤサブアセンブリ７５０が表示部空間７８３内で動き得る様式を限定し得る（例えば、軸Ａの周りの運動のみに）。いくつかの実施形態では、図１４に示すように、閉止部７２０の頂端部７２１の内面は、ダイヤル運動特徴部７２７を含んでもよく、ダイヤル７３０の頂端部７３１の外面は、閉止部運動特徴部７３７を含んでもよく、このような特徴部７２７及び７３７は、互いに相互作用して閉止部７２０に対するダイヤル７３０の回転軸（例えば、軸Ａ）を少なくとも部分的に画定してもよく、又は別の方法でそのような運動を支援若しくは限定してもよく（例えば、ダイヤル７３０の表示部空間７８３内のＸ軸沿い及び／又はＹ軸沿いの運動を阻止又は限定することにより）、例えば、特徴部７３７は、切取部又はノッチ７２７内へと延在し得る小隆起であってもよい。いくつかの実施形態では、ダイヤル７３０及び／又はギヤアセンブリ７４０がＺ軸沿いの運動に関して阻止又は限定され得るように、ギヤアセンブリ７４０のＺ軸沿いの厚さと組み合わせたダイヤル７３０の頂端部７３１の壁のＺ軸沿いの厚さは、表示部空間７８３のＺ軸沿いの厚さと実質的に等しいか、又はそれよりもわずかに小さくてもよい。
【０１４４】
使用の単なる一例として、ユーザーは、基部７７０の開口部７７７を通じてユーザーがアクセスできるユーザーギヤサブアセンブリ７６０のハンドル７６６と相互作用して、ギヤシャフト７６８及び／又はギヤ７６２を軸Ａの周りで矢印Ｒ１の方向に回転させ得、これは、次にダイヤルサブアセンブリ７５０のギヤ７５２を軸Ａの周りで矢印Ｒ１の方向に回転させ得、これは、次にダイヤル７３０を軸Ａの周りで矢印Ｒ１の方向に回転させ得る。このようにダイヤル７３０を閉止部７２０に対して表示部空間７８３内において軸Ａの周りで矢印Ｒ１の方向に回転させると、特定の閉止部表示部通路７２６と位置合わせされるダイヤル７３０の特定の部分、及びしたがってダイヤル表示部７３６の特定の部分を変更することができ、これにより、ダイヤル表示部７３６のその特定の部分によりどの情報がアセンブリ７００のユーザーに提供され得るかを変更することができる。例えば、図１４に示すように、ダイヤル７３０が表示部空間７８３内で閉止部７２０及び基部７７０に対して第１の特定の向きにあるとき、頂部ダイヤル表示部７３６ｔの第１の表示が、表示部通路７２６ｔに位置合わせされ、それを通じて見えてもよく、かつ／又は底部ダイヤル表示部７３６ｂの第１の表示が、表示部通路７７６（例えば、７７６ｍ）に位置合わせされ、それを通じて見えてもよい。しかしながら、ダイヤル７３０を表示部空間７８３内で閉止部７２０に対して軸Ａの周りで矢印Ｒ１の方向に回転して、このような第１の向きから第２の向きにすると、このような表示部通路７２６／７７６に位置合わせされるダイヤル７３０の特定の部分、及びしたがってダイヤル表示部７３６の特定の部分を変更することができる。図示するように、ハンドル７６６は、基部７７０を越えて（例えば、−Ｚ方向に）延在することはできないが、その代わりにユーザーがハンドル７６６を握持できるように（例えば、ユーザーの指の先端で）開口部７７７内のその端部に摩擦パッド又は他の好適な特徴部を含んでもよい。ハンドル７６６は、表示部空間７８３を除いて、アセンブリ７００のいかなる領域も塞がず、それにより、ハンドル７６６がボトル７９０の内容物７９７又はボトル７９０により初期に提供され得る（例えば、頂部７９１にわたって）工場保護シールに干渉するのを阻止することができる。
【０１４５】
キャップサブアセンブリ７１０は、ユーザーがハンドル７６６を軸Ａの周りで矢印Ｒ１の方向に回転させることを可能にすることにより、ダイヤル７３０を表示部空間７８３内で閉止部７２０に対して軸Ａの周りで矢印Ｒ１の方向に回転させて、第１の向きから第２の向きにすることを可能にするように構成され得る（例えば、ボトル７９０の内容物の投薬スケジュールを追跡するために）一方、キャップサブアセンブリ７１０は、ダイヤル７３０の軸Ａの周りの矢印Ｒ２の反対方向への回転を阻止するように構成され得る。例えば、図示するように、ギヤアセンブリ７４０は、爪車コンポーネント７４２を含んでもよく、基部７７０は、爪車コンポーネント７４２と相互作用してギヤサブアセンブリ７５０の矢印Ｒ２の方向への回転を阻止する一方、ギヤサブアセンブリ７５０の矢印Ｒ１の方向への回転を可能にするように構成され得る停止部コンポーネント７７２を含んでもよい。例えば、図示するように、爪車コンポーネント７４２は、ギヤサブアセンブリ７５０の一部分に沿って（例えば、ギヤ７５２の頂部部分に隣接して）設けられてもよく、基部７７０は、＋Ｘ方向で爪車コンポーネント７４２にちょうど隣接する停止部コンポーネント７７２を提供してもよく（例えば、基部７７０の基部本体の頂面７７１の一部分の延長として）、これにより、停止部コンポーネント７７２の自由端は、爪車コンポーネント７４２、並びにしたがってギヤ７５０及びダイヤル７３０の軸Ａの周りの矢印Ｒ１の方向への回転を可能にするのと同時に、爪車コンポーネント７４２、並びにしたがってギヤ７５２及びダイヤル７３０の軸Ａの周りの矢印Ｒ２の方向への回転を阻止し得る（例えば、爪車コンポーネント７４２の歯又は他の好適な特徴部と停止部コンポーネント７７２の自由端との幾何学的関係により）。その上、爪車コンポーネント７４２と停止部コンポーネント７７２の相互作用は、ユーザーによるアセンブリ７００の表示部の調節に対してユーザーに可聴フィードバック及び／又は触覚フィードバックを提供し得る。いくつかの実施形態では、ダイヤル７３０の軸Ａの周りの矢印Ｒ１の方向への回転を阻止さえするための好適な力を停止部コンポーネント７７２の自由端が爪車コンポーネント７４２に対して行使し得るように、停止部コンポーネント７７２は、好適な量だけ緊張されてもよく、このような力は、ハンドル７６６に対するユーザーの意図的な力に負け得るが、アセンブリ７００の通常使用中にキャップサブアセンブリ７１０が受け得る任意の非意図的な力に負けることはなく、これにより、コンポーネント７４２／７７２は、少なくとも特定量のしきい値力がギヤアセンブリ７４０に（例えば、ハンドル７６６に）印加される場合にのみ、ダイヤル７３０の矢印Ｒ１の方向への適正な回転を可能にし得る。
【０１４６】
爪車コンポーネント及び停止部コンポーネント（例えば、爪車コンポーネント７４２及び停止部コンポーネント７７２）を備えることに追加して、又はその代わりに、ギヤアセンブリ７４０は、ギヤサブアセンブリ７５０の運動がギヤサブアセンブリ７６０の動きに変換され得ない（逆もまた同様）休止状態と、ギヤサブアセンブリ７５０の運動がギヤサブアセンブリ７６０の動きに変換され得る（逆もまた同様）アクティブ状態とを有するように構成され得る。例えば、図１４に示すように、ギヤアセンブリ７４０は、ギヤ７５２とギヤ７６２との間に（例えば、図１４のＸ軸に沿って、かつ／又はＺ軸に沿って）離隔距離（例えば、離隔距離１４１に似た）が存在し得る休止状態にあってもよく、これにより、このような休止状態ではユーザーギヤ７６２のいかなる回転（例えば、軸Ａの周りの矢印Ｒ１又は矢印Ｒ２の方向への）もダイヤルギヤ７５２の回転に変換されない。ギヤアセンブリ７４０をこのような休止状態からアクティブ状態に構成変更するためには、ユーザーは、ギヤ７６２がギヤ７５２に接触するために離隔距離だけ上向きに動かされ得るように（例えば、ギヤ７６２の歯がギヤ７５２の歯と噛み合い得るように）、上向きの力（例えば、軸Ａ沿いの＋Ｚ方向の）をギヤサブアセンブリ７６０に先ず印加してもよく（例えば、ハンドル７６６を介して）、次いでユーザーは、回転力（例えば、軸Ａの周りの矢印Ｒ１の方向の）をユーザーギヤサブアセンブリ７６０に（例えば、ハンドル７６６を介して）印加して、噛み合ったダイヤルギヤ７５２を軸Ａの周りで矢印Ｒ１の方向に回転させてもよい。これは、ダイヤル７３０の非意図的な回転、及びしたがって露出したダイヤル表示部７３６の非意図的な更新を阻止するのを助けることができる。
【０１４７】
表示部空間７８３の厚さもギヤアセンブリ７３０に必要とされ得る厚さのみに最小化しながらダイヤル７３０の厚さを低減することにより、アセンブリ７００の頂部７２１と底部７７９との間の表示部空間７８３の高さは、アセンブリ１００の頂部１２１と底部１７９との間の表示部空間１８３の高さよりも短くてもよい。追加的又は代替的に、Ｘ−Ｙ平面内等において、ユーザーギヤサブアセンブリ７６０をダイヤルギヤサブアセンブリ７５０内に入れ子にすることにより（逆もまた同様）、表示部空間７８３の少なくとも一部分の幅（例えば、Ｘ軸沿い及び／又はＹ軸沿いの）を縮小することができる。
【０１４８】
＜図１５〜２１（アセンブリ８００）＞
図１５〜２１は、図１〜６のアセンブリ１００に似ているかもしれないが、軸に沿って直線状に動いて該軸の周りでダイヤルを回転させ、ユーザーによる閲覧のために通路に位置合わせされ得るダイヤルの表示器の部分を変更するように動作し得る、押しボタン付きのキャップを含み得る、別の例示的なボトル容器アセンブリ８００を示す。図１５〜２１のアセンブリ８００は、図１〜６のアセンブリ１００に似た１つ以上のコンポーネントを含み得、図１５〜２１のアセンブリ８００のコンポーネントは、図１〜６のアセンブリ１００のラベル付けされたコンポーネントの参照ラベル「１ｘｘ」に対応することがある参照ラベル「８ｘｘ」によりラベル付けされており、それらの間の相違点は、以下で説明されることがある。図示するように、アセンブリ８００は、ボトル８９０と、ボトル８９０に連結され得るキャップ８１０とを含み、中に内容物を安全に保持し得る閉止された容器を形成することができる。例えば、ボトル８９０は、閉じた底端部８９９から少なくとも部分的に開いた頂端部８９１まで延在して内側ボトル空間８９３を画定し得る１つ以上の側壁８９５を含み得るボトル本体を含んでもよい。ボトル８９０は、ユーザーが内容物８９７を開放端部８９１を通じてボトル空間８９３内に（例えば、−Ｚ方向に沿って）挿入し得、かつ／又は内容物８９７をボトル空間８９３から開放端部８９１を通じて（例えば、＋Ｚ方向に沿って）取り出し得るように、構成されてもよい。ボトル８９０は、任意の好適な内容物８９７を任意の好適な方法で保持するように構成され得る任意の好適な容器であってもよい。ボトル８９０は、任意の好適な材料又は材料の組み合わせから作製されてもよく、任意の好適な寸法を有してもよい。
【０１４９】
キャップ８１０がボトル８９０に連結されているとき、キャップ８１０が開放端部８９１を被覆してユーザーがボトル空間８９３にアクセスするのを阻止することができるように、かつキャップ８１０がボトル８９０に連結されていないとき、キャップ８１０が開放端部８９１の少なくとも一部分を被覆せずユーザーがボトル空間８９３にアクセスすることを可能にすることができるように、キャップ８１０は、ボトル８９０に着脱可能に連結されるように構成されてもよい。アセンブリ８００は、キャップサブアセンブリ８１０がボトル８９０に着脱可能に連結されることを可能にするように任意の好適な方法で構成されてもよい。単なる一例として、ボトル８９０は、少なくとも１つのキャップ取付特徴部８９２を含んでもよく、キャップ８１０は、少なくとも１つのボトル取付特徴部８２８を含んでもよく、キャップ取付特徴部８９２及びボトル取付特徴部８２８は、互いと相互作用してキャップ８１０をボトル８９０に着脱可能に連結するように構成され得る相互的な特徴部又は別の方法で関係付けられた特徴部の任意の好適な組み合わせ（例えば、ネジ、スナップ、ノッチ、クリップ、ロケーションフィット、又は中間ばめ等）であってよい。ボトル８９０は、キャップ取付特徴部８９２の下方で本体８９５の外面から突出し得るリップ８９４も含んでもよく、リップ８９４は、閉じた端部から少なくとも特定の距離だけ上方にキャップサブアセンブリ８１０を懸架するように構成されてもよい。キャップ取付特徴部８９２及び／又はリップ８９４は、キャップ８１０がボトル８９０に連結されているとき、キャップ８１０とボトル８９０の特定の関係を確保してもよい。
【０１５０】
キャップ８１０は、閉止部８２０、ダイヤル８３０、押しボタン８４４、及び付勢機構８８１を含んでもよい。キャップ８１０の閉止部８２０は、少なくとも部分的に閉じた頂端部８２１から少なくとも部分的に開いた底端部８２９まで延在して内側閉止部空間８２３を画定し得る１つ以上の側壁８２５を含み得る閉止部本体を含んでもよい。閉止部８２０は、キャップサブアセンブリ８１０の１つ以上の他の部分（例えば、後述するダイヤル８３０の部分）を選択的にユーザーに対して露出させるための、閉止部８２０の任意の好適な部分を貫く１つ以上の閉止部表示部通路８２６も含んでもよい。図示するように、閉止部表示部通路８２６は、閉止部８２０の頂端部８２１の壁を貫いて設けられ得る少なくとも１つの頂部閉止部表示部通路８２６ｔ、及び／又は閉止部８２０の少なくとも１つの側壁８２５を貫いて設けられ得る少なくとも１つの側部閉止部表示部通路８２６ｓを含んでもよい。各閉止部表示部通路８２６は、閉止部８２０の壁若しくは他の部分を貫く中空の開口部であってもよく、又は透明若しくは半透明の材料若しくはそれを通じてアセンブリ８００のユーザーに対する情報の伝達を可能にし得る任意の他の好適な物体（例えば、拡大鏡８２６ｔｍ及び／又は８２６ｓｍ）により被覆され得るか、若しくは別の方法でそれを含むように構成され得る開口部であってもよい。閉止部８２０は、任意の好適な材料又は材料の組み合わせから作製されてもよく、任意の好適な寸法を有してよい。
【０１５１】
キャップ８１０のダイヤル８３０は、少なくとも部分的に閉じた頂端部８３１から少なくとも部分的に開いた底端部８３９まで延在し得る１つ以上の側壁８３５を含み得るダイヤル本体を含んでもよい。ダイヤル８３０は、内側ダイヤル空間８３３を画定してもよく、内側ダイヤル空間８３３は、ダイヤル開口部８３８を介してアクセス可能であってもよく、ダイヤル開口部８３８は、底端部８３９を貫いて等、ダイヤル本体の任意の好適な部分を貫いて設けられてもよい。少なくとも１つの溝８３２が、１つ以上の側壁８３５の内面８３４に沿って等、ダイヤル８３０の任意の好適な面に沿って設けられてもよく、ダイヤル溝８３２は、ダイヤル空間８３３内でアクセス可能であってもよい（例えば、後述する押しボタン８４４の一部分により）。ダイヤル８３０は、アセンブリ８００のユーザーに対する選択的な表示のために、ダイヤル８３０の任意の好適な部分上に位置付けられ得る任意の好適なダイヤル表示部８３６を含んでもよい。図示するように、ダイヤル表示部８３６は、ダイヤル８３０の頂端部８３１の外面上に設けられ得る頂部ダイヤル表示部８３６ｔ、及び／又は１つ以上の側壁８３５の外面上に設けられ得る側部ダイヤル表示部８３６ｓを含んでもよい。ダイヤル８３０を閉止部空間８２３内で閉止部８２０に対して動かして、ダイヤル８３０の異なるダイヤル表示部８３６を閉止部８２０の閉止部表示部通路８２６と選択的に位置合わせすることができるように、ダイヤル８３０は、少なくとも部分的に閉止部空間８２３内に嵌合するように構成されてもよい。ダイヤル８３０は、任意の好適な材料又は材料の組み合わせから作製されてもよく、任意の好適な寸法を有してよい。
【０１５２】
キャップ８１０のボタン８４４は、頂端部８４１から底端部８４９まで延在し得る１つ以上の側壁８４５を含み得るボタン本体を含んでもよい。ボタン８４４は、内側ボタン空間８４３を画定してもよく、内側ボタン空間８４３は、頂端部８４１の頂面を貫く頂部ボタン開口部を介して、かつ／又は底端部８４９の底面を貫く底部ボタン開口部を介してアクセス可能であってもよい。ボタン８４４は、例えば、閉止部８２０が、ボタン８４４が回転すること（例えば、Ｚ軸沿いの軸Ａの周りで）を阻止し得る一方でボタン８４４が直線状に動くこと（例えば、軸Ａに沿って）を依然として可能にし得るように、閉止部８２０に連結されるように（例えば、永続的又は着脱可能に）構成されてもよい（例えば、少なくとも部分的に閉止部空間８２３内で）。例えば、ボタン８４４は、少なくとも１つの閉止部相互作用特徴部８４６（例えば、ボタン８４４の側壁８４５（複数可）の外面から外向きに延在する特徴部）を含んでもよく、閉止部８２０は、少なくとも１つのボタン相互作用特徴部８２２ｂ（例えば、閉止部８２０の内面内の１つ以上の溝）を含んでもよく、ボタン８４４は、ボタン８４４の各閉止部相互作用特徴部８４６を閉止部８２０のボタン相互作用特徴部８２２ｂ内にスナップインさせるか、又は別の方法で嵌合させて、ボタン８４４を少なくとも部分的に閉止部空間８２３内に固定することができる。ボタン８４４は、例えば、ダイヤル８３０がその中に位置付けられ得る表示部空間８８３の少なくとも一部分をボタン８４４及び閉止部８２０が共同で画定し得るように、閉止部８２０に連結される（例えば、永続的又は着脱可能に）ように構成されてもよい。各底部相互作用特徴部８２２ｂは、ボトル取付特徴部８２８が閉止部８２０をボトル８９０に着脱可能に連結することを依然として可能にしながらボタン８４４が閉止部８２０に連結され得るように、閉止部８２０の閉止部空間８２３内のボトル取付特徴部８２８の上方に位置付けられてもよい（例えば、図１８を参照されたい）。閉止部空間８２３が閉止部８２０の側壁８２５（複数可）、頂端部８２１、及び底端部８２９の内面（複数可）により画定され得る一方、表示部空間８８３は、表示部空間８８３が閉止部空間８２３の一部分であり得るように、閉止部８２０の側壁８２５（複数可）及び頂端部８２１の内面（複数可）の上部部分並びにボタン８４４の一部分（例えば、ボタン８４４の底部８４９及び／又は各閉止部相互作用特徴部８４６）により画定され得る。よって、ボタン８４４は、ボタン８４４が表示部空間８８３の底部の少なくとも一部分を画定し得るように、少なくとも部分的に閉止部空間８２３内に嵌合するように構成され得る。ボタン８４４は、任意の好適な材料又は材料の組み合わせから作製されてもよく、任意の好適な寸法を有してよい。ダイヤル８３０は、ボタン８４４が閉止部８２０に連結されているとき、少なくとも部分的に表示部空間８８３内に位置付けられていてもよい。いくつかの実施形態では、図１７に示すように、閉止部８２０の頂端部８２１の内面は、任意の好適なダイヤル運動特徴部８２７を含んでもよく、ダイヤル８３０の頂端部８３１の外面は、任意の好適な閉止部運動特徴部８３７を含んでもよく、このような特徴部８２７及び８３７は、互いに相互作用して閉止部８２０に対するダイヤル８３０の回転軸（例えば、軸Ａ）を少なくとも部分的に画定してもよく、又は別の方法でそのような運動を支援若しくは限定してもよく（例えば、ダイヤル８３０の表示部空間８８３内のＸ軸沿い及び／又はＹ軸沿いの運動を阻止又は限定することにより）、例えば、特徴部８３７は、切取部又はノッチ８２７内へと延在し得る小隆起であってもよい。
【０１５３】
ボタン８４４は、ボタン８４４が閉止部空間８２３内で動かされると、ダイヤル８３０のダイヤル溝８３２と相互作用してダイヤル８３０を表示部空間８８３内で回転させるように動作し得る１つ以上のダイヤル相互作用特徴部８４７も含んでもよい。例えば、上記のように、閉止部８２０の少なくとも１つのボタン相互作用特徴部８２２ｂの幾何形状は、ボタン８４４の少なくとも１つの閉止部相互作用特徴部８４６の幾何形状と相互作用して、ボタン８４４の閉止部空間８２３内における直線的運動（例えば、閉止部空間８２３内における軸Ａ沿いの、例えば、図１７及び／又は図１９の第１の「低」位置と図１８の第２の「高」位置との間等の）を依然として可能にしながら、ボタン８４４の閉止部空間８２３内における回転（例えば、閉止部空間８２３内における軸Ａの周りでの）を阻止することができる。少なくとも１つのダイヤル相互作用特徴部８４７と少なくとも１つのダイヤル溝８３２の相互作用は、例えば、ダイヤル８３０の異なる表示部８３６を回転により閉止部８２０の通路８２６に位置合わせすることができるように、ボタン８４４の閉止部空間８２３内におけるこのような直線状の運動をダイヤル８３０の表示部空間８８３内における回転運動（例えば、軸Ａの周りでの）に変換することを可能にしてもよい。図示するように、溝８３２は、軸Ａの少なくとも一部分の周りのダイヤル８３０の内面８３４に沿って延在してもよく、ボタン８４４が閉止部８２０に連結されると、各ダイヤル相互作用特徴部８４７の少なくとも一部分は、ダイヤル空間８３３の少なくとも一部分内に延在して溝８３２と相互作用してもよい。各ダイヤル相互作用特徴部８４７は、ボタン８４４の頂端部８４１から離れる方向に（例えば、＋Ｚ方向に）そのダイヤル相互作用特徴部８４７の頂端部８４７ｔへと延在してもよい。ダイヤル相互作用特徴部８４７の長さ沿いのある位置において、エクステンダー部８４７ｅが、相互作用特徴部８４７の主要部から延在して（例えば、図１７の−Ｘ方向に等、軸Ａから離れる方向に）、少なくとも部分的に溝８３２内へ延在してもよい。いくつかの実施形態では、ダイヤル相互作用特徴部８４７の頂端部８４７ｔは、エクステンダー８４７ｅが溝８３２にスナップイン又は別の方法で嵌合することができるように、例えば軸Ａへ向かう及び／又は軸Ａから離れるエクステンダー８４７ｅの偏向を可能にするための自由端であってもよい。いくつかの実施形態では、エクステンダー８４７ｅは、頂端部８４７ｔで相互作用特徴部８４７の主要部から離れる方向に延在してもよい。他の実施形態では、エクステンダー８４７ｅは、頂端部８４７ｔがダイヤル８３０の頂部８３１の内面と相互作用するように動作し得るように（例えば、図１８を参照されたい）、例えば、頂端部８４７ｔの下方のある地点において相互作用特徴部８４７の主要部から離れる方向に延在してもよく、これにより、ボタン８４４の＋Ｚ方向への直線状の運動を少なくとも部分的に限定することができる。
【０１５４】
付勢機構８８１は、例えば、ボタン８４４の少なくとも一部分を閉止部８２０の頂端部８２１から離れる方向に（例えば、−Ｚ方向に）付勢して、閉止部空間８２３内のボタン８４４の直線状の運動を少なくとも部分的に制御するために、閉止部空間８２３内の任意の好適な位置に位置付けられてもよい。付勢機構８８１は、キャップサブアセンブリ８１０から遠隔の物体（例えば、ユーザーＵ又はボトル８９０）によりその方向への好適な量の力がボタン８４４に印加されると、圧縮又は緊張されてボタン８４４の少なくとも一部分の閉止部８２０の頂端部８２１へ向かっての（例えば、＋Ｚ方向への）運動を可能にするように動作し得る一方、そのような遠隔の物体によりそのような好適な量の力がボタン８４４に印加されないと、減圧又は弛緩してボタン８４４の少なくとも一部分を頂端部８２１から離れる方向に（例えば、−Ｚ方向に）動かすようにも動作する、任意の好適なバネ等の、任意の好適な材料（例えば、金属及び／又はプラスチック及び／又はゴム）で作製された任意の好適なコンポーネント又はコンポーネントの組み合わせであってもよい。図示するように、例えば、付勢機構８８１は、好適な外力が（例えば、以下でより詳細に説明するように、ユーザーＵ又はボトル８９０により）＋Ｚ方向にボタン８４４に印加されると第１の状態（例えば、ボタン８４４に対していかなる外力も印加されず、付勢機構８８１がＺ軸沿いの第１の長さＢ１を有し得る、図１７及び／又は図１９の第１の膨張又は減圧した弛緩状態）から第２の状態（例えば、付勢機構８８１が長さＢ１よりも短いＺ軸沿いの第２の長さＢ２を有し得る、図１８の圧縮又は緊張した状態）に圧縮されるように動作し得、そのような好適な外力がボタン８４４に印加されないと第２の状態から第１の状態に膨張するように動作し得る、少なくとも１つのバネを含んでもよい。図示するように、付勢機構８８１は、ダイヤル８３０の頂部８３１の内面とボタン８４４の底部８４９の内面との間に（例えば、軸Ａに沿って、かつ／又は軸Ａの周りに）延在するように、表示部空間８８３内に位置付けられてもよい。他の実施形態では、付勢機構８８１は、閉止部８２０の頂部８２１の内面（例えば、ダイヤル８３０の頂部８３１の開口部を通じて（例えば、図２２に関連して後述するのと同様に））とボタン８４４の任意の好適な面との間に（例えば、軸Ａに沿って、かつ／又は軸Ａの周りに）延在するように、閉止部空間８２３内に位置付けられてもよい。いくつかの実施形態では、付勢機構８８１は、ボタン８４４の底部８４９の内面まで延在するのではなく、ボタン８４４の頂部部分（例えば、頂部８４１又は１つ以上の頂部部分８４７ｔ（例えば、図３５に関連して後述するのと同様に））まで等、ボタン８４４の任意の他の好適な部分まで延在してもよい。
【０１５５】
ダイヤル溝８３２は、軸Ａの少なくとも一部分の周りのダイヤル８３０の内側の少なくとも一部分に沿って延在してもよい。溝８３２は、ボタン８４４の閉止部８２０の頂部８２１に向かう運動及び／又は閉止部８２０の頂部８２１から離れる運動（例えば、ボタン８４４のＺ軸沿い又は実質的にＺ軸沿いの運動）を、軸Ａの周りのダイヤル８３０の回転又は他の好適な運動に変換するための、任意の好適な形状（例えば、エクステンダー８４７ｅ）を有してもよい。例えば、図示するように、溝８３２は、２つ以上の垂直セグメント又は実質的に垂直のセグメント８３２ｖ（例えば、Ｚ軸沿い又は実質的にＺ軸沿いに延在する）及び少なくとも２つの斜めセグメント８３２ｄを含んでもよく、各斜めセグメント８３２ｄは、第１の垂直セグメント８３２ｖの上部部分８３２ｕを、第１の垂直セグメント８３２ｖに隣接する第２の垂直セグメント８３２ｖの下部部分８３２ｌに連結してもよい。図１７〜１９にはキャップサブアセンブリ８１０の異なる使用段階が示されていることがあり、溝８３２の幾何形状がどのようにこのような段階間の移行を少なくとも部分的に支配し得るかを示していることがある。ボタン８４４のエクステンダー８４７ｅがダイヤル８３０の溝８３２により画定される経路に沿って動く代わりに、ボタン８４４の任意の好適な特徴部が、ダイヤル８３０の任意の好適な特徴部と相互作用して、後述する動作を可能にしてもよいことを理解されたい。例えば、特徴部８３２は、ダイヤル８３０から外向きに延在して、ダイヤル８３０の面内に形成された溝に対向する経路を画定するトラックであってもよい一方、特徴部８４７ｅは、このトラックに掛けられるアームであってもよく、このトラックに沿って動くように動作する。他の実施形態では、特徴部８４７ｅは、溝若しくはトラック、又は任意の他の好適な経路画定要素であってもよい一方、ダイヤル８３０の特徴部８３２は、エクステンダー若しくはアーム、又はこの経路画定要素と相互作用し得る任意の他の好適な特徴部であってもよい。
【０１５６】
図１７に示すように、キャップサブアセンブリ８１０は、キャップサブアセンブリ８１０に対する外力をキャップサブアセンブリ８１０のいかなる部分にも印加することができない第１の状態にあることがあり、キャップサブアセンブリ８１０のこのような第１の状態は、弛緩状態又は伸長状態と呼ぶことができる（例えば、付勢機構８８１は、第１の長さＢ１の伸長状態にあることがあり、付勢機構８８１の付勢特徴部若しくは幾何形状、ボタン８４４の少なくとも１つの閉止部相互作用特徴部８４６と閉止部８２０のそれぞれのボタン相互作用特徴部８２２ｂの底部の相互作用、及び／又はボタン８４４の少なくとも１つのエクステンダー８４７ｅとダイヤル８３０の溝８３２のそれぞれの垂直セグメント８３２ｖの底部の相互作用、のうちの１つ以上によってより大きな長さに伸長することを制限され得るので）。図１７のこのような第１の状態では、側部表示部８３６ｓの第１の特定の側部表示部（例えば、「金曜」）が側部通路８２６ｓに位置合わせされてもよく、又は頂部表示部８３６ｔの第１の特定の頂部表示部が頂部通路８２６ｔに位置合わせされてもよい一方、ボタン８４４の各エクステンダー８４７ｅは、ダイヤル８３０の溝８３２のそれぞれの垂直セグメント８３２ｖ内に（例えば、その垂直セグメントの下部部分８３２ｌ又はその近位に）位置付けられてもよい。
【０１５７】
次に、少なくとも付勢機構８８１の付勢力に勝り、付勢機構８８１の垂直長さＢ１を低減するのに十分に大きい任意の好適な外力がキャップサブアセンブリ８１０に印加されると、ボタン８４４の少なくとも一部分を＋Ｚ方向に動かすことができる。例えば、いくつかの実施形態では、図１８に示すように、ユーザーＵが、外力インターフェースを提供し得るボタン８４４の任意のアクセス可能な部分（例えば、底部８４９の外面）に、付勢機構８８１の垂直長さを長さＢ２に低減し得る＋Ｚ方向のユーザーの力を印加してもよい（例えば、キャップ８１０がボトル８９０に連結されていないとき）。代替的な実施形態では、同じく図１８に示すように、ボトル８９０が閉止部８２０に連結されているとき、ボトル８９０の一部分（例えば、頂部８９１）が、外力インターフェースを提供し得るボタン８４４の任意の好適な部分（例えば、底部８４９の外面）に、付勢機構８８１の垂直長さを長さＢ２に低減し得る＋Ｚ方向のボトルの力を印加するように動作してもよい。いずれにせよ、このような外力は、図１８のキャップサブアセンブリ８１０の第２の状態を提供し得る。付勢機構８８１は、付勢機構８８１の付勢特徴部若しくは幾何形状（例えば、バネの平衡長）、ボタン８４４の少なくとも１つの閉止部相互作用特徴部８４６と閉止部８２０のそれぞれのボタン相互作用特徴部８２２ｂの頂部の相互作用、ボタン８４４の少なくとも１つのエクステンダー８４７ｅとダイヤル８３０の溝８３２のそれぞれの垂直セグメント８３２ｖの頂部の相互作用、ボタン８４４の頂部８４７ｔとダイヤル８３０の一部分（例えば、頂部８３１の内面）の相互作用、及び／又はボトル８９０と閉止部８２０（例えば、リップ８９４と底端部８２９）の相互作用のうちの１つ以上により、更に短い長さに圧縮することを制限され得る、第２の低減された長さＢ２の圧縮状態又は緊張状態にあることがあるので、キャップサブアセンブリ８１０のこのような第２の状態は、圧縮状態又は緊張状態と呼ぶことができる。図１８のこのような第２の状態では、側部表示部８３６ｓの第１の特定の側部表示部（例えば、「金曜」）は、側部通路８２６ｓに位置合わせされたままであってもそうでなくてもよい。その上、図１８のこのような第２の状態では、ボタン８４４の各エクステンダー８４７ｅは、ダイヤル８３０の溝８３２の、図１７の第１の状態のときと同じそれぞれの垂直セグメント８３２ｖ内に位置付けられたままであってもよいが、その垂直セグメントの上部部分８３２ｕ又はその近位にある垂直セグメント８３２ｖ内の位置にある。
【０１５８】
図１９に示すように、キャップサブアセンブリ８１０は、図１８の第２の状態においてキャップサブアセンブリ８１０に印加されている外力が終了されるか、又は好適な量だけ低減されると、第３の状態に進むことができる。例えば、付勢機構８８１がボタン８４４の各エクステンダー８４７ｅを下向き方向に（例えば、−Ｚ方向に）押し進めるように、ユーザーＵ又はボトル８９０により印加された外力が少なくとも部分的に低減又は除去されると、溝８３２の幾何形状及びそれとエクステンダー８４７ｅの相互作用は、エクステンダー８４７ｅがエクステンダー８４７ｅが図１８の第２の状態において位置付けられていた同じ初期垂直セグメント８３２ｖを下に戻るように（例えば、−Ｚ方向に）移動するのを阻止するように動作し得、むしろエクステンダー８４７ｅの移動を斜め下向きに（例えば、図１７及び１８の矢印Ｄの方向に）第１の状態及び第２の状態の初期垂直セグメント８３２ｖの上部部分８３２ｕから延在する斜めセグメント８３２ｄに沿って案内し、隣接する新たな垂直セグメント８３２ｖの下部部分８３２ｌに入れてキャップサブアセンブリ８１０の第３の状態とするように動作し得る。溝８３２に沿っての、エクステンダー８４７ｅのダイヤル８３０に対して斜めのこのような運動は、ダイヤル８３０を、図１８の第２の状態における回転の向きから図１９の第３の状態における回転の向きに軸Ａの周りで回転させ得る（例えば、２つの隣接する垂直セグメント８３２ｖ間の弧長に等しい弧長の分だけ）。図１９のこのような第３の状態では、ボタン８４４の各エクステンダー８４７ｅは、ダイヤル８３０の溝８３２のそれぞれの新たな垂直セグメント８３２ｖ内に（例えば、その新たな垂直セグメントの下部部分８３２ｌ又はその近位に）位置付けられてもよいので、側部表示部８３６ｓの新たな特定の側部表示部（例えば、「土曜」）が、これより側部通路８２６ｓに位置合わせされてもよく（例えば、図１７の第１の状態の「金曜」と比較して）、又は頂部表示部８３６ｔの新たな特定の頂部表示部が、頂部通路８２６ｔに位置合わせされてもよい。図１９のキャップサブアセンブリ８１０のこのような第３の状態は、弛緩状態又は伸長状態と呼ぶこともできる（例えば、付勢機構８８１は、第１の長さＢ１の伸長状態にあることがあり、付勢機構８８１の付勢特徴部若しくは幾何形状、ボタン８４４の少なくとも１つの閉止部相互作用特徴部８４６と閉止部８２０のそれぞれのボタン相互作用特徴部８２２ｂの底部の相互作用、及び／又はボタン８４４の少なくとも１つのエクステンダー８４７ｅとダイヤル８３０の溝８３２のそれぞれの新たな垂直セグメント８３２ｖの底部の相互作用、のうちの１つ以上によってより大きな長さに伸長することを制限され得るので）。したがって、ダイヤル空間８３３内のボタン８４４の各エクステンダー８４７ｅの動きを垂直運動又は少なくとも実質的に垂直の運動（例えば、Ｚ軸沿いの（例えば、特徴部８２２ｂ及び８４６の相互作用により））に限定することにより、ボタン８４４の下向きに動くエクステンダー８４７ｅの幾何形状とダイヤル８３０の溝８３２の幾何形状との間の相互作用は、ダイヤル８３０を軸Ａの周りで回転させて、キャップサブアセンブリ８１０のユーザーによる閲覧のために新たな表示部を１つ以上の通路に位置合わせし得る。
【０１５９】
ダイヤル８３０の溝８３２は、閉止部８２０に対するボタン８４４のこのような線的運動に応答して、閉止部８２０に対するダイヤル８３０のこのような回転を可能にするための任意の好適な幾何形状を有し得る。例えば、いくつかの実施形態では、図２０に示すように、溝８３２の「｜｜｜」又は「＼＼＼」のマーキングを備えた部分（例えば、溝８３２の「より深い」部分８３２ｐ）は、溝８３２のマーキングのない部分（例えば、溝８３２の「通常」部分８３２ｎ）よりもダイヤル８３０の側壁８３５（複数可）内により深く延在し得、かつ／又は溝８３２のマーキングのない部分は、溝８３２の「＋＋＋」のマーキングを備えた部分（例えば、溝８３２の「より浅い」部分８３２ｓ）よりもダイヤル８３０の側壁８３５（複数可）内により深く延在し得る。上記のように、ボタン８４４の各エクステンダー８４７ｅは、それに対して好適な力が印加されると、軸Ａに対して内向きに、かつ／又は外向きに偏向するように動作し得る。いくつかの実施形態では、キャップサブアセンブリ８１０を組み立てるとき、ボタン８４４の各エクステンダー８４７ｅは、溝８３２にスナップインしてもよく、各エクステンダー８４７ｅに外力が印加されないときは少なくとも溝８３２の通常部分の深さよりも深いところに延在するように付勢されてもよく、これにより、各エクステンダー８４７ｅは、溝８３２のより深い部分に位置合わせされると、そのようなより深い部分に延在し得、各エクステンダー８４７ｅは、溝８３２のより浅い部分に位置合わせされると、軸Ａに向かって内向きに偏向し得る。溝８３２の深さのこのような変動は、任意の好適な量であってもよく、よりよいユーザー体験を可能にし得、かつ／又はボタン８４４の各エクステンダー８４７ｅと溝８３２との所望の相互作用を確保し得る。例えば、いくつかの実施形態では、図２０に示すように、溝８３２のより深い部分は、１つ以上の垂直セグメント８３２ｖの上部部分８３２ｕ及び／若しくは下部部分８３２ｌ、並びに／又は１つ以上の斜めセグメント８３２ｄの上部部分８３２ｔに設けられてもよく、溝８３２の通常部分は、１つ以上の垂直セグメント８３２ｖに沿って、かつ／又は１つ以上の斜めセグメント８３２ｄの中間に沿って設けられてもよく、並びに／又は溝８３２のより浅い部分は、隣り合う斜めセグメント８３２ｄのちょうど下の１つ以上の垂直セグメント８３２ｖの一部分に、かつ／又は隣り合う垂直セグメント８３２ｖのちょうど前の１つ以上の斜めセグメント８３２ｄの下部部分８３２ｂに設けられてもよい。例えば、隣り合う斜めセグメント８３２ｄの上部部分８３２ｔのちょうど下の垂直セグメント８３２ｖのより浅い部分は、エクステンダー８４７ｅが垂直セグメント８３２ｖ内で上向きに（例えば、＋Ｚ方向に）動いて、その垂直セグメントの通常部分からそのより浅い部分を越えて上部部分８３２ｕに入り、したがって隣り合う斜めセグメント８３２ｄの上部部分８３２ｔに入ることを可能にするために、特定の量の力がボタン８４４に（例えば、ユーザーＵ又はボトル９０により）印加されることを必要とし得るだけでなく（例えば、ダイヤル８３０の回転が間近であると、意図的な力を必要とし、かつ／又は可聴クリック音若しくは触感を提供するように）、エクステンダー８４７ｅが垂直セグメント８３２ｖ内で下向きに（例えば、−Ｚ方向に）動いて、その同じ垂直セグメントの深い上部部分８３２ｕからそのより浅い部分を越えて通常の中間部分に入り、それによりダイヤル８３０の所望の回転を阻止することを可能にするために、特定の量の力がボタン８４４に（例えば、付勢機構８８１により）印加されることも必要とし得る（例えば、付勢機構８８１は、このような力を有効化せず、それにより、ダイヤル８３０の所望の回転が、隣り合う斜めセグメント８３２ｄのちょうど下の垂直セグメント８３２ｖのこのようなより浅い部分を越えるエクステンダー８４７ｅのこのような下向きの運動により阻止されないことを確保するように構成されてもよい）。別の例として、図２０の溝８３２には示されるが図２１の溝８３２’の代替物には示されないように、隣り合う垂直セグメント８３２ｖの下部部分８３２ｌのちょうど前の１つ以上の斜めセグメント８３２ｄの下部部分８３２ｂのより浅い部分は、エクステンダー８４７ｅが斜めセグメント８３２ｄ内で斜め下向きに動いて、隣り合う垂直セグメント８３２ｖの通常部分からそのより浅い部分を越えて下部部分８３２ｌに入ることを可能にするために、特定の量の力がボタン８４４（例えば、付勢機構８８１による下向きの力）に印加されることを必要とし得るだけでなく（例えば、付勢機構８８１は、このような力を提供し、それによりダイヤル８３０の所望の回転が阻止されないことを確保するように、かつ／又はダイヤル８３０の回転が完了したとき可聴クリック音若しくは触感を提供するように構成されてもよい）、エクステンダー８４７ｅがその斜めセグメント８３２ｄに沿って斜めに上向きに戻るように動いて、斜めセグメント８３２ｄの深い下部部分８３２ｌからそのより浅い部分を越えて通常の中間部分に入り、それによりダイヤル８３０の完了した回転を元に戻すことを可能にするために、特定の量の力がボタン８４４に印加されることも必要とし得る（例えば、付勢機構８８１及び／又は組み立てられたキャップサブアセンブリ８１０の幾何形状は、このような力を有効化せず、それにより、ダイヤル８３０の完了した回転が、斜めセグメント８３２ｄのこのようなより浅い部分を越えるエクステンダー８４７ｅのこのような斜め上向きの運動により反転されないことを確保するように構成されてもよい）。溝８３２は、キャップサブアセンブリ８１０の任意の好適な感触又は性能を提供するように、異なる深さの間が緩やか、又はやや階段状であり得る任意の好適な輪郭を備えてもよい。垂直セグメント８３２ｖは、わずかに傾斜し、完全に垂直でなくてもよく、垂直セグメント８３２ｖの数は、ユーザーに見えるように回転可能に通路に位置合わせされ得る異なる表示部の数に等しくてもよい。各斜めセグメント８３２ｄの角度は、垂直セグメント８３２ｖの数及び溝８３２がそれに沿って設けられ得る面の外周又は他の好適なサイズに基づいてもよい。
【０１６０】
＜図２２（アセンブリ９００）＞
図２２は、図１５〜２１のアセンブリ８００に似ているかもしれないが、閉止部と押しボタンとの間に延在する付勢機構を含み得る、別の例示的なボトル容器アセンブリ９００を示す。図２２のアセンブリ９００は、図１５〜２１のアセンブリ８００に似た１つ以上のコンポーネントを含み得、図２２のアセンブリ９００のコンポーネントは、図１５〜２１のアセンブリ８００のラベル付けされたコンポーネントの参照ラベル「８ｘｘ」に対応することがある参照ラベル「９ｘｘ」によりラベル付けされており、それらの間の相違点は、以下で説明されることがある。図示するように、アセンブリ９００は、ボトル９９０と、ボトル９９０に連結され得るキャップ９１０とを含み、中に内容物を安全に保持し得る閉止された容器を形成することができる。図２２は、図１８のキャップサブアセンブリ８１０の位置に似ているかもしれない、第２の位置すなわち緊張位置におけるキャップサブアセンブリ  ９１０を示し得る。キャップ９１０は、閉止部９２０、ダイヤル９３０、押しボタン９４４、及び付勢機構９８１を含んでもよい。キャップ９１０の閉止部９２０は、少なくとも部分的に閉じた頂端部９２１から少なくとも部分的に開いた底端部９２９まで延在して内側閉止部空間９２３を画定し得る１つ以上の側壁９２５を含み得る閉止部本体を含んでもよい。キャップ９１０のダイヤル９３０は、少なくとも部分的に閉じた頂端部９３１から少なくとも部分的に開いた底端部９３９まで延在し得る１つ以上の側壁９３５を含み得るダイヤル本体を含んでもよい。ダイヤル８３０とは異なり、ダイヤル９３０は、例えば、ダイヤル９３０が動く（例えば、Ｚ軸に沿って）のを閉止部９２０が阻止し得るように、閉止部９２０に連結される（例えば、永続的又は着脱可能に）ように構成されてもよい。例えば、ダイヤル９３０は、少なくとも１つの閉止部取付特徴部（例えば、ダイヤル９３０の側壁９３５（複数可）の外面の形状）を含んでもよく、閉止部９２０は、少なくとも１つのダイヤル取付特徴部９２２（例えば、閉止部９２０の内面から突出する１つ以上の溝又は雌ネジ）を含んでもよく、ダイヤル９３０は、ダイヤル取付特徴部９２２内でダイヤル９３０にスナップインするか、又は別の方法で嵌合してダイヤル９３０を閉止部空間９２３内に固定させてもよい。ダイヤル取付特徴部９２２は、ボトル取付特徴部９２８が閉止部９２０をボトル９９０に着脱可能に連結することを依然として可能にしながらダイヤル９３０が閉止部９２０に連結され得るように、閉止部９２０の閉止部空間９２３内の１つ以上のボタン相互作用特徴部９２２ｂ及びボトル取付特徴部９２８の上方に位置付けられてもよい。ダイヤル８３０とは異なり、ダイヤル９３０は、付勢機構８８１が開口部９３２を貫いて閉止部９２０の頂部９２１の内面とボタン９４４の一部分との間に（例えば、軸Ａに沿って、かつ／又は軸Ａの周りに）延在することができるように、頂端部９３１の一部分を貫く開口部９３２を含んでもよい。
【０１６１】
＜図２３（アセンブリ１０００）＞
図２３は、図１５〜２１のアセンブリ８００に似ているかもしれないが、押しボタンに印加される外力を案内するように動作し得る基部を含み得る、別の例示的なボトル容器アセンブリ１０００を示す。図２３のアセンブリ１０００は、図１５〜２１のアセンブリ８００に似た１つ以上のコンポーネントを含み得、図２３のアセンブリ１０００のコンポーネントは、図１５〜２１のアセンブリ８００のラベル付けされたコンポーネントの参照ラベル「８ｘｘ」に対応することがある参照ラベル「１０ｘｘ」によりラベル付けされており、それらの間の相違点は、以下で説明されることがある。図示するように、アセンブリ１０００は、ボトル（図示せず）と、ボトルに連結され得るキャップ１０１０とを含み、中に内容物を安全に保持し得る閉止された容器を形成することができる。図２３は、図１８のキャップサブアセンブリ８１０の位置に似ているかもしれない、第２の位置すなわち緊張位置におけるキャップサブアセンブリ  １０１０を示し得る。キャップ１０１０は、閉止部１０２０、ダイヤル１０３０、押しボタン１０４４、及び付勢機構１０８１を含んでもよい。キャップ１０１０の閉止部１０２０は、少なくとも部分的に閉じた頂端部１０２１から少なくとも部分的に開いた底端部１０２９まで延在して内側閉止部空間１０２３を画定し得る１つ以上の側壁１０２５を含み得る閉止部本体を含んでもよい。キャップ１０１０のダイヤル１０３０は、少なくとも部分的に閉じた頂端部１０３１から少なくとも部分的に開いた底端部１０３９まで延在し得る１つ以上の側壁１０３５を含み得るダイヤル本体を含んでもよい。ボタン１０４４は、少なくとも１つの閉止部相互作用特徴部１０４６を含んでもよく、閉止部１０２０は、少なくとも１つのボタン相互作用特徴部１０２２ｂを含んでもよい。閉止部１０２０の頂端部１０２１の内面は、任意の好適なダイヤル運動特徴部１０２７を含んでもよく、ダイヤル１０３０の頂端部１０３１の外面は、任意の好適な閉止部運動特徴部１０３７を含んでもよく、このような特徴部１０２７及び１０３７は、互いに相互作用して閉止部１０２０に対するダイヤル１０３０の回転軸（例えば、軸Ａ）を少なくとも部分的に画定してもよく、又は別の方法でそのような運動を支援若しくは限定してもよく（例えば、ダイヤル１０３０の閉止部空間１０２３内のＸ軸沿い及び／又はＹ軸沿いの運動を阻止又は限定することにより）、例えば、特徴部１０２７は、閉止部１０２０に対する、及び／又はダイヤル１０３０に対する付勢機構１０８１の少なくとも一部分の動作を少なくとも部分的に限定するように、ダイヤル１０３０の頂端部１０３１を貫く開口部１０３７内へと延在し得、付勢機構１０８１の一部分内へと延在し得る（例えば、バネの中央部分を貫いて）小隆起であってもよい。
【０１６２】
キャップサブアセンブリ８１０とは異なり、キャップサブアセンブリ１０１０は、少なくとも部分的に閉じた頂端部１０７１から少なくとも部分的に閉じた底端部１０７９に延在し得る１つ以上の側壁１０７５を含み得る基部本体を含み得る基部１０７０を含んでもよい。基部１０７０は、例えば、ダイヤル１０３０及びボタン１０４４がその中に位置付けられ得る空間の少なくとも一部分を基部１０７０及び閉止部１０２０が共同で画定し得るように、閉止部１０２０に連結される（例えば、永続的又は着脱可能に）ように構成されてもよい。例えば、基部１０７０は、少なくとも１つの閉止部取付特徴部（例えば、基部１０７０の側壁１０７５（複数可）の外面の形状）を含んでもよく、閉止部１０２０は、少なくとも１つの基部取付特徴部１０２４（例えば、閉止部１０２０の内面から突出する１つ以上の溝又は雌ネジ）を含んでもよく、基部１０７０は、基部取付特徴部１０２４内で基部１０７０にスナップインするか、又は別の方法で嵌合して基部１０７０を閉止部空間１０２３内に固定させてもよく、閉止部空間１０２３は、それにより、閉止部１０２０と基部１０７０との間の低減された表示部空間を画定してもよい。基部取付特徴部１０２４は、ボトル取付特徴部１０２８が閉止部１０２０をボトル（図示せず）に着脱可能に連結することを依然として可能にしながら基部１０７０が閉止部１０２０に連結され得るように、閉止部１０２０の閉止部空間１０２３内のボトル取付特徴部１０２８の上方に位置付けられてもよい。閉止部空間１０２３が閉止部１０２０の側壁１０２５（複数可）、頂端部１０２１、及び底端部１０２９の内面（複数可）により画定され得る一方、基部空間１０８３ｂは、基部空間１０８３ｂが閉止部空間１０２３の一部分であり得るように、閉止部１０２０の側壁１０２５（複数可）及び頂端部１０２１の内面（複数可）並びに基部１０７０により画定され得る。基部１０７０は、任意の好適な材料又は材料の組み合わせから作製されてもよく、任意の好適な寸法を有してよい。基部１０７０は、それを貫く少なくとも１つの開口部１０７７を頂部１０７１と底部１０７９との間に含んでもよく、開口部１０７７は、力をボタン１０４４上に（例えば、＋Ｚ方向に）印加してキャップサブアセンブリ１０１０を図２３の第２の位置すなわち緊張位置に動かすように、遠隔の物体（例えば、ユーザーＵの指先）がそれを貫いて挿入されることを可能にするように動作し得る。例えば、図示するように、開口部１０７７は、付勢機構１０８１及び／又は軸Ａに位置合わせされた外力インターフェース（例えば、底部１０４９）を提供し得るボタン１０４４の一部分にこのような力を印加するようにユーザーＵを案内し、図２３の第２の位置を達成するために最も効果的なユーザーの力（例えば、軸Ａから軸外で、かつ／又は付勢機構１０８１の中心に沿わずに印加され得るユーザーの力ではなく）の印加を促進するために、付勢機構１０８１の直下に位置付けられてもよい。
【０１６３】
＜図２４（アセンブリ１１００）＞
図２４は、図１５〜２１のアセンブリ８００に似ているかもしれないが、押しボタンに印加される外力を案内するように動作し得、押しボタンの回転を阻止するように動作し得、かつ／又はボトルが押しボタンに力を印加することを可能にするように動作し得る基部を含み得る、別の例示的なボトル容器アセンブリ１１００を示す。図２４のアセンブリ１１００は、図１５〜２１のアセンブリ８００に似た１つ以上のコンポーネントを含み得、図２４のアセンブリ１１００のコンポーネントは、図１５〜２１のアセンブリ８００のラベル付けされたコンポーネントの参照ラベル「８ｘｘ」に対応することがある参照ラベル「１１ｘｘ」によりラベル付けされており、それらの間の相違点は、以下で説明されることがある。図示するように、アセンブリ１１００は、ボトル１１９０と、ボトル１１９０に連結され得るキャップ１１１０とを含み、中に内容物を安全に保持し得る閉止された容器を形成することができる。図２４は、図１８のキャップサブアセンブリ８１０の位置に似ているかもしれない、第２の位置すなわち緊張位置におけるキャップサブアセンブリ１１１０を示し得る。キャップ１１１０は、閉止部１１２０、ダイヤル１１３０、頂端部と底端部１１４９との間に延在する側壁１１４５（複数可）を有する押しボタン１１４４、及び付勢機構１１８１を含んでもよい。キャップ１１１０の閉止部１１２０は、少なくとも部分的に閉じた頂端部１１２１から少なくとも部分的に開いた底端部１１２９まで延在して内側閉止部空間１１２３を画定し得る１つ以上の側壁１１２５を含み得る閉止部本体を含んでもよい。キャップ１１１０のダイヤル１１３０は、少なくとも部分的に閉じた頂端部１１３１から少なくとも部分的に開いた底端部１１３９まで延在し得る１つ以上の側壁１１３５を含み得るダイヤル本体を含んでもよい。閉止部１１２０の頂端部１１２１の内面は、任意の好適なダイヤル運動特徴部１１２７を含んでもよく、ダイヤル１１３０の頂端部１１３１の外面は、任意の好適な閉止部運動特徴部１１３７を含んでもよく、このような特徴部１１２７及び１１３７は、互いに相互作用して閉止部１１２０に対するダイヤル１１３０の回転軸（例えば、軸Ａ）を少なくとも部分的に画定してもよく、又は別の方法でそのような運動を支援若しくは限定してもよく（例えば、ダイヤル１１３０の閉止部空間１１２３内のＸ軸沿い及び／又はＹ軸沿いの運動を阻止又は限定することにより）、例えば、特徴部１１２７は、ダイヤル１１３０の頂端部１１３１内の切取部又はノッチ１１３７内へと延在し得る小隆起であってもよい。
【０１６４】
キャップサブアセンブリ８１０とは異なるが、キャップサブアセンブリ１０１０と同様に、キャップサブアセンブリ１１１０は、少なくとも部分的に閉じた頂端部１１７１から少なくとも部分的に閉じた底端部１１７９に延在し得る１つ以上の側壁１１７５を含み得る基部本体を含み得る基部１１７０を含んでもよい。基部１１７０は、例えば、ダイヤル１１３０及びボタン１１４４がその中に位置付けられ得る基部空間１１８３ｂの少なくとも一部分を基部１１７０及び閉止部１１２０が共同で画定し得るように、閉止部１１２０に連結される（例えば、永続的又は着脱可能に）ように構成されてもよい。例えば、基部１１７０は、少なくとも１つの閉止部取付特徴部（例えば、基部１１７０の側壁１１７５（複数可）の外面の形状）を含んでもよく、閉止部１１２０は、少なくとも１つの基部取付特徴部１１２４（例えば、閉止部１１２０の内面から突出する１つ以上の溝又は雌ネジ）を含んでもよく、基部１１７０は、基部取付特徴部１１２４内で基部１１７０にスナップインするか、又は別の方法で嵌合して基部１１７０を閉止部空間１１２３内に固定させてもよく、閉止部空間１１２３は、それにより、閉止部１１２０と基部１１７０との間の低減された表示部空間を画定してもよい。基部取付特徴部１１２４は、ボトル取付特徴部１１２８が閉止部１１２０をボトル１１９０のボトル特徴部１１９２に着脱可能に連結することを依然として可能にしながら基部１１７０が閉止部１１２０に連結され得るように、閉止部１１２０の閉止部空間１１２３内のボトル取付特徴部１１２８の上方に位置付けられてもよい。閉止部空間１１２３が閉止部１１２０の側壁１１２５（複数可）、頂端部１１２１、及び底端部１１２９の内面（複数可）により画定され得る一方、基部空間１１８３ｂは、基部空間１１８３ｂが閉止部空間１１２３の一部分であり得るように、閉止部１１２０の側壁１１２５（複数可）及び頂端部１１２１の内面（複数可）並びに基部１１７０により画定され得る。基部１１７０は、任意の好適な材料又は材料の組み合わせから作製されてもよく、任意の好適な寸法を有してよい。基部１１７０は、それを貫く少なくとも１つの開口部１１７７を頂部１１７１と底部１１７９との間に含んでもよく、開口部１１７７は、図２３のキャップサブアセンブリ１０１０の開口部１０７７に似ていてもよい。
【０１６５】
閉止部１１２０が任意のボタン相互作用特徴部（例えば、押しボタンの回転を阻止するためのキャップサブアセンブリ８１０のボタン相互作用特徴部８２２ｂのような）を含むよりもむしろ、その代わりとして、ボタン１１４４が、基部１１７０の一部分と相互作用してこのような回転を阻止してもよい。例えば、ボタン１１４４は、少なくとも１つの閉止部相互作用特徴部１１４６（例えば、ボタン１１４４の側壁１１４５（複数可）又は底部１１４９の外面から外向きに、次いで基部１１７７の少なくとも１つの関連付けられた基部開口部１１７７ｂを通じて下向きに延在する特徴部）を含んでもよく、関連付けられた基部開口部１１７７ｂを貫いて延在する１つ以上の閉止部相互作用特徴部１１４６の一部分は、基部１１７０に対する、したがって閉止部１１２０に対するボタン１１４４の回転を阻止してもよい。その上、関連付けられた基部開口部１１７７ｂを貫いて延在する１つ以上の閉止部相互作用特徴部１１４６の一部分は、ボトル１１９０がキャップサブアセンブリ１１１０に連結され得るとき、ボトル１１９０の一部分（例えば、頂部通路１１９１）との相互作用にさらされて外力インターフェースを提供することができ、このような相互作用は、上向きの力を（例えば、＋Ｚ方向に）印加して、ボタン１１４４を図２４の第２の位置に動かし、かつ／又はボタン１１４４を図２４の第２の位置に保持し得る。
【０１６６】
＜図２５（アセンブリ１２００）＞
図２５は、図１５〜２１のアセンブリ８００に似ているかもしれないが、ダイヤルの底部の表示部が押しボタンを通じて露出されることも可能にしながら、押しボタンに印加される外力を案内するように動作し得、押しボタンの回転を阻止するように動作し得、かつ／又はボトルが押しボタンに力を印加することを可能にするように動作し得る基部を含み得る、別の例示的なボトル容器アセンブリ１２００を示す。図２５のアセンブリ１２００は、図１５〜２１のアセンブリ８００に似た１つ以上のコンポーネントを含み得、図２５のアセンブリ１２００のコンポーネントは、図１５〜２１のアセンブリ８００のラベル付けされたコンポーネントの参照ラベル「８ｘｘ」に対応することがある参照ラベル「１２ｘｘ」によりラベル付けされており、それらの間の相違点は、以下で説明されることがある。図示するように、アセンブリ１２００は、ボトル１２９０と、ボトル１２９０に連結され得るキャップ１２１０とを含み、中に内容物を安全に保持し得る閉止された容器を形成することができる。図２５は、図１８のキャップサブアセンブリ８１０の位置に似ているかもしれない、第２の位置すなわち緊張位置におけるキャップサブアセンブリ  １２１０を示し得る。キャップ１２１０は、閉止部１２２０、ダイヤル１２３０、頂端部１２４１と底端部１２４９との間に延在する側壁１２４５（複数可）を有する押しボタン１２４４、及び付勢機構１２８１を含んでもよい。キャップ１２１０の閉止部１２２０は、少なくとも部分的に閉じた頂端部１２２１から少なくとも部分的に開いた底端部１２２９まで延在して内側閉止部空間１２２３を画定し得る１つ以上の側壁１２２５を含み得る閉止部本体を含んでもよい。キャップ１２１０のダイヤル１２３０は、少なくとも部分的に閉じた頂端部１２３１から少なくとも部分的に開いた底端部１２３９まで延在し得る１つ以上の側壁１２３５を含み得るダイヤル本体を含んでもよい。ダイヤル１１３０の任意の好適な特徴部（複数可）は、キャップ１２１０の任意の好適な特徴部（複数可）と相互作用して、閉止部１２２０に対するダイヤル１２３０の回転軸（例えば、軸Ａ）を少なくとも部分的に画定してもよく、又は別の方法でそのような運動を支援若しくは限定してもよい（例えば、ダイヤル１２３０の閉止部空間１２２３内のＸ軸沿い及び／又はＹ軸沿いの運動を阻止又は限定することにより）。
【０１６７】
キャップサブアセンブリ８１０とは異なるが、キャップサブアセンブリ１１１０と同様に、キャップサブアセンブリ１２１０は、少なくとも部分的に閉じた頂端部１２７１から少なくとも部分的に閉じた底端部１２７９に延在し得る１つ以上の側壁１２７５を含み得る基部本体を含み得る基部１２７０を含んでもよい。基部１２７０は、例えば、ダイヤル１２３０及びボタン１２４４がその中に位置付けられ得る基部空間１２８３ｂの少なくとも一部分を基部１２７０及び閉止部１２２０が共同で画定し得るように、閉止部１２２０に連結される（例えば、永続的又は着脱可能に）ように構成されてもよい。例えば、基部１２７０は、少なくとも１つの閉止部取付特徴部（例えば、基部１２７０の側壁１２７５（複数可）の外面の形状）を含んでもよく、閉止部１２２０は、少なくとも１つの基部取付特徴部１２２４（例えば、閉止部１２２０の内面から突出する１つ以上の溝又は雌ネジ）を含んでもよく、基部１２７０は、基部取付特徴部１２２４内で基部１２７０にスナップインするか、又は別の方法で嵌合して基部１２７０を閉止部空間１２２３内に固定させてもよく、閉止部空間１２２３は、それにより、閉止部１２２０と基部１２７０との間の低減された表示部空間を画定してもよい。基部取付特徴部１２２４は、ボトル取付特徴部１２２８が閉止部１２２０をボトル１２９０のボトル特徴部１２９２に着脱可能に連結することを依然として可能にしながら基部１２７０が閉止部１２２０に連結され得るように、閉止部１２２０の閉止部空間１２２３内のボトル取付特徴部１２２８の上方に位置付けられてもよい。閉止部空間１２２３が閉止部１２２０の側壁１２２５（複数可）、頂端部１２２１、及び底端部１２２９の内面（複数可）により画定され得る一方、基部空間１２８３ｂは、基部空間１２８３ｂが閉止部空間１２２３の一部分であり得るように、閉止部１２２０の側壁１２２５（複数可）及び頂端部１２２１の内面（複数可）並びに基部１２７０により画定され得る。基部１２７０は、任意の好適な材料又は材料の組み合わせから作製されてもよく、任意の好適な寸法を有してよい。基部１２７０は、それを貫く少なくとも１つの開口部１２７７を頂部１２７１と底部１２７９との間に含んでもよく、開口部１１７７は、図２３のキャップサブアセンブリ１０１０の開口部１０７７に似ていてもよい。
【０１６８】
閉止部１２２０が任意のボタン相互作用特徴部（例えば、押しボタンの回転を阻止するためのキャップサブアセンブリ８１０のボタン相互作用特徴部８２２ｂのような）を含むよりもむしろ、その代わりとして、ボタン１２４４が、基部１２７０の一部分と相互作用してこのような回転を阻止してもよい。例えば、ボタン１２４４は、少なくとも１つの閉止部相互作用特徴部１２４６（例えば、ボタン１２４４の側壁１２４５（複数可）又は底部１２４９の外面から外向きに、次いで基部１２７７の少なくとも１つの関連付けられた基部開口部１２７７ｂを通じて下向きに延在する特徴部）を含んでもよく、関連付けられた基部開口部１２７７ｂを貫いて延在する１つ以上の閉止部相互作用特徴部１２４６の一部分は、基部１２７０に対する、したがって閉止部１２２０に対するボタン１２４４の回転を阻止してもよい。その上、関連付けられた基部開口部１２７７ｂを貫いて延在する１つ以上の閉止部相互作用特徴部１２４６の一部分は、ボトル１２９０がキャップサブアセンブリ１２１０に連結され得るとき、ボトル１２９０の一部分（例えば、頂部通路１２９１）との相互作用にさらされて外力インターフェースを提供することができ、このような相互作用は、上向きの力を（例えば、＋Ｚ方向に）印加して、ボタン１２４４を図２５の第２の位置に動かし、かつ／又はボタン１２４４を図２５の第２の位置に保持し得る。
【０１６９】
その上、閉止部表示部通路１２２６は、閉止部１２２０の頂端部１２２１の壁を貫いて設けられ得る少なくとも１つの頂部閉止部表示部通路１２２６ｔ、及び／又は閉止部１２２０の少なくとも１つの側壁１２２５を貫いて設けられ得る少なくとも１つの側部閉止部表示部通路１２２６ｓを含み得るだけでなく、閉止部表示部通路は、ボタン１２４４の１つ以上の閉止部相互作用特徴部１２４６の一部分を貫く少なくとも１つの底部表示部通路１２４６ｂ、及び／又は基部１２７０の一部分を貫く少なくとも１つの基部表示部通路１２７６も含み得る。各閉止部表示部通路は、閉止部１２２０、ボタン１２４４、及び／又は基部１２７０の壁又は他の部分を貫く中空の開口部であってもよく、又は透明若しくは半透明の材料若しくはそれを通じてアセンブリ１２１０のユーザーに対する情報の伝達を可能にし得る任意の他の好適な物体（例えば、拡大鏡１２２６ｔｍ及び／若しくは１２２６ｓｍ及び／若しくは１２４６ｂｍ及び／若しくは１２７６ｍ）により被覆され得るか、若しくは別の方法でそれを含むように構成され得る開口部であってもよい。ダイヤル１２３０は、アセンブリ１２１０のユーザーに対する選択的な表示のために、ダイヤル１２３０の任意の好適な部分上に位置付けられ得る任意の好適なダイヤル表示部１２３６を含んでもよい。図示するように、ダイヤル表示部１２３６は、ダイヤル１２３０の頂端部１２３１の外面上に設けられ得る頂部ダイヤル表示部１２３６ｔ（例えば、通路１２２６ｔとの位置合わせのための）、及び／若しくは１つ以上の側壁１２３５の外面上に設けられ得る側部ダイヤル表示部１２３６ｓ（例えば、通路１２２６ｔとの位置合わせのための）、並びに／又はダイヤル１２３０の底端部１２３９の外面上に設けられ得る底部ダイヤル表示部１２３６ｂ（例えば、通路１２４６ｂ及び／若しくは通路１２７６との位置合わせのための）を含んでもよい。
【０１７０】
＜図２６（アセンブリ１３００）＞
図２６は、図１５〜２１のアセンブリ８００に似ているかもしれないが、押しボタンがダイヤルの外側又は外向きの面上の溝と相互作用することも可能にしながら、押しボタンに印加される外力を案内するように動作し得、押しボタンの回転を阻止するように動作し得、かつ／又はボトルが押しボタンに力を印加することを可能にするように動作し得る基部を含み得る、別の例示的なボトル容器アセンブリ１３００を示す。図２６のアセンブリ１３００は、図１５〜２１のアセンブリ８００に似た１つ以上のコンポーネントを含み得、図２６のアセンブリ１３００のコンポーネントは、図１５〜２１のアセンブリ８００のラベル付けされたコンポーネントの参照ラベル「８ｘｘ」に対応することがある参照ラベル「１３ｘｘ」によりラベル付けされており、それらの間の相違点は、以下で説明されることがある。図示するように、アセンブリ１３００は、ボトル（図示せず）と、ボトルに連結され得るキャップ１３１０とを含み、中に内容物を安全に保持し得る閉止された容器を形成することができる。図２６は、図１８のキャップサブアセンブリ８１０の位置に似ているかもしれない、第２の位置すなわち緊張位置におけるキャップサブアセンブリ  １３１０を示し得る。キャップ１３１０は、閉止部１３２０、ダイヤル１３３０、頂端部１３４１と底端部１３４９との間に延在する側壁１３４５（複数可）を有する押しボタン１３４４、及び付勢機構１３８１を含んでもよい。キャップ１３１０の閉止部１３２０は、少なくとも部分的に閉じた頂端部１３２１から少なくとも部分的に開いた底端部１３２９まで延在して内側閉止部空間１３２３を画定し得る１つ以上の側壁１３２５を含み得る閉止部本体を含んでもよい。ダイヤル１３３０の任意の好適な特徴部（複数可）は、キャップ１３１０の任意の好適な特徴部（複数可）と相互作用して、閉止部１３２０に対するダイヤル１３３０の回転軸（例えば、軸Ａ）を少なくとも部分的に画定してもよく、又は別の方法でそのような運動を支援若しくは限定してもよい（例えば、ダイヤル１３３０の閉止部空間１３２３内のＸ軸沿い及び／又はＹ軸沿いの運動を阻止又は限定することにより
）。
【０１７１】
キャップサブアセンブリ８１０とは異なるが、キャップサブアセンブリ１１１０と同様に、キャップサブアセンブリ１３１０は、少なくとも部分的に閉じた頂端部１３７１から少なくとも部分的に閉じた底端部１３７９に延在し得る１つ以上の側壁１３７５を含み得る基部本体を含み得る基部１３７０を含んでもよい。基部１３７０は、例えば、ダイヤル１３３０及びボタン１３４４がその中に位置付けられ得る基部空間１３８３ｂの少なくとも一部分を基部１３７０及び閉止部１３２０が共同で画定し得るように、閉止部１３２０に連結される（例えば、永続的又は着脱可能に）ように構成されてもよい。例えば、基部１３７０は、少なくとも１つの閉止部取付特徴部（例えば、基部１３７０の側壁１３７５（複数可）の外面の形状）を含んでもよく、閉止部１３２０は、少なくとも１つの基部取付特徴部１３２４（例えば、閉止部１３２０の内面から突出する１つ以上の溝又は雌ネジ）を含んでもよく、基部１３７０は、基部取付特徴部１３２４内で基部１３７０にスナップインするか、又は別の方法で嵌合して基部１３７０を閉止部空間１３２３内に固定させてもよく、閉止部空間１３２３は、それにより、閉止部１３２０と基部１３７０との間の低減された空間を画定してもよい。基部取付特徴部１３２４は、ボトル取付特徴部１３２８が閉止部１３２０をボトルのボトル特徴部に着脱可能に連結することを依然として可能にしながら基部１３７０が閉止部１３２０に連結され得るように、閉止部１３２０の閉止部空間１３２３内のボトル取付特徴部１３２８の上方に位置付けられてもよい。基部１３７０は、それを貫く少なくとも１つの開口部１３７７を頂部１３７１と底部１３７９との間に含んでもよく、開口部１３７７は、図２３のキャップサブアセンブリ１０１０の開口部１０７７に似ていてもよい。
【０１７２】
閉止部１３２０が任意のボタン相互作用特徴部（例えば、押しボタンの回転を阻止するためのキャップサブアセンブリ８１０のボタン相互作用特徴部８２２ｂのような）を含むよりもむしろ、その代わりとして、ボタン１３４４が、基部１３７０の一部分と相互作用してこのような回転を阻止してもよい。例えば、ボタン１３４４は、少なくとも１つの閉止部相互作用特徴部１３４６（例えば、ボタン１３４４の側壁１３４５（複数可）又は底部１３４９の外面から外向きに、次いで基部１３７７の少なくとも１つの関連付けられた基部開口部１３７７ｂを通じて下向きに延在する特徴部）を含んでもよく、関連付けられた基部開口部１３７７ｂを貫いて延在する１つ以上の閉止部相互作用特徴部１３４６の一部分は、基部１３７０に対する、したがって閉止部１３２０に対するボタン１３４４の回転を阻止してもよい。その上、関連付けられた基部開口部１３７７ｂを貫いて延在する１つ以上の閉止部相互作用特徴部１３４６の一部分は、ボトルがキャップサブアセンブリ１３１０に連結され得るとき、ボトルの一部分（例えば、ボトルの頂部）との相互作用にさらされて外力インターフェースを提供することができ、このような相互作用は、上向きの力を（例えば、＋Ｚ方向に）印加して、ボタン１３４４を図２６の第２の位置に動かし、かつ／又はボタン１３４４を図２６の第２の位置に保持し得る。
【０１７３】
キャップ１３１０のダイヤル１３３０は、少なくとも部分的に閉じた頂端部１３３１から少なくとも部分的に開いた底端部１３３９に延在し得る１つ以上の側壁１３３５を含み得るダイヤル本体を含んでもよく、側部表示部１３３６ｓが、側壁１３３５（複数可）の外面上に設けられてもよい。ボタン１３４４の一部分が壁１３３５（複数可）の内面上の溝と相互作用するよりもむしろ、１つ以上の第２の内部側壁１３３５ｉ（複数可）は、壁１３３５（複数可）内部の頂端部１３３１から下向きに延在してもよく（例えば、軸Ａにより近づいて、かつ軸Ａの周りに）、ボタン１３４４の少なくとも１つのエクステンダー１３４７ｅは、軸Ａの周りの壁１３３５ｉ（複数可）の外面に設けられ得るダイヤル１３３０の溝１３３２内へと延在してもよい。したがって、ボタンから外向きに延在してダイヤルの内面に入る（例えば、エクステンダー８４７ｅが、ボタン８４４及び軸Ａから離れる方向に外向きに延在してダイヤル８３０の内面の溝８３２内に入り得るように）よりもむしろ、エクステンダー１３４７ｅは、ボタン１３４４から離れる方向に内向きに軸Ａに向かって延在してダイヤル１３３０の外面の溝１３３２内に入ってもよい。
【０１７４】
＜図２７（アセンブリ１４００）＞
図２７は、図１５〜２１のアセンブリ８００に似ているかもしれないが、ボトルへの連結のための閉止部の回転軸からオフセットされ得る回転軸を有するダイヤルを含み得る、別の例示的なボトル容器アセンブリ１４００を示す。図２７のアセンブリ１４００は、図１５〜２１のアセンブリ８００に似た１つ以上のコンポーネントを含み得、図２７のアセンブリ１４００のコンポーネントは、図１５〜２１のアセンブリ８００のラベル付けされたコンポーネントの参照ラベル「８ｘｘ」に対応することがある参照ラベル「１４ｘｘ」によりラベル付けされており、それらの間の相違点は、以下で説明されることがある。図示するように、アセンブリ１４００は、ボトル（図示せず）と、ボトルに連結され得る閉止部１４２０を含むキャップサブアセンブリ１４１０とを含み、中に内容物を安全に保持し得る閉止された容器を形成することができる（例えば、閉止部１４２０をボトルに対して、キャップサブアセンブリ１４１０の真ん中を貫いて延在し得るボトル軸ＡＢの周りで（例えば、矢印Ｒ１及び／又は矢印Ｒ２の方向に）回転させることにより）。閉止部８１０をボトル８９０に連結させるための閉止部８１０の回転軸が閉止部８１０内のダイヤル８３０の回転軸と同じ（例えば、アセンブリ８１０の軸Ａ）であってもよいキャップサブアセンブリ８１０とは異なり、キャップサブアセンブリ１４１０は、その周りで（例えば、矢印Ｒ１及び／又は矢印Ｒ２の方向に）ダイヤル１４３０が回転し得る軸Ａを含んでもよく、軸Ａは、軸ＡＢからオフセットされている（例えば、軸Ａは、軸ＡＢに平行でもよいが、同一直線上ではない）。ダイヤル１４３０の回転は、特定のダイヤル表示部を閉止部１４２０を貫く１つ以上の特定の通路に（例えば、表示部１４３６ｔを通路１４２６ｔに、かつ／又は表示部１４３６ｓを通路１４２６ｓに）位置合わせしてもよい。したがって、このキャップサブアセンブリ１４１０は、閉止部１４２０の大きさよりも顕著に小さい大きさのダイヤル１４３０を備えてもよい。
【０１７５】
＜図２８〜３２（アセンブリ１５００）＞
図２８〜３２は、図１５〜２１のアセンブリ８００に似ているかもしれないが、ダイヤルとははっきり異なる押しボタンを含まないことがある、別の例示的なボトル容器アセンブリ１５００を示す。図２８〜３２のアセンブリ１５００は、図１５〜２１のアセンブリ８００に似た１つ以上のコンポーネントを含み得、図２８〜３２のアセンブリ１５００のコンポーネントは、図１５〜２１のアセンブリ８００のラベル付けされたコンポーネントの参照ラベル「８ｘｘ」に対応することがある参照ラベル「１５ｘｘ」によりラベル付けされており、それらの間の相違点は、以下で説明されることがある。図示するように、アセンブリ１５００は、ボトル１５９０と、ボトル１５９０に連結され得るキャップ１５１０とを含み、中に内容物を安全に保持し得る閉止された容器を形成することができる。例えば、ボトル１５９０は、閉じた底端部１５９９から少なくとも部分的に開いた頂端部１５９１まで延在して内側ボトル空間１５９３を画定し得る１つ以上の側壁１５９５を含み得るボトル本体を含んでもよい。ボトル１５９０は、ユーザーが内容物１５９７を開放端部１５９１を通じてボトル空間１５９３内に（例えば、−Ｚ方向に沿って）挿入し得、かつ／又は内容物１５９７をボトル空間１５９３から開放端部１５９１を通じて（例えば、＋Ｚ方向に沿って）取り出し得るように、構成されてもよい。ボトル１５９０は、任意の好適な内容物１５９７を任意の好適な方法で保持するように構成され得る任意の好適な容器であってもよい。ボトル１５９０は、任意の好適な材料又は材料の組み合わせから作製されてもよく、任意の好適な寸法を有してもよい。
【０１７６】
キャップ１５１０がボトル１５９０に連結されているとき、キャップ１５１０が開放端部１５９１を被覆してユーザーがボトル空間１５９３にアクセスするのを阻止することができるように、かつキャップ１５１０がボトル１５９０に連結されていないとき、キャップ１５１０が開放端部１５９１の少なくとも一部分を被覆せずユーザーがボトル空間１５９３にアクセスすることを可能にすることができるように、キャップ１５１０は、ボトル１５９０に着脱可能に連結されるように構成されてもよい。アセンブリ１５００は、キャップサブアセンブリ１５１０がボトル１５９０に着脱可能に連結されることを可能にするように任意の好適な方法で構成されてもよい。単なる一例として、ボトル１５９０は、少なくとも１つのキャップ取付特徴部１５９２を含んでもよく、キャップ１５１０は、少なくとも１つのボトル取付特徴部１５２８を含んでもよく、キャップ取付特徴部１５９２及びボトル取付特徴部１５２８は、互いと相互作用してキャップ１５１０をボトル１５９０に着脱可能に連結するように構成され得る相互的な特徴部又は別の方法で関係付けられた特徴部の任意の好適な組み合わせ（例えば、ネジ、スナップ、ノッチ、クリップ、ロケーションフィット、又は中間ばめ等）であってよい。ボトル１５９０は、キャップ取付特徴部１５９２の下方で本体１５９５の外面から突出し得るリップ１５９４も含んでもよく、リップ１５９４は、閉じた端部から少なくとも特定の距離だけ上方にキャップサブアセンブリ１５１０を懸架するように構成されてもよい。キャップ取付特徴部１５９２及び／又はリップ１５９４は、キャップ１５１０がボトル１５９０に連結されているとき、キャップ１５１０とボトル１５９０の特定の関係を確保してもよい。
【０１７７】
キャップ１５１０は、閉止部１５２０、ダイヤル１５３０、及び付勢機構１５８１を含んでもよい。キャップ１５１０の閉止部１５２０は、少なくとも部分的に閉じた頂端部１５２１から少なくとも部分的に開いた底端部１５２９まで延在して内側閉止部空間１５２３を画定し得る１つ以上の側壁１５２５を含み得る閉止部本体を含んでもよい。閉止部１５２０は、キャップサブアセンブリ１５１０の１つ以上の他の部分（例えば、後述するダイヤル１５３０の部分）を選択的にユーザーに対して露出させるための、閉止部１５２０の任意の好適な部分を貫く１つ以上の閉止部表示部通路１５２６も含んでもよい。図示するように、閉止部表示部通路１５２６は、閉止部１５２０の頂端部１５２１の壁を貫いて設けられ得る少なくとも１つの頂部閉止部表示部通路１５２６ｔ、及び／又は閉止部１５２０の少なくとも１つの側壁１５２５を貫いて設けられ得る少なくとも１つの側部閉止部表示部通路１５２６ｓを含んでもよい。各閉止部表示部通路１５２６は、閉止部１５２０の壁若しくは他の部分を貫く中空の開口部であってもよく、又は透明若しくは半透明の材料若しくはそれを通じてアセンブリ１５００のユーザーに対する情報の伝達を可能にし得る任意の他の好適な物体（例えば、拡大鏡１５２６ｔｍ及び／又は１５２６ｓｍ）により被覆され得るか、若しくは別の方法でそれを含むように構成され得る開口部であってもよい。閉止部１５２０は、任意の好適な材料又は材料の組み合わせから作製されてもよく、任意の好適な寸法を有してよい。
【０１７８】
キャップ１５１０のダイヤル１５３０は、少なくとも部分的に閉じた頂端部１５３１から少なくとも部分的に閉じた底端部１５３９まで延在し得る１つ以上の側壁１５３５を含み得るダイヤル本体を含んでもよい。ダイヤル１５３０は、内側ダイヤル空間１５３３を画定してもよく、内側ダイヤル空間１５３３は、ダイヤル開口部１５３８を介してアクセス可能であってもよく、ダイヤル開口部１５３８は、頂端部１５３１を貫いて等、ダイヤル本体の任意の好適な部分を貫いて設けられてもよい。ダイヤル８３０の一部分に溝が設けられるアセンブリ８００とは異なり、少なくとも１つの溝１５３２が、ダイヤル１５３０の面に沿ってではなく、閉止部１５２０の１つ以上の側壁１５２５の内面１５３４に沿って等、アセンブリ１５００の閉止部１５２０の任意の好適な面に沿って設けられてもよく、閉止部溝１５３２は、閉止部空間１５２３内でアクセス可能であってもよい（例えば、後述するダイヤル１５３０の一部分により）。ダイヤル１５３０は、アセンブリ１５００のユーザーに対する選択的な表示のために、ダイヤル１５３０の任意の好適な部分上に位置付けられ得る任意の好適なダイヤル表示部１５３６を含んでもよい。図示するように、ダイヤル表示部１５３６は、ダイヤル１５３０の頂端部１５３１の１つ以上の外面部分上に設けられ得る頂部ダイヤル表示部１５３６ｔ、及び／又は１つ以上の側壁１５３５の１つ以上の外面部分上に設けられ得る側部ダイヤル表示部１５３６ｓを含んでもよい。ダイヤル１５３０を閉止部空間１５２３内で閉止部１５２０に対して動かして（例えば、軸Ａの周りで回転させて）、ダイヤル１５３０の異なるダイヤル表示部１５３６を閉止部１５２０の閉止部表示部通路１５２６と選択的に位置合わせすることができるように、ダイヤル１５３０は、少なくとも部分的に閉止部空間１５２３内に嵌合するように構成されてもよい。ダイヤル１５３０は、任意の好適な材料又は材料の組み合わせから作製されてもよく、任意の好適な寸法を有してよい。
【０１７９】
アセンブリ８００のボタン８４４のようなはっきりと異なるコンポーネントを含むよりもむしろ、閉止部１５２０の溝１５３２と相互作用してダイヤル１５３０の閉止部１５２０に対する回転を可能にするための特定の特徴部が、ダイヤル１５３０により提供されてもよい。図示するように、ダイヤル１５３０は、閉止部１５２０の閉止部溝１５３２と相互作用してダイヤル１５３０を閉止部空間１５２３内で回転させるように動作し得る１つ以上の閉止部相互作用特徴部１５４７を含んでもよい。ボタン８４４が閉止部８２０に対して直線状にＺ方向に押圧され得るが、閉止部８２０に対して回転することを阻止されるアセンブリ８００とは異なり、アセンブリ１５００のダイヤル１５３０の１つ以上の閉止部相互作用特徴部１５４７と閉止部１５２０の閉止部溝１５３２の相互作用は、ダイヤル１５３０が、閉止部１５２０に対して直線状にＺ方向に押圧されることだけでなく、閉止部空間１５２３内で、例えば、図３１及び／又は図３３の第１の「低」位置と図３２の第２の「高」位置との間で等）、閉止部１５２０に対して回転されることも可能にしてもよい。少なくとも１つの閉止部相互作用特徴部１５４７と少なくとも１つの閉止部溝１５３２の相互作用は、ダイヤル１５３０の異なる表示部１５３６が回転により閉止部１５２０の通路１５２６に位置合わせされ得るように、例えば、閉止部１５２０に対する閉止部空間１５２３内でのダイヤル１５３０の好適な直線状の運動（例えば、Ｚ軸沿いの）の後で、閉止部１５２０に対する閉止部空間１５２３内でのダイヤル１５３０の回転運動（例えば、軸Ａの周りでの）を可能にしてもよい。図示するように、溝１５３２は、軸Ａの少なくとも一部分の周りの閉止部１５２０の内面１５３４に沿って延在してもよく、ダイヤル１５３０が閉止部１５２０に連結されると、各閉止部相互作用特徴部１５４７の少なくとも一部分は、閉止部溝１５３２の少なくとも一部分内へ延在してもよい。各閉止部相互作用特徴部１５４７は、側壁１５３５の１つ以上の部分に隣接及び／又は平行して、その閉止部相互作用特徴部１５４７の底端部１５３９から離れる方向に（例えば、＋Ｚ方向に）頂端部１５４７ｔへと延在してもよい。閉止部相互作用特徴部１５４７の長さ沿いのある位置において、エクステンダー部１５４７ｅが、相互作用特徴部１５４７の主要部から延在して（例えば、軸Ａから離れる方向に外向きに）、少なくとも部分的に溝１５３２内へ延在してもよい。いくつかの実施形態では、閉止部相互作用特徴部１５４７の頂端部１５４７ｔは、エクステンダー１５４７ｅが溝１５３２にスナップイン又は別の方法で嵌合することができるように、例えば軸Ａへ向かう及び／又は軸Ａから離れるエクステンダー１５４７ｅの偏向を可能にするための自由端であってもよい。いくつかの実施形態では、エクステンダー１５４７ｅは、頂端部１５４７ｔで相互作用特徴部１５４７の主要部から離れる方向に延在してもよい。他の実施形態では、エクステンダー１５４７ｅは、頂端部１５４７ｔが閉止部１５２０の頂部１５２１の内面と相互作用するように動作し得るように（例えば、アセンブリ１５００には示されていないが、図１９のアセンブリ８００に関連して説明したように）、例えば、頂端部１５４７ｔの下方のある地点において相互作用特徴部１５４７の主要部から離れる方向に延在してもよく、これにより、閉止部空間１５２３内のダイヤル１５３０の＋Ｚ方向への直線状の運動を少なくとも部分的に限定することができる。
【０１８０】
付勢機構１５８１は、ダイヤル１５３０の少なくとも一部分を例えば閉止部１５２０の頂端部１５２１から離れる方向に（例えば、−Ｚ方向に）付勢して、閉止部空間１５２３内のダイヤル１５３０の直線状の運動を少なくとも部分的に制御するために、閉止部空間１５２３内の任意の好適な位置に位置付けられてもよい。付勢機構１５８１は、キャップサブアセンブリ１５１０から遠隔の物体（例えば、ユーザーＵ又はボトル１５９０）によりその方向への好適な量の力がダイヤル１５３０に印加されると、圧縮又は緊張されてダイヤル１５３０の少なくとも一部分の閉止部１５２０の頂端部１５２１へ向かっての（例えば、＋Ｚ方向への）運動を可能にするように動作し得る一方、そのような遠隔の物体によりそのような好適な量の力がダイヤル１５３０に印加されないと、減圧又は弛緩してダイヤル１５３０の少なくとも一部分を頂端部１５２１から離れる方向に（例えば、−Ｚ方向に）動かすようにも動作する、任意の好適なバネ等の、任意の好適なコンポーネント又はコンポーネントの組み合わせであってもよい。図示するように、例えば、付勢機構１５８１は、好適な外力が（例えば、以下でより詳細に説明するように、ユーザーＵ又はボトル１５９０により）＋Ｚ方向にダイヤル１５３０に印加されると第１の状態（例えば、ダイヤル１５３０に対していかなる外力も印加されず、付勢機構１５８１がＺ軸沿いの第１の長さＢ１を有し得る、図３０及び／又は図３２の第１の膨張又は弛緩した状態）から第２の状態（例えば、付勢機構１５８１が長さＢ１よりも短いＺ軸沿いの第２の長さＢ２を有し得る、図３１の圧縮又は緊張した状態）に圧縮されるように動作し得、そのような好適な外力がダイヤル１５３０に印加されないと第２の状態から第１の状態に膨張するように動作し得る、少なくとも１つのバネを含んでもよい。図示するように、付勢機構１５８１は、閉止部１５２０の頂部１５２１の内面とダイヤル１５３０の底部１５３９の内面との間に（例えば、軸Ａに沿って、かつ／又は軸Ａの周りに）延在するように、閉止部空間１５２３内に、かつ少なくとも部分的にダイヤル空間１５３３内に位置付けられてもよい。他の実施形態では、付勢機構１５８１は、閉止部１５２０の頂部１５２１の内面とダイヤル１５３０の頂部１５３１の外面との間に延在するように、閉止部空間１５２３内に位置付けられてもよいが、ダイヤル空間１５３３内には位置付けられ得ない（例えば、図３５に関連して以下で説明するのと同様に）。
【０１８１】
閉止部溝１５３２は、軸Ａの少なくとも一部分の周りの閉止部１５２０の内側の少なくとも一部分に沿って延在してもよい。溝１５３２は、ダイヤル１５３０の閉止部１５２０の頂部１５２１に向かう運動及び／又は閉止部１５２０の頂部１５２１から離れる運動（例えば、ダイヤル１５３０のＺ軸沿い又は実質的にＺ軸沿いの運動）を、軸Ａの周りのダイヤル１５３０の回転又は他の好適な運動に変換するための、任意の好適な形状（例えば、エクステンダー１５４７ｅ）を有してもよい。例えば、アセンブリ８００の溝８３２のように、図示するように、溝１５３２は、２つ以上の垂直セグメント又は実質的に垂直のセグメント１５３２ｖ（例えば、Ｚ軸沿い又は実質的にＺ軸沿いに延在する）及び少なくとも２つの斜めセグメント１５３２ｄを含んでもよく、各斜めセグメント１５３２ｄは、第１の垂直セグメント１５３２ｖの上部部分１５３２ｕを、第１の垂直セグメント１５３２ｖに隣接する第２の垂直セグメント１５３２ｖの下部部分１５３２ｌに連結してもよい。図３０〜３２にはキャップサブアセンブリ１５１０の異なる使用段階が示されていることがあり、溝１５３２の幾何形状がどのようにこのような段階間の移行を少なくとも部分的に支配し得るかを示していることがある。
【０１８２】
図３０に示すように、キャップサブアセンブリ１５１０は、キャップサブアセンブリ１５１０に対する外力をキャップサブアセンブリ１５１０のいかなる部分にも印加することができない第１の状態にあることがあり、キャップサブアセンブリ１５１０のこのような第１の状態は、弛緩状態又は伸長状態と呼ぶことができる（例えば、付勢機構１５８１は、第１の長さＢ１の伸長状態にあることがあり、付勢機構１５８１の付勢特徴部若しくは幾何形状、及び／又はダイヤル１５３０の少なくとも１つのエクステンダー１５４７ｅと閉止部１５２０の溝１５３２のそれぞれの垂直セグメント１５３２ｖの底部の相互作用（例えば、下部部分１５３２ｌにおける）、のうちの１つ以上によってより大きな長さに伸長することを制限され得るので）。図３０のこのような第１の状態では、側部表示部１５３６ｓの第１の特定の側部表示部（例えば、「金曜」）は、側部通路１５２６ｓに位置合わせ（例えば、Ｘ−Ｙ平面内で水平に位置合わせ）されてもされなくてもよく、かつ／又は頂部表示部１５３６ｔの第１の特定の頂部表示部が頂部通路１５２６ｔに位置合わせ（例えば、Ｙ−Ｚ平面内で垂直に位置合わせ）されてもよい一方、ダイヤル１５３０の各エクステンダー１５４７ｅは、閉止部１５２０の溝１５３２のそれぞれの垂直セグメント１５３２ｖ内に（例えば、その垂直セグメント１５３２ｖの下部部分１５３２ｌ又はその近位に）位置付けられてもよい。
【０１８３】
次に、少なくとも付勢機構１５８１の付勢力に勝り、付勢機構１５８１の垂直長さＢ１を低減するのに十分に大きい任意の好適な外力がキャップサブアセンブリ１５１０に印加されると、ダイヤル１５３０の少なくとも一部分を＋Ｚ方向に動かすことができる。例えば、いくつかの実施形態では、図３１に示すように、ユーザーＵが、外力インターフェースを提供するダイヤル１５３０の任意のアクセス可能な部分（例えば、底部１５３９の外面）に、付勢機構１５８１の垂直長さを長さＢ２に低減し得る＋Ｚ方向のユーザーの力を印加してもよい（例えば、キャップ１５１０がボトル１５９０に連結されていないとき）。代替的な実施形態では、同じく図３１に示すように、ボトル１５９０が閉止部１５２０に連結されているとき、ボトル１５９０の一部分（例えば、頂部１５９１）が、外力インターフェースを提供するダイヤル１５３０の任意の好適な部分（例えば、底部１５３９の外面）に、付勢機構１５８１の垂直長さを長さＢ２に低減し得る＋Ｚ方向のボトルの力を印加するように動作してもよい。いずれにせよ、このような外力は、図３１のキャップサブアセンブリ１５１０の第２の状態を提供し得る。付勢機構１５８１は、付勢機構１５８１の付勢特徴部若しくは幾何形状（例えば、バネの平衡長）、ダイヤル１５３０の少なくとも１つのエクステンダー１５４７ｅと閉止部１５２０の溝１５３２のそれぞれの垂直セグメント１５３２ｖの頂部の相互作用（例えば、上部部分１５３２ｕにおける）、ダイヤル１５３０の頂部１５４７ｔと閉止部１５２０の一部分（例えば、頂部１５２１の内面）の相互作用、及び／又はボトル１５９０と閉止部１５２０（例えば、リップ１５９４と底端部１５２９）の相互作用、のうちの１つ以上により、更に短い長さに圧縮することを制限され得る、第２の低減された長さＢ２の圧縮状態又は緊張状態にあることがあるので、キャップサブアセンブリ１５１０のこのような第２の状態は、圧縮状態又は緊張状態と呼ぶことができる。図３１のこのような第２の状態では、側部表示部１５３６ｓの第１の特定の側部表示部（例えば、「金曜」）は、側部通路１５２６ｓに位置合わせ（例えば、Ｘ−Ｙ平面内で水平に位置合わせ）されてもよい。その上、図３１のこのような第２の状態では、ダイヤル１５３０の各エクステンダー１５４７ｅは、閉止部１５２０の溝１５３２の、図３０の第１の状態のときと同じそれぞれの垂直セグメント１５３２ｖ内に位置付けられたままであってもよいが、その垂直セグメント１５３２ｖの上部部分１５３２ｕ又はその近位にある垂直セグメント１５３２ｖ内の位置にある。
【０１８４】
図３２に示すように、キャップサブアセンブリ１５１０は、図３１の第２の状態においてキャップサブアセンブリ１５１０に印加されている外力が終了されるか、又は好適な量だけ低減されると、第３の状態に進むことができる。例えば、付勢機構１５８１がダイヤル１５３０の各エクステンダー１５４７ｅを下向き方向に（例えば、−Ｚ方向に）押し進めるように、ユーザーＵ又はボトル１５９０により印加された外力が少なくとも部分的に低減又は除去されると、溝１５３２の幾何形状及びそれとエクステンダー１５４７ｅの相互作用は、エクステンダー１５４７ｅがエクステンダー１５４７ｅが図３１の第２の状態において位置付けられていた同じ初期垂直セグメント１５３２ｖを下に戻るように（例えば、−Ｚ方向に）移動するのを阻止するように動作し得、むしろエクステンダー１５４７ｅの移動を斜め下向きに（例えば、図３０の矢印Ｄの方向に）第１の状態及び第２の状態の初期垂直セグメント１５３２ｖの上部部分１５３２ｕから延在する斜めセグメント１５３２ｄに沿って案内し、隣接する新たな垂直セグメント１５３２ｖの下部部分１５３２ｌに入れてキャップサブアセンブリ１５１０の第３の状態とするように動作し得る。溝１５３２に沿っての、エクステンダー１５４７ｅの閉止部１５２０に対して斜めのこのような運動は、ダイヤル１５３０を、図３１の第２の状態における回転の向きから図３２の第３の状態における回転の向きに軸Ａの周りで回転させ得る（例えば、２つの隣接する垂直セグメント１５３２ｖ間の弧長に等しい弧長の分だけ）。図３２のこのような第３の状態では、ダイヤル１５３０の各エクステンダー１５４７ｅは、閉止部１５２０の溝１５３２のそれぞれの新たな垂直セグメント１５３２ｖ内に（例えば、その新たな垂直セグメント１５３２ｖの下部部分１５３２ｌ又はその近位に）位置付けられてもよいので、側部表示部１５３６ｓの新たな特定の側部表示部（例えば、「土曜」）が、側部通路１５２６ｓに位置合わせされてもされなくてもよく（例えば、図３０の第１の状態の「金曜」と比較して）、かつ／又は頂部表示部１５３６ｔの新たな特定の頂部表示部が、頂部通路１５２６ｔに位置合わせ（例えば、Ｙ−Ｚ平面内で垂直に位置合わせ）されてもよい。図３２のキャップサブアセンブリ１５１０のこのような第３の状態は、弛緩状態又は伸長状態と呼ぶこともできる（例えば、付勢機構１５８１は、第１の長さＢ１の伸長状態にあることがあり、付勢機構１５８１の付勢特徴部若しくは幾何形状、及び／又はダイヤル１５３０の少なくとも１つのエクステンダー１５４７ｅと閉止部１５２０の溝１５３２のそれぞれの新たな垂直セグメント１５３２ｖの底部の相互作用、のうちの１つ以上によってより大きな長さに伸長することを制限され得るので）。したがって、ダイヤル１５３０の下向きに動くエクステンダー１５４７ｅの幾何形状と閉止部１５２０の溝１５３２の幾何形状との間の相互作用は、ダイヤル１５３０を軸Ａの周りで回転させて、キャップサブアセンブリ１５１０のユーザーによる閲覧のために新たな表示部を１つ以上の通路に位置合わせし得る。図２８〜３２に示していないものの、アセンブリ１５１０の閉止部１５２０の溝１５３２は、アセンブリ８００並びに図２０及び２１に関連して上述したのと同じ深さの変動を備えていてもよい。いくつかの実施形態では、側部表示部１５３６ｓの特定の側部表示部と側部通路１５２６ｓとの有用な位置合わせ（例えば、Ｘ−Ｙ平面における水平の位置合わせ）、及び側部表示部１５３６ｔの特定の頂部表示部と頂部通路１５２６ｔとの有用な位置合わせ（例えば、Ｙ−Ｚ平面における垂直の位置合わせ）の両方は、キャップサブアセンブリ１５１０が図３１の第２の状態に位置付けられているとき（例えば、キャップサブアセンブリ１５１０に対する外力がユーザー又はボトルにより提供されるとき）にのみ達成され得るに留意されたい。
【０１８５】
＜図３３（アセンブリ１６００）＞
図３３は、図２８〜３２のアセンブリ１５００に似ているかもしれないが、ボトルがキャップサブアセンブリに連結されているとき弛緩位置にあるように動作し得る、別の例示的なボトル容器アセンブリ１６００を示す。図３３のアセンブリ１６００は、図２８〜３２のアセンブリ１５００に似た１つ以上のコンポーネントを含み得、図３３のアセンブリ１６００のコンポーネントは、図２８〜３２のアセンブリ１５００のラベル付けされたコンポーネントの参照ラベル「１５ｘｘ」に対応することがある参照ラベル「１６ｘｘ」によりラベル付けされており、それらの間の相違点は、以下で説明されることがある。図示するように、アセンブリ１６００は、ボトル１６９０と、ボトル１６９０に連結され得るキャップ１６１０とを含み、中に内容物を安全に保持し得る閉止された容器を形成することができる。図３３は、図３０のキャップサブアセンブリ１５１０の位置に似ているかもしれない、第２の位置すなわち緊張位置におけるキャップサブアセンブリ１６１０を示し得る。キャップ１６１０は、閉止部１６２０、ダイヤル１６３０、及び付勢機構１６８１を含んでもよい。キャップ１６１０の閉止部１６２０は、少なくとも部分的に閉じた頂端部１６２１から少なくとも部分的に開いた底端部１６２９まで延在して内側閉止部空間１６２３を画定し得る１つ以上の側壁１６２５を含み得る閉止部本体を含んでもよい。キャップ１６１０のダイヤル１６３０は、少なくとも部分的に開いた頂端部１６３１から少なくとも部分的に閉じた底端部１６３９まで延在し得る１つ以上の側壁１６３５を含み得るダイヤル本体を含んでもよい。アセンブリ１５００とは異なり、アセンブリ１６００は、ボトルがキャップサブアセンブリに連結されているとき、ボトルが、ダイヤルを緊張位置に動かすような力をダイヤルに対して行使しないように構成されてもよい。例えば、ボトル１５９０が閉止部１５２０に連結されているとき第２の緊張位置にあるキャップサブアセンブリ１５１０（例えば、ボトル１５９０により行使されるダイヤル１５３０に対する力のため）を示し得る図３０とは異なり、ボトル１６９０はダイヤル１６３０に対していかなる力も行使していないか、又は付勢機構１６８１によるダイヤル１６３０に対する下向きの力を克服し得る力を行使していないことがあるので、アセンブリ１６００は、ボトル１６９０が閉止部１６２０に連結されているとき、キャップサブアセンブリ１６１０が第１の弛緩位置にあり得る（例えば、キャップ取付特徴部１６９２及びボトル取付特徴部１６２８を介して）ように構成されてもよい。したがって、キャップサブアセンブリ１５１０のボトル１５９０への連結及び連結解除を通じてユーザーに見える特定の表示部１５３６を更新するためのダイヤル１５３０の回転（例えば、キャップサブアセンブリとボトルとの連結解除／連結により容器アセンブリが開閉されるときのダイヤルの自動回転）を可能にし得るキャップサブアセンブリ１５１０とは異なり、キャップサブアセンブリ１６１０は、キャップサブアセンブリ１６１０のボトル１６９０への連結及び連結解除によりそのような回転を可能にすることはできないが、その代わりとして、そのような回転のためにアクティブなユーザーの力がダイヤル１６３０に印加されることを必要とし得る（例えば、好適な位置（例えば、軸Ａ及び／又は付勢機構１６８１と同じＺ軸沿いの位置）でダイヤル１６３０の底端部１６３９から下向きに延在して、外力インターフェースを提供し得るユーザー延在特徴部１６３９ｕに印加される手動のユーザーの力）。
【０１８６】
＜図３４（アセンブリ１７００）＞
図３４は、図２８〜３２のアセンブリ１５００に似ているかもしれないが、ダイヤルが閉止部の外側又は外向きの面上の溝と相互作用することを可能にし得る、別の例示的なボトル容器アセンブリ１７００を示す。図３４のアセンブリ１７００は、図２８〜３２のアセンブリ１５００に似た１つ以上のコンポーネントを含み得、図３４のアセンブリ１７００のコンポーネントは、図２８〜３２のアセンブリ１５００のラベル付けされたコンポーネントの参照ラベル「１５ｘｘ」に対応することがある参照ラベル「１７ｘｘ」によりラベル付けされており、それらの間の相違点は、以下で説明されることがある。図示するように、アセンブリ１７００は、ボトル１７９０と、ボトル１７９０に連結され得るキャップ１７１０とを含み、中に内容物を安全に保持し得る閉止された容器を形成することができる。図３４は、図３１のキャップサブアセンブリ１５１０の位置に似ているかもしれない、第２の位置すなわち緊張位置におけるキャップサブアセンブリ  １７１０を示し得る。キャップ１７１０は、閉止部１７２０、ダイヤル１７３０、及び付勢機構１７８１を含んでもよい。キャップ１７１０の閉止部１７２０は、少なくとも部分的に閉じた頂端部１７２１から少なくとも部分的に開いた底端部１７２９まで延在して内側閉止部空間１７２３を画定し得る１つ以上の側壁１７２５を含み得る閉止部本体を含んでもよい。ダイヤル１７３０の一部分が閉止部１７２０の壁１７２５（複数可）の内面上の溝と相互作用するよりもむしろ、１つ以上の第２の内部側壁１７２５ｉ（複数可）は、壁１７２５（複数可）内部の頂端部１７２１から下向きに延在してもよく（例えば、軸Ａにより近づいて、かつ軸Ａの周りに）、ダイヤル１７３０の少なくとも１つのエクステンダー１７４７ｅは、軸Ａの周りの壁１７２５ｉ（複数可）の外面に設けられ得る閉止部１７２０の溝１７３２内へと延在してもよい。したがって、ダイヤルから外向きに延在して閉止部の内面に入る（例えば、エクステンダー１５４７ｅが、ダイヤル１５３０及び軸Ａから離れる方向に外向きに延在して閉止部１５２０の内面の溝１５３２内に入り得るように）よりもむしろ、エクステンダー１７４７ｅは、ダイヤル１７３０から離れる方向に内向きに軸Ａに向かって延在して閉止部１７２０の外面の溝１７３２内に入ってもよい。
【０１８７】
＜図３５（アセンブリ１８００）＞
図３５は、図２８〜３２のアセンブリ１５００に似ているかもしれないが、閉止部からダイヤルの頂部に延在する付勢機構を含み得る、別の例示的なボトル容器アセンブリ１８００を示す。図３５のアセンブリ１８００は、図２８〜３２のアセンブリ１５００に似た１つ以上のコンポーネントを含み得、図３５のアセンブリ１８００のコンポーネントは、図２８〜３２のアセンブリ１５００のラベル付けされたコンポーネントの参照ラベル「１５ｘｘ」に対応することがある参照ラベル「１８ｘｘ」によりラベル付けされており、それらの間の相違点は、以下で説明されることがある。図示するように、アセンブリ１８００は、ボトル（図示せず）と、ボトルに連結され得るキャップ１８１０とを含み、中に内容物を安全に保持し得る閉止された容器を形成することができる。キャップ１８１０は、閉止部１８２０、ダイヤル１８３０、及び付勢機構１８８１を含んでもよい。キャップ１８１０の閉止部１８２０は、少なくとも部分的に閉じた頂端部１８２１から少なくとも部分的に開いた底端部１８２９まで延在して内側閉止部空間１８２３を画定し得る１つ以上の側壁１８２５を含み得る閉止部本体を含んでもよい。キャップ１８１０のダイヤル１８３０は、少なくとも部分的に閉じた頂端部１８３１から少なくとも部分的に閉じた底端部１８３９に延在し得る１つ以上の側壁１８３５を含み得るダイヤル本体を含んでもよい。アセンブリ１５００とは異なり、アセンブリ１８００は、付勢機構１８８１が閉止部１８２０の頂端部１８２１の内面からダイヤル１８３０の頂端部１８３１の外面に延在し得るように構成されてもよい。図示するように、付勢機構１８８１が、付勢機構１８８１のいずれかの部分がダイヤル１８３０内に（例えば、頂端部１８３１と底端部１８３９との間のダイヤル空間内に）延在することを必要とすることなしに、アセンブリ１５００の付勢機構１５８１と同じ方法で使用され得るように、例えば、付勢機構１８８１は、ダイヤル１８３０の頂端部１８３１から離れる方向に閉止部１８２０の頂端部１８２１に向かって延在する１つ以上のバネ又は任意の他の好適な機構を閉止部空間１８２３内に含んでもよい。外力が、ボトル１８９０又はユーザーＵにより底端部１８３９上に、かつ／又はダイヤル空間を通じて頂端部１８３１の内面上に等、任意の好適な方法でダイヤル１８３０の任意の好適な外力インターフェースに印加されてもよい（例えば、閉止部空間１８２３内でダイヤル１８３０を回転させるために）。
【０１８８】
＜図３６〜３９（アセンブリ１９００）＞
図３６〜３９は、図１５〜２１のアセンブリ８００に似ているかもしれないが、ダイヤルの周りの溝内を動くダイヤル上の１つ以上の特徴部を含まないことがある、別の例示的なボトル容器アセンブリ１９００を示す。図３６〜３９のアセンブリ１９００は、図１５〜２１のアセンブリ８００に似た１つ以上のコンポーネントを含み得、図３６〜３９のアセンブリ１９００のコンポーネントは、図１５〜２１のアセンブリ８００のラベル付けされたコンポーネントの参照ラベル「８ｘｘ」に対応することがある参照ラベル「１９ｘｘ」によりラベル付けされており、それらの間の相違点は、以下で説明されることがある。図示するように、アセンブリ１９００は、ボトル１９９０と、ボトル１９９０に連結され得るキャップ１９１０とを含み、中に内容物を安全に保持し得る閉止された容器を形成することができる。例えば、ボトル１９９０は、閉じた底端部（図示せず）から少なくとも部分的に開いた頂端部１９９１まで延在して内側ボトル空間１９９３を画定し得る１つ以上の側壁１９９５を含み得るボトル本体を含んでもよい。ボトル１９９０は、キャップサブアセンブリ１９１０がボトル１９９０に連結されていないとき、ユーザーが内容物を開放端部１９９１を通じてボトル空間１９９３内に（例えば、−Ｚ方向に沿って）挿入し得、かつ／又は内容物をボトル空間１９９３から開放端部１９９１を通じて（例えば、＋Ｚ方向に沿って）取り出し得るように、構成されてもよい。ボトル１９９０は、任意の好適な内容物を任意の好適な方法で保持するように構成され得る任意の好適な容器であってもよい。ボトル１９９０は、任意の好適な材料又は材料の組み合わせから作製されてもよく、任意の好適な寸法を有してもよい。
【０１８９】
キャップ１９１０がボトル１９９０に連結されているとき、キャップ１９１０が開放端部１９９１を被覆してユーザーがボトル空間１９９３にアクセスするのを阻止することができるように、かつキャップ１９１０がボトル１９９０に連結されていないとき、キャップ１９１０が開放端部１９９１の少なくとも一部分を被覆せずユーザーがボトル空間１９９３にアクセスすることを可能にすることができるように、キャップ１９１０は、ボトル１９９０に着脱可能に連結されるように構成されてもよい。アセンブリ１９００は、キャップサブアセンブリ１９１０がボトル１９９０に着脱可能に連結されることを可能にするように任意の好適な方法で構成されてもよい。単なる一例として、ボトル１９９０は、少なくとも１つのキャップ取付特徴部１９９２を含んでもよく、キャップ１９１０は、少なくとも１つのボトル取付特徴部１９２８を含んでもよく、キャップ取付特徴部１９９２及びボトル取付特徴部１９２８は、互いと相互作用してキャップ１９１０をボトル１９９０に着脱可能に連結するように構成され得る相互的な特徴部又は別の方法で関係付けられた特徴部の任意の好適な組み合わせ（例えば、ネジ、スナップ、ノッチ、クリップ、ロケーションフィット、又は中間ばめ等）であってよい。例えば、キャップ１９１０は、特徴部１９２８及び１９９２を使用して軸ＡＢの周りで（例えば、矢印Ｒ１又は矢印Ｒ２の方向に）ボトル１９９０に螺装及び螺装解除され得る。ボトル１９９０は、キャップ取付特徴部１９９２の下方で本体１９９５の外面から突出し得るリップ１９９４も含んでもよく、リップ１９９４は、閉じた端部から少なくとも特定の距離だけ上方にキャップサブアセンブリ１９１０を懸架するように構成されてもよい。キャップ取付特徴部１９９２及び／又はリップ１９９４は、キャップ１９１０がボトル１９９０に連結されているとき、キャップ１９１０とボトル１９９０の特定の関係を確保してもよい。
【０１９０】
キャップ１９１０は、閉止部１９２０、ダイヤル１９３０、ダイヤル包囲体１９４４、及び付勢機構１９８１を含んでもよい。キャップ１９１０のダイヤル包囲体１９４４は、閉止部１９２０に連結されているとき、少なくとも部分的に開いた頂端部１９４１から少なくとも部分的に閉じた底端部１９４５に延在して表示部空間１９８３を画定し得る１つ以上の側壁１９４５を含み得る包囲体本体を含んでもよい。キャップ１９１０の閉止部１９２０は、少なくとも部分的に閉じた頂端部１９２１から少なくとも部分的に開いた底端部１９２９まで延在して内側閉止部空間１９２３を画定し得る１つ以上の側壁１９２５を含み得る閉止部本体を含んでもよい。閉止部１９２０は、キャップサブアセンブリ１９１０の１つ以上の他の部分（例えば、後述するダイヤル１９３０の部分）を選択的にユーザーに対して露出させるための、閉止部１９２０の任意の好適な部分を貫く１つ以上の閉止部表示部通路１９２６も含んでもよい。図示するように、閉止部表示部通路１９２６は、閉止部１９２０の頂端部１９２１の壁を貫いて設けられ得る少なくとも１つの頂部閉止部表示部通路１９２６ｔを含んでもよい。図示していないものの、閉止部表示部通路１９２６は、閉止部１９２０の少なくとも１つの側壁１９２５を貫いて設けられ得る少なくとも１つの側部閉止部表示部通路を追加的又は代替的に含んでもよい。各閉止部表示部通路１９２６は、閉止部１９２０の壁若しくは他の部分を貫く中空の開口部であってもよく、又は透明若しくは半透明の材料若しくはそれを通じてアセンブリ１９００のユーザーに対する情報の伝達を可能にし得る任意の他の好適な物体（例えば、拡大鏡１９２６ｔｍ）により被覆され得るか、若しくは別の方法でそれを含むように構成され得る開口部であってもよい。閉止部１９２０は、任意の好適な材料又は材料の組み合わせから作製されてもよく、任意の好適な寸法を有してよい。以下でより詳細に説明するように、閉止部１９２０は、図３６〜３９に示す閉止部１９２０の頂端部１９２１を貫く等、閉止部１９２０の任意の好適な部分を貫くダイヤルアクセス開口部１９２２も含んでもよく、これにより、ユーザーＵがダイヤル１９３０の一部分にアクセスしてその操作を行うことを可能にし得る。その上、図３６〜３９に示すように、閉止部１９２０は、閉止部１９２０の頂端部１９２１を貫く等、閉止部１９２０の任意の好適な部分を貫いて設けられ得る内容物開口部１９２１ｏと、内容物開口部１９２１ｏを選択的に開閉するために設けられ得る内容物ドア１９２１ｄとを含んでもよい。閉止部１９２０は、ドア１９２１ｄが開いており、キャップサブアセンブリ１９１０がボトル１９９０に連結されていないとき、ユーザーＵが内容物を内容物開口部１９２１ｏを通じてボトル空間１９９３内に（例えば、−Ｚ方向に沿って）挿入し得、かつ／又は内容物をボトル空間１９９３から内容物開口部１９２１ｏを通じて（例えば、＋Ｚ方向に沿って）取り出し得るように、構成されてもよい。
【０１９１】
キャップ１９１０のダイヤル１９３０は、少なくとも部分的に閉じた頂端部１９３１から少なくとも部分的に開いた底端部１９３９まで延在し得る１つ以上の側壁１９３５を含み得るダイヤル本体を含んでもよい。ダイヤル１９３０は、内側ダイヤル空間１９３３を画定してもよく、内側ダイヤル空間１９３３は、ダイヤル開口部１９３８を介してアクセス可能であってもよく、ダイヤル開口部１９３８は、底端部１９３９を貫いて等、ダイヤル本体の任意の好適な部分を貫いて設けられてもよい。ダイヤル８３０の一部分に溝が設けられるアセンブリ８００とは異なり、少なくとも１つの溝１９３２が、ダイヤル１９３０の面に沿ってではなく、少なくとも部分的に開いた頂端部１９４１と少なくとも部分的に閉じた底端部１９４９との間に延在し得るダイヤル包囲体１９４４の１つ以上の側壁１９２５の内面１９３４に沿って等、アセンブリ１９００のダイヤル包囲体１９４４の任意の好適な面に沿って設けられてもよく、溝１９３２は、表示部空間１９８３（例えば、後述のように、ダイヤル包囲体１９４４が閉止部１９２０に連結され得るとき、ダイヤル包囲体１９４４と閉止部１９２０の一部分との間で画定される）内でダイヤル１５３０の一部分によりアクセス可能であってもよい。ダイヤル１９３０は、アセンブリ１９００のユーザーに対する選択的な表示のために、ダイヤル１９３０の任意の好適な部分上に位置付けられ得る任意の好適なダイヤル表示部１９３６を含んでもよい。図示するように、ダイヤル表示部１９３６は、ダイヤル１９３０の頂端部１９３１の１つ以上の外面部分上に設けられ得る頂部ダイヤル表示部１９３６ｔを含んでもよい。代替的又は追加的に、図３６〜３９に示していないものの、ダイヤル１９３０は、ダイヤル１９３０の１つ以上の側壁の１つ以上の外面部分上に設けられ得る側部ダイヤル表示部、及び／又はダイヤル１９３０の１つ以上の底壁の１つ以上の外面部分上に設けられ得る底部ダイヤル表示部を含んでもよい。ダイヤル１９３０を表示部空間１９８３内で閉止部１９２０に対して動かして（例えば、軸Ａの周りで回転させて）、ダイヤル１９３０の異なるダイヤル表示部１９３６を閉止部１９２０の閉止部表示部通路１９２６と選択的に位置合わせすることができるように、ダイヤル１９３０は、少なくとも部分的に表示部空間１９８３内に嵌合するように構成されてもよい。ダイヤル１９３０は、任意の好適な材料又は材料の組み合わせから作製されてもよく、任意の好適な寸法を有してよい。アセンブリ１９００は、ダイヤル包囲体１９４４が閉止部１９２０に着脱可能又は固定的に連結されることを可能にするように任意の好適な方法で構成されてもよい。単なる一例として、ダイヤル包囲体１９４４は、少なくとも１つの閉止部取付特徴部１９４６を含んでもよく、閉止部１９２０は、少なくとも１つの包囲体取付特徴部１９２２ｂを含んでもよく、閉止部取付特徴部１９４６及び包囲体取付特徴部１９２２ｂは、互いと相互作用して包囲体１９４４を閉止部１９２０に連結するように構成され得る相互的な特徴部又は別の方法で関係付けられた特徴部の任意の好適な組み合わせ（例えば、ネジ、スナップ、ノッチ、クリップ、ロケーションフィット、又は中間ばめ等）であってよい。例えば、包囲体１９４４は、特徴部１９４６及び１９２２ｂを使用して軸Ａの周りで（例えば、矢印Ｒ１又は矢印Ｒ２の方向に）包囲体１９２０に螺装及び螺装解除され得る。包囲体１９４４と包囲体１９２０が互いに連結さえるとき、包囲体１９４４の側壁１９４５（複数可）及び底端部１９４９並びに頂端部１９２１の一部分は、表示部空間１９８３を画定し得る。溝１９３２は、包囲体１９４４の側壁１９４５（複数可）の内面に沿って少なくとも部分的に軸Ａの周りに設けられ得る。
【０１９２】
アセンブリ８００のボタン８４４のようなはっきりと異なるボタンコンポーネントを含むよりもむしろ、包囲体１９４４の溝１９３２と相互作用してダイヤル１９３０の閉止部１９２０に対する回転を可能にするための特定の特徴部が、ダイヤル１９３０により提供されてもよい。図示するように、ダイヤル１９３０は、包囲体１９４４の包囲体溝１９３２と相互作用してダイヤル１９３０を表示部空間１９８３内で回転させるように動作し得る１つ以上の閉止部相互作用特徴部１９４７を含んでもよい。ボタン８４４が閉止部８２０に対して直線状にＺ方向に押圧され得るが、閉止部８２０に対して回転することを阻止されるアセンブリ８００とは異なり、アセンブリ１９００のダイヤル１９３０の１つ以上の閉止部相互作用特徴部１９４７と包囲体１９４４の包囲体溝１９３２の相互作用は、ダイヤル１９３０が、閉止部１９２０に対して直線状にＺ方向に押圧されることだけでなく、表示部空間１９８３内で、例えば、図３７及び／又は図３９の第１の「高」位置と図３８の第２の「低」位置との間で等）、閉止部１９２０に対して回転されることも可能にしてもよい。少なくとも１つの包囲体相互作用特徴部１９４７と少なくとも１つの包囲体溝１９３２の相互作用は、ダイヤル１９３０の異なる表示部１９３６が回転により閉止部１９２０の通路１９２６に位置合わせされ得るように、例えば、閉止部１９２０に対する表示部空間１９８３内でのダイヤル１９３０の好適な直線状の運動（例えば、Ｚ軸沿いの）の後で、閉止部１９２０に対する表示部空間１９８３内でのダイヤル１９３０の回転運動（例えば、軸Ａの周りの）を可能にしてもよい。図示するように、溝１９３２は、軸Ａの少なくとも一部分の周りの包囲体１９４４の内面に沿って延在してもよく、ダイヤル１９３０が表示部空間１９８３内に位置付けられていると、各包囲体相互作用特徴部１９４７の少なくとも一部分は、包囲体溝１９３２の少なくとも一部分内へ延在してもよい。各包囲体相互作用特徴部１９４７は、側壁１９３５の１つ以上の部分から下向きに離れる方向に、底端部１９３９から離れる方向に（例えば、−Ｚ方向に）、その包囲体相互作用特徴部１９４７の底端部１９４７ｔへと延在してもよい。包囲体相互作用特徴部１９４７の長さ沿いのある位置において、エクステンダー部１９４７ｅが、相互作用特徴部１９４７の主要部から延在して（例えば、軸Ａから離れる方向に外向きに）、少なくとも部分的に溝１９３２内へ延在してもよい。いくつかの実施形態では、包囲体相互作用特徴部１９４７の端部１９４７ｔは、エクステンダー１９４７ｅが溝１９３２にスナップイン又は別の方法で嵌合することができるように、例えば軸Ａへ向かう及び／又は軸Ａから離れるエクステンダー１９４７ｅの偏向を可能にするための自由端であってもよい。いくつかの実施形態では、エクステンダー１９４７ｅは、端部１９４７ｔで相互作用特徴部１９４７の主要部から離れる方向に延在してもよい。他の実施形態では、エクステンダー１９４７ｅは、端部１９４７ｔが包囲体１９４４の底部１９４９の内面と相互作用するように動作し得るように、例えば、端部１９４７ｔの上方のある地点において相互作用特徴部１９４７の主要部から離れる方向に延在してもよく、これにより、ダイヤル１９３０の表示部空間１９８３内の−Ｚ方向への直線状の運動を少なくとも部分的に限定することができる。
【０１９３】
付勢機構１９８１は、ダイヤル１９３０の少なくとも一部分を例えば閉止部１９２０の頂端部１９２１に向かって（例えば、＋Ｚ方向に）付勢して、表示部空間１９８３内のダイヤル１９３０の直線状の運動を少なくとも部分的に制御するために、表示部空間１９８３内の任意の好適な位置に位置付けられてもよい。付勢機構１９８１は、キャップサブアセンブリ１９１０から遠隔の物体（例えば、頂端部１９３１から離れる方向に上向きに延在して（例えば、包囲体１９２０の開口部１９２２を貫いて）外力インターフェースを提供し得るユーザー特徴部１９３１ｕ上のユーザーＵ）によりその方向への好適な量の力がダイヤル１９３０に印加されると、圧縮又は緊張されてダイヤル１９３０の少なくとも一部分の閉止部１９２０の頂端部１９２１から離れる（例えば、−Ｚ方向への）運動を可能にするように動作し得る一方、そのような遠隔の物体によりそのような好適な量の力がダイヤル１９３０に印加されないと、減圧又は弛緩してダイヤル１９３０の少なくとも一部分を頂端部１９２１に向かって（例えば、＋Ｚ方向に）動かすようにも動作する、任意の好適なバネ等の、任意の好適なコンポーネント又はコンポーネントの組み合わせであってもよい。図示するように、例えば、付勢機構１９８１は、好適な外力が（例えば、以下でより詳細に説明するように、ユーザーＵにより）−Ｚ方向にダイヤル１９３０に印加されると第１の状態（例えば、ダイヤル１９３０に対していかなる外力も印加されず、付勢機構１９８１がＺ軸沿いの第１の長さＢ１を有し得る、図３７及び／又は図３９の第１の膨張又は弛緩した状態）から第２の状態（例えば、付勢機構１９８１が長さＢ１よりも短いＺ軸沿いの第２の長さＢ２を有し得る、図３８の圧縮又は緊張した状態）に圧縮されるように動作し得、そのような好適な外力がダイヤル１９３０に印加されないと第２の状態から第１の状態に膨張するように動作し得る、少なくとも１つのバネを含んでもよい。図示するように、付勢機構１９８１は、ダイヤル１９３０の頂部１９３１の内面と包囲体１９４４の底部１９４９の内面との間に（例えば、軸Ａに沿って、かつ／又は軸Ａの周りに）延在するように、表示部空間１９８３内に位置付けられてもよい。
【０１９４】
包囲体溝１９３２は、軸Ａの少なくとも一部分の周りの包囲体１９４４の内側の少なくとも一部分に沿って延在してもよい。溝１９３２は、ダイヤル１９３０の閉止部１９２０の頂部１９２１に向かう運動及び／又は閉止部１９２０の頂部１９２１から離れる運動（例えば、ダイヤル１９３０のＺ軸沿い又は実質的にＺ軸沿いの運動）を、軸Ａの周りのダイヤル１９３０の回転又は他の好適な運動に変換するための、任意の好適な形状（例えば、エクステンダー１９４７ｅ）を有してもよい。例えば、アセンブリ８００の溝８３２のように、図示するように、溝１９３２は、２つ以上の垂直セグメント又は実質的に垂直のセグメント１９３２ｖ（例えば、Ｚ軸沿い又は実質的にＺ軸沿いに延在する）及び少なくとも２つの斜めセグメント１９３２ｄを含んでもよく、各斜めセグメント１９３２ｄは、第１の垂直セグメント１９３２ｖの上部部分１９３２ｕを、第１の垂直セグメント１９３２ｖに隣接する第２の垂直セグメント１９３２ｖの下部部分１９３２ｌに連結してもよい。図３７〜３９にはキャップサブアセンブリ１９１０の異なる使用段階が示されていることがあり、溝１９３２の幾何形状がどのようにこのような段階間の移行を少なくとも部分的に支配し得るかを示していることがある。
【０１９５】
図３７に示すように、キャップサブアセンブリ１９１０は、キャップサブアセンブリ１９１０に対する外力をキャップサブアセンブリ１９１０のいかなる部分にも印加することができない第１の状態にあることがあり、キャップサブアセンブリ１９１０のこのような第１の状態は、弛緩状態又は伸長状態と呼ぶことができる（例えば、付勢機構１９８１は、第１の長さＢ１の伸長状態にあることがあり、付勢機構１９８１の付勢特徴部若しくは幾何形状、及び／又はダイヤル１９３０の少なくとも１つのエクステンダー１９４７ｅと包囲体１９４４の溝１９３２のそれぞれの垂直セグメント１９３２ｖの頂部の相互作用（例えば、下部部分１９３２ｌにおける）、のうちの１つ以上によってより大きな長さに伸長することを制限され得るので）。図３７のこのような第１の状態では、頂部表示部１９３６ｔの第１の特定の側部表示部（例えば、「日曜」）が頂部通路１９２６ｔに位置合わせされてもよい一方、ダイヤル１９３０の各エクステンダー１９４７ｅは、包囲体１９４４の溝１９３２のそれぞれの垂直セグメント１９３２ｖ内に（例えば、その垂直セグメント１９３２ｖの下部部分１９３２ｌ又はその近位に）位置付けられてもよい。
【０１９６】
次に、少なくとも付勢機構１９８１の付勢力に勝り、付勢機構１９８１の垂直長さＢ１を低減するのに十分に大きい任意の好適な外力がキャップサブアセンブリ１９１０に印加されると、ダイヤル１９３０の少なくとも一部分を−Ｚ方向に動かすことができる。例えば、いくつかの実施形態では、図３８に示すように、ユーザーＵが、外力インターフェースを提供するダイヤル１９３０の任意のアクセス可能な部分（例えば、特徴部１９３１ｕ）に、付勢機構１９８１の垂直長さを長さＢ２に低減し得る−Ｚ方向のユーザーの力を印加してもよい。このような外力は、図３８のキャップサブアセンブリ１９１０の第２の状態を提供し得る。付勢機構１９８１は、付勢機構１９８１の付勢特徴部若しくは幾何形状、ダイヤル１９３０の少なくとも１つのエクステンダー１９４７ｅと包囲体１９４４の溝１９３２のそれぞれの垂直セグメント１９３２ｖの底部の相互作用（例えば、上部部分１９３２ｕにおける）、及び／又はダイヤル１９３０の頂部１９４７ｔと包囲体１９４４の一部分（例えば、底部１９４９の内面）の相互作用、のうちの１つ以上により、更に短い長さに圧縮することを制限され得る、第２の低減された長さＢ２の圧縮状態又は緊張状態にあることがあるので、キャップサブアセンブリ１９１０のこのような第２の状態は、圧縮状態又は緊張状態と呼ぶことができる。図３８のこのような第２の状態では、頂部表示部１９３６ｔの第１の特定の側部表示部（例えば、「日曜」）は、側部通路１９２６ｔに位置合わせされたままであってもそうでなくてもよい。その上、図３８のこのような第２の状態では、ダイヤル１９３０の各エクステンダー１９４７ｅは、包囲体１９４４の溝１９３２の、図３７の第１の状態のときと同じそれぞれの垂直セグメント１９３２ｖ内に位置付けられたままであってもよいが、その垂直セグメント１９３２ｖの上部部分１９３２ｕ又はその近位にある垂直セグメント１９３２ｖ内の位置にある。
【０１９７】
図３９に示すように、キャップサブアセンブリ１９１０は、図３８の第２の状態においてキャップサブアセンブリ１９１０に印加されている外力が終了されるか、又は好適な量だけ低減されると、第３の状態に進むことができる。例えば、付勢機構１９８１がダイヤル１９３０の各エクステンダー１９４７ｅを上向き方向に（例えば、＋Ｚ方向に）押し進めるように、ユーザーＵにより印加された外力が少なくとも部分的に低減又は除去されると、溝１９３２の幾何形状及びそれとエクステンダー１９４７ｅの相互作用は、エクステンダー１９４７ｅがエクステンダー１９４７ｅが図３８の第２の状態において位置付けられていた同じ初期垂直セグメント１９３２ｖを上に戻るように（例えば、＋Ｚ方向に）移動するのを阻止するように動作し得、むしろエクステンダー１９４７ｅの移動を斜め上向きに第１の状態及び第２の状態の初期垂直セグメント１９３２ｖの上部部分１９３２ｕから延在する斜めセグメント１９３２ｄに沿って案内し、隣接する新たな垂直セグメント１９３２ｖの下部部分１９３２ｌに入れてキャップサブアセンブリ１９１０の第３の状態とするように動作し得る。溝１９３２に沿っての、エクステンダー１９４７ｅの閉止部１９２０に対して斜めのこのような運動は、ダイヤル１９３０を、図３８の第２の状態における回転の向きから図３９の第３の状態における回転の向きに軸Ａの周りで回転させ得る（例えば、２つの隣接する垂直セグメント１９３２ｖ間の弧長に等しい弧長の分だけ）。図３９のこのような第３の状態では、ダイヤル１９３０の各エクステンダー１９４７ｅが包囲体１９４４の溝１９３２のそれぞれの新たな垂直セグメント１９３２ｖ内に（例えば、その新たな垂直セグメント１９３２ｖの下部部分１９３２ｌ又はその近位に）位置付けられ得るので、頂部表示部１９３６ｔの新たな特定の側部表示部（例えば、「月曜」）が、これより頂部通路１９２６ｔに位置合わせされてもよい（例えば、図３７の第１の状態の「日曜」と比較して）。図３９のキャップサブアセンブリ１９１０のこのような第３の状態は、弛緩状態又は伸長状態と呼ぶこともできる（例えば、付勢機構１９８１は、第１の長さＢ１の伸長状態にあることがあり、付勢機構１９８１の付勢特徴部若しくは幾何形状、及び／又はダイヤル１９３０の少なくとも１つのエクステンダー１９４７ｅと包囲体１９４４の溝１９３２のそれぞれの新たな垂直セグメント１９３２ｖの頂部の相互作用、のうちの１つ以上によってより大きな長さに伸長することを制限され得るので）。したがって、ダイヤル１９３０の上向きに動くエクステンダー１９４７ｅの幾何形状と包囲体１９４４の溝１９３２の幾何形状との間の相互作用は、ダイヤル１９３０を軸Ａの周りで回転させて、キャップサブアセンブリ１９１０のユーザーによる閲覧のために新たな表示部を１つ以上の通路に位置合わせし得る。図３６〜３９に示していないものの、アセンブリ１９１０の包囲体１９４４の溝１９３２は、アセンブリ８００並びに図２０及び２１に関連して上述したのと同じ深さの変動を備えていてもよい。あるいは、他の実施形態では、図示していないものの、ダイヤル１９３０は、閉止部１９２０に対して直線状に動くこと（例えば、軸Ｚに沿って）を阻止され得、閉止部１９２０に対して回転すること（例えば、軸Ａの周りで）のみ可能にされ得る一方、包囲体１９４４は、包囲体１９４４が閉止部１９２０に対して直線状に（例えば、軸Ｚに沿って）動くことを可能にされ得るが、閉止部１９２０に対して回転すること（例えば、軸Ａの周りで）を阻止され得る様式で閉止部１９２０に連結され得、これにより、ユーザーＵがダイヤル１９３０の特徴部１９３１ｕ上に下向きの力を印加し、サブアセンブリ１９１０をその第１の位置からその第２の位置に動かして、ダイヤル１９３０の回転を可能にするよりもむしろ、ユーザーＵは、外力インターフェースを提供する包囲体１９４４の底端部１９４９の外面上に上向きの力を印加し、サブアセンブリ１９１０をその第１の位置からその第２の位置に動かして、ダイヤル１９３０の回転を可能にすることができる。図示していないものの、ゴム又は任意の他の好適な材料（例えば、おしゃぶりに似た外被（例えば、図７のカバー２６９））が、キャップアセンブリの１つ以上の部分の底部層の外面に沿って保護層を提供してもよく、これは、ボトルの内容物（例えば、液体物質）に曝露されることからキャップアセンブリを保護し得る。いくつかの実施形態では、付勢機構が設けられなくてもよく、ひとたび外力が（例えば、ユーザー又は連結されたボトルにより）キャップアセンブリにもはや印加されないようになると、例えば重力が、キャップアセンブリを第２の位置から第３の位置に動かすように動作してもよい。
【０１９８】
＜図４０〜４４（アセンブリ２０００）＞
図４０〜４４は、図１５〜２１のアセンブリ８００に似ているかもしれないが、軸に沿って直線状に動いて該軸の周りでダイヤルを回転させ、ユーザーによる閲覧のために通路に位置合わせされ得るダイヤルの表示器の部分を変更するように動作し得る、押しボタン付きのキャップを含み得る、別の例示的なボトル容器アセンブリ２０００を示す。図４０〜４４のアセンブリ２０００は、図１５〜２１のアセンブリ８００に似た１つ以上のコンポーネントを含み得、図４０〜４４のアセンブリ２０００のコンポーネントは、図１５〜２１のアセンブリ８００のラベル付けされたコンポーネントの参照ラベル「８ｘｘ」に対応することがある参照ラベル「２０ｘｘ」によりラベル付けされており、それらの間の相違点は、以下で説明されることがある。図示するように、アセンブリ２０００は、ボトル２０９０と、ボトル２０９０に連結され得るキャップ２０１０とを含み、中に内容物を安全に保持し得る閉止された容器を形成することができる。例えば、ボトル２０９０は、閉じた底端部２０９９から少なくとも部分的に開いた頂端部２０９１まで延在して内側ボトル空間２０９３を画定し得る１つ以上の側壁２０９５を含み得るボトル本体を含んでもよい。ボトル２０９０は、ユーザーが内容物２０９７を開放端部２０９１を通じてボトル空間２０９３内に（例えば、−Ｚ方向に沿って）挿入し得、かつ／又は内容物２０９７をボトル空間２０９３から開放端部２０９１を通じて（例えば、＋Ｚ方向に沿って）取り出し得るように、構成されてもよい。ボトル２０９０は、任意の好適な内容物２０９７を任意の好適な方法で保持するように構成され得る任意の好適な容器であってもよい。ボトル２０９０は、任意の好適な材料又は材料の組み合わせから作製されてもよく、任意の好適な寸法を有してもよい。
【０１９９】
キャップ２０１０がボトル２０９０に連結されているとき、キャップ２０１０が開放端部２０９１を被覆してユーザーがボトル空間２０９３にアクセスするのを阻止することができるように、かつキャップ２０１０がボトル２０９０に連結されていないとき、キャップ２０１０が開放端部２０９１の少なくとも一部分を被覆せずユーザーがボトル空間２０９３にアクセスすることを可能にすることができるように、キャップ２０１０は、ボトル２０９０に着脱可能に連結されるように構成されてもよい。アセンブリ２０００は、キャップサブアセンブリ２０１０がボトル２０９０に着脱可能に連結されることを可能にするように任意の好適な方法で構成されてもよい。単なる一例として、ボトル２０９０は、少なくとも１つのキャップ取付特徴部２０９２を含んでもよく、キャップ２０１０は、少なくとも１つのボトル取付特徴部２０２８を含んでもよく、キャップ取付特徴部２０９２及びボトル取付特徴部２０２８は、互いと相互作用してキャップ２０１０をボトル２０９０に着脱可能に連結するように構成され得る相互的な特徴部又は別の方法で関係付けられた特徴部の任意の好適な組み合わせ（例えば、ネジ、スナップ、ノッチ、クリップ、ロケーションフィット、又は中間ばめ等）であってよい。ボトル２０９０は、キャップ取付特徴部２０９２の下方で本体２０９５の外面から突出し得るリップ２０９４も含んでもよく、リップ２０９４は、閉じた端部から少なくとも特定の距離だけ上方にキャップサブアセンブリ２０１０を懸架するように構成されてもよい。キャップ取付特徴部２０９２及び／又はリップ２０９４は、キャップ２０１０がボトル２０９０に連結されているとき、キャップ２０１０とボトル２０９０の特定の関係を確保してもよい。
【０２００】
キャップ２０１０は、閉止部２０２０、ダイヤル２０３０、押しボタン２０４４、基部２０７０、及び付勢機構２０８１を含んでもよい。キャップ２０１０の閉止部２０２０は、少なくとも部分的に閉じた頂端部２０２１から少なくとも部分的に開いた底端部２０２９まで延在して内側閉止部空間２０２３を画定し得る１つ以上の側壁２０２５を含み得る閉止部本体を含んでもよい。閉止部２０２０は、キャップサブアセンブリ２０１０の１つ以上の他の部分（例えば、後述するダイヤル２０３０の部分）を選択的にユーザーに対して露出させるための、閉止部２０２０の任意の好適な部分を貫く１つ以上の閉止部表示部通路２０２６も含んでもよい。図示するように、閉止部表示部通路２０２６は、閉止部２０２０の頂端部２０２１の壁を貫いて設けられ得る少なくとも１つの頂部閉止部表示部通路２０２６ｔ、及び／又は閉止部２０２０の少なくとも１つの側壁２０２５を貫いて設けられ得る少なくとも１つの側部閉止部表示部通路２０２６ｓを含んでもよい。各閉止部表示部通路２０２６は、閉止部２０２０の壁若しくは他の部分を貫く中空の開口部であってもよく、又は透明若しくは半透明の材料若しくはそれを通じてアセンブリ２０００のユーザーに対する情報の伝達を可能にし得る任意の他の好適な物体（例えば、拡大鏡２０２６ｔｍ及び／又は２０２６ｓｍ）により被覆され得るか、若しくは別の方法でそれを含むように構成され得る開口部であってもよい。閉止部２０２０は、任意の好適な材料又は材料の組み合わせから作製されてもよく、任意の好適な寸法を有してよい。
【０２０１】
キャップ２０１０のダイヤル２０３０は、少なくとも部分的に閉じた頂端部２０３１から底端部２０３９に延在し得る１つ以上の側壁２０３５を含み得るダイヤル本体を含んでもよい。ダイヤル２０３０は、内側ダイヤル空間２０３３を画定してもよく、内側ダイヤル空間２０３３は、ダイヤル開口部２０３８を介してアクセス可能であってもよく、ダイヤル開口部２０３８は、底端部２０３９を貫いて等、ダイヤル本体の任意の好適な部分を貫いて設けられてもよい。任意の好適な数のダイヤル歯又はダイヤルノッチ２０３２が、図示するようにダイヤル２０３０の任意の好適な面に沿って（例えば、ダイヤル本体から（例えば、頂端部２０３１の内面から）下向きに延在し得るダイヤルパーツ２０３４の底面に沿って、又はダイヤル本体の底端部２０３９の底面若しくはダイヤル２０３０の任意の他の好適な部分に沿って）設けられてもよく、各ダイヤルノッチ２０３２は、ダイヤル２０３０を閉止部空間２０２３内で（例えば、軸Ａ（例えば、Ｚ軸）の周りで）回転させるために、アセンブリ２０００の任意の好適なコンポーネントにより（例えば、押しボタン２０４４により、かつ／又は基部２０７０により）アクセス可能であってもよい。ダイヤル本体から下向きに延在し得る（例えば、頂端部２０３１の内面から、並びにダイヤルパーツ２０３４から外に、及び／又はダイヤルパーツ２０３４を越えて）ダイヤルパーツ２０３７等の、ダイヤル２０３０の任意の好適な部分は、アセンブリ２０００の任意の他のコンポーネント（例えば、押しボタン２０４４及び／又は基部２０７０）と相互作用して、閉止部空間２０２３内のダイヤル２０３０の運動を１つ以上の方向に（例えば、Ｘ−Ｙ平面内に）制限しながらこのような回転を可能にするように動作し得る。ダイヤル２０３０は、アセンブリ２０００のユーザーに対する選択的な表示のために、ダイヤル２０３０の任意の好適な部分上に位置付けられ得る任意の好適なダイヤル表示部２０３６を含んでもよい。図示するように、ダイヤル表示部２０３６は、ダイヤル２０３０の頂端部２０３１の外面上に設けられ得る頂部ダイヤル表示部２０３６ｔ、及び／又は１つ以上の側壁２０３５の外面上に設けられ得る側部ダイヤル表示部２０３６ｓを含んでもよい。ダイヤル２０３０を閉止部空間２０２３内で閉止部２０２０に対して動かして、ダイヤル２０３０の異なるダイヤル表示部２０３６を閉止部２０２０の閉止部表示部通路２０２６と選択的に位置合わせすることができるように、ダイヤル２０３０は、少なくとも部分的に閉止部空間２０２３内に嵌合するように構成されてもよい。ダイヤル２０３０は、任意の好適な材料又は材料の組み合わせから作製されてもよく、任意の好適な寸法を有してよい。
【０２０２】
キャップ２０１０の基部２０７０は、少なくとも部分的に閉じた頂端部２０７１から少なくとも部分的に閉じた底端部２０７９まで延在し得る１つ以上の側壁２０７５を含み得る基部本体を含んでもよい。基部２０７０は、例えば、ダイヤル２０３０及びボタン２０４４がその中に位置付けられ得る基部空間２０８３ｂの少なくとも一部分を基部２０７０及び閉止部２０２０が共同で画定し得るように、閉止部２０２０に連結される（例えば、永続的又は着脱可能に）ように構成されてもよい。例えば、基部２０７０は、少なくとも１つの閉止部取付特徴部（例えば、基部２０７０の側壁２０７５（複数可）の外面の形状）を含んでもよく、閉止部２０２０は、少なくとも１つの基部取付特徴部２０２４（例えば、閉止部２０２０の内面から突出するか、又はそれに突入する１つ以上の溝又は雌ネジ）を含んでもよく、基部２０７０は、基部取付特徴部２０２４を含む基部２０７０にスナップインするか、又は別の方法で嵌合して基部２０７０を閉止部空間２０２３内に固定させてもよく、閉止部空間２０２３は、それにより、閉止部２０２０と基部２０７０との間の低減された空間（例えば、基部空間２０８３ｂ）を画定してもよい。いくつかの実施形態では、基部取付特徴部２０２４の一部分は、基部側壁２０７５（複数可）のいくつかの部分又は全部（例えば、環状側壁２０７５（複数可）を受け入れ得る環状溝）と相互作用して、基部２０７０を閉止部空間２０２３内で特定の高さに（例えば、特定のＸ−Ｙ平面内に、かつ／又はＺ軸に沿いの特定の距離に）保持する取付特徴部部分であってもよい。追加的又は代替的に、基部取付特徴部２０２４の一部分は、基部２０７０の１つ以上の部分（例えば、基部２０７０の少なくとも１つのセグメント化閉止部取付特徴部２０７８と相互作用し得る少なくとも１つのセグメント化溝）と相互作用して、基部２０７０を閉止部空間２０２３内で軸Ａに対して特定の向きに保持するための取付特徴部部分であってもよい（例えば、基部２０７０のＸ−Ｙ平面内における閉止部２０２０に対するＺ軸の周りの回転を阻止するための）。基部取付特徴部２０２４は、ボトル取付特徴部２０２８が閉止部２０２０をボトル２０９０のボトル特徴部２０９２に着脱可能に連結することを依然として可能にしながら基部２０７０が閉止部２０２０に連結され得るように、閉止部２０２０の閉止部空間２０２３内のボトル取付特徴部２０２８の上方に位置付けられてもよい。閉止部空間２０２３が閉止部２０２０の側壁２０２５（複数可）、頂端部２０２１、及び底端部２０２９の内面（複数可）により画定され得る一方、基部空間２０８３ｂは、基部空間２０８３ｂが閉止部空間２０２３の一部分であり得るように、閉止部２０２０の側壁２０２５（複数可）及び頂端部２０２１の内面（複数可）並びに基部２０７０により画定され得る。基部２０７０は、任意の好適な材料又は材料の組み合わせから作製されてもよく、任意の好適な寸法を有してよい。
【０２０３】
基部２０７０は、それを貫く少なくとも１つの開口部２０７７を頂部２０７１と底部２０７９との間に含んでもよく、開口部２０７７は、ボタン２０４４上に（例えば、ボタン２０４９の一部分上に＋Ｚ方向に）力を印加してキャップサブアセンブリ２０１０を図４２及び４４の緊張位置に動かす（例えば、開口部１０７７及び／又は１１７７及び／又は１３７７に関連して上述したように）ために遠隔の物体（例えば、ユーザーＵの指先）が開口部２０７７を貫いて挿入されることを可能にすることにより、外力インターフェースを露出させるように動作し得る。例えば、図示するように、開口部２０７７は、付勢機構２０８１及び／又は軸Ａに位置合わせされた外力インターフェース（例えば、底部２０４９）を提供し得るボタン２０４４の一部分にこのような力を印加するようにユーザーＵを案内し、緊張位置を達成するために最も効果的なユーザーの力（例えば、軸Ａから軸外で、かつ／又は付勢機構２０８１の中心に沿わずに印加され得るユーザーの力ではなく）の印加を促進するために、軸Ａを直接挟んで付勢機構２０８１の下に位置付けられてもよい。少なくとも１つ又は任意の他の好適な数の基部−ダイヤル相互作用特徴部又は基部歯若しくは基部ノッチ２０７２が、基部２０７０の任意の好適な面に沿って（例えば、図示するように、基部本体から（例えば、開口部２０７７の周りの等の、頂端部２０７１の頂面から）上向きに延在し得るそれぞれの基部パーツ２０７４の頂面、又は基部２０７０の任意の他の好適な部分に沿って）設けられてもよく、各基部ノッチ２０７２は、ダイヤルノッチ２０３２と少なくとも一時的に相互作用して、ダイヤル２０３０を基部空間２０８３ｂ内で（例えば、軸Ａの周りで）少なくとも部分的に回転させるように動作してもよい。１つ以上の基部パーツ２０７４の１つ以上の部分及び／又は開口部２０７７等の、基部２０７０の任意の好適な部分は、ダイヤル２０３０の任意の好適な部分（例えば、ダイヤルパーツ２０３７）と相互作用して、ダイヤル２０３０の閉止部空間２０２３内における運動を１つ以上の方向に（例えば、Ｘ−Ｙ平面内に）制限しながらこのような回転を可能にするように動作し得る。いくつかの実施形態では、図示するように、基部２０７０は、それを貫く少なくとも１つの開口部２０７３を頂部２０７１と底部２０７９との間に含んでもよく、各開口部２０７３は、それを通じて押しボタン２０４４の一部分（例えば、基部相互作用特徴部２０４７ｂ）を受け入れて、ボタン２０４４が基部２０７０に対して、したがって閉止部２０２０に対して直線状に（例えば、軸Ａに沿って）動くことを依然として可能にしながら、ボタン２０４４の基部２０７０に対する、したがって閉止部２０２０に対する（例えば、軸Ａの周りの）回転を阻止するように動作してもよい。１つ以上の基部相互作用特徴部２０４７ｂに対して代替的又は追加的に、図示していないものの、ボタン２０４４の一部分は、閉止部２０２０と相互作用して、ボタン２０４４が閉止部２０２０に対して直線状に（例えば、軸Ａに沿って）動くことを依然として可能にしながら、ボタン２０４４の閉止部２０２０に対する（例えば、軸Ａの周りの）回転を阻止するように動作してもよい（例えば、アセンブリ８００の閉止部相互作用特徴部８４６及びボタン相互作用特徴部８２２ｂと同様に）。その上、関連付けられた基部開口部２０７３を貫いて延在するボタン２０４４の１つ以上の基部相互作用特徴部２０４７ｂの一部分は、ボトル２０９０がキャップサブアセンブリ２０１０に連結され得るとき、ボトル２０９０の一部分（例えば、頂部２０９１）と相互作用して、外力インターフェースを提供するように露出されてもよく（例えば、基部空間２０８３ｂの外部に）、このような相互作用は、上向きの力（例えば、＋Ｚ方向への）を印加して、ボタン２０４４を図４２及び４４の緊張位置に動かし、かつ／又はボタン２０４４を図４２及び４４の緊張位置に保持することができる。
【０２０４】
キャップ２０１０のボタン２０４４は、頂端部２０４１から底端部２０４９まで延在し得る１つ以上の側壁２０４５を含み得るボタン本体を含んでもよい。ボタン２０４４は、内側ボタン空間２０４３を画定してもよく、内側ボタン空間２０４３は、頂端部２０４１の頂面を貫く頂部ボタン開口部を介して、かつ／又は底端部２０４９（図示せず）の底面を貫く底部ボタン開口部を介してアクセス可能であってもよい。ボタン２０４４は、１つ以上のアーム２０４７を含み得、その各々は、ボタン本体から離れる方向に（例えば、軸Ａから離れる方向に）２つの隣接する基部パーツ２０７４の間を外向きに延在して、ボタン２０４４が基部２０７０に対して、したがって閉止部２０２０に対して直線状に（例えば、軸Ａに沿って）動くことを依然として可能にしながら、基部２０７０に対する、したがって閉止部２０２０に対する（例えば、軸Ａの周りの）ボタン２０４４の回転を阻止し得る。代替的又は追加的に、ボタン２０４４は、１つ以上の基部相互作用特徴部２０４７ｂを含み得、その各々は、底端部２０７９から離れる方向に（例えば、直接に、又は外向きに延在するアーム２０４７を介して）、かつ少なくとも部分的に基部２０７０内の開口部２０７３を貫いて下向きに（例えば、−Ｚ方向に）延在し得、ボタン２０４４が基部２０７０に対して、したがって閉止部２０２０に対して直線状に（例えば、軸Ａに沿って）動くことを依然として可能にしながら、外力インターフェース（例えば、ボトル２０９０のユーザーのための）を提供し、かつ／又は基部２０７０に対する、したがって閉止部２０２０に対する（例えば、軸Ａの周りの）ボタン２０４４の回転を阻止する。内側ボタン空間２０４３の少なくとも一部分を画定し得る１つ以上の側壁２０４５の内面の１つ以上の部分等の、ボタン２０４０の任意の好適な部分は、ダイヤル２０３０の任意の好適な部分（例えば、ダイヤルパーツ２０３７の外面）と相互作用して、閉止部空間２０２３内のダイヤル２０３０の運動を１つ以上の方向に（例えば、Ｘ−Ｙ平面内に）制限しながらこのような回転を可能にするように動作し得る。例えば、ダイヤルパーツ２０３７の少なくとも一部分は、内側ボタン空間２０４３内へ（例えば、−Ｚ方向に）延在し、１つ以上の側壁２０４５の内面と相互作用して（例えば、２つの同心円の円筒形状として）、ダイヤル２０３０の閉止部２０２０に対する回転軸（例えば、軸Ａ）を少なくとも部分的に画定し、かつ／又は別の方法でそのような運動を支援若しくは限定し得る（例えば、ダイヤル２０３０の基部空間２０８３ｂ内のＸ軸沿い及び／又はＹ軸沿いの運動を阻止又は限定することにより）。したがって、ボタン２０４４は、基部空間２０８３ｂ内に少なくとも部分的に嵌合するように構成され得る。ボタン２０４４は、任意の好適な材料又は材料の組み合わせから作製されてもよく、任意の好適な寸法を有してよい。
【０２０５】
ボタン２０４４はまた、少なくとも１つ、又は任意の他の好適な数のボタン−ダイヤル相互作用特徴部又はボタン歯若しくはボタンノッチ２０４２を含み得、各ボタンノッチ２０４２は、ボタン２０４４が基部空間２０８３ｂ内で（例えば、軸Ａに沿って）動かされると、ダイヤルノッチ２０３２と少なくとも一時的に相互作用して、ダイヤル２０３０を少なくとも部分的に基部空間２０８３ｂ内で回転させる（例えば、軸Ａの周りで）ように動作し得る。少なくとも１つ、又は任意の他の好適な数のボタン歯又はボタンノッチ２０４２が、ボタン２０４０の任意の好適な面に沿って設けられ得る（例えば、図示するように、頂端部２０４１の頂面又はボタン２０４０の任意の他の好適な部分に沿って）。例えば、上記のように、ボタン２０４４の幾何形状（例えば、１つ以上のアーム２０４７及び／又は１つ以上の基部相互作用特徴部２０４７ｂ）は、基部２０７０の幾何形状（例えば、１つ以上の基部パーツ２０７４及び／若しくは１つ以上の開口部２０７３）並びに／又は閉止部２０２０の幾何形状と相互作用して、ボタン２０４４の直線状の運動（例えば、図４２及び／若しくは図４４の第１の「高」位置と図４３の第２の「低」位置との間等の、例えば、基部空間２０８３ｂ内における軸Ａに沿っての）を依然として可能にしながら、ボタン２０４４の回転（例えば、基部空間２０８３ｂ内における軸Ａの周りでの）を阻止し得る。少なくとも１つのダイヤルノッチ２０３２と少なくとも１つのボタンノッチ２０４２の相互作用は、ダイヤル２０３０の異なる表示部２０３６が回転により閉止部２０２０の通路２０２６に位置合わせされ得るように、ボタン２０４４の基部空間２０８３ｂ内における直線状の運動（例えば、軸Ａ沿いの）を、例えば、ダイヤル２０３０の基部空間２０８３ｂ内における回転運動（例えば、軸Ａの周りの）に変換することを可能にし得る。図示するように、複数の隣接するダイヤルノッチ２０３２が、軸Ａの少なくとも一部分の周りのダイヤル２０３０のダイヤルパーツ２０３４の底面に沿って集合的に延在し得、ボタン２０４４が基部空間２０８３ｂ内に位置付けられているとき、各ボタンノッチ２０４２の少なくとも一部分が、少なくとも１つのダイヤルノッチ２０３２に面し、ダイヤルノッチ２０３２と相互作用し得る。
【０２０６】
付勢機構２０８１は、ダイヤル２０３０の少なくとも一部分を例えば閉止部２０２０の頂端部２０２１から離れる方向に（例えば、−Ｚ方向に）付勢して、基部空間２０８３ｂ内のダイヤル２０３０、したがってボタン２０４４の直線状の運動を少なくとも部分的に制御するために、基部空間２０８３ｂ内の任意の好適な位置に位置付けられてもよい。付勢機構２０８１は、キャップサブアセンブリ２０１０から遠隔の物体（例えば、ユーザーＵ又はボトル２０９０）によりその方向への好適な量の力がボタン２０４４に印加され、これによりボタン２０４４がその力の少なくとも一部分をダイヤル２０３０の上向きの運動のためにダイヤル２０３０に付与すると、圧縮又は緊張されてダイヤル２０３０の少なくとも一部分の閉止部２０２０の頂端部２０２１へ向かっての（例えば、＋Ｚ方向等の圧縮方向への）上向きの運動を可能にするように動作し得る一方、そのような遠隔の物体によりそのような好適な量の力がボタン２０４４に印加されないと、減圧又は弛緩してダイヤル２０３０の少なくとも一部分を頂端部２０２１から離れる方向に（例えば、−Ｚ方向等の減圧方向に）下向きに動かすようにも動作する、任意の好適なバネ等の、任意の好適な材料（例えば、金属及び／又はプラスチック及び／又はゴム）で作製された任意の好適なコンポーネント又はコンポーネントの組み合わせであってもよい。図示するように、例えば、付勢機構２０８１は、好適な外力がボタン２０４４に（例えば、＋Ｚ方向に（例えば、以下でより詳細に説明するように、ユーザーＵ若しくはボトル２０９０により）印加されると）、いかなる外力もボタン２０４４に印加されないときの一方の状態（例えば、付勢機構２０８１がＺ軸沿いの第１の長さＢ１を有し得る、図４３の第１の膨張又は少なくとも部分的に減圧若しくは弛緩した状態）から他方の状態（例えば、付勢機構２０８１が長さＢ１よりも短いＺ軸沿いの第２の長さＢ２を有し得る、図４４（又は図４２）の圧縮又は緊張した状態）に圧縮されるように動作し得、そのような好適な外力がボタン２０４４に印加されないと後者の状態から前者の状態に膨張するように動作し得る、少なくとも１つのバネを含んでもよい。図示するように、付勢機構２０８１は、閉止部２０２０の頂部２０２１の内面とダイヤル２０３０の頂部２０３１の外面との間に（例えば、軸Ａに沿って、かつ／又は軸Ａの周りに）延在するように、基部空間２０８３ｂ内に位置付けられてもよい。例えば、いくつかの特定の実施形態では、図示するように、付勢機構２０８１は、頂部２０３１の外面の他の部分（例えば、表示部２０３６ｔを提供する部分）に対する陥凹部２０３１ｒ内で閉止部２０２０の頂部２０２１の内面とダイヤル２０３０の頂部２０３１の外面の一部分との間に延在し得、このような陥凹部２０３１ｒは、軸Ａの周りの、したがって付勢機構２０８１の周りのダイヤル２０３０の回転を可能にするのを助け、かつ軸Ａに垂直な、したがって付勢機構２０８１に垂直な（例えば、Ｘ−Ｙ平面内における）ダイヤル２０３０の運動を阻止するのを助けるように動作し得る。他の実施形態（図示せず）では、付勢機構２０８１は、閉止部２０２０の頂部２０２１の内面とボタン２０４４の任意の好適な面との間に（例えば、軸Ａに沿って、かつ／又は軸Ａの周りに）（例えば、ダイヤル２０３０の頂部２０３１の開口部を通じて、かつダイヤルパーツ２０３７の内側に沿ってボタン２０４４の底部２０４９の頂面へと）延在し、例えば、ボタン２０４４の少なくとも一部分を閉止部２０２０の頂端部２０２１から離れる方向に（例えば、−Ｚ方向に）付勢し、基部空間２０８３ｂ内におけるボタン２０４４の、したがってダイヤル２０３０の直線状の運動を少なくとも部分的に制御するように、基部空間２０８３ｂ内に位置付けられ得る。他の実施形態（図示せず）では、付勢機構２０８１は、ダイヤル２０３０の一部分とボタン２０４４の一部分との間に（例えば、軸Ａに沿って、かつ／又は軸Ａの周りに）延在し、例えば、ダイヤル２０３０をボタン２０４４から離れる方向に（例えば、−Ｚ方向に）付勢し、基部空間２０８３ｂ内におけるボタン２０４４のダイヤル２０３０に対する直線状の運動を少なくとも部分的に制御するように、基部空間２０８３ｂ内に位置付けられ得る。
【０２０７】
図示するように、複数の隣接するダイヤルノッチ２０３２は、ダイヤル２０３０のダイヤルパーツ２０３４の底面に沿って軸Ａの少なくとも一部分の周りに集合的に延在し得る。ダイヤルノッチ２０３２は、閉止部２０２０の頂部２０２１に向かう、かつ／又は閉止部２０２０の頂部２０２１から離れるボタン２０４４（例えば、１つ以上のボタンノッチ２０４２）の運動（例えば、ボタン２０４４のＺ軸沿い又は実質的にＺ軸沿いの運動）を軸Ａの周りのダイヤル２０３０の回転又は他の好適な運動に変換するための任意の好適な形状を、個別的かつ／又は集合的に有し得る。例えば、図示するように、各ダイヤルノッチ２０３２は、垂直セグメント又は実質的に垂直のセグメント２０３２ｖ（例えば、Ｚ軸沿い又は実質的にＺ軸沿いに延在する）及び斜めセグメント２０３２ｄを含み得、第１のダイヤルノッチ２０３２の斜めセグメント２０３２ｄは、その第１のダイヤルノッチ２０３２の垂直セグメント２０３２ｖの上部部分２０３２ｕをその第１のダイヤルノッチ２０３２に隣接する第２のダイヤルノッチ２０３２の垂直セグメント２０３２ｖの下部部分２０３２ｌに連結するか、又はその第１のダイヤルノッチ２０３２の垂直セグメント２０３２ｖの上部部分２０３２ｕからその第１のダイヤルノッチ２０３２に隣接する第２のダイヤルノッチ２０３２の垂直セグメント２０３２ｖの下部部分２０３２ｌに延在し得る。その上、図示するように、ボタン２０４４は、垂直セグメント又は実質的に垂直のセグメント２０４２ｖ（例えば、Ｚ軸沿い又は実質的にＺ軸沿いに延在する）及び斜めセグメント２０４２ｄを含み得る少なくとも１つのボタンノッチ２０４２を含み得、ボタンノッチ２０４２の斜めセグメント２０４２ｄは、そのボタンノッチ２０４２の垂直セグメント２０４２ｖの下部部分２０４２ｌから別のボタンノッチ２０４２の垂直セグメント２０４２ｖの上部部分２０４２ｕに、又はそのボタンノッチ２０４２の終点に、延在し得る。追加的又は代替的に、図示するように、基部２０７０は、少なくとも１つの基部ノッチ２０７２を含み得、該少なくとも１つの基部ノッチ２０７２は、その基部ノッチ２０７２に関連付けられた基部パーツ２０７４の上部部分２０７２ｕからその同じ基部パーツ２０７４の下部部分２０７２ｌに延在し得る斜めセグメント２０７２ｄを含み得る。図４２〜４４にはキャップサブアセンブリ２０１０の異なる使用段階が示されていることがあり、ダイヤルノッチ２０３２の幾何形状、並びにそれと少なくとも１つのボタンノッチ２０４２及び少なくとも１つの基部ノッチ２０７２との相互作用がどのようにこのような段階間の移行を少なくとも部分的に支配し得るかを示していることがある。
【０２０８】
図４２に示すように、キャップサブアセンブリ２０１０は、ボタン２０４４及び／又はダイヤル２０３０を＋Ｚ方向に上向きに動かすことにより、少なくとも付勢機構２０８１の付勢力に勝り、付勢機構２０８１の垂直長さを長さＢ２に低減するのに十分に大きい任意の好適な外力がキャップサブアセンブリ２０１０に印加される、第１の状態にあり得る。例えば、いくつかの実施形態では、図４２に示すように、ボトル２０９０が閉止部２０２０に連結されていると、ボトル２０９０の一部分（例えば、頂部２０９１）は、付勢機構２０８１の垂直長さを長さＢ２に低減し得る＋Ｚ方向のボトルの力を、外力インターフェースを提供し得るボタン２０４４の任意の好適な部分上に（例えば、１つ以上の基部開口部２０７３を通じてボトル２０９０に対して露出した１つ以上の基部相互作用特徴部２０４７ｂ上に）印加するように動作し得る。代替的な実施形態では、ユーザーＵが、外力インターフェースを提供し得るボタン２０４４の任意のアクセス可能な部分（例えば、基部開口部２０７７を通じてユーザーに対して露出した底部２０４９の外面）に、付勢機構２０８１の垂直長さを長さＢ２に低減し得る＋Ｚ方向のユーザーの力を印加してもよい（例えば、キャップ２０１０がボトル２０９０に連結されていないとき）。いずれにせよ、このような外力は、図４２のキャップサブアセンブリ２０１０の第１の状態を提供し得る。付勢機構２０８１は、付勢機構２０８１の付勢特徴部若しくは幾何形状（例えば、バネの平衡長）、ボタンノッチ２０４２の上部部分２０４２ｕとダイヤルノッチ２０３２の上部部分２０３２ｕの相互作用、ダイヤルノッチ２０３２の下部部分２０３２ｌとボタンノッチ２０４２の下部部分２０４２ｌの相互作用、ボトル２０９０と閉止部２０２０（例えば、リップ２０９４と底端部２０２９）の相互作用、ボトル２０９０と基部２０７０（例えば、頂部２０９１と１つ以上の開口部２０７３の周りの底端部２０７９）の相互作用、及び／又はユーザーと基部２０７０（例えば、ユーザーＵと開口部２０７７の周りの底端部２０７９）の相互作用、のうちの１つ以上により、更に短い長さに圧縮することを制限され得る、低減された長さＢ２の圧縮状態又は緊張状態にあることがあるので、キャップサブアセンブリ２０１０のこのような第１の状態は、圧縮状態又は緊張状態と呼ぶことができる。図４２のこのような第１の状態では、ボタン２０４４の少なくとも１つのボタンノッチ２０４２の少なくとも一部分が、ダイヤル２０３０のダイヤルノッチ２０３２の少なくとも一部分に接触していてもよい一方（例えば、ダイヤルノッチ２０３２の少なくとも一部分が、ボタンノッチ２０４２の少なくとも一部分に押し当てられてもよい）、基部２０７０の一部分は、ダイヤル２０３０の一部分に接触していてもいなくてもよい。その上、図４２のこのような第１の状態では、ダイヤル２０３０は、側部表示部２０３６ｓの第１の特定の側部表示部（例えば、「日曜」）が側部通路２０２６ｓに位置合わせされ得るように、かつ／又は頂部表示部２０３６ｔの第１の特定の頂部表示部が頂部通路２０２６ｔに位置合わせされ得るように、閉止部２０２０に対して軸Ａの周りの第１の回転の向きに保持され得る。
【０２０９】
次に、図４３に示すように、キャップサブアセンブリ２０１０は、図４２の第１の状態においてキャップサブアセンブリ２０１０に印加されていた外力が終了されるか、又は好適な量だけ低減されると、第２の状態に進むことができる。例えば、付勢機構２０８１がダイヤル２０３０及び／又はボタン２０４４を下向きの方向に（例えば、−Ｚ方向に）押し進めることができる一方、ボタン２０４４の幾何形状と基部２０７０の幾何形状との関係によりボタン２０４４が軸Ａの周りのいかなる回転もなしに軸Ａに沿って下向きに動くことが可能になるように、ボトル２０９０又はユーザーＵにより印加されるボタン２０４４上への外力が少なくとも部分的に低減又は除去されると、ダイヤル２０３０の幾何形状と基部２０７０の幾何形状の相互作用は、ダイヤル２０３０が軸Ａに沿って下向きに押し進められる間、ダイヤル２０３０を軸Ａの周りで回転させるように動作し得る（例えば、ひとたびボタンノッチ２０４２の最上部部分（例えば、上部部分２０４２ｕ）が静的基部ノッチ２０７２の最上部部分（例えば、上部部分２０７２ｕ）の下方へと下向きに（例えば、−Ｚ方向に）動くと）。例えば、ダイヤル２０３０の軸Ａ沿いのこのような下向きの運動中のある点において、あるダイヤルノッチ２０３２の少なくとも一部分は、基部ノッチ２０７２の少なくとも一部分に接触し、軸Ａの周りのダイヤル２０３０のこのような回転を促進し得る。例えば、ダイヤルノッチ２０３２の傾斜面（例えば、斜めセグメント２０３２ｄ）は、基部ノッチ２０７２の任意の好適な部分（例えば、上部部分２０７２ｕ）と相互作用し得、かつ／又は基部ノッチ２０７２の傾斜面（例えば、斜めセグメント２０７２ｄ）は、ダイヤルノッチ２０３２の任意の好適な部分（例えば、下部部分２０３２ｌ）と相互作用し得、付勢機構２０８１の下向きの力は、このような相互作用の少なくとも１つの傾斜面の傾き（例えば、斜めセグメント２０３２ｄ及び／又は斜めセグメント２０７２ｄの傾き）がダイヤル２０３０の移動を基部２０７０に沿って斜め下向きに（例えば、図４２及び４３の矢印Ｇの方向に）案内するように動作し得るように、ダイヤルノッチ２０３２と基部ノッチ２０７２のこのような相互作用のいかなる摩擦力よりも大きくてもよい。基部２０７０に対するダイヤル２０３０のこのような斜めの運動は、ダイヤル２０３０を、軸Ａの周りで図４２の第１の状態の回転の向きから図４３の第２の状態の回転の向きに回転させ得る（例えば、隣接するダイヤルノッチ２０３２の集合のうちの２つの隣接する垂直セグメント２０３２ｖ間の弧長の第１の部分に等しい弧長の分だけ）。図４３のこのような第２の状態では、図４２の第１の状態の側部表示部２０３６ｓの第１の特定の側部表示部（例えば、「日曜」）が、少なくとも部分的に側部通路２０２６ｓに位置合わせされたままであってもそうでなくてもよく、かつ／又は図４２の第１の状態の頂部表示部２０３６ｔの第１の特定の頂部表示部が、少なくとも部分的に頂部通路２０２６ｔに位置合わせされたままであってもそうでなくてもよい一方、第２の特定の側部表示部（例えば、「月曜」）及び／又は第２の特定の頂部表示部もまた、あるいは代替的に、少なくとも部分的に側部通路２０２６ｓ及び／又は頂部通路２０２６ｔに位置合わせされてもよい。図４３のキャップサブアセンブリ２０１０のこのような第２の状態は、弛緩状態又は伸長状態と呼ぶこともできる（例えば、付勢機構２０８１は、第１の長さＢ１の伸長状態にあることがあり、付勢機構２０８１の付勢特徴部若しくは幾何形状、基部パーツ２０７４の上部部分２０７２ｕとダイヤルノッチ２０３２の上部部分２０３２ｕの相互作用、及び／又はダイヤルノッチ２０３２の下部部分２０３２ｌと基部パーツ２０７４の下部部分２０７２ｌの相互作用、のうちの１つ以上によってより大きな長さに伸長することを制限され得るので）。したがって、基部空間２０８３ｂ内のボタン２０４４の動きを垂直運動又は少なくとも実質的に垂直の運動（例えば、Ｚ軸沿いの）に限定し、閉止部空間２０２３内における基部２０７０のいかなる運動も阻止することにより、下向きに動くダイヤル２０３０の少なくとも１つのダイヤルノッチ２０３２の幾何形状と、固定された基部２０７０の少なくとも１つの基部ノッチ２０７２の幾何形状との相互作用は、キャップサブアセンブリ２０１０のユーザーによる閲覧のために新たな表示部を１つ以上の通路に少なくとも部分的に位置合わせするように、ダイヤル２０３０を軸Ａの周りで回転させ得る。
【０２１０】
次に、図４４に示すように、キャップサブアセンブリ２０１０は、ボタン２０４４及び／又はダイヤル２０３０を＋Ｚ方向に上向きに動かすことにより、少なくとも付勢機構２０８１の付勢力に勝り、付勢機構２０８１の垂直長さを図４３の長さＢ１から図４４の長さＢ２に低減するのに十分に大きい任意の好適な外力がキャップサブアセンブリ２０１０に印加されると、図４３の第２の状態から図４４の第３の状態に進むことができる。例えば、いくつかの実施形態では、図４４に示すように、ボトル２０９０が閉止部２０２０に連結されていると、ボトル２０９０の一部分（例えば、頂部２０９１）は、付勢機構２０８１の垂直長さを長さＢ２に低減し得る＋Ｚ方向のボトルの力を、外力インターフェースを提供し得るボタン２０４４の任意の好適な部分上に（例えば、１つ以上の基部開口部２０７３を通じてボトル２０９０に対して露出した１つ以上の基部相互作用特徴部２０４７ｂ上に）印加するように動作し得る。代替的な実施形態では、ユーザーＵが、外力インターフェースを提供し得るボタン２０４４の任意のアクセス可能な部分（例えば、基部開口部２０７７を通じてユーザーに対して露出した底部２０４９の外面）に、付勢機構２０８１の垂直長さを長さＢ２に低減し得る＋Ｚ方向のユーザーの力を印加してもよい（例えば、キャップ２０１０がボトル２０９０に連結されていないとき）。いずれにせよ、このような外力は、閉止部２０２０に対するダイヤル２０３０の回転の向きを除いて図４２のキャップサブアセンブリ２０１０の第１の状態に似ているかもしれない、図４４のキャップサブアセンブリ２０１０の第３の状態を提供し得る。例えば、ボタン２０４４を上向きに（例えば、＋Ｚ方向に）押し進めることができる一方、ボタン２０４４の幾何形状と基部２０７０の幾何形状との関係によりボタン２０４４が軸Ａの周りのいかなる回転もなしに軸Ａに沿って上向きに動くことが可能になるように、このような外力がボトル２０９０又はユーザーによりボタン２０４４上に印加されると、ダイヤル２０３０の幾何形状とボタン２０４４の幾何形状の相互作用は、ボタン２０４４が軸Ａに沿って上向きに押し進められる間、ダイヤル２０３０を軸Ａの周りで回転させるように動作し得る（例えば、ひとたびボタンノッチ２０４２の最上部部分（例えば、上部部分２０４２ｕ）が静的基部ノッチ２０７２の最上部部分（例えば、上部部分２０７２ｕ）の上方へと上向きに（例えば、＋Ｚ方向に）押し進められると）。例えば、ボタン２０４４の軸Ａ沿いのこのような上向きの運動中のある点において、あるボタンノッチ２０４２の少なくとも一部分は、ダイヤルノッチ２０３２の少なくとも一部分に接触し、軸Ａの周りのダイヤル２０３０のこのような回転を促進し得る。例えば、ボタンノッチ２０４２の傾斜面（例えば、斜めセグメント２０４２ｄ）は、ダイヤルノッチ２０３２の任意の好適な部分（例えば、下部部分２０３２ｌ）と相互作用し得、かつ／又はダイヤルノッチ２０３２の傾斜面（例えば、斜めセグメント２０３２ｄ）は、ボタンノッチ２０４２の任意の好適な部分（例えば、上部部分２０４２ｕ）と相互作用し得、ボタン２０４４の上向きの力は、このような相互作用の少なくとも１つの傾斜面の傾き（例えば、斜めセグメント２０４２ｄ及び／又は斜めセグメント２０３２ｄの傾き）がダイヤル２０３０の移動をボタン２０４４に沿って斜めに（例えば、図４３及び４４の矢印Ｇの方向に）案内するように動作し得るように、ボタンノッチ２０４２とダイヤルノッチ２０３２のこのような相互作用のいかなる摩擦力よりも大きくてもよい。ボタン２０４４に対するダイヤル２０３０のこのような斜めの運動は、ダイヤル２０３０を、軸Ａの周りで図４３の第２の状態の回転の向きから図４４の第３の状態の回転の向きに回転させ得る（例えば、隣接するダイヤルノッチ２０３２の集合のうちの２つの隣接する垂直セグメント２０３２ｖ間の弧長の第２の部分に等しい弧長の分だけ）。図４４のこのような第３の状態では、図４３の第２の状態の側部表示部２０３６ｓの第２の特定の側部表示部（例えば、「月曜」）が、側部通路２０２６ｓに完全に位置合わせされ得、かつ／又は図４３の第２の状態の頂部表示部２０３６ｔの第２の特定の頂部表示部が、頂部通路２０２６ｔに完全に位置合わせされ得る。付勢機構２０８１は、付勢機構２０８１の付勢特徴部若しくは幾何形状（例えば、バネの平衡長）、ボタンノッチ２０４２の上部部分２０４２ｕとダイヤルノッチ２０３２の上部部分２０３２ｕの相互作用、ダイヤルノッチ２０３２の下部部分２０３２ｌとボタンノッチ２０４２の下部部分２０４２ｌの相互作用、ボトル２０９０と閉止部２０２０（例えば、リップ２０９４と底端部２０２９）の相互作用、ボトル２０９０と基部２０７０（例えば、頂部２０９１と１つ以上の開口部２０７３の周りの底端部２０７９）の相互作用、及び／又はユーザーと基部２０７０（例えば、ユーザーＵと開口部２０７７の周りの底端部２０７９）の相互作用、のうちの１つ以上により、更に短い長さに圧縮することを制限され得る、低減された長さＢ２の圧縮状態又は緊張状態にあることがあるので、図４４のキャップサブアセンブリ２０１０のこのような第３の状態は、図２２の第１の状態と同様に、圧縮状態又は緊張状態と呼ぶことができる。図４４のこのような第３の状態では、ボタン２０４４の少なくとも１つのボタンノッチ２０４２の少なくとも一部分が、ダイヤル２０３０のダイヤルノッチ２０３２の少なくとも一部分に接触していてもよい一方（例えば、ダイヤルノッチ２０３２の少なくとも一部分が、ボタンノッチ２０４２の少なくとも一部分に押し当てられてもよい）、基部２０７０の一部分は、ダイヤル２０３０の一部分に接触していてもいなくてもよい。その上、図４４のこのような第３の状態では、ダイヤル２０３０は、側部表示部２０３６ｓの第２の特定の側部表示部（例えば、「月曜」）が側部通路２０２６ｓに位置合わせされ得るように、かつ／又は頂部表示部２０３６ｔの第２の特定の頂部表示部が頂部通路２０２６ｔに位置合わせされ得るように、閉止部２０２０に対して軸Ａの周りの第３の回転の向きに保持され得る。したがって、基部空間２０８３ｂ内のボタン２０４４の動きを垂直運動又は少なくとも実質的に垂直の運動（例えば、Ｚ軸沿いの）に限定し、閉止部空間２０２３内における基部２０７０のいかなる運動も阻止することにより、上向きに動くボタン２０４２の少なくとも１つのボタンノッチ２０４２の幾何形状と、直線状及び回転可能に可動なダイヤル２０３０の少なくとも１つのダイヤルノッチ２０３２の幾何形状との相互作用は、キャップサブアセンブリ２０１０のユーザーによる閲覧のために新たな表示部を１つ以上の通路に少なくとも部分的に位置合わせするように、ダイヤル２０３０を軸Ａの周りで回転させ得る。
【０２１１】
ダイヤルノッチ２０３２の数（例えば、斜めセグメント２０３２ｄの数）は、軸Ａの周りのダイヤル２０３０の３６０度回転により可能となる第１の状態から第３の状態への（例えば、図４２から図４４への）調節の数等の、閉止部２０２０内におけるダイヤル２０３０の異なる機能を有する回転の向きの数（例えば、ユーザーによる閲覧のために回転可能に通路に位置合わせされ得る異なる表示部の数）に等しくてもよい。各斜めセグメント２０３２ｄの角度は、ノッチ２０３２の数及びノッチ２０３２がそれに沿って設けられる面の長さ若しくは周囲長又は他の好適な幾何形状に基づいてもよい。ダイヤルノッチ２０３２の数はダイヤル２０３０の異なる回転の向きの数を画定するように動作し得るものの、任意の好適な数のボタンノッチ２０４２及び／又は基部ノッチ２０７２が、このようなダイヤルノッチ２０３２と相互作用するために設けられ得る。いくつかの実施形態では、２つ、４つ、７つ、８つ、又は任意の他の好適な数のダイヤルノッチ２０３２が設けられるにもかかわらず、１つのボタンノッチ２０４２及び１つの基部ノッチ２０７２のみが設けられ得る。他の実施形態では、任意の好適な数のダイヤルノッチ２０３２が設けられるにもかかわらず、２つのボタンノッチ２０４２及び２つの基部ノッチ２０７２が設けられ得る。いくつかの実施形態では、ボタンノッチ２０４２及び基部ノッチ２０７２は、ダイヤル２０３０がそれらの上で平衡を保つことができるように、軸Ａの周りに均等に散開されてもよい。各ボタンノッチ２０４２及び各基部ノッチ２０７２は、ダイヤル２０３０の斜めセグメント２０３２ｖの傾きに一致する斜めセグメントを含むように図４２〜４４で示されているかもしれないものの、各ボタンノッチ２０４２及び／又は各基部ノッチ２０７２は、斜めセグメントを含まなくてもよく、ダイヤル２０３０と相互作用し得る単一の高さ（例えば、単一のピン様の尖ったセグメント）であり得る任意の好適な形状であってもよいことを理解されたい（例えば、ボタンノッチ２０４２は、上部部分２０４２ｕに延在する側壁２０４５の一部分により画定されてもよく、かつ／又は基部ノッチ２０７２は、上部部分２０７２ｕに延在する基部パーツ２０７４の一部分により画定されてもよい）。ダイヤルノッチ２０３２の厚さは、図４２の第１の段階と図４３の第２の段階との間の遷移及び／又は図４３の第２の段階と図４４の第３の段階との間の遷移を可能にするように、ボタンノッチ２０４２の一部分及び基部ノッチ２０７２の一部分の両方と（例えば、Ｘ−Ｙ平面において）相互作用するように動作し得ることを理解されたい。いくつかの実施形態では、各ダイヤルノッチ２０３２は、軸Ａの周りのダイヤル２０３０の首尾一貫した３６０度回転を提供するように、各々の他のダイヤルノッチ２０３２と同じ幾何形状であってもよい。図示するように、ボタンノッチのピーク（例えば、ボタンノッチ２０４２の上部部分２０４２ｕ）は、基部ノッチのピーク（例えば、基部ノッチ２０７２の上部部分２０７２ｕ）から軸Ａの周りにオフセットされてもよく、これにより、第１の段階から第２の段階及び第２の段階から第３の段階への遷移の間、かつ第１の段階から第２の段階及び第２の段階から第３の段階への遷移を可能にするように、２つのピークのうちの少なくとも１つがダイヤル２０３０の一部分（例えば、ダイヤルノッチ２０３２の一部分）に常に接触し得る。したがって、該少なくとも１つの基部ノッチ２０７２が該少なくとも１つのボタンノッチ２０４２の上方に動かされると、基部ノッチ２０７２のピークは、ダイヤルノッチ２０３２の斜めセグメント又は任意の他の好適な形状のセグメント２０３２ｄの一部分と相互作用して、ダイヤル２０３０が軸Ａの周りで回転すること（例えば、第１の段階から第２の段階に）を可能にし得、該少なくとも１つのボタンノッチ２０４２が該少なくとも１つの基部ノッチ２０７２の上方に動かされると、ボタンノッチ２０４２のピークは、ダイヤルノッチ２０３２の斜めセグメント又は任意の他の好適な形状のセグメント２０３２ｄの一部分と相互作用して、ダイヤル２０３０が軸Ａの周りで更に回転すること（例えば、第２の段階から第３の段階に）を可能にし得る。
【０２１２】
＜図４５（アセンブリ２１００）＞
図４５は、図４０〜４４のアセンブリ２０００に似ているかもしれないが、ユーザーに対する提示のために基部を貫く開口部に位置合わせされるように動作し得る底部ダイヤル表示部を含み得る、別の例示的なボトル容器アセンブリ２１００のキャップサブアセンブリ２１１０を示す。図４５のアセンブリ２１００は、図４０〜４４のアセンブリ２０００に似た１つ以上のコンポーネントを含み得、図４５のアセンブリ２１００のコンポーネントは、図４０〜４４のアセンブリ２０００のラベル付けされたコンポーネントの参照ラベル「２０ｘｘ」に対応することがある参照ラベル「２１ｘｘ」によりラベル付けされており、それらの間の相違点は、以下で説明されることがある。アセンブリ２１００は、ボトル（図示せず）に連結され得るキャップ２１１０を含み、中に内容物を安全に保持し得る閉止された容器を形成することができる。キャップ２１１０は、閉止部２１２０、ダイヤル２１３０、押しボタン２１４４、基部２１７０、及び付勢機構２０８１を含んでもよく、キャップ２０１０と同様に動作し得る。しかしながら、図４５に示すように、キャップ２０１０とは異なり、底端部２１３９又はダイヤル２１３０の任意の他の好適な部分は、底部表示部２１３６ｂを含み得、底部表示部２１３６ｂの異なる部分は、基部２１７０の基部本体を貫いて頂端部２１７１と底端部２１７９との間に設けられ得、かつ透明若しくは半透明の材料若しくはそれを通じてアセンブリ２１００のユーザーに対する情報の伝達を可能にし得る（例えば、キャップサブアセンブリ２１１０がボトルに連結されていないとき）任意の他の好適な物体（例えば、拡大鏡２１７６ｍ）により被覆され得るか、若しくは別の方法でそれを含むように構成され得る、少なくとも１つの基部表示部通路２１７６に位置合わせされるように動作し得る。
【０２１３】
＜図４６（アセンブリ２２００）＞
図４６は、図４０〜４４のアセンブリ２０００に似ているかもしれないが、基部の任意の部分を貫いて下向きに延在してボトルと係合し得るボタンのいかなる基部相互作用特徴部も含まないことがある、別の例示的なボトル容器アセンブリ２２００のキャップサブアセンブリ２２１０の一部分を示す。図４６のアセンブリ２２００は、図４０〜４４のアセンブリ２０００に似た１つ以上のコンポーネントを含み得、図４６のアセンブリ２２００のコンポーネントは、図４０〜４４のアセンブリ２０００のラベル付けされたコンポーネントの参照ラベル「２０ｘｘ」に対応することがある参照ラベル「２２ｘｘ」によりラベル付けされており、それらの間の相違点は、以下で説明されることがある。アセンブリ２２００は、ボトル（図示せず）に連結され得るキャップ２２１０を含み、中に内容物を安全に保持し得る閉止された容器を形成することができる。キャップ２２１０は、閉止部（図示せず）、ダイヤル（図示せず）、押しボタン２２４４、基部２２７０、及び付勢機構（図示せず）を含んでもよく、キャップ２０１０と同様に動作し得る。図４６に示すように、ボタン２０４４と同様に、ボタン２２４４は、１つ以上のアーム２２４７を含み得、その各々は、ボタン本体から離れる方向に（例えば、軸Ａから離れる方向に）外向きに延在し得、基部２２７０の２つの隣接する基部パーツ２２７４の間に延在して、ボタン２２４４が基部２２７０に対して直線状に（例えば、軸Ａに沿って）動くことを依然として可能にしながら、基部２２７０に対する（例えば、軸Ａの周りの）ボタン２２４４の回転を阻止するように動作し得る。しかしながら、ボタン２０４４とは異なり、ボタン２２４４は、任意の外向きに延在するアーム２２４７から離れる方向に下向きに（例えば、−Ｚ方向に）延在し、基部２２７０内の任意の開口部を貫いて延在して、外力インターフェース（例えば、ボトルのための）を提供するいかなる基部相互作用特徴部も含まないことがある。その代わりとして、ボタン２２４４の底端部２２４９が、基部２２７０内の開口部２２７７を介してアクセス可能であってもよく、外力インターフェース（例えば、ユーザーのための）を提供する。
【０２１４】
＜図４７〜４９（アセンブリ２３００）＞
図４７〜４９は、図４０〜４４のアセンブリ２０００に似ているかもしれないが、１つ以上の相互作用するノッチのための異なる幾何形状を含み得る、別の例示的なボトル容器アセンブリ２３００を示す。図４７〜４９のアセンブリ２３００は、図４０〜４４のアセンブリ２０００に似た１つ以上のコンポーネントを含み得、図４７〜４９のアセンブリ２３００のコンポーネントは、図４０〜４４のアセンブリ２０００のラベル付けされたコンポーネントの参照ラベル「２０ｘｘ」に対応することがある参照ラベル「２３ｘｘ」によりラベル付けされており、それらの間の相違点は、以下で説明されることがある。アセンブリ２３００は、ボトル２３９０に連結され得るキャップ２３１０を含み、中に内容物を安全に保持し得る閉止された容器を形成することができる。キャップ２３１０は、閉止部２３２０、ダイヤル２３３０、押しボタン２３４４、基部２３７０、及び付勢機構２３８１を含んでもよく、キャップ２０１０と同様に動作し得る。しかしながら、図４７及び４９に示すように、それぞれ図４２及び４４のキャップ２０１０の第１の段階及び第３の段階とは異なり、１つ以上のボタンノッチ２３４２の上部部分２３４２ｕは、上部部分２３３２ｕ以外のダイヤルノッチ２３３２の別の好適な部分（例えば、ダイヤルノッチ２３３２の斜めセグメント２３３２ｄの中央部）と相互作用するように動作し得る。しかしながら、いくつかの実施形態では、図示するように、このような第１のステージ及び第３のステージにおいて、ダイヤルノッチ２３３２の下部部分２３３２ｌは、ボタンノッチ２３４２の下部部分２３４２ｌと相互作用するように動作し得る。その上、アセンブリ２０００のボタンノッチ２０４２とは異なり、ボタン２３４４のボタンノッチ２３４２は、平面的な抽象化の場合は二等辺三角形等の対称的な形状であってもよい。ただし、任意の他の好適な幾何形状も可能である。
【０２１５】
＜図５０〜５２（アセンブリ２４００）＞
図５０〜５２は、図４０〜４４のアセンブリ２０００に似ているかもしれないが、１つ以上の相互作用するノッチのための異なる幾何形状を含み得、ボタンノッチの周りに基部ノッチを提供するのではなく、基部ノッチの周りにボタンノッチを提供し得る、別の例示的なボトル容器アセンブリ２４００を示す。図５０〜５２のアセンブリ２４００は、図４０〜４４のアセンブリ２０００に似た１つ以上のコンポーネントを含み得、図５０〜５２のアセンブリ２４００のコンポーネントは、図４０〜４４のアセンブリ２０００のラベル付けされたコンポーネントの参照ラベル「２０ｘｘ」に対応することがある参照ラベル「２４ｘｘ」によりラベル付けされており、それらの間の相違点は、以下で説明されることがある。アセンブリ２４００は、ボトル２４９０に連結され得るキャップ２４１０を含み、中に内容物を安全に保持し得る閉止された容器を形成することができる。キャップ２４１０は、閉止部２４２０、ダイヤル２４３０、押しボタン２４４４、基部２４７０、及び付勢機構２４８１を含んでもよく、キャップ２０１０と同様に動作し得る。しかしながら、図５１に示すように、ボタン２０４４のボタン本体が１つ以上の基部パーツ２０７４により取り囲まれるように位置付けられ得るキャップ２０１０の場合とは異なり、ボタン２４４４のボタン本体の１つ以上の側壁２４４５は、基部２４７０の１つ以上の基部パーツ２４７４を取り囲み得る。その上、いくつかの実施形態では、ダイヤル２４３０は、ボタン２０４４及び／又は基部２０７０内へ延在して閉止部空間２０２３内のダイヤル２０３０の運動を１つ以上の方向に（例えば、Ｘ−Ｙ平面内に）制限しながらダイヤル回転を可能にするダイヤルパーツ２０３７等の、基部又はボタンの一部分内へと下向きに延在して回転軸を画定するダイヤルパーツを含むのではなく、このようなパーツを含まないかもしれないが、その代わりとして少なくとも１つの閉止部相互作用特徴部２４３６（例えば、ボタン２４３０の側壁２４３５（複数可）の外面から外向きに延在する特徴部）を含み得、閉止部２４２０は、少なくとも１つのダイヤル相互作用特徴部２４２２ｂ（例えば、閉止部２４２０の内面内の１つ以上の溝）を含み得、ダイヤル２４３０の閉止部相互作用特徴部２４３６は、閉止部２４２０のダイヤル相互作用特徴部２４２２ｂ内にスナップイン又は嵌合して、ダイヤル２４３０を閉止部空間２４２３内に少なくとも部分的に固定させ、閉止部空間２４２３内のダイヤル２４３０の運動を１つ以上の方向に（例えば、Ｘ−Ｙ平面内に）制限しながらダイヤル回転を可能にし得る。追加的又は代替的に、図５０〜５２に示すように、ダイヤルノッチ２４３２は、ダイヤル本体から延在するダイヤルパーツ（例えば、ダイヤル２０３０のダイヤルパーツ２０３４）上ではなく、ダイヤル２４３０のダイヤル本体の底端部２４３９上に設けられてもよい。
【０２１６】
＜図５３（プロセス２５００）＞
図５３は、ボトルキャップ内のダイヤル上の表示部の、ボトルキャップ内の通路を通じてユーザーに見える部分を変更するための例示的なプロセス２５００の流れ図である。工程２５０２では、プロセス２５００は、ユーザーギヤを第１の軸に沿って、ダイヤルに連結されたダイヤルギヤに向かって押圧することを含み得る。例えば、アセンブリ１００〜７００のうちのいずれか１つに関連して説明したように、ユーザーギヤ１６２〜７６２は、ダイヤル１３０〜７３０に連結されたダイヤルギヤ１５２〜７５２に向かって押圧されて、２つのギヤの間の離隔距離（例えば、距離１４１）を取り除き得る。次に、工程２５０４では、工程２５０２の押圧の間、プロセス２５００は、ユーザーギヤを第１の軸の周りで回転させることを含み得る。例えば、アセンブリ１００〜７００のうちのいずれか１つに関連して説明したように、ユーザーギヤ１６２〜７６２は、このような離隔距離が取り除かれているとき（例えば、ユーザーギヤの歯がダイヤルギヤの歯と噛み合っているとき）、回転され得る。次いで、工程２５０６では、プロセス２５００は、ユーザーギヤの回転を使用して、ダイヤルギヤ及びダイヤルを第２の軸の周りで回転させることを含み得る。例えば、アセンブリ１００〜７００のうちのいずれか１つに関連して説明したように、ユーザーギヤ１６２〜７６２の回転は、それに連結されたダイヤルギヤ１５２〜７５２及びダイヤル１３０〜７３０を回転させ得る。いくつかの実施形態では、工程２５０２の押圧及び工程２５０４の回転の第１の軸は、工程２５０６の回転の第２の軸と同じであってもよい（例えば、図１３及び１４のアセンブリ７００の軸Ａ）。他の実施形態では、工程２５０２の押圧及び工程２５０４の回転の第１の軸は、工程２５０６の回転の第２の軸とは異なってもよい（例えば、図１〜１２のアセンブリ１００〜６００のいずれか１つの軸Ｂ対軸Ａ）。
【０２１７】
図５３のプロセス２５００に示す工程は単に例示的なものであり、既存の工程を修正又は省略することができ、更なる工程を追加することができ、特定の工程の順序を変更することができることが理解される。
【０２１８】
＜図５４（プロセス２６００）＞
図５４は、ボトルキャップの閉止部内のダイヤル上の表示部の、閉止部内の通路を通じてユーザーに見える部分を変更するための例示的なプロセス２６００の流れ図である。ボトルキャップは、閉止部、ダイヤル、経路を画定する経路コンポーネント、相互作用特徴部部分、及び相互作用特徴部に連結された外力インターフェースを含み得る。工程２６０２では、プロセス２６００は、外力が外力インターフェースに印加されたとき、特定の軸に平行な第１の方向に延在する経路の第１のセグメントに沿って相互作用特徴部を動かすことを含み得る。次に、工程２６０４では、プロセス２６００は、外力インターフェースに対する外力が少なくとも部分的に終了されたとき、第１のセグメントから軸の少なくとも一部分の周りに延在する経路の第２のセグメントに沿って相互作用特徴部を動かすことを含み得る。例えば、図１５〜２７のアセンブリ８００〜１４００のいずれか１つに関連して説明したように、ダイヤルの表面は、溝又は他の好適な経路（例えば、ダイヤル８３０の溝８３２）を画定し得、押しボタンは、外力インターフェース及び相互作用特徴部（例えば、ボタン８４０の底端部８４９及び相互作用特徴部８４７のエクステンダー部８４７ｅ）を含み得る。他の実施形態では、図２８〜３９のアセンブリ１５００〜１９００のいずれか１つに関連して説明したように、閉止部の表面は、溝又は他の好適な経路（例えば、閉止部１５２０の溝１５３２）を画定し得、ダイヤルは、外力インターフェース及び相互作用特徴部（例えば、ダイヤル１５３０の底端部１５３９及び相互作用特徴部１５４７のエクステンダー部１５４７ｅ）を含み得る。いずれにせよ、外力がこのような外力インターフェースに印加されると（例えば、ユーザーＵにより、又はキャップに連結された容器の一部分により、このような相互作用特徴部は、特定の軸に平行な第１の方向に延在し得る経路の第１のセグメント（例えば、垂直セグメント）に沿って動かされ得（例えば、垂直セグメント８３２ｖは、下部部分８３２ｌから上部部分８３２ｕに軸Ａに平行な方向に延在し得る）、このような外力が少なくとも部分的に終了されると（例えば、重力又は付勢機構の膨張力が、外力インターフェースに印加されるいずれの外力よりも大きいと）、このような相互作用特徴部は、特定の軸の少なくとも一部分の周りの第１のセグメントから延在する経路の第２のセグメント（例えば、斜めセグメント）に沿って動かされて（例えば、斜めセグメント８３２ｄは、軸Ａの一部分の周りの垂直セグメント８３２ｖの上部部分８３２ｕから延在し得る）、閉止部空間内でダイヤルを回転させ得る。
【０２１９】
図５４のプロセス２６００に示す工程は単に例示的なものであり、既存の工程を修正又は省略することができ、更なる工程を追加することができ、特定の工程の順序を変更することができることが理解される。
【０２２０】
＜図５５（プロセス２７００）＞
図５５は、ボトルキャップの閉止部内のダイヤル上の表示部の、ボトルキャップ内の通路を通じてユーザーに見える部分を変更するための例示的なプロセス２７００の流れ図である。ボトルキャップは、閉止部、ダイヤル、基部、及びボタンを含み得る。工程２７０２では、プロセス２７００は、基部と物理的に相互作用するようにダイヤルを基部に向かって押し進めることにより、閉止部に対してダイヤルを特定の軸の周りで特定の方向に第１の量だけ回転させることを含み得る。例えば、図４０〜４４のアセンブリ２０００に関連して上述したように、ダイヤル２０３０が基部２０７０と物理的に相互作用するようにダイヤル２０３０を基部２０７０に向かって（例えば、付勢機構２０８１の減圧を通じて−Ｚ方向に）押し進めることにより、ダイヤル２０３０は、図４２の第１の段階から図４３の第２の段階に軸Ａの周りで（例えば、矢印Ｒ２の方向に）回転され得る（例えば、少なくとも１つのダイヤルノッチ２０３２が、基部ノッチ２０７２等の、基部２０７０の少なくとも１つのダイヤル相互作用特徴部と物理的に相互作用して、ダイヤル２０３０を第１の段階から第２の段階に回転させ得る）。工程２７０４では、プロセス２７００は、ダイヤルと物理的に相互作用するようにボタンをダイヤルに向かって押し進めることにより、閉止部に対してダイヤルを特定の軸の周りで特定の方向に第２の量だけ回転させることを含み得る。例えば、図４０〜４４のアセンブリ２０００に関連して上述したように、ボタン２０４４がダイヤル２０３０と物理的に相互作用し得るようにボタン２０４４をダイヤル２０３０に向かって（例えば、ボタン２０４４に対する外力の印加及び付勢機構２０８１の圧縮を通じて＋Ｚ方向に）押し進めることにより、ダイヤル２０３０は、図４３の第２の段階から図４４の第３の段階に軸Ａの周りで（例えば、矢印Ｒ２の方向に）回転され得る（例えば、ボタンノッチ２０４２等の、ボタン２０４４の少なくとも１つのダイヤル相互作用特徴部が、少なくとも１つのダイヤルノッチ２０３２と物理的に相互作用して、ダイヤル２０３０を第２の段階から第３の段階に回転させ得る）。
【０２２１】
図５５のプロセス２７００に示す工程は単に例示的なものであり、既存の工程を修正又は省略することができ、更なる工程を追加することができ、特定の工程の順序を変更することができることが理解される。
説明した概念の更なる応用
【０２２２】
容器用の調節可能なインジケータ並びにそれを使用及び作製するための方法が説明されてきたものの、それらに対する多くの変更が、本明細書に記載の主題の趣旨及び範囲をいかなる形でも逸脱することなしに、なされ得ることを理解されたい。請求する主題に対する、当業者から見て実体のない変更は、現在公知であるか後に考案されるかにかかわらず、等価的に本請求項の範囲内にあると明示的に企図されている。したがって、現在又は後に当業者に公知となる自明な置き換えは、定義された要素の範囲内にあると定義される。また、「近位（proximal）」及び「遠位（distal）」、「上（up）」及び「下（down）」、「前方（front）」及び「後方（back）」、「上部（upper）」及び「下部（lower）」、「頂部（top）」及び「底部（bottom）」及び「側部（side）」、「垂直（vertical）」及び「水平（horizontal）」及び「斜め（diagonal）」、「長さ（length）」及び「幅（width）」及び「厚さ（thickness）」及び「直径（diameter）」及び「断面（cross-section）」及び「長手方向（longitudinal）」、「Ｘ−」及び「Ｙ−」及び「Ｚ−」等の、様々な方向及び向きの用語は、本明細書において便宜上のみに使用されることがあり、これらの語句の使用は、固定した、又は絶対的な方向又は向きの限定を意図しないことも理解されたい。例えば、アセンブリ及び患者は任意の所望の向きを有し得る。向きが変更される場合、それらの記載において異なる方向又は向きの用語が使用される必要があるかもしれないが、そのことは、本明細書に記載の主題の範囲及び趣旨に属するというそれらの基本的な性質をいかなる形でも変えるものではない。
【０２２３】
したがって、本発明は、限定ではなく例示の目的のために提示されている記載の実施形態以外により実施され得ることを、当業者は理解するであろう。
【図１】
0006564870.tif 000002
【図２】
0006564870.tif 000003
【図３】
0006564870.tif 000004
【図４】
0006564870.tif 000005
【図５】
0006564870.tif 000006
【図６】
0006564870.tif 000007
【図７】
0006564870.tif 000008
【図８】
0006564870.tif 000009
【図９】
0006564870.tif 000010
【図１０】
0006564870.tif 000011
【図１１】
0006564870.tif 000012
【図１２】
0006564870.tif 000013
【図１３】
0006564870.tif 000014
【図１４】
0006564870.tif 000015
【図１５】
0006564870.tif 000016
【図１６】
0006564870.tif 000017
【図１７】
0006564870.tif 000018
【図１８】
0006564870.tif 000019
【図１９】
0006564870.tif 000020
【図２０】
0006564870.tif 000021
【図２１】
0006564870.tif 000022
【図２２】
0006564870.tif 000023
【図２３】
0006564870.tif 000024
【図２４】
0006564870.tif 000025
【図２５】
0006564870.tif 000026
【図２６】
0006564870.tif 000027
【図２７】
0006564870.tif 000028
【図２８】
0006564870.tif 000029
【図２９】
0006564870.tif 000030
【図３０】
0006564870.tif 000031
【図３１】
0006564870.tif 000032
【図３２】
0006564870.tif 000033
【図３３】
0006564870.tif 000034
【図３４】
0006564870.tif 000035
【図３５】
0006564870.tif 000036
【図３６】
0006564870.tif 000037
【図３７】
0006564870.tif 000038
【図３８】
0006564870.tif 000039
【図３９】
0006564870.tif 000040
【図４０】
0006564870.tif 000041
【図４１】
0006564870.tif 000042
【図４２】
0006564870.tif 000043
【図４３】
0006564870.tif 000044
【図４４】
0006564870.tif 000045
【図４５】
0006564870.tif 000046
【図４６】
0006564870.tif 000047
【図４７】
0006564870.tif 000048
【図４８】
0006564870.tif 000049
【図４９】
0006564870.tif 000050
【図５０】
0006564870.tif 000051
【図５１】
0006564870.tif 000052
【図５２】
0006564870.tif 000053
【図５３】
0006564870.tif 000054
【図５４】
0006564870.tif 000055
【図５５】
0006564870.tif 000056